(57)【要約】  高温で動作するように適合したエネルギー貯蔵装置と、エネルギー貯蔵構成要素を制御するとともに高温でびデータロギングの手段を提供するように動作するモジュール式信号のインターフェース装置とを含む、坑井内電力システムが設けられる。コントローラは、様々な組み合わせで所望の機能を提供するように選択されてもよい、予め組み立てられた構成要素から製造される。エネルギー貯蔵装置は少なくとも１つのウルトラキャパシタを含んでもよい。
2016521451.tif 000002
【特許請求の範囲】
【請求項１】
坑井内ツールへ電力を供給するためのモジュール式電力システムであって、
上記モジュール式電力システムは、
高温で再充電可能なエネルギー貯蔵装置（「ＨＴＲＥＳ」）と、
上記モジュール式電力システムに接続された坑井内ツールに供給される電力と、上記ＨＴＲＥＳの充電放電サイクルとの少なくとも一方を制御するモジュール式信号インターフェース装置（「ＭＳＩＤ」）モジュールとを備え、
上記ＭＳＩＤは坑井内電源に接続するように適合されるモジュール式電力システム。
【請求項２】
上記ＨＴＲＥＳは、摂氏約−４０度と摂氏約２１０度との間の温度において動作可能な少なくとも１つのウルトラキャパシタを備える請求項１記載の電力システム。
【請求項３】
上記ウルトラキャパシタは、改良型電解質（「ＡＥＳ」）を備える高温ウルトラキャパシタであって、摂氏約７５度と摂氏約２１０度との間の温度で動作可能である高温ウルトラキャパシタを備える請求項２記載の電力システム。
【請求項４】
摂氏約８０度から摂氏約１５０度までの温度範囲内の所定温度において動作するように構成される請求項３記載の電力システム。
【請求項５】
上記ＡＥＳは、高度に精製された電解質を含む請求項３〜４のいずれかに記載の電力システム。
【請求項６】
上記ＨＴＲＥＳは、従来技術のエネルギー貯蔵装置に対して、次の特性、すなわち、減少した合計抵抗、増大した抵抗の長期安定性、増大した合計容量、増加した容量の長期安定性、増大したエネルギー密度、増大した電圧安定性、減少した気圧、それぞれのキャパシタについての拡大した温度範囲性能、それぞれのキャパシタについての増大した温度耐性、向上した製造容易性、及び改善された費用効果のうちの少なくとも１つを有する、先行する請求項のうちのいずれかに記載の電力システム。
【請求項７】
上記ＨＴＲＥＳは正及び負の電極を備え、上記電極のうちの少なくとも１つは炭素を含むエネルギー貯蔵媒体を含む、先行する請求項のうちのいずれかに記載の電力システム。
【請求項８】
上記炭素を含むエネルギー貯蔵媒体はカーボンナノチューブを含む請求項７記載の電力システム。
【請求項９】
上記炭素を含むエネルギー貯蔵媒体は、活性炭、カーボンファイバー、レーヨン、グラフェン、エアロゲル、カーボンクロス、及び複数の形態のカーボンナノチューブのうちの少なくとも１つを含む請求項７〜８に記載の電力システム。
【請求項１０】
上記ＨＴＲＥＳは、不純物含有量を減少させるように精製されたＡＥＳを備える、先行する請求項のうちのいずれかに記載の電力システム。
【請求項１１】
上記ＨＴＲＥＳは、約１０００ｐｐｍ未満のハロゲン化物イオンの含有量を有するＡＥＳを備える、先行する請求項のうちのいずれかに記載の電力システム。
【請求項１２】
上記ＡＥＳは、約５００ｐｐｍ未満のハロゲン化物イオンの含有量を有する請求項１１記載の電力システム。
【請求項１３】
上記ＡＥＳは、約１００ｐｐｍ未満のハロゲン化物イオンの含有量を有する請求項１１記載の電力システム。
【請求項１４】
上記ＡＥＳは、約５０ｐｐｍ未満のハロゲン化物イオンの含有量を有する請求項１１記載の電力システム。
【請求項１５】
上記ＨＴＲＥＳは、約１０００ｐｐｍ未満の金属種の合計濃度を有するＡＥＳを備える、先行する請求項のうちのいずれかに記載の電力システム。                      
【請求項１６】
上記金属種が、Ｃｄ、Ｃｏ、Ｃｒ、Ｃｕ、Ｆｅ、Ｋ、Ｌｉ、Ｍｏ、Ｎａ、Ｎｉ、Ｐｂ、及びＺｎ、及びそれらの合金及び酸化物からなるグループから選択された１以上の金属から選択される請求項１５記載の電力システム。
【請求項１７】
上記ＨＴＲＥＳは、約１０００ｐｐｍ未満の不純物の合計濃度を有するＡＥＳを備える、先行する請求項のうちのいずれかに記載の電力システム。
【請求項１８】
上記不純物は、ブロモエタン、クロロエタン、１−ブロモブタン、１−クロロブタン、１−メチルイミダゾール、エチルアセテート、及びメチレンクロライドからなるグループのうちの１以上から選択される請求項１７記載の電力システム。
【請求項１９】
上記ＨＴＲＥＳは、約５００ｐｐｍ未満の合計水分含有量を有するＡＥＳを備える、先行する請求項のうちのいずれかに記載の電力システム。
【請求項２０】
上記ＡＥＳにおける合計水分含有量が約１００ｐｐｍ未満である請求項１９に記載の電力システム。
【請求項２１】
上記電解質における合計水分含有量が約５０ｐｐｍ未満である請求項１９に記載の電力システム。
【請求項２２】
上記電解質における合計水分含有量が約２０ｐｐｍである請求項１９に記載の電力システム。
【請求項２３】
上記ＨＴＲＥＳは、ハウジングを有するウルトラキャパシタを備え、上記ハウジングは、その内面の実質的部分にわたって配置されたバリアーを備える、先行する請求項のうちのいずれかに記載の電力システム。
【請求項２４】
上記バリアーは、ポリテトラフルオロエチレン（ＰＴＦＥ）、パーフルオロアルコキシ（ＰＦＡ）、フッ素化エチレンプロピレン（ＦＥＰ）、エチレンテトラフルオロエチレン（ＥＴＦＥ）のうちの少なくとも一種を含む請求項２３記載の電力システム。
【請求項２５】
上記バリアーはセラミック材料を含む請求項２４記載の電力システム。
【請求項２６】
上記バリアーは、耐食性、所望の誘電特性、及び低電気化学反応性を示す材料を含む請求項２３〜２５のうちのいずれかに記載の電力システム。
【請求項２７】
上記バリアーは複数層の材料を含む請求項２３〜２６のうちのいずれかに記載の電力システム。
【請求項２８】
上記ＨＴＲＥＳは、多層材料を含むハウジングを有するウルトラキャパシタを備える、先行する請求項のうちのいずれかに記載の電力システム。
【請求項２９】
上記多層材料は、第２の材料の上にクラッディングされた第１の材料を含む請求項２８に記載の電力システム。
【請求項３０】
上記多層材料は、スチール、タンタル、およびアルミニウムのうちの少なくとも１つを含む請求項２８〜２９のうちのいずれかに記載の電力システム。
【請求項３１】
上記ＨＴＲＥＳは、少なくとも１つの半球状シールを備えるハウジングを有するウルトラキャパシタを備える、先行する請求項のうちのいずれかに記載の電力システム。
【請求項３２】
上記ＨＴＲＥＳは、少なくとも１つのガラス−金属シールを備えるハウジングを有するウルトラキャパシタを備える、先行する請求項のうちのいずれかに記載の電力システム。
【請求項３３】
上記ガラス−金属シールのピンは、接点の１つである請求項３２に記載の電力システム。
【請求項３４】
上記ガラス−金属シールが、鉄−ニッケル−コバルト合金と、ニッケル鉄合金と、タンタルと、モリブデンと、ニオブと、タングステンと、ステンレス及びチタンの形態とからなるグループから選択された材料から構成されるフィードスルーを備える請求項３２〜３３のうちのいずれかに記載の電力システム。
【請求項３５】
上記ガラス−金属シールは、ニッケル、モリブデン、クロム、コバルト、鉄、銅、マンガン、チタン、ジルコニウム、アルミニウム、炭素、及びタングステン、及びそれらの合金からなるグループから選択された少なくとも一種の材料から構成される本体を備える請求項３２〜３４のうちのいずれかに記載の電力システム。
【請求項３６】
上記ＨＴＲＥＳは、正の電極と負の電極との間を電気的に分離するためのセパレータを備えるエネルギー貯蔵セルを有するウルトラキャパシタを備える、先行する請求項のうちのいずれかに記載の電力システム。
【請求項３７】
上記セパレータは、ポリアミド、ポリテトラフルオロエチレン（ＰＴＦＥ）、ポリエーテルエーテルケトン（ＰＥＥＫ）、酸化アルミニウム（Ａｌ２Ｏ３）、ガラスファイバー、ガラスファイバー強化プラスティック、もしくはこれらの任意の組み合わせからなるグループから選択された材料を含む請求項３６に記載の電力システム。
【請求項３８】
上記セパレータは実質的に水分を含まない請求項３６〜３７のうちのいずれかに記載の電力システム。
【請求項３９】
上記セパレータは実質的に疎水性である請求項３６〜３８のうちのいずれかに記載の電力システム。
【請求項４０】
上記ＨＴＲＥＳは、約５．０×１０−６  ａｔｍ−ｃｃ／秒以下の漏れレートを示す密閉シールを有するウルトラキャパシタを備える、先行する請求項のうちのいずれかに記載の電力システム。
【請求項４１】
上記密閉シールは、約５．０×１０−７  ａｔｍ−ｃｃ／秒以下の漏れレートを示す請求項４０に記載の電力システム。
【請求項４２】
上記密閉シールは、約５．０×１０−８  ａｔｍ−ｃｃ／秒以下の漏れレートを示す請求項４０に記載の電力システム。
【請求項４３】
上記密閉シールは、約５．０×１０−９  ａｔｍ−ｃｃ／秒以下の漏れレートを示す請求項４０に記載の電力システム。
【請求項４４】
上記密閉シールは、約５．０×１０−１０  ａｔｍ−ｃｃ／秒以下の漏れレートを示す請求項４０に記載の電力システム。
【請求項４５】
上記ＨＴＲＥＳは、少なくとも１つの接点を有するウルトラキャパシタを備え、上記接点は、他のウルトラキャパシタの他の接点と接続するように構成される、先行する請求項のうちのいずれかに記載の電力システム。
【請求項４６】
上記ＨＴＲＥＳは、その外部を覆うように配置されたラッパーを備える、先行する請求項のうちのいずれかに記載の電力システム。
【請求項４７】
上記ラッパーはＰＴＦＥ及びポリイミドの一方を含む請求項４６記載の電力システム。
【請求項４８】
上記ＨＴＲＥＳは、上記温度範囲内で約１０００ｍＡ／リットル未満の体積当たりの漏れ電流を有するウルトラキャパシタを備える、先行する請求項のうちのいずれかに記載の電力システム。
【請求項４９】
体積当たりの漏れ電流が、特定の電圧範囲にわたって約１０００ｍＡ／リットル未満である請求項４６に記載の電力システム。
【請求項５０】
上記ＨＴＲＥＳは、ハウジングを有するウルトラキャパシタを備え、
上記ハウジング内の水分レベルは約１０００ｐｐｍ未満である、先行する請求項のうちのいずれかに記載の電力システム。
【請求項５１】
上記ハウジング内の水分レベルは約５００ｐｐｍ未満である請求項５０記載の電力システム。
【請求項５２】
上記ハウジング内の水分レベルは約３５０ｐｐｍ未満である請求項５０記載の電力システム。
【請求項５３】
上記ＨＴＲＥＳは、電極を備えるウルトラキャパシタを備え、
上記電極における含水率は約１０００ｐｐｍ未満である、先行する請求項のうちのいずれかに記載の電力システム。
【請求項５４】
上記電極における含水率は約５００ｐｐｍ未満である請求項５３記載の電力システム。
【請求項５５】
上記電極における含水率は約３５０ｐｐｍ未満である請求項５３記載の電力システム。
【請求項５６】
上記ＨＴＲＥＳは、セパレータを備えるウルトラキャパシタを備え、
上記セパレータにおける含水率は約１０００ｐｐｍ未満である、先行する請求項のうちのいずれかに記載の電力システム。
【請求項５７】
上記セパレータにおける含水率は約５００ｐｐｍ未満である請求項５６記載の電力システム。
【請求項５８】
上記セパレータにおける含水率は約１６０ｐｐｍ未満である請求項５６記載の電力システム。
【請求項５９】
上記ＨＴＲＥＳはウルトラキャパシタを備え、
塩化物含有量は、電極、電解質、及びセパレータから成るグループから選択された、上記ウルトラキャパシタの構成要素のうちの少なくとも１つについて約３００ｐｐｍ未満である、先行する請求項のうちのいずれかに記載の電力システム。
【請求項６０】
上記ＨＴＲＥＳは、実質的に一定温度に保持されている間に約１０ｍＡ／ｃｃ未満の体積当たりの漏れ電流を有するウルトラキャパシタを備える、先行する請求項のうちのいずれかに記載の電力システム。
【請求項６１】
上記ウルトラキャパシタの体積当たりの漏れ電流は、実質的に一定温度に保持されている間に約１ｍＡ／ｃｃ未満である請求項６０記載の電力システム。
【請求項６２】
上記ウルトラキャパシタの体積当たりの漏れ電流は、実質的に一定温度に保持されている間に約０．００１ｍＡ／ｃｃ未満である請求項６０記載の電力システム。
【請求項６３】
上記ＨＴＲＥＳは、約６Ｆ／ｃｃと約１ｍＦ／ｃｃとの間の体積当たりの容量を有するウルトラキャパシタを備える、先行する請求項のうちのいずれかに記載の電力システム。
【請求項６４】
上記ＨＴＲＥＳは、約１０Ｆ／ｃｃと約５Ｆ／ｃｃとの間の体積当たりの容量を有するウルトラキャパシタを備える請求項１〜６３のうちのいずれかに記載の電力システム。
【請求項６５】
上記ＨＴＲＥＳは、約５０Ｆ／ｃｃと約８Ｆ／ｃｃとの間の体積当たりの容量を有するウルトラキャパシタを備える請求項１〜６３のうちのいずれかに記載の電力システム。
【請求項６６】
上記ＨＴＲＥＳは、約２０ｍΩ・ｃｃと２００ｍΩ・ｃｃとの間の体積当たりの等価直列抵抗（ＥＳＲ）を有するウルトラキャパシタを備える、先行する請求項のうちのいずれかに記載の電力システム。
【請求項６７】
上記ＨＴＲＥＳは、約２ｍΩ・ｃｃと１５０Ω・ｃｃとの間の体積当たりのＥＳＲを有するウルトラキャパシタを備える、先行する請求項のうちのいずれかに記載の電力システム。
【請求項６８】
上記ＨＴＲＥＳは、約１．５Ω・ｃｃと２００Ω・ｃｃとの間の体積当たりのＥＳＲを有するウルトラキャパシタを備える、先行する請求項のうちのいずれかに記載の電力システム。
【請求項６９】
上記ＨＴＲＥＳは、約１５０Ω・ｃｃと２０００Ω・ｃｃとの間の体積当たりのＥＳＲを有するウルトラキャパシタを備える、先行する請求項のうちのいずれかに記載の電力システム。
【請求項７０】
上記ＨＴＲＥＳは、少なくとも２０時間にわたって一定電圧に保持されている間に、約６０パーセント未満の容量低下を示すウルトラキャパシタを備える、先行する請求項のうちのいずれかに記載の電力システム。
【請求項７１】
上記ＨＴＲＥＳは、少なくとも２０時間にわたって一定電圧に保持されている間に、約３００パーセント未満のＥＳＲ増加を示すウルトラキャパシタを備える、先行する請求項のうちのいずれかに記載の電力システム。
【請求項７２】
上記電力システムは、ドリルストリングカラー上に、又はドリルストリングカラー内に装着するように構成されたハウジング構造物を備える、先行する請求項のうちのいずれかに記載の電力システム。
【請求項７３】
上記ＭＳＩＤは接続回路基板を備える、先行する請求項のうちのいずれかに記載の電力システム。
【請求項７４】
上記ＭＳＩＤはクロスオーバー回路基板を備える、先行する請求項のうちのいずれかに記載の電力システム。
【請求項７５】
上記ＭＳＩＤはウルトラキャパシタ充電器回路を備える、先行する請求項のうちのいずれかに記載の電力システム。
【請求項７６】
上記ＭＳＩＤはウルトラキャパシタ管理システム回路を備える、先行する請求項のうちのいずれかに記載の電力システム。
【請求項７７】
上記ＭＳＩＤは電子管理システム回路を備える、先行する請求項のうちのいずれかに記載の電力システム。
【請求項７８】
上記ＭＳＩＤは、電源、ウルトラキャパシタ充電器回路、ウルトラキャパシタ管理システム回路、及び電子管理システム回路に電気的に接続された接続回路基板の任意の組み合わせを備える、先行する請求項のうちのいずれかに記載の電力システム。
【請求項７９】
上記ＭＳＩＤは円形回路基板を備える、先行する請求項のうちのいずれかに記載の電力システム。
【請求項８０】
上記ＭＳＩＤは、上記円形回路基板を接続するためのスタッカ及びモジュール式バスをさらに備える請求項７９記載の電力システム。
【請求項８１】
上記ＨＴＲＥＳは、アルミニウム電解キャパシタ、タンタルキャパシタ、セラミック及び金属フィルムキャパシタ、及びハイブリッドキャパシタからなるグループから選択された少なくとも１つのエネルギー貯蔵装置を備える、先行する請求項のうちのいずれかに記載の電力システム。
【請求項８２】
上記電力システムは、負荷の電気的態様から電源の電気的態様を分離するように構成され、
上記電源及び負荷の電気的態様は、電圧、電流、及び瞬間の電力からなるグループから選択される、先行する請求項のうちのいずれかに記載の電力システム。
【請求項８３】
上記ＭＳＩＤはデータ記録のためにさらに構成される、先行する請求項のうちのいずれかに記載の電力システム。
【請求項８４】
上記ＭＳＩＤはデータ報告のためにさらに構成される、先行する請求項のうちのいずれかに記載の電力システム。
【請求項８５】
上記ＭＳＩＤはデータシステムとして構成される、先行する請求項のうちのいずれかに記載の電力システム。
【請求項８６】
データは、衝撃、振動、ビット荷重（weight on bit：ＷＯＢ）、ビットトルク（torque on bit：ＴＯＢ）、アニュラー圧力及び温度、及び／又は坑サイズから選択される請求項８３〜８５のうちのいずれかに記載の電力システム。
【請求項８７】
上記ＭＳＩＤは、システム健全性をモニタリング、記録、及び通信できるように構成される請求項８３〜８６のうちのいずれかに記載の電力システム。
【請求項８８】
上記ＭＳＩＤは、高温におけるモジュラー回路の変形を低減させる封止材料で封止される、先行する請求項のうちのいずれかに記載の電力システム。
【請求項８９】
上記封止材料は、摂氏約７５度と摂氏２１０度との間の温度で上記ＭＳＩＤの動作を容易にするために、十分な個数の膨張ボイドを有する請求項８８記載の電力システム。
【請求項９０】
上記ＭＳＩＤは、電気的に接続されたデータ記憶装置保存をさらに備える先行する請求項のうちのいずれかに記載の電力システム。
【請求項９１】
上記電力システムは、電源から流れる電流を低減させるために最適な安定最低電圧を採用するように構成され、
上記電圧は±２Ｖ以内で安定状態を維持する先行する請求項のうちのいずれかに記載の電力システム。
【請求項９２】
上記安定最低電圧は約０Ｖから約１０Ｖまでの範囲を有する請求項９１記載の電力システム。
【請求項９３】
上記安定最低電圧は約１０Ｖから約２０Ｖまでの範囲を有する請求項９１記載の電力システム。
【請求項９４】
上記安定最低電圧は約２０Ｖから約３０Ｖまでの範囲を有する請求項９１記載の電力システム。
【請求項９５】
上記安定最低電圧は約４０Ｖから約５０Ｖまでの範囲を有する請求項９１記載の電力システム。
【請求項９６】
上記安定最低電圧は約４０Ｖから約５０Ｖまでの範囲を有する請求項９１記載の電力システム。
【請求項９７】
上記安定最低電圧は約６０Ｖから約１００Ｖまでの範囲を有する請求項９１記載の電力システム。
【請求項９８】
上記電力システムは、ツールストリングへの配置に適したモジュール式ハウジングをさらに備える、先行する請求項のうちのいずれかに記載の電力システム。
【請求項９９】
上記ＨＴＲＥＳは複数のＨＴＲＥＳセルを備える、先行する請求項のうちのいずれかに記載の電力システム。
【請求項１００】
上記ＨＴＲＥＳはウルトラキャパシタストリングである、先行する請求項のうちのいずれかに記載の電力システム。
【請求項１０１】
ワイヤーライン電源を備える電源をさらに備える、先行する請求項のうちのいずれかの電力システム。
【請求項１０２】
２つのバッテリーを備える電源をさらに備える、先行する請求項のうちのいずれかの電力システム。
【請求項１０３】
ワイヤーライン電源と１つのバッテリーとを備える電源をさらに備える、先行する請求項のうちのいずれかの電力システム。
【請求項１０４】
発電機を備える電源をさらに備える、先行する請求項のうちのいずれかの電力システム。
【請求項１０５】
上記電力システムは、電子回路、変圧器、増幅器、サーボ、プロセッサ、データ保存、ポンプ、モータ、センサ、熱的に調整可能なセンサ、光学センサ、トランスデューサ、光ファイバー、光源、シンチレータ、パルサー、油圧アクチュエータ、アンテナ、単一チャネルアナライザ、マルチチャネルアナライザ、放射線検出器、加速度計、及び磁力計のうちの少なくとも１つを備える負荷に電力を供給するように構成される、先行する請求項のうちのいずれかに記載の電力システム。
【請求項１０６】
上記電力システムは、約５０Ｗ及び１００Ｗの間の断続的な電力パルスを供給するように構成される、先行する請求項のうちのいずれかに記載の電力システム。
【請求項１０７】
上記電力システムは、坑井内ツールストリング及び関連付けられた電子回路への電圧安定性をもたらす、先行する請求項のうちのいずれかに記載の電力システム。
【請求項１０８】
上記ＭＳＩＤは、坑井内状態に関連する情報をリアルタイムで通信するように構成される、先行する請求項のうちのいずれかに記載の電力システム。
【請求項１０９】
上記情報は、衝撃、振動、スティックスリップ、及び温度からなるグループから選択された少なくとも１つの状態に関する請求項１０８記載の電力システム。
【請求項１０９】
上記ＭＳＩＤは、システム健全性のモニタリング、記録、及び通信を行うように構成される、先行する請求項のうちのいずれかに記載の電力システム。
【請求項１１０】
上記ＭＳＩＤは、充電モニタリングのバッテリー状態のモニタリング及び通信をリアルタイム又はオフラインで行うように構成される、先行する請求項のうちのいずれかに記載の電力システム。
【請求項１１１】
表面デコードシステムをさらに備える、先行する請求項のうちのいずれかの電力システム。
【請求項１１２】
上記電力システムは、モータパルサーを駆動する電力を供給するように構成される、先行する請求項のうちのいずれかに記載の電力システム。
【請求項１１３】
上記ＭＳＩＤはＤクラス増幅器を備える、先行する請求項のうちのいずれかに記載の電力システム。
【請求項１１４】
上記ＭＳＩＤは、バック型、昇圧型、降昇圧型、ｃｕｋ型、フォワード型、フライバック型、インダクタレス型、及びスイッチドキャパシタ型の電力変換器からなるグループから選択された少なくとも１つのスイッチモード電源を備える、先行する請求項のうちのいずれかに記載の電力システム。
【請求項１１５】
上記ＭＳＩＤは約６０％より大きな効率を有する請求項１１３〜１１４のうちのいずれかに記載の電力システム。
【請求項１１６】
上記効率は約７０％より大きい請求項１１５記載の電力システム。
【請求項１１７】
上記効率は約８０％より大きい請求項１１５記載の電力システム。
【請求項１１８】
上記効率は約９０％より大きい請求項１１５記載の電力システム。
【請求項１１９】
上記効率は約９５％より大きい請求項１１５記載の電力システム。
【請求項１２０】
電源から電力を受けるように適合され、データ記録を行うように構成されたＭＳＩＤと、
データを受信するように構成された１つ又は複数のセンサ回路と
高温で再充電可能なエネルギー貯蔵装置（ＨＴＲＥＳ）とを備えたデータシステムであって、
上記システムは、摂氏約７５度から摂氏約２１０度までの間の温度範囲で動作するように適合されるデータシステム。
【請求項１２１】
上記記録されたデータは、ビットトルク（ＴＯＢ）、ビット荷重（ＷＯＢ）、温度、スティックスリップ、振れ回り、衝撃、振動、及びアニュラー圧力からなるグループから選択された坑井内状態に関連する少なくとも１つパラメータに対応する請求項１２０記載のデータシステム。
【請求項１２２】
上記ＭＳＩＤは、加速度計、磁力計、センサ、トランスデューサ、ディジタル装置、及びアナログ装置からなるグループから選択された少なくとも１つの装置を備える請求項１２０〜１２１のうちのいずれかに記載のデータシステム。
【請求項１２３】
上記記録されたデータは、ドリルストリングの回転速度を含む請求項１２０〜１２２のうちのいずれかに記載のデータシステム。
【請求項１２４】
上記記録されたデータは、ドリルストリングの回転速度を含む請求項１２０〜１２３のうちのいずれかに記載のデータシステム。
【請求項１２５】
上記ＨＴＲＥＳは、摂氏約−４０度と摂氏約２１０度との間の温度において動作可能な少なくとも１つのウルトラキャパシタを備える請求項１２０〜１２４のうちのいずれかに記載のデータシステム。
【請求項１２６】
上記ウルトラキャパシタは、改良型電解質（「ＡＥＳ」）を備える高温ウルトラキャパシタであって、摂氏約７５度と摂氏約２１０度との間の温度で動作可能である高温ウルトラキャパシタを備える請求項１２５記載のデータシステム。
【請求項１２７】
摂氏約８０度から摂氏約１５０度までの温度範囲内の所定温度において動作するように構成される請求項１２５記載のデータシステム。
【請求項１２８】
上記ＡＥＳは、高度に精製された電解質を含む請求項１２６〜１２７のいずれかに記載のデータシステム。
【請求項１２９】
上記ＨＴＲＥＳは、従来技術のエネルギー貯蔵装置に対して、次の特性、すなわち、減少した合計抵抗、増大した抵抗の長期安定性、増大した合計容量、増加した容量の長期安定性、増大したエネルギー密度、増大した電圧安定性、減少した気圧、それぞれのキャパシタについての拡大した温度範囲性能、それぞれのキャパシタについての増大した温度耐性、向上した製造容易性、及び改善された費用効果のうちの少なくとも１つを有する請求項１２０〜１２８のいずれかに記載のデータシステム。
【請求項１３０】
上記ＨＴＲＥＳは正及び負の電極を備え、上記電極のうちの少なくとも１つは炭素を含むエネルギー貯蔵媒体を備える請求項１２０−１２９のうちのいずれかに記載のデータシステム。
【請求項１３１】
上記炭素を含むエネルギー貯蔵媒体はカーボンナノチューブを含む請求項１２０〜１３０のうちのいずれかに記載のデータシステム。
【請求項１３２】
上記炭素を含むエネルギー貯蔵媒体は、活性炭、カーボンファイバー、レーヨン、グラフェン、エアロゲル、カーボンクロス、及び複数の形態のカーボンナノチューブのうちの少なくとも１つを含む請求項１３０〜１３１に記載のデータシステム。
【請求項１３３】
上記ＨＴＲＥＳは、不純物含有量を減少させるように精製されたＡＥＳを備える請求項１２０〜１３２のうちのいずれかに記載のデータシステム。
【請求項１３４】
上記ＨＴＲＥＳは、約１０００ｐｐｍ未満のハロゲン化物イオンの含有量を有するＡＥＳを備える請求項１２０〜１３３のうちのいずれかに記載のデータシステム。
【請求項１３５】
上記ＡＥＳは、約５００ｐｐｍ未満のハロゲン化物イオンの含有量を有する請求項１３４記載のデータシステム。
【請求項１３６】
上記ＡＥＳは、約１００ｐｐｍ未満のハロゲン化物イオンの含有量を有する請求項１３４記載のデータシステム。
【請求項１３７】
上記ＡＥＳは、約５０ｐｐｍ未満のハロゲン化物イオンの含有量を有する請求項１３４記載のデータシステム。
【請求項１３８】
上記ＨＴＲＥＳは、約１０００ｐｐｍ未満の金属種の合計濃度を有するＡＥＳを備える請求項１２０〜１３７のうちのいずれかに記載のデータシステム。
【請求項１３９】
上記金属種が、Ｃｄ、Ｃｏ、Ｃｒ、Ｃｕ、Ｆｅ、Ｋ、Ｌｉ、Ｍｏ、Ｎａ、Ｎｉ、Ｐｂ、及びＺｎ、及びそれらの合金及び酸化物からなるグループから選択された１以上の金属から選択される請求項１３８記載のデータシステム。
【請求項１４０】
上記ＨＴＲＥＳは、約１０００ｐｐｍ未満の不純物の合計濃度を有するＡＥＳを備える請求項１２０〜１３９のうちのいずれかに記載のデータシステム。
【請求項１４１】
上記不純物は、ブロモエタン、クロロエタン、１−ブロモブタン、１−クロロブタン、１−メチルイミダゾール、エチルアセテート、及びメチレンクロライドからなるグループのうちの１以上から選択される請求項１４０記載のデータシステム。
【請求項１４２】
上記ＨＴＲＥＳは、約５００ｐｐｍ未満の合計水分含有量を有するＡＥＳを備える請求項１２０〜１４１のうちのいずれかに記載のデータシステム。
【請求項１４３】
上記ＡＥＳにおける合計水分含有量が約１００ｐｐｍ未満である請求項１４２に記載のデータシステム。
【請求項１４４】
上記電解質における合計水分含有量が約５０ｐｐｍ未満である請求項１４２に記載のデータシステム。
【請求項１４５】
上記電解質における合計水分含有量が約２０ｐｐｍである請求項１４２に記載のデータシステム。
【請求項１４６】
上記ＨＴＲＥＳは、ハウジングを有するウルトラキャパシタを備え、上記ハウジングは、その内面の実質的部分にわたって配置されたバリアーを備える請求項１２０〜１４５のうちのいずれかに記載のデータシステム。
【請求項１４７】
上記バリアーは、ポリテトラフルオロエチレン（ＰＴＦＥ）、パーフルオロアルコキシ（ＰＦＡ）、フッ素化エチレンプロピレン（ＦＥＰ）、エチレンテトラフルオロエチレン（ＥＴＦＥ）のうちの少なくとも一種を含む請求項１４６記載のデータシステム。
【請求項１４８】
上記バリアーはセラミック材料を含む請求項１４６記載のデータシステム。
【請求項１４９】
上記バリアーは、耐食性、所望の誘電特性、及び低電気化学反応性を示す材料を含む請求項１４６〜１４８のうちのいずれかに記載のデータシステム。
【請求項１５０】
上記バリアーは複数層の材料を含む請求項１４６〜１４９のうちのいずれかに記載のデータシステム。
【請求項１５１】
上記ＨＴＲＥＳは、多層材料を含むハウジングを有するウルトラキャパシタを備える請求項１２０〜１５０のうちのいずれかに記載のデータシステム。
【請求項１５２】
上記多層材料は、第２の材料の上にクラッディングされた第１の材料を含む請求項１５１に記載のデータシステム。
【請求項１５３】
上記多層材料は、スチール、タンタル、およびアルミニウムのうちの少なくとも１つを含む請求項１５１〜１５２のうちのいずれかに記載のデータシステム。
【請求項１５４】
上記ＨＴＲＥＳは、少なくとも１つの半球状シールを備えるハウジングを有するウルトラキャパシタを備える請求項１２０〜１５３のうちのいずれかに記載のデータシステム。
【請求項１５５】
上記ＨＴＲＥＳは、少なくとも１つのガラス−金属シールを備えるハウジングを有するウルトラキャパシタを備える請求項１２０〜１５４のうちのいずれかに記載のデータシステム。
【請求項１５６】
上記ガラス−金属シールのピンは、接点の１つである請求項１５５に記載のデータシステム。
【請求項１５７】
上記ガラス−金属シールが、鉄−ニッケル−コバルト合金と、ニッケル鉄合金と、タンタルと、モリブデンと、ニオブと、タングステンと、ステンレス及びチタンの形態とからなるグループから選択された材料から構成されるフィードスルーを備える請求項１５５〜１５６のうちのいずれかに記載のデータシステム。
【請求項１５８】
上記ガラス−金属シールは、ニッケル、モリブデン、クロム、コバルト、鉄、銅、マンガン、チタン、ジルコニウム、アルミニウム、炭素、及びタングステン、及びそれらの合金からなるグループから選択された少なくとも一種の材料から構成される本体を備える請求項１５５〜１５７のうちのいずれかに記載のデータシステム。
【請求項１５９】
上記ＨＴＲＥＳは、正の電極と負の電極との間を電気的に分離するためのセパレータを備えるエネルギー貯蔵セルを有するウルトラキャパシタを備える請求項１２０〜１５８のうちのいずれかに記載のデータシステム。
【請求項１６０】
上記セパレータは、ポリアミド、ポリテトラフルオロエチレン（ＰＴＦＥ）、ポリエーテルエーテルケトン（ＰＥＥＫ）、酸化アルミニウム（Ａｌ２Ｏ３）、ガラスファイバー、ガラスファイバー強化プラスティック、もしくはこれらの任意の組み合わせからなるグループから選択された材料を含む請求項１５９に記載のデータシステム。
【請求項１６１】
上記セパレータは実質的に水分を含まない請求項１５９〜１６０のうちのいずれかに記載のデータシステム。
【請求項１６２】
上記セパレータは実質的に疎水性である請求項１５９〜１６１のうちのいずれかに記載のデータシステム。
【請求項１６３】
上記ＨＴＲＥＳは、約５．０×１０−６  ａｔｍ−ｃｃ／秒以下の漏れレートを示す密閉シールを有するウルトラキャパシタを備える請求項１２０〜１６２のうちのいずれかに記載のデータシステム。
【請求項１６４】
上記密閉シールは、約５．０×１０−７  ａｔｍ−ｃｃ／秒以下の漏れレートを示す請求項１６３記載のデータシステム。
【請求項１６５】
上記密閉シールは、約５．０×１０−８  ａｔｍ−ｃｃ／秒以下の漏れレートを示す請求項１６３記載のデータシステム。
【請求項１６６】
上記密閉シールは、約５．０×１０−９  ａｔｍ−ｃｃ／秒以下の漏れレートを示す請求項１６３記載のデータシステム。
【請求項１６７】
上記密閉シールは、約５．０×１０−１０  ａｔｍ−ｃｃ／秒以下の漏れレートを示す請求項１６３記載のデータシステム。
【請求項１６８】
上記ＨＴＲＥＳは、少なくとも１つの接点を有するウルトラキャパシタを備え、上記接点は、他のウルトラキャパシタの他の接点と接続するように構成される請求項１２０〜１６７のうちのいずれかに記載のデータシステム。
【請求項１６９】
上記ＨＴＲＥＳは、その外部を覆うように配置されたラッパーを備える請求項１２０〜１６８のうちのいずれかに記載のデータシステム。
【請求項１７０】
上記ラッパーはＰＴＦＥ及びポリイミドの一方を含む請求項１６９記載のデータシステム。
【請求項１７１】
上記ＨＴＲＥＳは、前記温度範囲内で約１０００ｍＡ／リットル未満の体積当たりの漏れ電流を有するウルトラキャパシタを備える請求項１２０〜１７０のうちのいずれかに記載のデータシステム。
【請求項１７２】
体積当たりの漏れ電流が、特定の電圧範囲にわたって約１０００ｍＡ／リットル未満である請求項１７１に記載のデータシステム。
【請求項１７３】
上記ＨＴＲＥＳは、ハウジングを有するウルトラキャパシタを備え、
上記ハウジング内の水分レベルは約１０００ｐｐｍ未満である
請求項１２０〜１７２のうちのいずれかに記載のデータシステム。
【請求項１７４】
上記ハウジング内の水分レベルは約５００ｐｐｍ未満である請求項１７３記載のデータシステム。
【請求項１７５】
上記ハウジング内の水分レベルは約３５０ｐｐｍ未満である請求項１７３記載のデータシステム。
【請求項１７６】
上記ＨＴＲＥＳは、電極を備えるウルトラキャパシタを備え、
上記電極における含水率は約１０００ｐｐｍ未満である
請求項１２０〜１７５のうちのいずれかに記載のデータシステム。
【請求項１７７】
上記電極における含水率は約５００ｐｐｍ未満である請求項１７６記載のデータシステム。
【請求項１７８】
上記電極における含水率は約３５０ｐｐｍ未満である請求項１７６記載のデータシステム。
【請求項１７９】
上記ＨＴＲＥＳは、セパレータを備えるウルトラキャパシタを備え、
上記セパレータにおける含水率は約１０００ｐｐｍ未満である請求項１２０〜１７８のうちのいずれかに記載のデータシステム。
【請求項１８０】
上記セパレータにおける含水率は約５００ｐｐｍ未満である請求項１７９記載のデータシステム。
【請求項１８１】
上記セパレータにおける含水率は約１６０ｐｐｍ未満である請求項１７９記載のデータシステム。
【請求項１８２】
請求項１２０〜１２９のうちのいずれかに記載のデータシステム。
上記ＨＴＲＥＳはウルトラキャパシタを備え、
塩化物含有量は、電極、電解質、及びセパレータから成るグループから選択された、上記ウルトラキャパシタの構成要素のうちの少なくとも１つについて約３００ｐｐｍ未満である請求項１２０〜１８１のうちのいずれかに記載のデータシステム。
【請求項１８３】
上記ＨＴＲＥＳは、実質的に一定温度に保持されている間に約１０ｍＡ／ｃｃ未満の体積当たりの漏れ電流を有するウルトラキャパシタを備える請求項１２０〜１８２のうちのいずれかに記載のデータシステム。
【請求項１８４】
上記ウルトラキャパシタの体積当たりの漏れ電流は、実質的に一定温度に保持されている間に約１ｍＡ／ｃｃ未満である請求項１８３記載のデータシステム。
【請求項１８５】
上記ウルトラキャパシタの体積当たりの漏れ電流は、実質的に一定温度に保持されている間に約０．００１ｍＡ／ｃｃ未満である請求項１８３記載のデータシステム。
【請求項１８６】
上記ＨＴＲＥＳは、約６Ｆ／ｃｃと約１ｍＦ／ｃｃとの間の体積当たりの容量を有するウルトラキャパシタを備える請求項１２０〜１８５のうちのいずれかに記載のデータシステム。
【請求項１８７】
上記ＨＴＲＥＳは、約１０Ｆ／ｃｃと約５Ｆ／ｃｃとの間の体積当たりの容量を有するウルトラキャパシタを備える請求項１２０〜１８５のうちのいずれかに記載のデータシステム。
【請求項１８８】
上記ＨＴＲＥＳは、約５０Ｆ／ｃｃと約８Ｆ／ｃｃとの間の体積当たりの容量を有するウルトラキャパシタを備える請求項１２０〜１８５のうちのいずれかに記載のデータシステム。
【請求項１８９】
上記ＨＴＲＥＳは、約２０ｍΩ・ｃｃと２００ｍΩ・ｃｃとの間の体積当たりの等価直列抵抗（ＥＳＲ）を有するウルトラキャパシタを備える請求項１２０〜１８８のうちのいずれかに記載のデータシステム。
【請求項１９０】
上記ＨＴＲＥＳは、約２ｍΩ・ｃｃと１５０Ω・ｃｃとの間の体積当たりのＥＳＲを有するウルトラキャパシタを備える請求項１２０〜１８８のうちのいずれかに記載のデータシステム。
【請求項１９１】
上記ＨＴＲＥＳは、約１．５Ω・ｃｃと２００Ω・ｃｃとの間の体積当たりのＥＳＲを有するウルトラキャパシタを備える請求項１２０〜１８８のうちのいずれかに記載のデータシステム。
【請求項１９２】
上記ＨＴＲＥＳは、約１５０Ω・ｃｃと２０００Ω・ｃｃとの間の体積当たりのＥＳＲを有するウルトラキャパシタを備える請求項１２０〜１８８のうちのいずれかに記載のデータシステム。
【請求項１９３】
上記ＨＴＲＥＳは、少なくとも２０時間にわたって一定電圧に保持されている間に、約６０パーセント未満の容量低下を示すウルトラキャパシタを備える請求項１２０〜１９２のうちのいずれかに記載のデータシステム。
【請求項１９４】
上記ＨＴＲＥＳは、少なくとも２０時間にわたって一定電圧に保持されている間に、約３００パーセント未満のＥＳＲ増加を示すウルトラキャパシタを備える請求項１２０〜１９２のうちのいずれかに記載のデータシステム。
【請求項１９５】
上記データシステムは、ドリルストリングカラー上に、又はドリルストリングカラー内に装着するように構成されたハウジング構造物を備える請求項１２０〜１９４のうちのいずれかに記載のデータシステム。
【請求項１９６】
上記ＭＳＩＤは接続回路基板を備える請求項１２０〜１９５のうちのいずれかに記載のデータシステム。
【請求項１９７】
上記ＭＳＩＤはクロスオーバー回路基板を備える請求項１２０〜１９５のうちのいずれかに記載のデータシステム。
【請求項１９８】
上記ＭＳＩＤはウルトラキャパシタ充電器回路を備える請求項１２０〜１９７のうちのいずれかに記載のデータシステム。
【請求項１９９】
上記ＭＳＩＤはウルトラキャパシタ管理システム回路を備える請求項１２０〜１９８のうちのいずれかに記載のデータシステム。
【請求項２００】
上記ＭＳＩＤは電子管理システム回路を備える請求項１２０〜１９９のうちのいずれかに記載のデータシステム。
【請求項２０１】
上記ＭＳＩＤは、電源、ウルトラキャパシタ充電器回路、ウルトラキャパシタ管理システム回路、及び電子管理システム回路に電気的に接続された接続回路基板の任意の組み合わせを備える請求項１２０〜２００のうちのいずれかに記載のデータシステム。
【請求項２０２】
上記ＭＳＩＤは円形回路基板を備える請求項１２０〜２０１のうちのいずれかに記載のデータシステム。
【請求項２０３】
上記ＭＳＩＤは、上記円形回路基板を接続するためのスタッカ及びモジュール式バスをさらに備える請求項２０２記載のデータシステム。
【請求項２０４】
上記ＨＴＲＥＳは、アルミニウム電解キャパシタ、タンタルキャパシタ、セラミック及び金属フィルムキャパシタ、及びハイブリッドキャパシタからなるグループから選択された少なくとも１つのエネルギー貯蔵装置を備える請求項１２０〜２０３のうちのいずれかに記載のデータシステム。
【請求項２１０】
上記ＭＳＩＤは、システム健全性をモニタリング、記録、及び通信できるように構成される請求項２０６〜２０９のうちのいずれかに記載のデータシステム。
【請求項２１１】
上記ＭＳＩＤは、高温におけるモジュラー回路の変形を低減させる封止材料で封止される、請求項１２０〜２１０のうちのいずれかに記載のデータシステム。
【請求項２１２】
上記封止材料は、摂氏約７５度と摂氏２１０度との間の温度で上記ＭＳＩＤの動作を容易にするために、十分な個数の膨張ボイドを有する請求項２１１記載のデータシステム。
【請求項２１３】
上記ＭＳＩＤは、電気的に接続されたデータ記憶装置保存をさらに備える請求項１２０〜２１２のうちのいずれかに記載のデータシステム。
【請求項２１４】
上記データシステムは、ツールストリングへの配置に適したモジュール式ハウジングをさらに備える請求項１２０〜２１３のうちのいずれかに記載のデータシステム。
【請求項１２５】
上記ＨＴＲＥＳは複数のＨＴＲＥＳセルを備える請求項１２０〜２１４のうちのいずれかに記載のデータシステム。
【請求項２１６】
上記ＨＴＲＥＳはウルトラキャパシタストリングである請求項１２０〜２１５のうちのいずれかに記載のデータシステム。
【請求項２１７】
ワイヤーライン電源を備える電源をさらに備える請求項１２０〜２１６のうちのいずれかに記載のデータシステム。
【請求項２１８】
２つのバッテリーを備える電源をさらに備える請求項１２０〜２１７のうちのいずれかに記載のデータシステム。
【請求項２１９】
ワイヤーライン電源と１つのバッテリーとを備える電源をさらに備える請求項１２０〜２１８のうちのいずれかに記載のデータシステム。
【請求項２２０】
発電機を備える電源をさらに備える請求項１２０〜２１９のうちのいずれかに記載のデータシステム。
【請求項２２１】
上記ＭＳＩＤは、坑井内状態に関連する情報をリアルタイムで通信するように構成される請求項１２０〜２２０のうちのいずれかに記載のデータシステム。
【請求項２２２】
上記情報は、衝撃、振動、スティックスリップ、及び温度からなるグループから選択された少なくとも１つの状態に関する請求項２２１記載のデータシステム。
【請求項２２３】
上記ＭＳＩＤは、システム健全性のモニタリング、記録、及び通信を行うように構成される請求項１２０〜２２２のうちのいずれかに記載のデータシステム。
【請求項２２４】
上記ＭＳＩＤは、充電モニタリングのバッテリー状態のモニタリング及び通信をリアルタイム又はオフラインで行うように構成される請求項１２０〜２２３のうちのいずれかに記載のデータシステム。
【請求項２２５】
表面デコードシステムをさらに備える請求項１２０〜２２４のうちのいずれかに記載のデータシステム。
【請求項２２６】
上記ＭＳＩＤはＤクラス増幅器を備える請求項１２０〜２２５のうちのいずれかに記載のデータシステム。
【請求項２２７】
上記ＭＳＩＤは、バック型、昇圧型、降昇圧型、ｃｕｋ型、フォワード型、フライバック型、インダクタレス型、及びスイッチドキャパシタ型の電力変換器からなるグループから選択された少なくとも１つのスイッチモード電源を備える請求項１２０〜２２６のうちのいずれかに記載のデータシステム。
【請求項２２８】
上記ＭＳＩＤは約６０％より大きな効率を有する請求項２２６〜２２７のうちのいずれかに記載のデータシステム。
【請求項２２９】
上記効率は約７０％より大きい請求項２２８記載のデータシステム。
【請求項２３０】
上記効率は約８０％より大きい請求項２２８記載のデータシステム。
【請求項２３１】
上記効率は約９０％より大きい請求項２２８記載のデータシステム。
【請求項２３２】
上記効率は約９５％より大きい請求項２２８記載のデータシステム。
【請求項２３３】
請求項１２０〜２３２のうちのいずれかに記載のデータシステムを使用することを含む、掘削動力学の効率を改善する方法。
【請求項２３４】
電源から負荷への電力をバッファリングする方法であって、
請求項１〜１１９のうちのいずれかに記載の電力システムに電源を電気的に接続することと、
電力が電源から負荷にバッファリングされるように、上記電力システムを負荷に電気的に接続することとを含む方法。
【発明の詳細な説明】
【技術分野】
【０００１】
概して、坑井内環境中の装置へ電力を供給するシステム及び方法が説明される。
【背景技術】
【０００２】
本願は、２０１３年３月１５日に出願された米国出願シリアル番号第１３／８４３，７４６号と、２０１３年１０月８日に出願された米国仮出願シリアル番号第６１／８８８，１３３号とに基づく優先権を主張し、これらの全体は参照によってここに組み込まれる。
【０００３】
人々及び会社が石油の探索及び採掘を続けるとき、炭化水素の探究はますます複雑になってきている。例えば、「容易に採掘できる石油（easy oil）」が概して採り尽くされ、今日の探査では、地中深くへ坑井を掘削することで以前よりもずっと深くまで探索することを必要としているのは周知である。坑井を掘削することにより、個人及び会社が地下の物質を評価して所望の炭化水素を抽出できるようになる一方で、これらの過酷な環境では多くの課題に遭遇する。ここで、坑井内温度は、摂氏３００度まで又はそれよりも高い温度までの範囲にわたる可能性がある。
【０００４】
坑井の掘削及び記録が地殻へより深く進入して行われるとき、坑井内機器の高温環境への露出が増大し続ける。さらに、今日の装置類は、概して、そのような環境で動作するように作られているわけではなく、この範囲内の周囲の温度に達するずっと前に故障するだろう。この複雑な事情により、あらゆる種類の複雑な装置類を生じさせた。技術の他のセグメントと一致して、装置類の複雑さの増大は、増大した電力需要をユーザにもたらす。
【０００５】
特に、上昇した温度は、多くの場合、従来のシステムが故障する技術的な制限をもたらす。例えば、電子回路及びエネルギー貯蔵装置を備える従来の電力システムは、従来のエネルギー貯蔵装置又は従来の電子回路の劣化又は破壊のいずれかに起因して、坑井内環境で生じる温度で故障するだろう。さらに、改善された装置類のシステムは、多くの場合、より大きな能力の電力システムを要求する。
【０００６】
そのため、摂氏約２００度まで又はそれより高い温度の高温環境における坑井内動作のためのエネルギー貯蔵装置を備える電力システムに対する必要性が高まっている。好ましくは、エネルギー貯蔵装置は、従来の装置が有用な電力の供給に失敗する場合、例えば、安全に関連した事項又は機能的制限、例えば電気的特性により、従来のエネルギー貯蔵装置の有効な使用を妨げる場合には、ユーザに電力を供給するだろう。
【先行技術文献】
【特許文献】
【０００７】
【特許文献１】米国特許公開第２０１３／０２３６７６４Ａ１号明細書。
【発明の概要】
【発明が解決しようとする課題】
【０００８】
本発明は、モジュール式信号インターフェース装置及び関連する坑井内電力及びデータシステムを提供する。
【課題を解決するための手段】
【０００９】
従って、様々な実施形態は、エネルギー貯蔵構成要素を含み、ある実施形態ではモジュール式信号インターフェース装置（modular signal interface device：ＭＳＩＤ）を含む坑井内電源システムに関する。本明細書で使用されるように、モジュール式信号インタフェース装置は、多数の目的及び変化した目的のために動作してもよい。例えば、ある実施形態では、ＭＳＩＤは、エネルギー貯蔵構成要素を制御してもよい。ある実施形態では、ＭＳＩＤはデータを記録してもよい。エネルギー貯蔵装置構成要素及び／又はＭＳＩＤは、いくつかの実施形態では、高温で動作するように構成されてもよい。
【００１０】
ＭＳＩＤは、様々な組み合わせで所望の機能を提供するように選択されてもよい、予め組み立てられた構成要素から製造される。
【００１１】
ある実施形態では、エネルギー貯蔵構成要素は、少なくとも１つのウルトラキャパシタを含んでもよい。
【００１２】
１つの態様において、本発明は、ＭＳＩＤと、上記ＭＳＩＤを収容してツールストリングの中へ配置するように構成されたハウジング構造物とを備えるシステムを提供する。
【００１３】
他の態様において、本発明は、ＭＳＩＤと、上記ＭＳＩＤを収容してカラーの上又はカラーの中に装着するように構成されたハウジング構造物とを備えるシステムを提供する。
【００１４】
他の態様において、本発明は電力システムを提供し、上記システムは、本明細書に開示されるようなＭＳＩＤと、高温で再充電可能なエネルギー貯蔵装置（「ＨＴＲＥＳ」）と、ツールストリングの中に配置するために上記ＭＳＩＤ及びＨＴＲＥＳをともに収容するハウジング構造物とを備える。
【００１５】
他の態様において、本発明はデータシステムを提供し、上記システムは、電源から電力を受けるように適合され、データ記録及び／又は報告を行うように構成されたコントローラと、データを受信するように構成された１つ又は複数のセンサ回路とを備え、上記システムは、摂氏約７５度から摂氏約２１０度までの間の温度範囲で動作するように適合される。
【００１６】
他の態様において、本発明は、データシステムを提供し、上記システムは、電源から電力を受けるように適合され、掘削の最適化を行うように構成されたコントローラと、掘削データをリアルタイムで受信するように構成され、掘削動力学の修正に適合した１つ又は複数のセンサ回路とを備え、上記システムは、摂氏約７５度から摂氏約２１０度までの間の温度範囲で動作するように適合される。
【００１７】
他の態様において、本発明は、データシステムを提供し、上記システムは、電源から電力を受けるように適合され、ビットトルク（ＴＯＢ）を決定するように構成されたコントローラと、データを受信するように構成された１つ又は複数のセンサ回路とを備え、上記システムは、摂氏約７５度から摂氏約２１０度までの間の温度範囲で動作するように適合される。
【００１８】
他の態様において、本発明は、データシステムを提供し、上記システムは、電源から電力を受けるように適合され、ビット荷重（ＷＯＢ）を決定するように構成されたコントローラと、データを受信するように構成された１つ又は複数のセンサ回路とを備え、上記システムは、摂氏約７５度から摂氏約２１０度までの間の温度範囲で動作するように適合される。
【００１９】
他の態様において、本発明は、データシステムを提供し、上記システムは、電源から電力を受けるように適合され、温度センサ（例えば、変化する抵抗によって温度を示す測温抵抗体（ＲＴＤ））によって温度を決定するように構成されたコントローラと、データを受信するように構成された１つ又は複数のセンサ回路とを備え、上記システムは、摂氏約７５度から摂氏約２１０度までの間の温度範囲で動作するように適合される。
【００２０】
他の態様において、本発明は、電源から負荷への電力をバッファリングすることに適合した電力システムを提供し、上記システムは、ＨＴＲＥＳと、エネルギー貯蔵装置の充電及び放電の少なくとも一方を制御するためのコントローラとを備え、上記コントローラは、上記電源からの入力電力と出力ＨＴＲＥＳ電圧とを制御するように構成された少なくとも１つのモジュール式回路を備え、上記システムは、摂氏約７５度から摂氏約２１０度までの間の温度範囲で動作するように適合される。
【００２１】
他の態様において、本発明は、電源から負荷への電力をバッファリングすることに適合した電力システムを提供し、上記システムは、ＨＴＲＥＳと、エネルギー貯蔵装置の充電及び放電の少なくとも一方を制御するためのコントローラとを備え。上記コントローラは、バッテリー消費を３０％より大きく低減するように構成された少なくとも１つのモジュール式回路を備え、上記システムは、摂氏約７５度から摂氏約２１０度までの間の温度範囲で動作するように適合される。
【００２２】
他の態様において、本発明は、電源から負荷への電力をバッファリングすることに適合した電力システムを提供し、上記システムは、ＨＴＲＥＳと、エネルギー貯蔵装置の充電及び放電の少なくとも一方を制御するためのコントローラとを備え、上記コントローラは、バッテリー動作時間を５０％より大きく増大させるように構成された少なくとも１つのモジュール式回路を備え、上記システムは、摂氏約７５度から摂氏約２１０度までの間の温度範囲で動作するように適合される。
【００２３】
他の態様において、本発明は、電源から負荷への電力をバッファリングすることに適合した電力システムを提供し、上記システムは、ＨＴＲＥＳと、エネルギー貯蔵装置の充電及び放電の少なくとも一方を制御するためのコントローラとを備え、上記コントローラは、動作効率を９０％より大きく増大させるように構成された少なくとも１つのモジュール式回路を備え、上記システムは、摂氏約７５度から摂氏約２１０度までの間の温度範囲で動作するように適合される。
【００２４】
他の態様において、本発明は、電源から負荷への電力をバッファリングすることに適合した電力システムを提供し、上記システムは、ＨＴＲＥＳと、エネルギー貯蔵装置の充電及び放電の少なくとも一方を制御するためのコントローラとを備え、上記コントローラは、上記バッテリーから一定電流を引き出し、及びバッテリー放電時に一定出力電圧を証じっセルように構成されたすように構成されたモジュール式回路を備え、上記システムは、摂氏約７５度から摂氏約２１０度までの間の温度範囲で動作するように適合される。
【００２５】
他の態様において、本発明は、電源から負荷への電力をバッファリングすることに適合した電力システムを提供し、上記システムは、ＨＴＲＥＳと、エネルギー貯蔵装置の充電及び放電の少なくとも一方を制御するためのコントローラとを備え、上記コントローラは、上記電源からの入力電流と出力ＨＴＲＥＳ電圧とを制御するように構成された少なくとも１つのモジュール式回路を備え、上記システムは、摂氏約７５度から摂氏約２１０度までの間の温度範囲で動作するように適合される。
【００２６】
他の態様において、本発明は、本明細書で説明した任意のデータシステムを使用することを含む掘削動力学の効率を改善する方法を提供する。
【００２７】
他の態様において、本発明は、電力システムを製造する方法を提供し、上記方法は、ＨＴＲＥＳと、エネルギー貯蔵装置の充電及び放電の少なくとも一方を制御するためのコントローラとを選択することを含み、上記コントローラは、電源から負荷への電力のバッファリングを制御するように構成された少なくとも１つのモジュール式回路を備え、上記方法は、本明細書で説明した電力システムのように、上記ＨＴＲＥＳ及びコントローラをハウジングに組み込むことを含む。
【００２８】
他の態様において、本発明は、電源から負荷に電力をバッファリングする方法を提供し、上記方法は、電源を、ここで説明した請求項に係る任意の電力システムに電気的に接続することと、電力が電源から負荷にバッファリングされるように、上記電力システムを負荷に電気的に接続することとを含む。
【００２９】
他の態様において、本発明は、データシステムを製造する方法を提供し、上記方法は、電源から電力を受けるように適合し、データ記録及び／又は報告を行うように構成されたコントローラと、データを受信する（例えばさらに解釈する）ように構成された１つ又は複数のセンサ回路とを選択することを含み、上記システムは、摂氏約７５度から摂氏約２１０度までの間の温度範囲で動作するように適合され、上記方法は、ここで説明した請求項に係るデータシステムのように、コントローラ及び上記センサをハウジングに組み込むことを含む。
【００３０】
他の態様において、本発明は、データ記録及び／又は報告を行うための方法を提供し、上記方法は、データ記録及び／又は報告が可能にされるように、電源を、本明細書で説明した任意のデータシステムに電気的に接続することを含む。
【００３１】
他の優位点及び新規な特徴は、添付の図面とともに考慮したとき、様々な非限定的な実施形態についての以下の詳細な説明から明らかになるであろう。
本明細書と参照によって含まれた文献とが矛盾及び／又は不整合な開示を含む場合には、本明細書が優先するものとする。
【図面の簡単な説明】
【００３２】
【図１】検層装置を含むドリルストリングの例示的な実施形態を示す図である。
【図２】ワイヤーラインによって展開される装置で検層を行う例示的な実施形態を示す図である。
【図３】例示的なウルトラキャパシタの態様を示す図である。
【図４】例示的なウルトラキャパシタに含まれうるカチオンの１次構造の実施形態を示す図である。
【図５】例示的なウルトラキャパシタのハウジングの実施形態を表す図である。
【図６】例示的なキャパシタの貯蔵セルの実施形態を示す図である。
【図７】ハウジングの例示的な本体の内部に配置されたバリアーを示す図である。
【図８Ａ】ハウジングのための例示的なキャップの態様を示す図である。
【図８Ｂ】ハウジングのための例示的なキャップの態様を示す図である。本明細書では、図８Ａ及び図８Ｂをまとめて図８と呼ぶ。
【図９】本明細書のある教示内容に係るウルトラキャパシタの例示的な組み立てを示す図である。
【図１０Ａ】モジュール式ハウジングシステムを組み立てた状態で示す図である。
【図１０Ｂ】モジュール式ハウジングシステムを分解した状態で示す図である。本明細書では、図１０Ａ及び図１０Ｂをまとめて図１０と呼ぶ。
【図１１】ある実施形態に係る、貯蔵セルのまわりにラッパーとして配置されたバリアーを示す図である。
【図１２Ａ】多層材料を含むキャップの例示的な実施形態を示す図である。
【図１２Ｂ】多層材料を含むキャップの例示的な実施形態を示す図である。
【図１２Ｃ】多層材料を含むキャップの例示的な実施形態を示す図である。本明細書では、図１２Ａ、図１２Ｂ、及び図１２Ｃをまとめて図１２と呼ぶ。
【図１３】いくつかの実施形態に係る、ガラス−金属シールを含む電極アセンブリの断面図である。
【図１４】図１２Ｂの例示的なキャップに設置された、図１３の例示的な電極アセンブリの断面図である。
【図１５】エネルギー貯蔵セルの例示的な構成を組み立て過程において示す図である。
【図１６Ａ】ある実施形態に係る組み立てられたエネルギー貯蔵セルを示す図である。
【図１６Ｂ】ある実施形態に係る組み立てられたエネルギー貯蔵セルを示す図である。
【図１６Ｃ】ある実施形態に係る組み立てられたエネルギー貯蔵セルを示す図である。本明細書では、図１６Ａ、図１６Ｂ、及び図１６Ｃをまとめて図１６と呼ぶ。
【図１７】例示的な電極アセンブリ上におけるポリマー絶縁体の使用を示す図である。
【図１８Ａ】エネルギー貯蔵装置のためのキャップの他の実施形態のための例示的なテンプレートの態様を示す図である。
【図１８Ｂ】エネルギー貯蔵装置のためのキャップの他の実施形態のための例示的なテンプレートの態様を示す図である。
【図１８Ｃ】エネルギー貯蔵装置のためのキャップの他の実施形態のための例示的なテンプレートの態様を示す図である。本明細書では、図１８Ａ、図１８Ｂ、及び図１８Ｃをまとめて図１８と呼ぶ。
【図１９】ある実施形態に係る、半球形材料を含む電極アセンブリの斜視図である。
【図２０】図１８Ｃのテンプレートに設置された図１９の電極アセンブリを含む例示的なキャップの斜視図である。
【図２１】図２０のキャップの断面図である。
【図２２】円柱形ハウジングに配置された例示的なエネルギー貯蔵セルの等角透視図である。
【図２３】巻回された貯蔵セルの形態に巻回される前における、例示的なエネルギー貯蔵セルの実施形態の等角図である。
【図２４】一実施形態の様々な層を示す貯蔵セルの側面図である。
【図２５】いくつかの実施形態に係る、巻回された貯蔵セルであって、複数のリード線を配置するための基準マークを含む貯蔵セルの等角図である。
【図２６】巻回される前の、基準マークを有する図２５の例示的な貯蔵セルの等角図である。
【図２７】複数のリード線を含む、例示的な巻回された貯蔵セルを示す図である。
【図２８】ある実施形態に係る、貯蔵セルに接続された整列したリード線（すなわち端子）へ与えられたＺ折り曲げを示す図である。
【図２９】本明細書で説明される例示的なウルトラキャパシタストリングを、アセンブリの所定の構成要素を強調して示す図である。
【図３０】例示的なウルトラキャパシタストリングを、複数のウルトラキャパシタからなる３本のストランドパックアセンブリとして示す図である。
【図３１Ａ】過大な内部空間がない場合のセルアセンブリを示す図である。
【図３１Ｂ】過大な内部空間を有する場合のセルアセンブリを示す図である。
【図３２】モジュール式ボードスタッカを、ヘッダ及びレセプタクルを備えるバスコネクタとして示す図である。
【図３３】ウルトラキャパシタ管理システムの態様を示す図である。
【図３４】本明細書に開示されたシステムの例示的な実施形態を示す図である。
【図３５】通信プロトコルに関するフロー図を示す図である。
【図３６】モータの回路モデルを示す図である。
【図３７】モータ制御に関するフロー図を示す図である。
【図３８Ａ】加速度計の構成を示す図である。
【図３８Ｂ】加速度計の構成を示す図である。本明細書では、図３８Ａ及び図３８Ｂをまとめて図３８と呼ぶ。
【図３９】ハウジングの一部を除去して内部構成要素を示す、坑井内システムを示す図である。
【図４０Ａ】本明細書に開示されたＭＳＩＤに基づく装置、システム、及び方法を示す、例示的な電流及び電圧データを示す図である。
【図４０Ｂ】本明細書に開示されたＭＳＩＤに基づく装置、システム、及び方法を示す、例示的な電流及び電圧データを示す図である。本明細書では、図４０Ａ及び図４０Ｂをまとめて図４０と呼ぶ。
【発明を実施するための形態】
【００３３】
本発明とみなされる内容は、特に、本明細書に添付された特許請求の範囲において指摘され、はっきりと記載されている。本発明の上述の及び他の特徴および利点は、添付の図面と一緒に理解される下記の詳細な説明から明らかになる。添付の図面は概略的であり、縮尺どおりに描かれることは意図されない。図面において、図示した同一又はほとんど同一の各構成要素は、典型的には、単一の数字によって表される。明瞭さを目的として、当業者が本発明を理解できるようにするために図解が不要である場合には、すべての図のすべての構成要素にラベルが付与されるわけではなく、また、各実施形態のすべての構成要素が図示されるわけではない。
【００３４】
本明細書に開示されたものは、エネルギー貯蔵装置を含み、ある実施形態ではモジュール式信号インターフェース装置を含む、坑井内システムの様々な実施形態に関する。モジュール式信号インターフェース装置は、例えば、エネルギー貯蔵構成要素を制御するために使用されてもよい。ある実施形態において、モジュール式信号インターフェース装置は、データの記録及び／又は報告を行うことができる。エネルギー貯蔵装置及び／又はモジュール式信号インターフェース装置は、いくつかの実施形態では、高温で動作するように構成されてもよい。一部のシステムは電力システムであってもよい。システムは、以前に達成された坑井より大きな能力をユーザに提供する。そのようなシステムは、坑井内環境で使用する場合について具体的に示しているが、飛行機、自動車などのエンジン区画、又はエネルギー生成プラント／タービンのような、同様の環境が存在する任意の用途で使用されてもよい。しかしながら、坑井内電力システム及び使用方法のコンテキストを提供するために、いくつかの背景情報及び定義が提供される。
【００３５】
１．  定義
【００３６】
本明細書に開示された１つ又は複数の実施形態の坑井要素を導入するとき、冠詞「１つの（ａ）」、「１つの（ａｎ）」、及び、「その（ｔｈｅ）」は、１以上の構成要素が存在することを意味することを意図している。同様に、形容詞「もう１つの」は、ある構成要素を導入するために使用されるとき、１以上の構成要素を意味することを意図している。用語「含む（ｉｎｃｌｕｄｉｎｇ）」、「有する（ｈａｓ）」、「有している（ｈａｖｉｎｇ）」は、包括的であることを意図しており、リストされた構成要素以外の付加的な構成要素が存在してもよい。
【００３７】
語句「及び／又は」は、本明細書では慣行により、「及び」と「又は」のいずれかを別個の実施形態として記述するように使用される。例えば、Ａ、Ｂ、及び／又はＣをリストしたものにおいて、それは、Ａ、Ｂ、及びＣと、Ａ、Ｂ、又はＣとの両方を意味することが意図される。ここで、Ａ、Ｂ、又はＣのそれぞれは別個の実施形態とみなされ、リストにおけるそれぞれは単に便宜的に集められている。本明細書及び特許請求の範囲で使用されるように、「又は」は、上で定義された「及び／又は」と同じ意味を有するように理解されるべきである。例えば、リストにおける品目を分離するとき、「又は」もしくは「及び／又は」は包括的である、すなわち、多数の構成要素又は構成要素リストのうちの少なくとも１つを含むが、１つよりも多くを含むこともあり、オプションで、リストされていない追加の品目を含む、と解釈されるものとする。そうではないと明確に示した用語、例えば、「…のうちのただ１つ」又は「…のうちのきっかり１つ」、又は、請求項で使用されたときの「…からなる」などの用語は、多数の構成要素又は構成要素リストのうちのきっかり１つを含むことを示す。概して、本明細書に使用された用語「又は」は、「いずれか」、「…のうちの１つ」、「…のうちのただ１つ」、又は「…のうちのきっかり１つ」のような排他的であることを示す用語が先にある場合、排他的な選択肢（すなわち、「一方又は他方であｒが、両方ではない）を示すと解釈されるものとする。「本質的に…からなる」は、請求項で使用されたとき、特許法の分野で使用されるその通常の意味を有するものとする。
【００３８】
用語「アルケニル」や「アルキニル」は当該技術分野において認識され、また、これらの用語は、同様の長さを有し、後述のアルキルに対する可能な置換を含むが、少なくとも１つの二重結合もしくは三重結合をそれぞれ含む飽和脂肪族基を意味する。  
【００３９】
用語「アルキル」は当該技術分野において認識され、また、この用語は、直鎖アルキル基、分岐鎖アルキル基、シクロアルキル（脂環式）基、アルキル置換シクロアルキル基、及び、シクロアルキル置換されたアルキル基を含む、飽和脂肪族基を含んでもよい。ある実施形態において、直鎖または分枝鎖アルキルは、その主鎖において約２０個以下の炭素原子を有する（例えば、直鎖ではＣ１−Ｃ２０、分枝鎖ではＣ１−Ｃ２０）。同様に、シクロアルキルは、それらの環状構造において約３〜約１０個の炭素原子を有し、代替として、環状構造において約５、６、又は７個の炭素を有する。アルキル基の例は、メチル、エチル、プロピル、ブチル、ペンチル、ヘキシル、エチルヘキシル、シクロプロピル、シクロブチル、シクロペンチル、シクロヘキシル等を含むが、これらに限定するものではない。
【００４０】
本明細書及び特許請求の範囲で使用されるように、１つ又は複数の構成要素のリストに関して使用される語句「少なくとも１つ」は、構成要素のリストにおける構成要素のうちの任意の１つ又は複数から選ばれた少なくとも１つの構成要素を意味するように理解されるべきであるが、構成要素のリスト内に具体的にリストされた全構成要素それぞれのうちの少なくとも１つを必ずしも含まず、また、構成要素のリスト中の構成要素の任意の組み合わせを除外しない。この定義は、語句「少なくとも１つ」が表す構成要素のリスト内で具体的に識別される構成要素以外の構成要素が、それらの具体的に識別された構成要素に関連しているか無関係であるかにかかわらず、オプションで存在してもよいということを許容する。したがって、非限定的な例示として、「Ａ及びＢの少なくとも１つ」（又は同義の「Ａ又はＢの少なくとも１つ」、又は同義の「Ａ及び／又はＢの少なくとも１つ」）は、例えば、ある実施形態では、Ｂを含まず（オプションでＢ以外の構成要素を含み）、オプションで１つよりも多数を含む少なくとも１つのＡを表すことができ、もう１つの実施形態では、Ａを含まず（オプションでＡ以外の構成要素を含み）、オプションで１つよりも多数を含む少なくとも１つのＢを表すことができ、さらにもう１つの実施形態では、オプションで１つよりも多数を含む少なくとも１つのＡと、オプションで１つよりも多数を含む少なくとも１つのＢ（オプションで他の構成要素を含む）とを表すことができる。
【００４１】
表現「逆起電力」は、当該技術分野において認識され、また、この用語は、回転子の速度及び位置に応じて変化する誘導電圧を示す。
【００４２】
本明細書で使用された用語「バッファ」は、本明細書で説明するシステム、例えば本明細書で説明する電力システムのコンテキストで使用されるとき、概して、上記システムの第１の入力又は出力の態様（例えば少なくとも１つ態様を）上記システムの第２の入力又は出力の１つの態様から分離することに関する。例示的な態様は、電圧、電流、電力、周波数、位相などを含む。本明細書で使用されるバッファリング、バッファ、電力バッファ、ソースバッファなどの用語は、概して、上で定義したバッファの概念に関連する。
【００４３】
本明細書で使用されるように、用語「セル」は、ウルトラキャパシタセルを示す。
【００４４】
本明細書で使用されているように、「クラッド」、「クラッディング」等の用語は、異種金属を互いに接合することを意味する。クラッディングはしばしば、ダイ（または金型）を通して２つの金属を押し出すこと、および高圧下でシートを一緒にプレスまたは圧延することにより達成される。レーザクラッディング等の他のプロセスを用いても良い。その結果は、複数の層からなる材料のシートであり、材料の複数の層は、材料が単一のシートとして作用できるように一緒に接合されている（例えば、均一な材料の単一のシートが形成されるように形成される）。
【００４５】
監修的には、「汚染物質」は、導入された場合にウルトラキャパシタ１０の性能に悪影響を及ぼす可能性がある任意の望まれない材料として定義されてよいと考えてよい。また、本明細書において一般に、汚染物質は１００万分の１（ｐｐｍ）等の濃度で評価される可能性があることに注意する。当該濃度は、重量、体積、サンプル重量、もしくは適切であると認められる他の任意の方法により算出されてもよい。
【００４６】
本明細書で使用されるように、電源を参照した用語「制御」の使用は、概して、電源の性能を管理することに関する。しかしながら、いくつかの実施形態において、「制御」は、電源の性能のモニタリングを行うように解釈されてもよい。モニタリングは、例えば、さもないと、電源の使用の態様を制御する（例えば、有用な充電が消費されたことを充電状態が示す場合、電源を回収する）ために、有用である可能性がある。従って、用語「制御」、「制御する」などは、意図されているかさもなければ明示されている可能性があるそのような追加の解釈をカバーするように、広く解釈されるべきである。
【００４７】
用語「シアノ」には、当該技術分野における通常の意味が与えられ、官能基ＣＮを示す。用語「硫酸塩」は、当該技術分野におけるその通常の意味が与えられ、ＳＯ２基を指す。用語「スルホン酸塩」には、当該技術分野における通常の意味が与えられ、官能基ＳＯ３Ｘを表す。ここで、Ｘは、電子対、水素、アルキル、シクロアルキルであってもよい。用語「カルボニル」は当該技術分野において認識され、Ｃ＝Ｏ基を表す。
【００４８】
語句「坑井内状態」又は「坑井内環境」は、《《《高温及び／又は衝撃及び振動を有する環境にさらされた機器によって経験される概略的な状態を記述するために本明細書で交換可能に使用されてもよい。ここで、高温は、例えば摂氏７５度を超え、例えば摂氏１００度を超え、例えば摂氏１２５度を超え、例えば摂氏１５０度を超え、例えば摂氏１７５度を超え、例えば摂氏２００度を超える。衝撃及び振動は、例えば５Ｇを超え、例えば１０Ｇを超え、例えば２０Ｇを超え、例えば５０Ｇを超え、例えば１００Ｇを超える。
【００４９】
「エネルギー密度」は、ピーク装置電圧の２乗の半分に装置容量を乗算して、装置の質量もしくは体積で除算したものである。
【００５０】
本明細書において議論しているように、「密閉」とは、その性能（すなわち、漏れレート）が「ａｔｏｍ−ｃｃ／秒」の単位で定義される封止（シール）を示す。これは、周囲の気圧及び温度において、１秒当たりに１立方センチメートルのガス（例えばＨｅ）を意味する。これは、「標準Ｈｅ−ｃｃ／秒」の単位における表現と等価である。さらに、１ａｔｍ−ｃｃ／秒は、１．０１３２５ミリバール−リットル／秒と等しい。
【００５１】
用語「ヘテロアルケニル」および「ヘテロアルキニル」は、当該技術分野において認識され、１以上の原子がヘテロ原子（例えば、酸素、窒素、硫黄等）である本明細書に記載のアルケニルおよびアルキニルアルキル基を指す。
【００５２】
用語「ヘテロアルキル」は、当該技術分野において認識され、１以上の原子がヘテロ原子（例えば、酸素、窒素、硫黄等）である本明細書に記載されたアルキル基を示す。例えば、アルコキシ基（例えば、−ＯＲ）は、ヘテロアルキル基である。
【００５３】
用語「発見的」は、当該技術分野において認識され、概して、問題解決のための経験に基づく技術を表す。
【００５４】
慣行では、用語「内部抵抗」、「実効直列抵抗（effective series resistance）」、及び「ＥＳＲ」、すなわち、装置の抵抗の態様を示すために当該技術分野において知られている用語は、本明細書で交換可能に使用される。
【００５５】
慣行では、用語「漏れ電流」は、概して、予め決められた時間期間の後に測定された、キャパシタによって流れた電流を示す。この測定は、キャパシタ端子が実質的に固定された電位差（端子電圧）に保持されているときに実行される。漏れ電流を評価する際、典型的な時間期間は７２時間であるが、異なる期間を使用してもよい。従来技術に係るキャパシタの漏れ電流は、概して、エネルギー貯蔵媒体の体積及び表面積の増大と、それにともなうハウジングの内側表面積の増大とに応じて増大することに注意する。概して、増大する漏れ電流は、ウルトラキャパシタ１０内の反応レートが徐々に増加することを示していると考えられる。漏れ電流の性能要件は、概して、特定の用途において広く行き渡っている環境状態により定義される。例えば、２０ｃｃの体積を有するウルトラキャパシタ１０に関しては、漏れ電流の事実上のリミットは、２００ｍＡ未満まで低下するであろう。
【００５６】
キャパシタの「寿命」もまた一般に、特定の用途によって定義され、典型的には、漏れ電流における所定割合の増加によって、または、容量もしくは内部抵抗などの（与えられた用途で適切であるか又は決定力がある）別のパラメータの劣化によって示される。例えば、一実施形態において、自動車用途におけるキャパシタの寿命は、漏れ電流がその初期（寿命の初期（beginning of life）または「ＢＯＬ」）値の２００％に増大した時間として定義されてよい。他の例においては、石油及びガスの用途におけるキャパシタの寿命は、次のいずれかが起こる時間として定義してもよい：容量がそのＢＯＬ値の５０％まで低下するとき、内部抵抗がそのＢＯＬ値の２００％まで増大するとき、リークがそのＢＯＬ値の２００％まで増加するとき。慣行では、本明細書において使用されている装置の用語「耐久性」及び「信頼性」は、概して、前に定義した装置の寿命に関連する。
【００５７】
用語「モジュール式バス」は、本明細書では慣行により、各回路基板における基板トポロジー及びピン割り当てのプロトコルであって、電力のフローをサポートし、基板を接続する整列したスタッカにより他の回路及び／又は外部ハードウェアに通信する能力を与えるようなプロトコルについて記述するために使用される。
【００５８】
装置の「動作温度範囲」は、概して、あるレベルの性能が維持される温度範囲に関連し、概して、与えられた用途のために決定される。例えば、一実施形態では、石油及びガス用途の動作温度範囲は、装置の抵抗が、摂氏３０度における当該装置の抵抗の約１０００％未満であり、容量が摂氏３０度における容量の約１０％より大きいような温度範囲として定義される。
【００５９】
いくつかの例では、動作温度範囲の仕様は、有用な温度の下限を規定する一方、寿命の仕様は、有用な温度の上限を規定する。
【００６０】
用語「最適化」及び「最適化する」は、本明細書では、最適化を引き起こすものとして述べられている目的又は方法を適用しない場合のシステム又は性能と比較して、改善されたシステム又は性能に向かってシステム又は性能を変化させる過程を記述するために使用される。明確さのために、本明細書では、これらの用語を使用することで、最適値が達成されなければならないと提案することを意図せず、それ自体、最適化された範囲は改善のスペクトル上にあるということが理解されるべきである。
【００６１】
「ピーク電力密度」は、ピーク装置電圧の２乗の４分の１を当該装置の実効直列抵抗により除算し、さらに当該装置の質量もしくは体積により除算したものである。
【００６２】
本明細書で使用された用語「信号」は、所定時間にわたるエネルギー又はデータの転送を示す。
さらに、別途指定されない限り、用語「信号」は、所定時間にわたるエネルギー転送又は所定時間にわたるデータ転送のいずれかを意味するだろう。
【００６３】
本明細書で使用される用語「地下」は、地表下の環境又は同様の特性を有する環境を示す。
【００６４】
用語「１つのシステム」又は「複数のシステム」は、本明細書では、電力システム、データ記録及び／又は報告システム、又はそれらの組み合わせを含むように使用される。
【００６５】
本明細書で使用される用語「ウルトラキャパシタ」は、当該技術分野で認識される電解質二重層容量メカニズムを利用するエネルギー貯蔵装置を示す。
【００６６】
本明細書において述べているように、ウルトラキャパシタ１０の「体積当たりの漏れ電流」は、概して、ウルトラキャパシタ１０の体積で除算した漏れ電流を示し、例えば、ｍＡ／ｃｃの単位で表されてもよい。同様に、ウルトラキャパシタ１０の「体積当たりの容量」は、概して、ウルトラキャパシタ１０の体積で除算したウルトラキャパシタ１０の容量を示し、例えば、Ｆ／ｃｃの単位で表されてもよい。例えば、さらに、ウルトラキャパシタ１０の「体積当たりのＥＳＲ」は、概して、ウルトラキャパシタ１０のＥＳＲにウルトラキャパシタ１０の体積を乗算したものを示し、Ｏｈｍｓ・ｃｃの単位で表されてもよい。
【００６７】
慣行として、本明細書において使用されている用語「てもよい（ｍａｙ）」は、オプションと解釈され、「含む（ｉｎｃｌｕｄｅｓ）」は、他のオプション（例えば、ステップ、材料、構成要素、組成等）を除外しないものと解釈され、「べきである（ｓｈｏｕｌｄ）」は、要件を含意するものではなく、随時の、又は状況による選好を意味する。同様に、他の同じような用語が、一般的な慣行による方法で使用される。
【００６８】
本明細書において議論されているように、用語「適合されている（adapting）」、「構成されている（configuring）」、「組み立てる（constructing）、等は、意図された結果をもたらすため、本明細書において開示された任意の技術並びに他の同様の技術（現在知られているかもしくは後に考案されるもの）の適用を含むと考えられてもよい。
【００６９】
２．所定実施形態のアプリケーション
【００７０】
本明細書に開示されたシステムは、以下に概説されるような様々な非限定的な用途で使用されてもよい。
１）掘削中動作
ａ）掘削中
ｉ）掘削中の測定（Measuring While Drilling：「ＭＷＤ」）
ｉｉ）掘削中の検層（Logging While Drilling：「ＬＷＤ」）
ｂ）ワイヤーライン検層
ｉ）電線
ｉｉ）メモリ検層
２）完成時動作
ａ）ワイヤーライン検層
ｉ）電線
ｉｉ）メモリ検層
３）生産中動作
ａ）永続的検層
ｂ）ワイヤーライン検層
ｉ）電線
ｉｉ）メモリ検層
【００７１】
ここで図１を参照すると、ここでは、検層データを測定しながら、坑井１０１（「wellbore」又は「borehole」ともいう）を掘削するための装置の態様を示す。慣行により、坑井１０１の深さはＺ軸に沿って記述され、横断面が、Ｘ軸及びＹ軸によって記述される平面上に示される。
【００７２】
この例では、坑井１０１は、掘削装置（図示せず）によって駆動されるドリルストリング１１１を用いて地中１０２へ掘削される。掘削装置は、とりわけ、回転エネルギー及び下方への力を提供する。坑井１０１は、概して、地表下物質を横切って進む。地表下物質は、様々な地層１０３（地層１０３Ａ、１０３Ｂ、及び１０３Ｃとして示す）を含む可能性がある。当業者は、地表下環境で遭遇する可能性がある様々な地質学上の特徴が「地層」と呼ばれてもよく、また、坑井（すなわち「borehole」又は「downhole」）を下に進むときに存在する物質のアレイが「地表下物質」と呼ばれてもよいことを認識するだろう。すなわち、地層１０３は地表下物質から形成される。従って、本明細書で使用されるように、用語「地層」は概して地質学上の地層を示し、「地表下物質」は任意の物質を含むが、固体、流体、ガス、液体、などの物質を含んでもよいことは考慮されるべきである。
【００７３】
この例において、ドリルストリング１１１は、ドリルビット１１４を駆動する所定長さのドリルパイプ１１２を含む。ドリルビット１１４はまた、掘削泥水などの掘削流体１０４のフローを提供する。掘削流体１０４は、多くの場合、ドリルパイプ１１２を介してドリルビット１１４にポンプで注入され、ここで、流体は坑井１０１の中へ出ていく。これにより、坑井１０１内で、掘削流体１０４の上向きフローＦが生じる。上向きフローＦは、概して、ドリルストリング１１１及びその構成要素を冷却し、ドリルビット１１４からカッティングスを運び去り、加圧された炭化水素１０５の暴噴を防ぐ。
【００７４】
掘削流体１０４（「掘削泥水」とも呼ぶ）は、概して、環境に固有である可能性がある水、掘削流体、泥水、石油、ガス、及び地層流体のような液体の混合物を含む。掘削流体１０４は掘削動作のために導入される可能性があるが、掘削流体１０４の使用又は存在は、検層動作で必要とされるわけでもなく、必ずしも検層動作から除外されるわけでもない。概して、物質の層は、ドリルストリング１１１の外面と坑井１０１の壁との間に存在するだろう。この層は「スタンドオフ層」と呼ばれ、「スタンドオフＳ」と呼ばれる厚さを含む。
【００７５】
ドリルストリング１１１は、概して、掘削中測定（「ＭＷＤ」）又は掘削中検層（「ＬＷＤ」）を実行するための機器を含む。ＭＷＤ又はＬＷＤを行うことは、概して、ドリルストリング１１１に組み込まれ、掘削中に動作するように設計された検層装置１００の動作を必要とする。概して、ＭＷＤを行うための検層装置１００は、ドリルストリング１１１上に設けられた電子回路パッケージに接続される。従って、この電子回路パッケージは、「坑井内電子回路１１３」と呼ばれる。概して、坑井内電子回路１１３は、動作制御及びデータ分析の少なくとも一方を行う。多くの場合、検層装置１００及び坑井内電子回路１１３は、地上機器１０７に接続される。地上機器１０７は、さらに動作を制御し、より大きな分析能力を提供し、及び／又はデータを記録することなどのために含まれていもよい。地上機器１０７への通信を通信チャネル（図示せず）により行ってもよく、通信チャネルはパルスマッド、有線パイプ、及び／又は当該技術分野において知られた他の技術を介して動作してもよい。
【００７６】
概して、ＭＷＤ装置からのデータは、向上された能力をユーザに提供する。例えば、ＭＷＤの発展から利用可能になったデータは、ジオステアリング（すなわち、掘削処理の間においてドリルストリング１１１のステアリングを行うこと）への入力、などとして有用である可能性がある。
【００７７】
ここで図２を参照して、坑井１０１のワイヤーライン検層のための例示的な検層装置１００を示す。慣行により、坑井１０１の深さはＺ軸に沿って記述され、横断面が、Ｘ軸及びＹ軸によって記述される平面上に示される。検層装置１００による検層前に、坑井１０１は、図１に示すような掘削装置を用いて、地中１０２へ向かって掘削される。
【００７８】
いくつかの実施形態において、坑井１０１は、少なくともある程度まで、掘削流体１０４で充填されている。掘削流体１０４（「掘削泥水」とも呼ぶ）は、概して、環境に固有である可能性がある水、掘削流体、泥水、石油、ガス、及び地層流体のような液体の混合物を含む。掘削流体１０４は掘削動作のために導入される可能性があるが、掘削流体１０４の使用又は存在は、ワイヤーライン検層中の検層動作で必要とされるわけでもなく、必ずしも当該検層動作から除外されるわけでもない。概して、物質の層は、検層装置１０１の外面と坑井１０１の壁との間に存在するだろう。この層は「スタンドオフ層」と呼ばれ、「スタンドオフＳ」と呼ばれる厚さを含む。
【００７９】
概して、検層装置１００は、デリック１０６又は同様の機器によって展開されるワイヤーライン１０８を用いて、坑井１０１の中へ下ろされる。概して、ワイヤーライン１０８は、他の装置に加えて、荷重支持ケーブルのような懸架装置を含む。他の装置は、電源、通信リンク（有線又は光学など）、及び他のそのような機器を含んでもよい。概して、ワイヤーライン１０８は、サービストラック１０９又は他の同様の装置（サービスステーション、基地局など）から運搬される。多くの場合、ワイヤーライン１０８は地上機器１０７に接続される。地上機器１０７は、検層装置１００へ電力を提供し、さらに、動作の制御及びデータの分析の少なくとも一方に計算及び処理能力を提供してもよい。
【００８０】
概して、検層装置１００は電源１１５を含む。電源１１５は、坑井内電子回路１１３（すなわち電力消費装置）へ電力を適切に提供してもよい。概して、坑井内電子回路１１３は、測定値を提供し、及び／又は、サンプリングを実行し、及び／又は、炭化水素１０５の存在を発見し、確認し、定量化するために望まれる他の任意のシーケンスを行う。
【００８１】
モジュール式信号インターフェース装置及び関連した電力システムを含め、本発明は、以下の定義を参照して記載されている。便宜のため、定義を以下に説明している。他に特に規定がなければ、本明細書において用いられている次の用語は、以下のように定義する。
【００８２】
当業者は、本明細書に開示された装置、システム、及び方法が、抵抗、パルス中性子及びガンマ測定及びその他を含む核、核磁気共鳴映像法、音響、及び／又は地震測定、地層サンプリングツール、様々なサンプリングプロトコル、通信、データ処理及び記憶、ジオステアリング、回転ステアリングツール、加速度計、磁力計、センサ、トランスデューサ、ディジタル及び／又はアナログ装置など（以下で列挙されるものを含む）などをサポートする技術及び装置類とともに使用されてもよく、電力使用坑井の要件を有する他の無数のシステムとともに使用されてもよいことを認識するだろう。本明細書に開示された電力システムによって、他の多くの構成要素に電力が供給されてもよい。非限定的な例は、加速度計、磁力計、センサ、トランスデューサ、ディジタル及び／又はアナログ装置（以下で列挙されたものを含む）などを含む。他の例は、回転によりステアリング可能なツールを含む。他の例は、マッドパルステレメトリシステムのようなテレメトリ構成要素又はシステムを含む。マッドパルステレメトリシステムの非限定的な例は、回転マッドパルサー、ソレノイドで駆動されるマッド泥パルサー、及びモータで駆動されるマッドパルサーを含む。テレメトリシステムの他の非限定的な例は、ＥＭテレメトリシステム、有線のテレメトリシステム、光ファイバーテレメトリシステム、及びその他同種のものを含む。
【００８３】
３．  電源
【００８４】
先の用途に適用可能な所定の実施形態によれば、本明細書に開示された装置、システム、及び方法は電源を含み、それはさまざまなエネルギー入力を含んでもよい。エネルギー入力は、概して３つのカテゴリ、すなわちバッテリー、遠隔システム、及び発電機に分類されてもよい。
【００８５】
いくつかの実施形態において、電源は一次電池を含む。例示的なバッテリーは、過酷な環境中の動作に適合するものを含む。特定の例は、リチウムを有するものを含む、様々な化学電池を含む。より特定の例は、塩化チオニルリチウム（Ｌｉ−ＳＯＣｌ２）と、同様の技術及び／又は化学的性質に基づくバッテリーを含む。しかしながら、これらの技術のうちの一部は所望の温度定格を達成できない可能性があり、これらの技術のうちの一部は短期間のエネルギー貯蔵のみをサポートできる（すなわち、エネルギー貯蔵装置は、例えば、再充電可能でない構成要素を含んでもよく、又は、他の構成要素と比較して短縮された寿命を有するものを含んでもよい）ということが認識される。包含される可能性がある他の例示的なバッテリーは、リチウム塩化臭素を含み、また、リチウムスルフリルクロリド及び融解塩を含む。
【００８６】
電源は、遠隔の電源への少なくとも１つの接続を含んでもよい。すなわち、エネルギーは、ワイヤーライン経由のように、外部源を介して供給されてもよい。外部エネルギー源が坑井内環境によって制約を受けないならば、エネルギーを受けるための主要な関心事は、エネルギーを坑井に伝達する方法及び装置を含む。開示されたシステムへエネルギーを提供するための例示的な技術は、有線ケーシング、有線パイプ、コイル型チュービング、及び当該技術分野において既知である可能性がある他の技術を含む。
【００８７】
電源は少なくとも１つの発電機を含んでもよい。様々なタイプのエネルギー発生装置が、単独で、又は互いに組み合わせて使用されてもよい。例示的なタイプのエネルギー発電機は、以下に限定するわけではないが、回転発電機、電磁気的変位による発電機、磁歪の変位による発電機、圧電性変位による発電機、熱電発電機、熱光起電力発電機を含み、また、地上で保持された発電機又は電源へのワイヤーライン接続のような遠隔の発電機への接続を含んでもよい。他のタイプの発電機は、慣性エネルギー発電機、リニア慣性エネルギー発電機、回転慣性エネルギー発電機、又は振動エネルギー発電機を含む。
【００８８】
上述のように、他のタイプの発電機は、以下に限定するわけではないが、回転発電機、電磁気的変位による発電機、磁歪の変位による発電機、圧電性変位による発電機、熱電発電機、熱光起電力発電機を含み、また、地上で保持された発電機又は電源へのワイヤーライン接続のような遠隔の発電機への接続と、放射性同位体による電力発電機とを含んでもよい。
【００８９】
回転タイプの発電機は、例えば、流体（液体又はガス又は混合物）により引き起こされた回転、単一ステージの設計、マルチステージに依存する発電機を含んでもよく、余分であってもよい。
【００９０】
電磁気的変位型の発電は、例えば、ドリルストリングの振動（所望されたもの又は望ましくないもの）、音響的振動、地震振動、流動励起振動（例えば、泥、ガス、石油、水などから）に依存してもよく、往復運動に依存する発電を含んでもよい。
【００９１】
磁歪型の発電は磁歪に依存する。磁歪は強磁性体の特性であり、磁化の過程においてそれらの形状又は寸法を変化させる。磁歪材料は、磁気エネルギーを運動エネルギーに、又は逆に変換することができ、アクチュエータ及びセンサを構成するために使用される。電磁気的変位型の発電の場合のように、磁歪型の発電は、例えば、ドリルストリングの振動（所望されたもの又は望ましくないもの）、音響的振動、地震振動、流動励起振動（例えば、泥、ガス、石油、水などから）に依存してもよく、往復運動に依存する発電を含んでもよく、また、運動又は磁気エネルギーの形式で発電するか又は結果的にそれらの形式をもたらす他の技術を含んでもよい。
【００９２】
圧電型の発電は、圧電性特性を示す材料に依存する。圧電気は、加えられた機械的応力に応じて所定の固体材料（特に、水晶、所定のセラミック、など）に蓄積される電荷である。圧電型の発電は、例えば、ドリルストリングの振動（所望されたもの又は望ましくないもの）、音響的振動、地震振動、流動励起振動（例えば、泥、ガス、石油、水などから）に依存してもよく、往復運動に依存する発電を含んでもよく、また、機械的応力の形式で発電するか又は結果的にその形式をもたらす他の技術を含んでもよい。
【００９３】
圧電効果は、力学的エネルギーを電気的なエネルギーに変換するために利用することができる。例えば、圧電素子は、片持ちビームの形式で構成されてもよく、それによって、ビームの端部の運動は振動下のビームを曲げる。圧電素子もプラッタとして構成されてもよく、それによって振動はプラッタの中心に歪みを生じさせる。各構成において、機械的振動の影響を増大させるために、変化する質量の負荷が使用されてもよい。例えば、システムの機械的振動に起因するビームが受けたたわみのレベルを増大するために、片持ちビームの端部に所定質量が配置されてもよい。
【００９４】
いくつかの実施形態において、圧電発電機は、力学的エネルギーを電流に変換するためにそれぞれ提供される１つ乃至多数の圧電素子を含む。圧電発電機は、さらに、電流をエネルギー変換又は貯蔵電子回路に移すために１つ乃至多数の導電素子を含んでもよい。各圧電発電機は、エネルギー発生能力を向上させるために複数で構成されてもよい。機械的振動の様々なモードを取り込むために、圧電発電機は適切な方向に配置されてもよい。例えば、３次元の横振動を取り込むために、圧電発電機は、振動の各次元が少なくとも１組の圧電発電機によって取り込まれるように、互いに直交して配置されてもよい。
【００９５】
概して、圧電発電機は、１ワット以内の電力を発生するのに有用である。しかしながら、追加の電力を生成するために複数の発電機が使用されてもよい。一実施形態において、複数の圧電素子を所定時間に変形するように、単一の質量が構成されてもよい。
【００９６】
電磁気的発電機のように、圧電発電機は、与えられた固有周波数で動作する。機械的振動が圧電発電機の固有周波数で生じる場合、最大の電力が発生される。発生された電力の量を最大化するために、圧電発電機の固有周波数は、以前に議論されたように、導電材料への変化する負荷素子を含むことにより調整されてもよい。もう一つの実施形態において、所定範囲の振動周波数を取り込むために、異なる固定周波数に調整された複数の圧電発電機があってもよい。共振応答を低減しながら圧電発電機の実効取り込みスペクトルを広げるために、圧電素子に取り付けられた材料又は圧電素子を取り囲む流体の形式で減衰させることが使用されてもよい。
【００９７】
力学的エネルギー源が流体フローの形式を有する一実施形態では、回転に基づく圧電発電機が使用されてもよい。例えば、１つ乃至複数の圧電素子は、構造物の回転に起因して変形されてもよい。ある実施形態において、１つ乃至多数の圧電ビームは、回転するホイールに取り付けられた直交ピンによって曲げられてもよい。ホイールがその軸のまわりで回転するとき、ピンは、圧電素子と接触し、ホイールの回転に応じて素子の変形を引き起こす。もう一つの実施形態において、圧電素子は、可変な半径の回転物体に平行に隣接して配置されている。回転物体が回転するとき、圧電素子は、回転物体及び圧電素子の間の接点において、半径に依存する変化する程度まで圧縮される。この実施形態において、追加の電気エネルギーを発生するために回転物体に配置された圧電素子があってもよい。
【００９８】
熱電型の発電は、熱電特性を示す材料に依存する。熱電発電機は、概して、「ゼーベック効果」（又は「熱電効果」）と呼ばれる現象を用いて、熱流（温度差）を直接的に電気エネルギーに変換する。例示的な熱電発電機は、バイメタル接続（複数の材料の組み合わせ）に依存するしてもよく、又は、特定の熱電材料を利用してもよい。熱電材料の一例は、テルル化ビスマス（Ｂｉ２Ｔｅ３）、すなわち、ミリメートル範囲の厚さを有しうるＰＮ接合を有する半導体である。概して、熱電発電機はソリッドステート装置であり、可動部をもたない。
【００９９】
熱電発電機は、様々な温度勾配を利用するために設けられてもよい。例えば、パイプの内部及びの外部の温度差、ケーシングの内部及び外部の温度差、ドリルストリングに沿った温度差、（電気的及び／又は力学的エネルギーからの）ツール内の電力消費から生じる温度差）は、引き起こされた温度差を利用してもよい。
【０１００】
熱光起電力発電機は、光子を介する熱差から電気へのエネルギー変換を行う。簡単な形式では、熱光起電力システムは、熱放射器及び光起電力ダイオードセルを含む。熱放射器の温度はシステム間で変動するが、原則として、熱光起電力装置は、光起電力装置の温度よりも増大した温度を有する任意の放射器からエネルギーを抽出する（したがって、光学的熱機関を形成する）ことができる。放射器は、１個の固体材料又は特別に構成された構造物であってもよい。熱放射は、材料中の電荷の熱運動に起因する光子の自然放出である。坑井内環境において、周囲の温度は、大部分は近赤外線及び赤外線の周波数において、放射を引き起こす。光起電力ダイオードは、これらの放射された光子の一部を吸収し、それらを電子に変換することができる。
【０１０１】
他の形式の発電が使用されてもよい。例えば、イオンを電流に変換するアイソトープ発電が電源に組み込まれてもよい。
【０１０２】
上述のタイプの発電機をドリルストリングに組み込むために、さまざまな技術が使用されてもよい。例えば、断続的又は連続的な電力を電子回路に供給するために、圧電素子が設計へ包含されていてもよい。坑井内環境は、音響的、機械的、又は地震の発生源による、所望されたか望ましくない多量の振動に起因する、圧電発電のための多数の機会を提供する。
【０１０３】
坑井内ドリルストリングには、振動の３つの主モード、すなわち、ドリルカラー回転、ビットバウンス、及びカラースティックスリップがある。これらのモードのそれぞれは互いに結合することができ、これにより、横方向、ねじれ方向、及び軸方向の振動を引き起こす。
【０１０４】
坑井内装置において、環境発電の可能性を提供する多数の場所がある。装置は、剛体のサポートにより直接的に接続されるか、可撓性の接続部により接続されたままにされるか、圧電素子以外の材料によって非接続のままにされた複数の別個のセクションから構成されいてもよい。可撓性の接続は、可撓性の膜で、又はピボット接続された剛体の構造物で構成されてもよい。
【０１０５】
ねじれ方向の振動からエネルギーを取り込むために、圧電材料を、装置の長さに沿って垂直に配置することができる。装置のセクション間のねじれ応力は、圧電素子を変形させる可能性がある。発生された電流をエネルギー貯蔵又は変換装置に運ぶために、圧電素子に沿って導電材料を配置することができる。
【０１０６】
もう一つの実施形態において、圧電材料は、軸方向の振動からエネルギーを発生するために利用可能である。例えば、圧電素子は、さもないと非接続のままにされる２つ以上のコンパートメント間に配置される可能性があり、又は接続された可撓性の接続である可能性がある。圧電素子の各端部は、軸方向の振動が圧電素子を圧縮又は伸長するように、軸方向及び接線方向に直交する装置の面に接続されてもよい。
【０１０７】
もう一つの実施形態において、圧電材料は、横方向の振動からエネルギーを発生するために利用可能である。例えば、圧電素子は、さもないと非接続のままにされる２つ以上のコンパートメント間に配置されてもよく、又は可撓性の接続を介して接続されてもよい。圧電素子の端部は、接続する圧電素子を各コンパートメントの相対的な剪断移動が曲げるように、各コンパートメントの接平面である壁に取り付けられてもよい。
【０１０８】
これらの実施形態のうちの１つ又は多数が、エネルギー発生を向上するために同じ装置へ包含されてもよい。
【０１０９】
要するに、電源は、坑井内環境において電力を供給するように適合した可能性がある任意のタイプの発電機を利用してもよい。使用される発電のタイプは、システムユーザ、設計者、製造業者、又は他の当事者のニーズ又は選好に従って選択されてもよい。あるタイプの発電は、単独で使用されてもよく、又はもう一つのタイプの発電と共に使用されてもよい。
【０１１０】
振動エネルギー発電機の場合におけるように、環境要因による効率を改善するために、他の形式の発電機の制御（すなわちチューニング）が行われてもよい、ということが注意されるべきである。各場合において、発電機の「チューニング」はこのタスクを達成するように設計されていることは考慮される。ある場合には、組み立て中にチューニングが行われる。いくつかの追加の実施形態において、チューニングは、電源の動作中において、リアルタイムで、又はほぼリアルタイムに基づいて行なわれる。
【０１１１】
４．高温で再充電可能なエネルギー貯蔵装置
【０１１２】
ある実施形態において、本明細書に開示された装置、システム及び方法は、高温で再充電可能なエネルギー貯蔵装置（high temperature rechargeable energy storage：「ＨＴＲＥＳ」）を含んでもよい。ＨＴＲＥＳは、坑井内条件で実用的である任意のタイプの技術を含んでもよい。ある実施形態において、ＨＴＲＥＳは、摂氏７５度を超える温度における動作のために構成され、例えば、摂氏約７５度から摂氏約２１０度までの温度範囲内にある温度、例えば、摂氏約８５度から摂氏約２１０度までの温度範囲内にある温度、例えば、摂氏約９５度から摂氏約１００度までの温度範囲内にある温度、例えば、摂氏約７５度から摂氏約２１０度までの温度範囲内にある温度、例えば、摂氏約１１０度から摂氏約２１０度までの温度範囲内にある温度、例えば、摂氏約１２０度から摂氏約２１０度までの温度範囲内にある温度、例えば、摂氏約１３０度から摂氏約２１０度までの温度範囲内にある温度、例えば、摂氏約１４０度から摂氏約２１０度までの温度範囲内にある温度、例えば、摂氏約１５０度から摂氏約２１０度までの温度範囲内にある温度、例えば、摂氏約１６０度から摂氏約２１０度までの温度範囲内にある温度、例えば、摂氏約１７０度から摂氏約２１０度までの温度範囲内にある温度、例えば、摂氏約１７５度から摂氏約２１０度までの温度範囲内にある温度における動作のために構成される。
【０１１３】
本明細書では、所定の例示的なタイプのＨＴＲＥＳの実施形態、特にウルトラキャパシタが開示される。そのような例示的なタイプのＨＴＲＥＳの開示は、本明細書に開示された実施形態の範囲を、そのような例示的なＨＴＲＥＳに限定しない。ＨＴＲＥＳの追加の実施形態は、以下に限定するわけではないが、化学バッテリー、アルミニウム電解キャパシタ、タンタルキャパシタ、セラミック及び金属フィルムキャパシタ、ハイブリッドキャパシタ、磁気エネルギー貯蔵装置、例えば、空気コア又は高温コア材料のインダクタを含む。適切でありうる他のタイプのものは、例えば、フライホイール、バネシステム、バネ質量システム、質点システムなどの力学的エネルギー貯蔵装置、熱容量システム（例えば、高い熱容量の液体又は固体又は相変化材料に基づいくもの）、油圧又は空気圧システムを含む。一例は、米国ロードアイランド州プロビデンスのエヴァンスキャパシタカンパニー（Evans Capacitor Company）から入手可能な高温ハイブリッドキャパシタであり、例えば、最大で摂氏１２５度までの定格温度を有する部品番号ＨＣ２Ｄ０６０１２２  ＤＳＣＣ１０００４−１６である。もう一つの例は、米国ロードアイランド州プロビデンスのエヴァンスキャパシタカンパニーから入手可能である、例えば、最大で摂氏２００度までの定格温度を有する部品番号ＨＣ２Ｄ０５０１５２ＨＴの高温タンタルキャパシタである。さらにもう１つの例は、ドイツ国ミュンヘンＥＰＣＯＳ  ＡＧから入手可能である、例えば、最大で摂氏１５０度までの温度定格を有する部品番号Ｂ４１６９１Ａ８１０７Ｑのアルミニウム電解キャパシタである。さらにもう１つの例示は、日本国大阪府のパナソニック株式会社から入手可能である、例えば、最大で摂氏１５０度までの温度定格を有する部品番号ＥＴＱ−Ｐ５Ｍ４７０ＹＦＭ、又は、米国カリフォルニア州フラートンのＢＩテクノロジーズ（BI Technologies）から入手可能である、例えば、最大で摂氏１８５度までの温度定格を有する部品番号ＨＭ７０−６０２Ｒ０ＬＦの高温インダクタである。追加の実施形態は、フランス国バニョレのサフトＳ．Ａ．（Saft S.A.）から入手可能である、例えば、３０回の充放電サイクルで最大で摂氏１２５度までの温度定格を有する部品番号Ｌｉ−ｉｏｎ  ＶＬ  ３２６００−１２５のバッテリーを含む。最大で摂氏約２５０度までの温度定格を有するもう一つの例示的なリチウムイオンバッテリは、米国マサチューセッツ州ウォルサムのソリッドエネルギーシステムズコーポレイション（SolidEnergy Systems Corp.）で実験フェーズにあり、特許文献１に記載され、これの全体は参照によって本明細書に組み込まれる。
【０１１４】
所定の実施形態において、ＨＴＲＥＳは、図３〜図９及び図１１〜図２８を参照して下記に述べられる少なくとも１つのウルトラキャパシタを含む。
【０１１５】
ａ．ウルトラキャパシタ
【０１１６】
本明細書では、広範囲の温度において改善された性能をユーザに提供するために、スーパーキャパシタとしても知られたウルトラキャパシタが、本発明で使用するためにさらに開示される。  そのようなウルトラキャパシタは、エネルギー貯蔵セル及び電解質系を備え、これらは密閉して封止されたハウジング内にあってもよい。エネルギー貯蔵セルは、正の接点及び負の接点に電気的に接続される。そのようなウルトラキャパシタは、摂氏約−４０度から摂氏約２１０度までの温度範囲内にある温度において動作するように構成されてもよい。例えば、本発明で使用されるウルトラキャパシタは、改良型電解質系（advanced electrolyte system）を備えてもよく、摂氏約−４０度の低温から摂氏約２１０度の高温までの温度範囲で動作可能であってもよい。そのようなキャパシタは、図３〜図９及び図１１〜図２８を参照して本明細書で説明される。
【０１１７】
概して、本明細書に開示されたキャパシタは、従来の装置と比較して、高い信頼性、広い動作温度範囲、高い電力密度、及び高いエネルギー密度の組み合わせを提供するように適合した少なくとも１つのエネルギー貯蔵媒体を含む。キャパシタは、当該温度範囲を超える動作を確実なものとするように構成された構成要素を含み、既知の電解質系から、又は本明細書で開示した改良型電解質系から選択された電解質６を含む。本明細書で説明した構造、エネルギー貯蔵媒体、及び、改良型電解質系の組み合わせは極端な条件下で動作する、本発明で使用するための頑健なキャパシタに、既存のキャパシタを超える改良された特性と、より高い性能及び耐久性とを提供する。
【０１１８】
従って、本発明は、以下のようなウルトラキャパシタを備えてもよい。ウルトラキャパシタは、密閉して封止されたハウジング内に、後述するエネルギー貯蔵セル及び改良型電解質系（「ＡＥＳ」）を備え、上記セルは、正の接点及び負の接点に電気的に接続され、上記ウルトラキャパシタは、摂氏約−４０度から摂氏約２１０度まで、摂氏約−３５度から摂氏約２１０度まで、摂氏約−４０度から摂氏約２０５度まで、摂氏約−３０度から摂氏約２１０度まで、摂氏約−４０度から摂氏約２００度まで、摂氏約−２５度から摂氏約２１０度まで、摂氏約−４０度から摂氏約１９５度まで、摂氏約−２０度から摂氏約２１０度まで、摂氏約−４０度から摂氏約１９０度まで、摂氏約−１５度から摂氏約２１０度まで、摂氏約−４０度から摂氏約１８５度まで、摂氏約−１０度から摂氏約２１０度まで、摂氏約−４０度から摂氏約１８０度まで、摂氏約−５度から摂氏約２１０度まで、摂氏約−４０度から摂氏約１７５度まで、摂氏約０度から摂氏約２１０度まで、摂氏約−４０度から摂氏約１７０度まで、摂氏約５度から摂氏約２１０度まで、摂氏約−４０度から摂氏約１６５度まで、摂氏約１０度から摂氏約２１０度まで、摂氏約−４０度から摂氏約１６０度まで、摂氏約１５度から摂氏約２１０度まで、摂氏約４０度から摂氏約１５５度まで、摂氏約２０度から摂氏約２１０度まで、又は摂氏約−４０度から摂氏約１５０度までの温度範囲内にある温度（「動作温度」）において動作するように構成される。
【０１１９】
例えば、図３に、ウルトラキャパシタの例示的な実施形態を示す。この場合、ウルトラキャパシタ１０は、電気二重層キャパシタ（electric double-layer capacitor：「ＥＤＬＣ」）である。ウルトラキャパシタ１０は、いくつかの異なるフォームファクタにおいて具体化されていてもよい（すなわち、ある外形を示す）。潜在的に有用なフォームファクターの例としては、円柱状セル、環状もしくはリング状セル、平面角柱状セル、ボックス状セルを含む平面角柱状セルのスタック、湾曲した空間等の特定の幾何学的形状に合わせて形成された平面角柱状セルが含まれる。円柱状のフォームファクタは、円柱状のシステム、もしくは円柱状のフォームファクタに搭載されたシステム、もしくは円柱状のキャビティを有するシステムとともに使用する際に最も有用であろう。環状もしくはリング状のフォームファクタは、リング状であるシステム、もしくはリング状のフォームファクタに搭載されているシステム、もしくはリング状のキャビティを有するシステムとともに使用する際に最も有用であろう。平面角柱状のフォームファクタは、矩形形状であるシステム、もしくは矩形形状のフォームファクタに搭載されているシステム、もしくは矩形形状のキャビティを有するシステムとともに使用する際に有用であろう。
【０１２０】
概して、本明細書では「ゼリーロール」アプリケーション（すなわち、円柱形状に形成されたハウジング７のために構成されている貯蔵セル１２）に関して開示されているが、巻回された貯蔵セル２３（図２５を参照）は任意の所望の形状をとってもよい。例えば、貯蔵セル１２を巻回することとは対照的に、巻回された貯蔵セル２３を提供するために、貯蔵セル１２の折り曲げるを実行してもよい。他のタイプのアセンブリを使用してもよい。一つの例として、貯蔵セル１２は、コイン型、ポーチ型、もしくは角柱型のセルと称される平坦セルであってもよい。したがって、巻回することは、単に、巻回された貯蔵セル２３のアセンブリのための一つの選択肢である。それゆえ、本明細書では「巻回された貯蔵セル２３」であることについて議論しているが、これは限定するものではない。概して、用語「巻回された貯蔵セル２３」は、貯蔵セル１２をパッケージ化もしくはパック化して、与えられた設計のハウジング７内に良好にフィットさせるための任意の適当な形式が含まれると考えられてもよい。
【０１２１】
様々な形式のウルトラキャパシタ１０を一緒に組み合わせてもよい。接点を一体に溶接することなどの既知の技術を用いて、少なくとも１つの機械的コネクタを用いて、互いに電気的に接触するように接点を設置することで、様々なフォームを組み合わせてもよい。複数のウルトラキャパシタ１０が、並列接続もしくは直列接続の少なくとも一方で電気的に接続されていてもよい。
【０１２２】
本明細書に開示されるウルトラキャパシタ１０は、約０．０５ミリリットル（ｃｃ）から約７．５リットルまでの範囲の体積を有してもよい。
【０１２３】
ここで、本明細書に開示されたウルトラキャパシタの構成要素について議論する。
【０１２４】
ｉ．電解質系
【０１２５】
図３を参照すると、電解質６は、カチオン９及びアニオン１１のペアを含み、さらに溶媒を含んでよい。電解質６は、電極３及びセパレータ５内のボイド空間と、それらの間のボイド空間とを充填する。電解質６の中にあるイオン、具体的にはカチオン９及びアニオン１１は、電極３にわたって電位が印加されたとき、二重の電気二重層を形成し、カチオン９は負極３（ａ）に関連付けられ、アニオン１１は正極３（ｂ）に関連付けられる。概して、本明細書に開示された電解質系は、特有の電解質、精製された改良された電解質、もしくはこれらの組み合わせを含み、電解質６は、例えば、１以上の塩もしくはイオン液体を含む物質であり、電荷を帯びたイオン（例えば、正の電荷を帯びたカチオン及び負の電荷を帯びたアニオン）に分離し、また、溶媒を含んでもよい。本明細書に開示した電解質系において、そのような電解質成分は、ある性能及び耐久性を向上させることに基づいて選択され、１以上の溶媒と組み合わされてもよい。溶媒は、物質を溶解して、新規かつ有用な電気化学的安定性及び性能を備える組成物を生成する。
【０１２６】
所定の実施形態において、電解質６は、イオン液体、すなわち、ウルトラキャパシタ１０の動作温度において液体であるイオン化合物であってもよい。それらの実施形態において、電解質６は、イオン液体と混合された溶媒をさらに含んでもよい。所定の実施形態において、電解質６は、ウルトラキャパシタ１０の動作温度において固体であるイオン化合物と、イオン化合物を溶かす溶媒とを含んでもよい。
【０１２７】
カチオン９、アニオン１１、及び溶媒の様々な組み合わせが使用されてもよい。ウルトラキャパシタ１０のある実施形態では、カチオン９は、１−（３−シアノプロピル）−３−メチルイミダゾリウム、１，２−ジメチル−３−プロピルイミダゾリウム、１，３−ビス（３−シアノプロピル）イミダゾリウム、１，３−ジエトキシイミダゾリウム、１−ブチル−１−メチルピペリジニウム、１−ブチル−２，３−ジメチルイミダゾリウム、１−ブチル−３−メチルイミダゾリウム、１−ブチル−４−メチルピリジニウム、１−ブチルピリジニウム、１−デシル−３−メチルイミダゾリウム、１−エチル−３−メチルイミダゾリウム、３−メチル−１−プロピルピリジニウム、およびこれらの組み合わせ、ならびに適切であると考えられる他の同等物の少なくとも１つを含んでよい。追加の例示的なカチオン９は、図４に示す構造の種類に含まれるカチオン、例えば、イミダゾリウム、ピラジニウム、ピペリジニウム、ピリジニウム、ピリミジニウム、ピロリジニウム、アンモニウム、オキサゾリウム、ホスホニウム、ピラディジニウム（pyradizinium）、スルホニウム、チアゾリウム、トリアゾリウム、グアニジウム、イソキノリニウム、ベンゾトリアゾリウム、又はビオロゲン型のカチオンを含む。例示的なウルトラキャパシタ１０において、アニオン１１は、ビス（トリフルオロメタンスルホナート）イミド、トリス（トリフルオロメタンスルホナート）メチド、ジシアナミド、テトラフルオロボラート、ヘキサフルオロホスファート、トリフルオロメタンスルホナート、ビス（ペンタフルオロエタンスルホナート）イミド、チオシアナート、トリフルオロ（トリフルオロメチル）ボラート、およびこれらの組み合わせ、ならびに適切であると考えられる他の同等物の少なくとも１つを含んでよい。
【０１２８】
溶媒は、アセトニトリル、アミド、ベンゾニトリル、ブチロラクトン、環状エーテル、ジブチルカルボナート、ジエチルカルボナート、ジエチルエーテル、ジメトキシエタン、ジメチルカルボナート、ジメチルホルムアミド、ジメチルスルホン、ジオキサン、ジオキソラン、ギ酸エチル、エチレンカルボナート、エチルメチルカルボナート、ラクトン、直鎖状エーテル、ギ酸メチル、メチルプロピオナート、メチルテトラヒドロフラン、ニトリル、ニトロベンゼン、ニトロメタン、ｎ−メチルピロリドン、プロピレンカルボナート、スルホラン、スルホン、テトラヒドロフラン、テトラメチレンスルホン、チオフェン、エチレングリコール、ジエチレングリコール、トリエチレングリコール、ポリエチレングリコール、炭酸エステル、γ−ブチロラクトン、ニトリル、トリシアノヘキサン、これらの任意の組み合わせ、又は適切な性能特性を示す他の１または複数の材料を含んでよい。
【０１２９】
ここで図４を参照すると、電解質６をもたらすためにイオン液体での使用に適したカチオン９の種々の追加の実施形態が示される。これらのカチオン９は、単独で用いてよく、または互いに組み合わせて用いてよく、カチオン９の上述の実施形態の少なくともいくつかと組み合わせて用いてよく、ユーザ、設計者、製造者、または他の同様の当事者が適合的又は適切であると判断する他のカチオン９と組み合わせて用いてもよい。図４に表したカチオン９は、アンモニウム、イミダゾリウム、オキサゾリウム、ホスホニウム、ピペリジニウム、ピラジニウム、ピラジニウム、ピリダジニウム、ピリジニウム、ピリミジニウム、ピロリジニウム、スルホニウム、チアゾリウム、トリアゾリウム、グアニジウム、イソキノリニウム、ベンゾトリアゾリウム、ビオロゲン型、および官能基化イミダゾリウムのカチオンを含むが、これらに限定されない。
【０１３０】
図４に示すカチオン９に関して、様々な置換基（例えばＲ１、Ｒ２、Ｒ３、…Ｒｘ）が含まれている。カチオン９の場合において、各置換基（Ｒｘ）は、アルキル、ヘテロアルキル、アルケニル、ヘテロアルケニル、アルキニル、ヘテロアルキニル、ハロ、アミノ、ニトロ、シアノ、ヒドロキシル、サルフェート、スルホナート、またはカルボニル基の１つであってよい。先の置換基（Ｒｘ）のうちの任意のものがオプションで置換されてもよい。
【０１３１】
概して、負電荷を有する任意のイオンは、アニオン１１として使用されてもよい。選択されるアニオン１１は、概して、大きな有機カチオン９とペアになって、低温溶融イオン塩を生成する。常温（およびそれより低い温度）溶融塩は、主に、−１の電荷を有する大きいアニオン９によってもたらされる。より一層低温で溶融する塩は、概して、容易に非局在化する電子を有するアニオン１１と共に実現される。イオン間の親和力を低下させるであろうもの（電荷の距離、非局在化）はすべて、その後、融点を低下させる。可能なアニオンの構成は実質的に無限であるが、これらの部分集合のみが低温イオン液体の用途において機能するだろう。これは、イオン液体に係る可能なアニオン生成の非限定的な概説である。
【０１３２】
表１に提示されるアニオン１１の使用に適した共通の置換基（α）として以下のものが挙げられる：−Ｆ−，−Ｃｌ−，−Ｂｒ−、−Ｉ−、−ＯＣＨ３−、−ＣＮ−、−ＳＣＮ−、−Ｃ２Ｈ３Ｏ２−、−ＣｌＯ−、−ＣｌＯ２−、−ＣｌＯ３−、−ＣｌＯ４−、−ＮＣＯ−、−ＮＣＳ−、−ＮＣＳｅ−、−ＮＣＮ−、−ＯＣＨ（ＣＨ３）２−、−ＣＨ２ＯＣＨ３−、−ＣＯＯＨ−、−ＯＨ−、−ＳＯＣＨ３−、−ＳＯ２ＣＨ３−、−ＳＯＣＨ３−、−ＳＯ２ＣＦ３−、−ＳＯ３Ｈ−、−ＳＯ３ＣＦ３−、−Ｏ（ＣＦ３）２Ｃ２（ＣＦ３）２Ｏ−、−ＣＦ３−、−ＣＨＦ２−、−ＣＨ２Ｆ−、−ＣＨ３−、−ＮＯ３−、−ＮＯ２−、−ＳＯ３−、−ＳＯ４＾２−、−ＳＦ５−，−ＣＢ１１Ｈ１２−、−ＣＢ１１Ｈ６Ｃｌ６−、−ＣＨ３ＣＢ１１Ｈ１１−、−Ｃ２Ｈ５ＣＢ１１Ｈ１１−、−Ａ−ＰＯ４−、−Ａ−ＳＯ２−、Ａ−ＳＯ３−、−Ａ−ＳＯ３Ｈ−、−Ａ−ＣＯＯ−、−Ａ−ＣＯ−。ここで、Ａは、フェニル基（フェニル基又はフェニル環は、化学式Ｃ６Ｈ５を有する原子の環状基である）又は置換されたフェニル基、アルキル（アルカンから水素原子を除去することで形成されて、一般式ＣｎＨ２ｎ＋１を有するラジカル）又は置換されたアルキル基、負の電荷を有するラジカルアルカン（アルカンは、水素原子及び炭素原子からのみなり、単結合のみによって結合される化合物である）、ハロゲン化されたアルカン、及びエーテル（２つのアルキル基又はアリール基に接続された酸素原子を含んでいる有機化合物のクラス）である。
【０１３３】
電解質６をもたらすイオン液体において用いるのに適したアニオン１１に関して、種々の有機アニオン１１を用いてよい。表１に、例示的なアニオン１１及びその構造を示す。第１の実施形態（Ｎｏ．１）において、例示的なアニオン１１は、上で提示した置換基（α）のリストまたはこれらの同等物から定式化される。追加の実施形態（Ｎｏ．２〜５）において、例示的なアニオン１１は、各塩基構造（Ｙ２、Ｙ３、Ｙ４、…Ｙｎ）と各多数のアニオン置換基（α１、α２、α３、…αｎ）とから定式化され、各多数のアニオン置換基（α）は、上で提示した置換基（α）のリストまたはこれらの同等物から選択されてよい。いくつかの実施形態において、複数のアニオン置換基（α）（即ち少なくとも１つの異なるアニオン置換基（α））を、アニオン１１の任意の一の実施形態において用いてよいことに留意されたい。また、いくつかの実施形態において、塩基構造（Ｙ）は単一の原子または（表１に記載の）指定された分子であり、またはその同等物であってよいことに留意されたい。
【０１３４】
より具体的に、また、例示として、表１に提示される例示的なアニオンに関して、所定の組み合わせが実現されてよい。一例として、Ｎｏ．２の場合、塩基構造（Ｙ２）は、２つのアニオン置換基（α２）に結合された単一の構造（例えば原子または分子）を含む。２つの同一のアニオン置換基（α２）を有するように示しているが、この通りである必要はない。即ち、塩基構造（Ｙ２）は、上で列挙したアニオン置換基（α）のいずれか等の様々なアニオン置換基（α２）に結合されてよい。同様に、塩基構造（Ｙ３）は、Ｎｏ．３の場合に示すように、３つのアニオン置換基（α３）に結合される単一構造（例えば原子）を含む。重ねて、アニオンに含まれるアニオン置換基（α）の各々は、種々様々であってよく、表１に示すように繰り返される（反復的または対称的である）必要はない。一般に、表１における表記に関連して、一の塩基構造における下付文字は、各塩基構造がアニオン置換基（α）と共に有してよい結合の個数を意味する。即ち、各塩基構造（Ｙｎ）における下付文字は、各アニオンにおける付随するアニオン置換基（αｎ）の個数を意味する。
【０１３５】
【表１】
2016521451.tif 000003
【０１３６】
１．改良型電解質系（ＡＥＳ）
【０１３７】
所定の実施形態において、ウルトラキャパシタ１０は、図３に示す電解質６として改良型電解質系（advanced electrolyte system：「ＡＥＳ」）を備える。本明細書に開示されたＡＥＳは、上述の電解質系の特性の多くを共有する。本明細書に開示されたＡＥＳは、既存のエネルギー貯蔵装置（例えば、本明細書に開示されたものではない電解質を含むエネルギー貯蔵装置、もしくは、不十分な純度を有する電解質を含むエネルギー貯蔵装置）に比較して、本明細書に開示されたウルトラキャパシタに特有且つ明確に区別できる利点を提供する。これらの利点は、性能及び耐久性特性の両方における改善を含み、たとえば、以下のものの１つ以上を含む：減少した合計抵抗、増大した抵抗の長期安定性（例えば、与えられた温度における所定時間にわたる材料の抵抗増加量の減少）、増大した合計容量、増加した容量の長期安定性（例えば、与えられた温度における所定時間にわたるウルトラキャパシタの容量低下量の減少）、増大したエネルギー密度（例えば、より高い電圧をサポートすることによる、及び／又は、より大きな容量をもたらすことによる）、増大した電圧安定性、減少した気圧、それぞれのキャパシタについての拡大した温度範囲性能（例えば、２つの温度間で遷移する場合、容量の有意な減少及び／又はＥＳＲの有意な増大が生じないこと、及び／又は、摂氏約＋３０度から摂氏約−４０度に遷移する場合、９０％を越える容量減少及び／又は１０００％を越えるＥＳＲ増大が生じないこと）、それぞれのキャパシタについての増大した温度耐性（例えば、与えられた時間後の与えられた温度において５０％未満の容量低下、与えられた時間後の与えられた温度において１００％未満のＥＳＲ増大、与えられた時間後の与えられた温度において１０Ａ／Ｌ未満の漏れ電流、４０％未満の容量減少及び／又は７５％未満のＥＳＲ増大、５Ａ／Ｌ未満の漏出電流、３０％未満の容量減少及び／又は５０％未満のＥＳＲ増大、及び／又は、１Ａ／Ｌ未満の漏出電流）、向上した製造容易性（例えば、減少した気圧を有し、従って、より良好な歩どまり、及び／又は、キャパシタを電解質で充填するより効率的な方法を有すること）、及び、改善された費用効果（例えば、他の材料ほど高価でない材料でボイド空間を充填することによる）。明確さのため、性能特性は、装置の所与の使用時であって、同様の所与の使用時における材料間の比較に適した使用時における装置の有用性に係る特性に関する。一方、耐久特性は、そのような特性を一定時間にわたって維持する能力に係る特性に関する。上記の性能及び耐久性の例は、本明細書で考慮される「性能もしくは耐久性における有意な変化」が何であるかについての文脈を提示するのに役立つはずである。
【０１３８】
ＡＥＳの特性は、容量の増大、等価直列抵抗（equivalent-series-resistance：ＥＳＲ）の減少、高い熱的安定性、低いガラス転位温度（Ｔｇ）、改善された粘性、特定のレオペクシー特性もしくはチキソトロピー特性（例えば、温度に依存するもの）、並びに、高い伝導性から選択された特性における改善の結果、及び／又は、広い温度範囲にわたって良好な電気性能を示すことであってもよい。例えば、ＡＥＳは、高い流動性を有していてもよく、もしくは対照的に、電極３（ａ）及び３（ｂ）の分離を保証する実質的に固体であってもよい。
【０１３９】
ＡＥＳは、高温ウルトラキャパシタで使用される本明細書に記載した新規な電解質と、高温ウルトラキャパシタで使用される高度に精製された電解質と、全温度にわたって性能もしくは耐久性の大きな低下なしに摂氏−４０度から摂氏２１０度までの温度範囲における使用に適した改良された電解質の組み合わせとを含む。
【０１４０】
ある特定の実施形態では、ＡＥＳは高温ウルトラキャパシタでの使用に適合する。ある実施形態では、ウルトラキャパシタは、摂氏約８０度から摂氏約２１０度までの温度範囲、例えば、摂氏約８０度から摂氏約１５０度までの温度範囲内の温度で動作するように構成されている。
【０１４１】
ある特定の実施形態において、ＡＥＳは、高度に精製された電解質を含む。例えば、高度に精製された電解質は、高温ウルトラキャパシタにおいて用いられるように適合されている。ある態様では、ウルトラキャパシタは、摂氏約８０度から摂氏約２１０度までの温度範囲内の温度で動作するように構成されている。
【０１４２】
ある特定の実施形態において、ＡＥＳは、改良された電解質の組み合わせを含む。例えば、当該改良された電解質の組み合わせは、高温及び低温のウルトラキャパシタの両方における使用に適合している。ある態様では、このウルトラキャパシタは、摂氏約−４０度から摂氏約１５０℃までの温度範囲内の温度において動作するように構成されている。
【０１４３】
このように、また上述したように、既知のエネルギー貯蔵装置の既存の電解質を超える利点は、次の１以上の改善点から選択される：減少した合計抵抗、増大した抵抗の長期安定性、増大した合計容量、増加した容量の長期安定性、増大したエネルギー密度、増大した電圧安定性、減少した気圧、それぞれのキャパシタについての拡大した温度範囲性能、それぞれのキャパシタについての増大した温度耐性、向上した製造容易性、及び改善された費用効果。
【０１４４】
ウルトラキャパシタのある実施形態において、エネルギー貯蔵セルは、正極及び負極を備える。
【０１４５】
ウルトラキャパシタのある実施形態において、電極のうちの少なくとも１つは、炭素を含むエネルギー貯蔵媒体を含む。例えば、炭素を含むエネルギー貯蔵媒体はカーボンナノチューブを含む。特定の実施形態において、炭素を含むエネルギー貯蔵媒体は、活性炭、カーボンファイバー、レーヨン、グラフェン、エアロゲル、カーボンクロス、及びカーボンナノチューブを含んでいてもよい。
【０１４６】
ウルトラキャパシタのある実施形態において、それぞれの電極は集電体を含む。
【０１４７】
ウルトラキャパシタのある実施形態において、ＡＥＳは、不純物含有量を減少させるように精製される。ある実施形態において、ＡＥＳにおけるハロゲン化物イオンの含有量は、約１０００ｐｐｍ未満、例えば、約５００ｐｐｍ未満、例えば、約１００ｐｐｍ未満、例えば、約５０ｐｐｍ未満である。ある特定の実施の形態において、ＡＥＳにおけるハロゲン化物イオンの含有量は、塩素、臭素、フッ素、及びヨウ素からなるグループから選択されたハロゲン化物イオンのうちの１つ以上から選択される。特定の実施形態において、ＡＥＳにおける不純物の合計濃度は、約１０００ｐｐｍ未満である。ある実施形態において、不純物は、ブロモエタン、クロロエタン、１−ブロモブタン、１−クロロブタン、１−メチルイミダゾール、エチルアセテート、及び塩化メチレンからなるグループのうちの１つ以上から選択される。
【０１４８】
ＡＥＳを備えるウルトラキャパシタの所定の実施形態において、ＡＥＳにおける金属種の合計濃度は、約１０００ｐｐｍ未満である。ある特定の実施形態において、当該金属種は、Ｃｄ、Ｃｏ、Ｃｒ、Ｃｕ、Ｆｅ、Ｋ、Ｌｉ、Ｍｏ、Ｎａ、Ｎｉ、Ｐｂ、及びＺｎからなるグループから選択された１以上の金属から選ばれる。他の特定の実施形態において、当該金属種は、Ｃｄ、Ｃｏ、Ｃｒ、Ｃｕ、Ｆｅ、Ｋ、Ｌｉ、Ｍｏ、Ｎａ、Ｎｉ、Ｐｂ、及びＺｎからなるグループから選択された１以上の金属合金から選ばれる。さらに別の特定の実施形態において、当該金属種は、Ｃｄ、Ｃｏ、Ｃｒ、Ｃｕ、Ｆｅ、Ｋ、Ｌｉ、Ｍｏ、Ｎａ、Ｎｉ、Ｐｂ、及びＺｎからなるグループから選択された１以上の金属酸化物から選ばれる。
【０１４９】
ＡＥＳを備えるウルトラキャパシタの所定の実施形態において、ＡＥＳにおける合計水分含有量は、約５００ｐｐｍ未満であり、例えば、約１００ｐｐｍ未満、例えば、約５０ｐｐｍ未満、例えば、約２０ｐｐｍである。
【０１５０】
ウルトラキャパシタの所定の実施形態において、体積当たりの漏れ電流は、当該温度範囲において、約１０アンペア／リットル未満である。
【０１５１】
ＡＥＳを備えるウルトラキャパシタの所定の実施形態において、体積当たりの漏れ電流は、約０ボルト〜約４ボルト、例えば約０ボルト〜約３ボルト、例えば約０ボルト〜約２ボルト、例えば約０ボルト〜約１ボルトの特定の電圧範囲にわたって、約１０アンペア／リットル未満である。
ウルトラキャパシタの所定の実施形態において、ハウジング内の水分レベルは、約１０００ｐｐｍ未満、例えば約５００ｐｐｍ未満、例えば約３５０ｐｐｍ未満である。
【０１５２】
ＡＥＳを備えるウルトラキャパシタの所定の実施形態において、当該ウルトラキャパシタの電極の水分含有量は、約１０００ｐｐｍ未満、例えば約５００ｐｐｍ未満、例えば約３５０ｐｐｍ未満である。
【０１５３】
ＡＥＳを備えるウルトラキャパシタの所定の実施形態において、当該ウルトラキャパシタのセパレータの水分含有量は、約１０００ｐｐｍ未満、例えば約５００ｐｐｍ未満、例えば約１６０ｐｐｍ未満である。
【０１５４】
ウルトラキャパシタの所定の実施形態において、塩化物含有量は、電極、電解質、及びセパレータからなるグループから選択された成分のうちの１つについて、約３００ｐｐｍ未満である。
【０１５５】
ＡＥＳを備えるウルトラキャパシタの所定の実施形態において、当該ウルトラキャパシタの体積当たりの漏れ電流（ｍＡ／ｃｃ）は、実質的に一定の温度に維持されている間、約１０ｍＡ／ｃｃ未満であり、例えば、実質的に一定の温度に維持されている間、約１ｍＡ／ｃｃ未満である。
【０１５６】
ＡＥＳを備えるウルトラキャパシタの所定の実施形態において、当該ウルトラキャパシタの体積当たりの漏れ電流は、実質的に一定の温度に維持されている間、約０．０００１ｍＡ／ｃｃより大きい。
【０１５７】
ＡＥＳを備えるウルトラキャパシタの所定の実施形態において、当該ウルトラキャパシタの体積当たりの容量は、約６Ｆ／ｃｃ〜約１ｍＦ／ｃｃ、約１０Ｆ／ｃｃ〜約５Ｆ／ｃｃ、もしくは、約５０Ｆ／ｃｃ〜約８Ｆ／ｃｃである。
【０１５８】
ＡＥＳを備えるウルトラキャパシタの所定の実施形態において、当該ウルトラキャパシタの体積当たりのＥＳＲは、約２０ｍΩ・ｃｃ〜２００ｍΩ・ｃｃ、約１５０ｍΩ・ｃｃ〜２Ω・ｃｃ、約１．５Ω・ｃｃ〜２００Ω・ｃｃ、約１５０Ω・ｃｃ〜２０００Ω・ｃｃである。
【０１５９】
ＡＥＳを備えるウルトラキャパシタの所定の実施形態において、当該ウルトラキャパシタは、実質的に一定の電圧及び動作温度に維持されている間、約９０パーセント未満の容量減少を示す。特定の実施形態において、ＡＥＳを備えるウルトラキャパシタは、少なくとも１時間、例えば少なくとも１０時間、例えば少なくとも５０時間、例えば少なくとも１００時間、例えば少なくとも２００時間、例えば少なくとも３００時間、例えば少なくとも４００時間、例えば少なくとも５００時間、例えば少なくとも１０００時間にわたって、実質的に一定の電圧及び動作温度に維持されている間、約９０パーセント未満の容量減少を示す。
【０１６０】
ＡＥＳを備えるウルトラキャパシタの所定の実施形態において、ウルトラキャパシタは、少なくとも１時間、例えば少なくとも１０時間、例えば少なくとも５０時間、例えば少なくとも１００時間、例えば少なくとも２００時間、例えば少なくとも３００時間、例えば少なくとも４００時間、例えば少なくとも５００時間、例えば少なくとも１０００時間にわたって、実質的に一定の電圧及び動作温度に維持されている間、約１０００パーセント未満のＥＳＲ増大を示す。
【０１６１】
ある実施形態では、ＡＥＳは、高温ウルトラキャパシタで使用される高度に精製された所定の電解質を備える。本明細書に開示されたＡＥＳを含む高度に精製された電解質は、以下に開示する電解質、並びに、本明細書において開示された精製プロセスにより精製された上述の新規な電解質である。本明細書で提示される精製方法は、例えば、摂氏約８０度から摂氏約２１０度まで、摂氏約８０度から摂氏約２００度まで、摂氏約８０度から摂氏約１９０度まで、摂氏約８０度から摂氏約１８０度まで、摂氏約８０度から摂氏約１７０度まで、摂氏約８０度から摂氏約１６０度まで、摂氏約８０度から摂氏約１５０度まで、摂氏約８５度から摂氏約１４５度まで、摂氏約９０度から摂氏約１４０度まで、摂氏約９５度から摂氏約１３５度まで、摂氏約１００度から摂氏約１３０度まで、摂氏約１０５度から摂氏約１２５度まで、又は摂氏約１１０度から摂氏約１２０度まで、の温度範囲で動作する高温ウルトラキャパシタのような高温用途で使用される、向上された特性を有するＡＥＳに適した不純物レベルをもたらす。
【０１６２】
ウルトラキャパシタ１０の改善された特性を得るとき、現在入手可能なものより良好な電解質系が必要となる。例えば、動作温度範囲を増大させることが、既知の所定形式の電解質から不純物を大幅に減少／除去することにより達成してもよいことが分かっている。特に懸念される不純物には、水、ハロゲン化物イオン（塩化物、臭化物、フッ化物、ヨウ化物）、自由アミン（アンモニア）、硫酸塩、及び金属カチオン（Ａｇ、Ａｌ、Ｂａ、Ｃａ、Ｃｄ、Ｃｏ、Ｃｒ、Ｃｕ、Ｆｅ、Ｋ、Ｌｉ、Ｍｇ、Ｍｎ、Ｍｏ、Ｎａ、Ｎｉ、Ｐｂ、Ｓｒ、Ｔｉ、Ｚｎ）が含まれる。したがって、本明細書に開示されたＡＥＳは、未精製の電解質に比較して、驚くほど優れた特性で精製されている、高度に精製された電解質製品を構成する。
【０１６３】
特定の実施形態において、本発明は、カチオン９及びアニオン１１及び（ある場合には）溶媒の精製された混合物を提供し、これは、約５０００ｐｐｍ未満の塩化物イオン、約１０００ｐｐｍ未満のフッ化物イオン、及び／又は約１０００ｐｐｍ未満の水を含むＡＥＳとして提供されてもよい。例えば、所定の実施形態において、ＡＥＳは、約２０００ｐｐｍ未満の塩化物イオン、約２００ｐｐｍ未満のフッ化物イオン、及び／又は約２００ｐｐｍ未満の水を含んでもよく、約１０００ｐｐｍ未満の塩化物イオン、約１００ｐｐｍ未満のフッ化物イオン、及び／又は約１００ｐｐｍ未満の水を含んでもよく、約５００ｐｐｍ未満の塩化物イオン、約５０ｐｐｍ未満のフッ化物イオン、及び／又は約５０ｐｐｍ未満の水を含んでもよく、又は、約７８０ｐｐｍ未満の塩化物イオン、約１１ｐｐｍ未満のフッ化物イオン、及び／又は約２０ｐｐｍ未満の水を含んでもよい。
【０１６４】
概して、精製された電解質における不純物は、本明細書において開示された精製方法を使用して除去される。例えば、いくつかの実施形態において、ハロゲン化物イオン（塩化物、臭化物、フッ化物、ヨウ化物）の合計濃度を約１０００ｐｐｍ未満まで低下させてもよい。金属種（例えば、Ｃｄ、Ｃｏ、Ｃｒ、Ｃｕ、Ｆｅ、Ｋ、Ｌｉ、Ｍｏ、Ｎａ、Ｎｉ、Ｐｂ、Ｚｎ、それらの合金及び酸化物の少なくとも一方を含む）の合計濃度を約１０００ｐｐｍ未満まで低下させてもよい。さらに、合成プロセスにおいて使用される溶媒及び前駆体からの不純物は、約１０００ｐｐｍ未満まで低下させてもよく、これには、例えば、ブロモエタン、クロロエタン、１−ブロモブタン、１−クロロブタン、１−メチルイミダゾール、酢酸エチル、塩化エチレン等が含まれる。
【０１６５】
いくつかの実施形態において、ウルトラキャパシタ１０の不純物含有量は、イオン選択電極及びカールフィッシャー滴定法を用いて測定され、これは、ウルトラキャパシタ１０の電解質６に適用されてきた。ある実施形態では、本明細書の教示によるウルトラキャパシタ１０内の合計塩化物含有量は、約２００ｐｐｍ未満の塩化物（Ｃｌ−及びＦ−）であり、水分含有量が約１００ｐｐｍ未満であることが分かった。
【０１６６】
様々な技術、例えば、原子吸光分析法（Atomic Absorption Spectrometry：ＡＡＳ）、誘導結合プラズマ質量分析法（Inductively Coupled Plasma-Mass Spectrometry：ＩＣＰＭＳ）、若しくは、微量重金属酸化物の粒子を可溶化して電気化学的にセンシングする簡略化された方法を用いて、不純物を測定してもよい。ＡＡＳは、ガス状態の自由原子による光放射（光）の吸収を用いる、化学元素の定量的かつ定性的決定のためのスペクトル分析法である。当該技術は、分析されるべきサンプルにおける特定の元素（被分析物）の濃度を決定するために使用される。ＡＡＳは、溶液において、もしくは固体サンプルにおいて直接に、７０個を越える異なる元素を決定するために使用可能である。ＩＣＰＭＳは、高い感度を有し、１０＾１２分の１（part per trillion）未満の濃度の金属及びいくつかの非金属の範囲を決定することができる質量分析法である。この技術は、イオンを生成する方法（イオン化）としての誘導結合プラズマ法（ＩＣＰ）を、イオンを分離して検出する方法としての質量分析法（ＭＳ）と組み合わせることに基づいている。ＩＣＰＭＳは、選択されたイオンについて、同位体特定をモニタリングすることもできる。
【０１６７】
不純物を分析するために、追加の技術を用いてもよい。これらの技術のいくつかは、固体サンプル中における不純物を分析するのに特に有利である。イオンクロマトグラフィー（Ion Chromatography：ＩＣ）は、電解質６（例えばイオン液体）におけるハロゲン化物不純物の微量元素レベルを決定するために使用してもよい。イオンクロマトグラフィーの一つの利点は、単一のクロマトグラフィー分析において、関連のあるハロゲン化物種を測定することができることである。イオン液体からのハロゲン化物を定量化するために使用されうる装置の一例は、２０ｍＭのＮａＯＨ及び１０％（ｖ／ｖ）のアセトニトリルからなる溶離剤を用いるディオネックス（Dionex）ＡＳ９−ＨＣカラムである。別の技術は、蛍光Ｘ線を用いるものである。
【０１６８】
固体サンプルにおけるハロゲン含有量を測定するため、蛍光Ｘ線分析（ＸＲＦ）装置を使用してもよい。この技術において、分析されるべきサンプルはサンプルカップに配置され、次いで、サンプルカップは分析装置に配置される。分析装置において、特定の波長のＸ線により照射される。サンプル中のすべてのハロゲン原子はＸ線の一部を吸収し、その後、所定のハロゲンに特有の波長において放射を反射する。当該装置中の検出器は、ハロゲン原子から戻る放射量を定量化し、放射の強度を測定する。さらされる表面面積がわかれば、サンプル中のハロゲンの濃度を決定することができる。固体のサンプルにおける不純物を評価するためのさらなる技術は、熱分解によるものである。
【０１６９】
不純物の吸収は、熱分解及びマイクロクーロメーターを使用することにより効率的に測定することができる。マイクロクーロメーターは、ほとんど全てのタイプの材料で合計塩素含有量をテストすることができる。一例として、少量（１０ミリグラム未満）のサンプルが、石英燃焼管に投入されるか又は配置される。石英燃焼管において、温度は、摂氏約６００度から摂氏約１０００度までの範囲にわたる。純酸素が石英管を通過し、すべての塩素含有成分が完全に燃焼される。結果として得られる燃焼生成物は滴定セルに移動され、滴定セルにおいて、塩素イオンは電解質に捕捉される。電解質は銀イオンを含む。銀イオンは、任意の塩素イオンとすぐに結合し、不溶性の塩化銀として溶液から析出される。滴定セルにおける銀電極は、銀イオン濃度が滴定を始める前の濃度に戻るまで、消費された銀イオンを電気的に置き換える。必要とされる銀の量を発生させるために必要な電流量を追跡することにより、当該装置は、当初のサンプルにどれだけの量の塩素が存在していたかを決定することができる。存在する合計塩素量をサンプルの重量で除算することにより、実際にサンプル中に存在する塩素濃度が得られる。不純物を評価する他の技術を使用してもよい。
【０１７０】
電極３における表面特性化及び水分含有量は、例えば、赤外線分光技術により試験されてもよい。約１１３０、１５６０、３２５０、及び２３００ｃｍ−１の付近における４つの大きな吸収帯は、それぞれ、カルボニルのνＣ＝Ｏ  、アリールのνＣ＝Ｃ、νＯ−Ｈ、及びνＣ−Ｎに相当する。強度及びピーク位置を測定することにより、電極３内の表面不純物を定量的に同定することが可能である。
【０１７１】
電解質６及びウルトラキャパシタ１０における不純物を同定するための他の技術は、ラマン分光法である。この分光技術は、通常は可視光、近赤外、もしくは近紫外のレーザからの、単色光の非弾性散乱もしくはラマン散乱に基づく。レーザ光は、当該系における分子振動、フォノン、もしくは他の励起と相互作用し、その結果、レーザフォトンのエネルギーが上下にシフトされる。このように、当該技術は、ウルトラキャパシタ１０内における原子及び分子を特性化するために使用してもよい。ラマン分光法の多数の変形物が使用され、ウルトラキャパシタ１０の内容を特性化する際において有益であることが証明される。
【０１７２】
ある特定の実施形態において、上記のカチオン及びアニオンの組み合わせを前提として、ＡＥＳは、トリヘキシルテトラデシルホスホニウムビス（トリフルオロメチルスルフォニル）イミド、１−ブチル−１−メチルピペリジニウムビス（トリフルオロメチルスルフォニル）イミド、及びブチルトリメチルアンモニウムビス（トリフルオロメチルスルフォニル）イミドからなるグループから選択されてもよい。所定時間にわたる容量及びＥＳＲの測定により実証される、所定温度範囲で向上した性能特性を支持するデータは、高温での有用性及び長期の耐久性を示す。
【０１７３】
ある実施形態において、ＡＥＳは、トリヘキシルテトラデシルホスホニウムビス（トリフルオロメチルスルフォニル）イミドである。
【０１７４】
ある実施形態において、ＡＥＳは、１−ブチル−１−メチルピペリジニウムビス（トリフルオロメチルスルフォニル）イミドである。
【０１７５】
ある実施形態において、ＡＥＳは、ブチルトリメチルアンモニウムビス（トリフルオロメチルスルフォニル）イミドである。
【０１７６】
もう一つの実施形態において、本明細書に開示されたＡＥＳは、イミダゾリウム及びピロリジニウムからなるグループから選択された、図４に示すカチオンの任意の組み合わせを含み、さまざまな各分岐基Ｒｘ（例えばＲ１、Ｒ２、Ｒ３、…Ｒｘ）は、アルキル、ヘテロアルキル、アルケニル、ヘテロアルケニル、アルキニル、ヘテロアルキニル、ハロ、アミノ、ニトロ、シアノ、ヒドロキシル、サルフェート、スルホナート、及びカルボニル基からなるグループから選択されてもよく、これらはいずれもオプションで置換され、少なくとも２つのＲｘはＨではなく（すなわち、Ｒ基の選択及び向きが図４に示すカチオン種を生成する）、アニオンは、テトラフルオロボラート、ビス（トリフルオロメチルスルフォニル）イミド、テトラシアノボラート、及びトリフルオロメタンスルホン酸からなるグループから選択される。ある特定の実施形態において、２つのＲｘは、Ｈではなく、アルキルである。さらに、記載されたカチオンは、高い熱的安定性並びに高い伝導性を示し、幅広い温度範囲にわたって良好な電気化学的特性を示す。
【０１７７】
ある特定の実施形態において、上述のカチオン及びアニオンの組み合わせを前提として、ＡＥＳは、１−ブチル−３−メチルイミダゾリウムテトラフルオロホウ酸塩、１−ブチル−３−メチルイミダゾリウムビス（トリフルオロメチルスルフォニル）イミド、１−エチル−３−メチルイミダゾリウムテトラフルオロホウ酸塩、１−エチル−３−メチルイミダゾリウムテトラシアノホウ酸塩、１−ヘキシル３−メチルイミダゾリウムテトラシアノホウ酸塩、１−ブチル−１−メチルピロリジニウムビス（トリフルオロメチルスルフォニル）イミド、１−ブチル−１−メチルピロリジニウムトリス（ペンタフルオロエチル）トリフルオロリン酸塩、１−ブチル−１−メチルピロリジニウムテトラシアノホウ酸塩、及び１−ブチル−３−メチルイミダゾリウムトリフルオロメタンスルホン酸からなるグループから選択されてもよい。
【０１７８】
ある実施形態において、ＡＥＳは、１−ブチル−３−メチルイミダゾリウムテトラフルオロホウ酸塩である。
【０１７９】
ある実施形態において、ＡＥＳは、１−ブチル−３−メチルイミダゾリウムビス（トリフルオロメチルスルフォニル）イミドである。
【０１８０】
ある実施形態において、ＡＥＳは、１−エチル−３−メチルイミダゾリウムテトラフルオロホウ酸塩である。
【０１８１】
ある実施形態において、ＡＥＳは、１−エチル−３−メチルイミダゾリウムテトラシアノホウ酸塩である。
【０１８２】
ある実施形態において、ＡＥＳは、１−ヘキシル３−メチルイミダゾリウムテトラシアノホウ酸塩である。
【０１８３】
ある実施形態において、ＡＥＳは、１−ブチル−１−メチルピロリジニウムビス（トリフルオロメチルスルフォニル）イミドである。
【０１８４】
ある実施形態において、ＡＥＳは、１−ブチル−１−メチルピロリジニウムトリス（ペンタフルオロエチル）トリフルオロリン酸塩である。
【０１８５】
ある実施形態において、ＡＥＳは、１−ブチル−１−メチルピロリジニウムテトラシアノホウ酸塩である。
【０１８６】
ある実施形態において、ＡＥＳは、１−ブチル−３−メチルイミダゾリウムトリフルオロメタンスルホン酸である。
【０１８７】
もう１つの特定の実施形態において、２つのＲｘのうちの一方は、Ｈではなく、アルキル、例えばメチルであり、他方は、アルコキシで置換されたアルキルである。さらに、当該分子において式（１）のＮ，Ｏアセタール骨格構造を有するカチオンが高い電気伝導性を有することと、これらのカチオンに含まれ、ピロリジン骨格及びＮ，Ｏアセタール基を有するアンモニウムカチオンが特に高い電気伝導性及び有機溶媒中の溶解度を有し、比較的に高い電圧をサポートする、ということが分かってきた。そのため、ある実施形態において、ＡＥＳは次式の塩を備える。
【０１８８】
【化１】
2016521451.tif 000004
【０１８９】
ここで、Ｒ１及びＲ２は、同じであっても異なっていてもよく、それぞれアルキルである。Ｘ−はアニオンである。一部の実施形態において、Ｒ１は、１〜４個の炭素原子を有する直鎖状もしくは分岐状アルキルである。Ｒ２はメチルもしくはエチルである。Ｘ−はシアノボラートを含むアニオン１１である。特定の実施形態において、Ｘ−は［Ｂ（ＣＮ）］４を含み、Ｒ２はメチル基又はエチル基の一方である。もう１つの特定の実施形態において、Ｒ１とＲ２の両方がメチルである。さらに、ある実施形態において、本明細書に開示されたＡＥＳに適したシアノボラートアニオン１１、Ｘ−には、［Ｂ（ＣＮ）４］−もしくは［ＢＦｎ（ＣＮ）４−ｎ］−が含まれる。ここで、ｎ＝０、１、２又は３である。
【０１９０】
ある実施形態ではテトラシアノボラートと結合されてもよい、化学式（１）のカチオンの例は、Ｎ−メチル−Ｎ−メトキシメチルピロリジニウム、Ｎ−エチル−Ｎ−メトキシメチルピロリジニウム、Ｎ−メトキシメチル−Ｎ−ｎ−プロピルピロリジニウム、Ｎ−メトキシメチル−Ｎ−イソプロピルピロリジニウム、Ｎ−ｎ−ブチル−Ｎ−メトキシメチルピロリジニウム、Ｎ−イソブチル−Ｎ−メトキシメチルピロリジニウム、Ｎ−ｔｅｒｔ−ブチル−Ｎ−メトキシメチルピロリジニウム、Ｎ−エトキシメチル−Ｎ−メチルピロリジニウム、Ｎ−エチル−Ｎ−エトキシメチルピロリジニウム（Ｎ−エトキシメチル−Ｎ−エチルピロリジニウム）、Ｎ−エトキシメチル−Ｎ−ｎ−プロピルピロリジニウム、Ｎ−エトキシメチル−Ｎ−イソプロピルピロリジニウム、Ｎ−ｎ−ブチル−Ｎ−エトキシメチルピロリジニウム、Ｎ−イソブチル−Ｎ−エトキシメチルピロリジニウム、及びＮ−ｔｅｒｔ−ブチル−Ｎ−エトキシメチルピロリジニウムである。他の例は、Ｎ−メチル−Ｎ−メトキシメチルピロリジニウム（Ｎ−メトキシメチル−Ｎ−メチルピロリジニウム）、Ｎ−エチル−Ｎ−メトキシメチルピロリジニウム、及びＮ−エトキシメチル−Ｎ−メチルピロリジニウムを含む。
【０１９１】
追加のアニオンと組み合わされる化学式（１）のカチオンの追加の例は、Ｎ−メチル−Ｎ−メトキシメチルピロリジニウムテトラシアノボラート、Ｎ−エチル−Ｎ−メトキシメチルピロリジニウムテトラシアノボラート、Ｎ−エトキシメチル−Ｎ−メチルピロリジニウムテトラシアノボラート、Ｎ−メチル−Ｎ−メトキシメチルピロリジニウムビストリフルオロメタンスルフォニルイミド、（Ｎ−メトキシメチル−Ｎ−メチルピロリジニウムビストリフルオロメタンスルフォニルイミド）、Ｎ−エチル−Ｎ−メトキシメチルピロリジニウムビストリフルオロメタンスルフォニルイミド、Ｎ−エトキシメチル−Ｎ−メチルピロリジニウムビストリフルオロメタンスルフォニルイミド、Ｎ−メチル−Ｎ−メトキシメチルピロリジニウムトリフルオロメタンスルフォレート、及び（Ｎ−メトキシメチル−Ｎ−メチルトリフルオロメタンスルフォレート）から選択してもよい。
【０１９２】
電解質として使用されるとき、第四級アンモニウム塩は、適切な有機溶媒と混合して使用してもよい。有用な溶媒には、環状炭酸エステル、直鎖状炭酸エステル、リン酸エステル、環状エーテル、直鎖状エーテル、ラクトン化合物、直鎖状エステル、ニトリル化合物、アミド化合物、及びスルホン化合物が含まれる。そのような化合物の例が、以下に示されている。しかしながら、使用されるべき溶媒は、これらの化合物に限定されない。
【０１９３】
環状炭酸エステルの例は、炭酸エチレン、炭酸プロピレン、炭酸ブチレン等であり、これらの中で炭酸プロピレンが好ましい。
【０１９４】
直鎖状炭酸エステルの例は、炭酸ジメチル、炭酸エチルメチル、炭酸ジエチル等であり、これらの中で炭酸ジメチル及び炭酸エチルメチルが好ましい。
【０１９５】
リン酸エステルの例は、リン酸トリメチル、リン酸トリエチル、リン酸エチルジメチル、リン酸ジエチルメチル等である。環状エーテルの例は、テトラヒドロフラン、２−メチルテトラヒドロフランなどである。直鎖状エーテルの例は、ジメトキシエタンなどである。ラクトン化合物の例は、γ−ブチロラクトン等である。直鎖状エステルの例は、プロピオン酸メチル、酢酸メチル、酢酸エチル、蟻酸メチル等である。ニトリル化合物の例は、アセトニトリル等である。アミド合成物の例は、ジメチルホルムアミドなどである。スルホン化合物の例は、スルホラン、メチルスルホラン等である。いくつかの実施形態において、環状炭酸エステル、直鎖状炭酸エステル、ニトリル化合物、及びスルホン化合物は、特に好ましい。
【０１９６】
これらの溶媒は、単一で使用してもよいし、もしくは、少なくとも２種の溶媒を混合して使用してもよい。好ましい有機溶媒混合物の例は、環状炭酸エステル及び直鎖状炭酸エステルの混合物、例えば、炭酸エチレンと炭酸ジメチルとの混合物、炭酸エチレンと炭酸エチルメチルとの混合物、炭酸エチレンと炭酸ジエチルとの混合物、炭酸プロピレンと炭酸ジメチルとの混合物、炭酸プロピレンと炭酸エチルメチルとの混合物、及び、炭酸プロピレンと炭酸ジエチルとの混合物、直鎖状炭酸エステルの混合物、例えば、炭酸ジメチルと炭酸エチルメチルとの混合物、並びに、スルホラン化合物の混合物、例えば、スルホランとメチルスルホランとの混合物である。さらに好ましくは、炭酸エチレンと炭酸エチルメチルとの混合物、炭酸プロピレンと炭酸エチルメチルとの混合物、並びに、炭酸ジメチルと炭酸エチルメチルとの混合物である。
【０１９７】
いくつかの実施形態において、本発明の第四級アンモニウム塩が電解質として使用されるとき、電解質濃度は少なくとも０．１Ｍであり、一部の場合には少なくとも０．５Ｍであり、少なくとも１Ｍであってもよい。仮に濃度が０．１Ｍ未満である場合、低電気伝導性が得られ、低下した性能を有する電気化学装置をもたらす。電解質が室温で液体の塩である場合、濃度の上限値は分離濃度である。溶液が分離しないとき、リミットの濃度は１００％である。塩が室温で固体である場合、リミットの濃度は、溶液に塩が飽和する濃度である。
【０１９８】
ある実施形態では、組み合わせることが、ＡＥＳを利用することによる利点に有意な悪影響を与えない限り、例えば、性能もしくは耐久特性を１０％より大きく変えない限り、ＡＥＳに、本明細書において開示されたもの以外の電解質を混合してもよい。ＡＥＳと混合されるのに適している可能性がある電解質の例は、アルカリ金属塩、第四級アンモニウム塩、第四級ホスホニウム塩等である。これらの電解質は、単一で使用されてもよく、それらの少なくとも２種が組み合わされて使用され、本明細書に開示されたＡＥＳと混合される。有用なアルカリ金属塩には、リチウム塩、ナトリウム塩、及びカリウム塩が含まれる。そのようなリチウム塩の例は、六フッ化リン酸リチウム、ホウフッ化リチウム、過塩素酸リチウム、トリフルオロメタンスルホン酸リチウム、スルホニルイミドリチウム、スルホニルメチドリチウム等であるが、しかしながら、これらに限定されることはない。有用なナトリウム塩の例は、六フッ化リン酸ナトリウム、ホウフッ化ナトリウム、過塩素酸ナトリウム、トリフルオロメタンスルホン酸ナトリウム、スルホニルイミドナトリウム、スルホニルメチドナトリウム等である。有用なカリウム塩の例は、六フッ化リン酸カリウム、ホウフッ化カリウム、過塩素酸カリウム、トリフルオロメタンスルホン酸カリウム、スルホニルイミドカリウム、スルホニルメチドカリウム等である。しかしながら、これらは限定されるものではない。
【０１９９】
上述の組み合わせ（すなわち、ＡＥＳの利用により達成される利点に有意な影響を与えない）において使用されうる有用な第四級アンモニウム塩には、テトラアルキルアンモニウム塩、イミダゾリウム塩、ピラゾリウム塩、ピリジニウム塩、トリアゾリウム塩、ピリダジニウム塩等が含まれるが、しかしながら、これらに限定されることはない。有用なテトラアルキルアンモニウム塩の例は、テトラエチルアンモニウムテトラシアノホウ酸塩、テトラメチルアンモニウムテトラシアノホウ酸塩、テトラプロピルアンモニウムテトラシアノホウ酸塩、テトラブチルアンモニウムテトラシアノホウ酸塩、トリエチルメチルアンモニウムテトラシアノホウ酸塩,トリメチルエチルアンモニウムテトラシアノホウ酸塩、ジメチルジエチルアンモニウムテトラシアノホウ酸塩、トリメチルプロピルアンモニウムテトラシアノホウ酸塩、トリメチルブチルアンモニウムテトラシアノホウ酸塩、ジメチルエチルプロピルアンモニウムテトラシアノホウ酸塩、メチルエチルプロピルブチルアンモニウムテトラシアノホウ酸塩、Ｎ，Ｎ−ジメチルピロリジニウムテトラシアノホウ酸塩、Ｎ−エチル−Ｎ−メチルピロリジニウムテトラシアノホウ酸塩、Ｎ−メチル−Ｎ−プロピルピロリジニウムテトラシアノホウ酸塩、Ｎ−エチル−Ｎ−プロピルピロリジニウムテトラシアノホウ酸塩、Ｎ，Ｎ−ジメチルピペリジニウムテトラシアノホウ酸塩、Ｎ−メチル−Ｎ−エチルピペリジニウムテトラシアノホウ酸塩、Ｎ−メチル−Ｎ−プロピルピペリジニウムテトラシアノホウ酸塩、Ｎ−エチル−Ｎ−プロピルピペリジニウムテトラシアノホウ酸塩、Ｎ，Ｎ−ジメチルテトラシアノホウ酸塩、Ｎ−メチル−Ｎ−エチルモルホリニウムテトラシアノホウ酸塩、Ｎ−メチル−Ｎ−プロピルモルホリニウムテトラシアノホウ酸塩、Ｎ−エチル−Ｎ−プロピルモルホリニウムテトラシアノホウ酸塩などであるが、これらの例に限定するものではない。
【０２００】
上述の組み合わせ（すなわちＡＥＳの利用により達成される利点に有意な影響を与えない）において使用されうるイミダゾリウム塩の例には、１，３−ジメチルイミダゾリウムテトラシアノホウ酸塩、１−エチル−３−メチルイミダゾリウムテトラシアノホウ酸塩、１，３−ジエチルイミダゾリウムテトラシアノホウ酸塩、１，２−ジメチル−３−エチルイミダゾリウムテトラシアノホウ酸塩、及び１，２−ジメチル−３−プロピルイミダゾリウムテトラシアノホウ酸塩が含まれるが、これらに限定されることはない。ピラゾリウム塩の例は、１，２−ジメチルピラゾリウムテトラシアノホウ酸塩、１−メチル−２−エチルピラゾリウムテトラシアノホウ酸塩、１−プロピル−２−メチルピラゾリウムテトラシアノホウ酸塩、及び１−メチル−２−ブチルピラゾリウムテトラシアノホウ酸塩であるが、これらに限定されることはない。ピリジニウム塩の例は、Ｎ−メチルピリジニウムテトラシアノホウ酸塩、Ｎ−エチルピリジニウムテトラシアノホウ酸塩、Ｎ−プロピルピリジニウムテトラシアノホウ酸塩、及びＮ−ブチルピリジニウムテトラシアノホウ酸塩であるが、これらに限定されることはない。トリアゾリウム塩の例は、１−メチルトリアゾリウムテトラシアノホウ酸塩、１−エチルトリアゾリウムテトラシアノホウ酸塩、１−プロピルトリアゾリウムテトラシアノホウ酸塩、及び１−ブチルトリアゾリウムテトラシアノホウ酸塩であるが、これらに限定されることはない。ピリダジニウム塩の例は、１−メチルピリダジニウムテトラシアノホウ酸塩、１−エチルピリダジニウムテトラシアノホウ酸塩、１−プロピルピリダジニウムテトラシアノホウ酸塩、及び１−ブチルピリダジニウムテトラシアノホウ酸塩であるが、これらに限定されることはない。第四級ホスホニウム塩の例は、テトラエチルホスホニウムテトラシアノホウ酸塩、テトラメチルホスホニウムテトラシアノホウ酸塩、テトラプロピルホスホニウムテトラシアノホウ酸塩、テトラブチルホスホニウムテトラシアノホウ酸塩、トリエチルメチルホスホニウムテトラフルオロホウ酸塩、トリメチルエチルホスホニウムテトラシアノホウ酸塩、ジメチルジエチルホスホニウムテトラシアノホウ酸塩、トリメチルプロピルホスホニウムテトラシアノホウ酸塩、トリメチルブチルホスホニウムテトラシアノホウ酸塩、ジメチルエチルプロピルホスホニウムテトラシアノホウ酸塩、メチルエチルプロピルブチルホスホニウムテトラシアノホウ酸塩であるが、これらに限定されることはない。
【０２０１】
本明細書に開示されたＡＥＳは、所定の実施形態では、性能又は耐久性の有意な低下なしで、摂氏−４０度から摂氏２１０度まで、例えば、摂氏−４０度から摂氏１５０度まで、例えば、摂氏−３０度から摂氏１５０度まで、例えば、摂氏−３０度から摂氏１４０度まで、例えば、摂氏−２０度から摂氏１４０度まで、例えば、摂氏−２０度から摂氏１３０度まで、例えば、摂氏−１０度から摂氏１３０度まで、例えば、摂氏−１０度から摂氏１２０度まで、例えば、摂氏０度から摂氏１２０度まで、例えば、摂氏０度から摂氏１１０度まで、例えば、摂氏０度から摂氏１００度まで、例えば、摂氏０度から摂氏９０度まで、例えば、摂氏０度から摂氏８０度まで、例えば、摂氏０度から摂氏７０度までの温度範囲での使用に適した電解質の所定の組み合わせを備えてもよい。
【０２０２】
概して、与えられた温度におけるより高い耐久性は、より低い温度におけるより高い電圧安定性と同時に得られる。従って、電解質の組み合わせを含む高温ＡＥＳの開発は、概して、高電圧ただし低温のＡＥＳを同時に開発することになる。したがって、本明細書で説明した電解質の組み合わせは、より高い電圧、したがってより高いエネルギー密度において、ただしより低い温度でも有用である可能性がある。
【０２０３】
ある実施形態では、本明細書で開示した電解質の組み合わせは、第２のイオン液体に混合されるイオン液体と、有機溶媒に混合されるイオン液体と、第２のイオン液体及び有機溶媒に混合されるイオン液体とからなるグループから選択された新規な電解質の混合物を含むエネルギー貯蔵セル、例えばウルトラキャパシタにおける使用に適している。ここで、各イオン液体は、次のカチオン及びアニオンの任意の組み合わせの塩から選択される。カチオンは、１−ブチル−３−メチルイミダゾリウム、１−エチル−３−メチルイミダゾリウム、１−ヘキシル３−メチルイミダゾリウム、１−ブチル−１−メチルピペリジニウム、ブチルトリメチルアンモニウム、１−ブチル−１−メチルピロリジニウム、トリヘキシルテトラデシルホスホニウム、及び１−ブチル−３−メチルイミダゾリウムからなるグループから選択され、アニオンは、テトラフルオロボラート、ビス（トリフルオロメチルスルフォニル）イミド、テトラシアノボラート、及びトリフルオロメタンスルホナートからなるグループから選択される。有機溶媒は、直鎖状スルホン（例えば、エチルイソプロピルスルホン、エチルイソブチルスルホン、エチルメチルスルホン、メチルイソプロピルスルホン、イソプロピルイソブチルスルホン、イソプロピル  ｓ−ブチルスルホン、ブチルイソブチルスルホン、及びジメチルスルホン）、直鎖状炭酸塩（例えば、炭酸エチレン、炭酸プロピレン、及び炭酸ジメチル）、及びアセトニトリルからなるグループから選択される。
【０２０４】
例えば、上述のカチオン及びアニオンの組み合わせを前提とすると、各イオン液体は、１−ブチル−３−メチルイミダゾリウムテトラフルオロホウ酸塩；１−ブチル−３−メチルイミダゾリウムビス（トリフルオロメチルスルフォニル）イミド；１−エチル−３−メチルイミダゾリウムテトラフルオロホウ酸塩；１−エチル−３−メチルイミダゾリウムテトラシアノホウ酸塩；１−ヘキシル３−メチルイミダゾリウムテトラシアノホウ酸塩；１−ブチル−１−メチルピロリジニウムビス（トリフルオロメチルスルフォニル）イミド；１−ブチル−１−メチルピロリジニウムトリス（ペンタフルオロエチル）トリフルオロリン酸塩；１−ブチル−１−メチルピロリジニウムテトラシアノホウ酸塩；トリヘキシルテトラデシルホスホニウムビス（トリフルオロメチルスルフォニル）イミド、１−ブチル−１−メチルピペリジニウムビス（トリフルオロメチルスルフォニル）イミド、ブチルトリメチルアンモニウムビス（トリフルオロメチルスルフォニル）イミド、及び１−ブチル−３−メチルイミダゾリウムトリフルオロメタンスルホン酸からなるグループから選択されてもよい。
【０２０５】
ある実施形態では、イオン液体は、１−ブチル−３−メチルイミダゾリウムテトラフルオロホウ酸塩である。
【０２０６】
ある実施形態では、イオン液体は、１−ブチル−３−メチルイミダゾリウムビス（トリフルオロメチルスルフォニル）イミドである。
【０２０７】
ある実施形態では、イオン液体は、１−エチル−３−メチルイミダゾリウムテトラフルオロホウ酸塩である。
【０２０８】
ある実施形態では、イオン液体は、１−エチル−３−メチルイミダゾリウムテトラシアノホウ酸塩である。
【０２０９】
ある実施形態では、イオン液体は、１−ヘキシル３−メチルイミダゾリウムテトラシアノホウ酸塩である。
【０２１０】
ある実施形態では、イオン液体は、１−ブチル−１−メチルピロリジニウムビス（トリフルオロメチルスルフォニル）イミドである。
【０２１１】
ある実施形態では、イオン液体は、１−ブチル−１−メチルピロリジニウムトリス（ペンタフルオロエチル）トリフルオロリン酸塩である。
【０２１２】
ある実施形態では、イオン液体は、１−ブチル−１−メチルピロリジニウムテトラシアノホウ酸塩である。
【０２１３】
ある実施形態では、イオン液体は、トリヘキシルテトラデシルホスホニウムビス（トリフルオロメチルスルフォニル）イミドである。
【０２１４】
ある態様では、イオン液体は、１−ブチル−１−メチルピペリジニウムビス（トリフルオロメチルスルフォニル）イミドである。
【０２１５】
ある態様では、イオン液体は、ブチルトリメチルアンモニウムビス（トリフルオロメチルスルフォニル）イミドである。
【０２１６】
ある態様では、イオン液体は、１−ブチル−３−メチルイミダゾリウムトリフルオロメタンスルホン酸である。
【０２１７】
ある実施形態では、有機溶媒は、エチルイソプロピルスルホン、エチルイソブチルスルホン、エチルメチルスルホン、メチルイソプロピルスルホン、イソプロピルイソブチルスルホン、イソプロピル  ｓ−ブチルスルホン、ブチルイソブチルスルホン、若しくはビメチルスルホン、直鎖状スルホンから選択される。
【０２１８】
ある実施形態では、有機溶媒は、炭酸ポリプロピレン、炭酸プロピレン、炭酸ジメチル、炭酸エチレンから選択される。
【０２１９】
ある実施形態では、有機溶媒はアセトニトリルである。
【０２２０】
ある実施形態では、ＡＥＳは、有機溶媒を有するイオン液体であり、当該有機溶媒は、当該組成物の５５体積％〜９０体積％、例えば３７．５体積％である。
【０２２１】
ある実施形態では、ＡＥＳは、第２のイオン液体を有するイオン液体であり、一方のイオン液体は、当該組成物の５体積％〜９０体積％、例えば６０体積％である。
【０２２２】
本明細書に開示されたＡＥＳ（例えば、本明細書に提示した特有の組み合わせを有する）は、それぞれのキャパシタについての拡大した温度範囲性能（例えば、２つの温度間で遷移する場合、容量の有意な減少及び／又はＥＳＲの有意な増大が生じないこと、例えば、摂氏約＋３０度から摂氏約−４０度に遷移する場合、９０％を越える容量減少及び／又は１０００％を越えるＥＳＲ増大が生じないこと）と、それぞれのキャパシタについての増大した温度耐性（例えば、与えられた時間後の与えられた温度において５０％未満の容量低下、及び／又は与えられた時間後の与えられた温度において１００％未満のＥＳＲ増大、及び／又は与えられた時間後の与えられた温度において１０Ａ／Ｌ未満の漏れ電流、例えば、４０％未満の容量減少及び／又は７５％未満のＥＳＲ増大、及び／又は５Ａ／Ｌ未満の漏出電流、例えば３０％未満の容量減少及び／又は５０％未満のＥＳＲ増大、及び／又は１Ａ／Ｌ未満の漏出電流）とを可能にする。
【０２２３】
理論により拘泥されることを望まないが、上述の組み合わせは、摂氏−４０度未満の温度まで性能及び耐久性基準内で動作するウルトラキャパシタを提供するために、ＡＥＳの凝固点に影響を与える改良された共晶特性を示す。
【０２２４】
所定の実施形態において、ＡＥＳによって提供される優れた特性は、本明細書に開示した電解質を、本明細書に開示されたウルトラキャパシタにそれらを組み込む前に精製することで達成することができる。そのような精製は、当該技術分野において認められている技術もしくは本明細書において提供される技術を用いて実施可能である。この精製は、本明細書で説明したＡＥＳの特性をさらに改善する可能性がある。
【０２２５】
ある実施形態では、ＡＥＳは、混入物質を除去するために、また、本明細書において記載された所望の向上された性能特性を提供するために精製される。例えば、本開示は、ＡＥＳを精製する方法を提供し、上記方法は、ＡＥＳに水を混合して第１の混合物を提供するステップと、上記第１の混合物を分離するステップと、上記第１の混合物から上記ＡＥＳを収集するステップと、上記収集された液体に溶媒を加えて第２の混合物を提供するステップと、上記第２の混合物に炭素を混合して第３の混合物を提供するステップと、上記第３の混合物から上記ＡＥＳを分離して、精製されたＡＥＳを取得するステップとを含む。概して、本プロセスは、電解質を選択し、制御された条件下、脱イオン化水及び活性炭素を加えることを要求する。この脱イオン化水並びに活性炭素は後で除去され、それにより、実質的に精製された電解質がもたらされる。精製された電解質は、とりわけ、ウルトラキャパシタにおける使用に適している。
【０２２６】
この方法は、ＡＥＳの高い清浄度を保証するために使用されてもよい。本プロセスは、特定のパラメータ（量、定式化、時間等）の観点で提示されているが、この提示は、電解質を精製するためのプロセスの単なる例示及び説明であって、それを制限するものではない。
【０２２７】
例えば、本発明は、さらに、次のステップもしくは特徴のうちの１つ以上を含んでいてもよい。本発明は、第１の混合物を加熱するステップを含む。分離することは、水及びＡＥＳが実質的に分離されるまで、第１の混合物を乱されない状態に保たせることを含む。溶媒を加えることには、ジエチルエーテル、ペントン、シクロペントン、ヘキサン、シクロヘキサン、ベンゼン、トルエン、１−４ジオキサン、及びクロロホルムの少なくとも一種を加えることを含む。炭素を混合することには、炭素粉末を混合することが含まれる。炭素を混合することには、第３の混合物を実質的に一定に撹拌することが含まれる。ＡＥＳを分離することには、第３の混合物から炭素を濾過すること、及び、第３の混合物から溶媒を蒸発させることの少なくとも一方を含む。
【０２２８】
電解質を精製するためのプロセスの第１のステップにおいて、電解質６（いくつかの実施形態においては、イオン液体）は、脱イオン化水と混合され、その後、いくらかの期間、中程度の温度まで昇温される。概念実証において、５０ｃｃのイオン液体は８５０ｃｃの脱イオン化水と混合された。混合物は、約１２時間、摂氏６０度の一定温度まで昇温され、一定（毎分１２０回転（ｒｐｍ））の撹拌に供した。
【０２２９】
第２のステップにおいて、イオン液体と脱イオン化水との混合物は、分離が可能にされる。この例において、混合物は漏斗を介して移され、約４時間置かれた。
【０２３０】
第３のステップにおいて、イオン液体を収集する。この例において、下部に混合物の水の相が存在し、上部にイオン液体の相が存在する。イオン液体の相は、他のビーカーに移される。
【０２３１】
第４のステップにおいて、溶媒をイオン液体と混合した。この例において、容積約２５ｃｃの酢酸エチルはイオン液体と混合された。この混合物は、再度、中程度の温度まで昇温され、ある程度の時間にわたって撹拌された。
【０２３２】
溶媒としてエチルアセテートを使用しているけれども、溶媒は、ジエチルエーテル、ペントン、シクロペントン、ヘキサン、シクロヘキサン、ベンゼン、トルエン、１−４ジオキサン、クロロホルムもしくはそれらの任意の組み合わせ、並びに、適切な性能特性を示す他の１つ又は複数の材料のうちの少なくとも１つであってもよい。所望の性能特性の一部には、非極性の溶媒、並びに、高い揮発性のものが含まれる。
【０２３３】
第５のステップにおいて、イオン液体と溶媒との混合物に炭素粉末を加える。この例において、この混合物に、約２０質量％（ｗｔ％）の（約０．４５μｍの直径の）炭素を加えた。
【０２３４】
第６のステップにおいて、イオン液体を再度混合した。この例において、炭素粉体を含む混合物を、約７０℃で一晩、一定の撹拌（例えば１２０ｒｐｍ）に供した。
【０２３５】
第７のステップにおいて、炭素とエチルアセテートとをイオン液体から分離した。この例において、炭素は、ガラスマイクロファイバーフィルターによるブフナー濾過を用いて分離した。多段濾過（３段）を実行した。炭素粒子の実質的にすべてを除去するため、収集されたイオン液体を、その後、０．２μｍシリンジフィルタに通過させた。この例において、その後、回転蒸発を採用することにより、溶媒をイオン液体から分離した。具体的には、イオン液体のサンプルは、温度を摂氏７０度から摂氏８０度まで増加させながら撹拌され、摂氏１００度において終了した。蒸発は、それぞれの温度において、約１５分間にわたって実行された。
【０２３６】
電解質を精製するプロセスは、非常に効果的であることが証明された。サンプルのイオン液体について、水分含有量は、米国オハイオ州コロンバスのメトラー−トレドインコーポレイテッド（Mettler-Toledo Inc.）により提供される滴定装置（モデルナンバー：ＡＱＣ２２）を用いた滴定により測定された。ハロゲン化物含有量は、米国ロードアイランド州ウッドソケットのハンナインｓツルメンツ（Hanna Instruments）により提供されるＩＳＥ装置（モデルナンバー：ＡＱＣ２２）により測定した。ＩＳＥ装置のための標準的な溶液は、ハンナから得られ、ＨＩ４００７−０３（１０００ｐｐｍ塩化物標準）、ＨＩ４０１０−０３（１０００ｐｐｍフッ化物標準）、ＨＩ４０００−００（ハロゲン化物電極のＩＳＡ）、及びＨＩ４０１０−００（フッ化電極のみのＴＩＳＡＢ溶液）が含まれていた。測定を実行する前において、ＩＳＥ装置は、０．１、１０、１００、及び１，０００ｐｐｍの標準を用いて、標準溶液で較正され、脱イオン水と混合された。ＩＳＡバッファは、Ｃｌ−イオンの測定のために、１：５０比で標準に追加された。
結果を表２に示す。
【０２３７】
【表２】
2016521451.tif 000005
【０２３８】
ハロゲン化物イオンを測定するために、４ステップのプロセスが使用された。まず、塩化物（ｃｌ−）及びフッ化物（Ｆ−）イオンは、脱イオン化水において測定された。次に、０．０１Ｍのイオン液体溶液を脱イオン化水で調製した。続いて、塩化物（ｃｌ−）及びフッ化物（Ｆ−）イオンが溶液において測定された。その後、当該溶液中のイオンの量から水中のイオンの量を差し引くことにより、ハロゲン化物含有量の評価値が決定された。
【０２３９】
また、漏れ電流の分析により、電解質の汚染成分に関して精製標準が試験された。同様の構造を有するウルトラキャパシタ１０における精製された電解質の漏れ電流は、初期漏れ電流では実質的に減少し、測定期間の後の部分では漏れ電流が緩やかに減少する。表３に、各実施形態の構成についてのより多くの情報が与えられている。
【０２４０】
【表３】
2016521451.tif 000006
【０２４１】
ウルトラキャパシタ１０の抵抗及び容量の安定性の改善を含む他の利点も達成される。
【０２４２】
漏れ電流は、多数の方法で決定可能である。定性的には、漏れ電流は、一旦装置が平衡状態に達したとき、当該装置内に流れ込む電流であると考えられる。実際、概して漸近的に近づくだけの可能性がある平衡状態として、実際の漏れ電流を概算することが、常にもしくは殆ど常に必要である。そのため、所定の測定における漏れ電流は、ウルトラキャパシタ１０を比較的長い時間期間にわたって実質的に固定された電圧に保持し、かつ、実質的に固定された周囲の温度にさらしている間、ウルトラキャパシタ１０に流れ込む電流を測定することにより概算することができる。いくつかの例において、比較的長い時間期間は、電流時間関数を指数関数で近似し、その後、いくつか（例えば約３〜５個）の特性時定数をわたすことにより決定してもよい。通常、そのような期間は、多くのウルトラキャパシタ技術について、約５０時間から約１００時間におよぶ。別の態様では、このような長い時間期間が何らかの理由で実用的でない場合、再度、ことによると、電流時間関数を指数関数、もしくは適当と認められる任意の近似関数で近似することにより、漏れ電流は単に外挿されてもよい。とりわけ、漏れ電流は、概して、周囲の温度に依存するであろう。ある温度において、もしくはある温度範囲において装置の性能を特徴づけるため、概して、漏れ電流を測定する際に関心対象の周囲温度に装置をさらすことが重要である。
【０２４３】
特定の温度において体積当たりの漏れ電流を減少させるための１つのアプローチは、その温度における動作電圧を低下させることである。特定の温度において体積当たりの漏れ電流を減少させるための他のアプローチは、ウルトラキャパシタのボイド体積を増加させることである。また、漏れ電流を減少させるためのさらに別のアプローチは、電極３においてエネルギー貯蔵媒体１の負荷を減少させることである。
【０２４４】
電解質及びイオン液体の精製のための実施形態の態様を開示したが、様々な態様を実現してもよいことは認識されるべきである。さらに、様々な技術を実施してもよい。例えば、ステップは、ステップの順番等について調整されてもよい。
【０２４５】
ｉｉ．電極
【０２４６】
再び図３を参照すると、ウルトラキャパシタ１０は、少なくとも一対の電極３（ここで、各電極３は、単に本明細書での参照を目的として、負極３（ａ）又は正極３（ｂ）として呼ばれることがある）を備える貯蔵セル１２を備える。ウルトラキャパシタ１０に組み込まれ、かつ、貯蔵セル１２にわたって電位Ｖが印加されたとき、各電極３は、電解質界面において電荷二重層をもたらす。一部の実施形態において、複数の電極３が含まれる。例えば、一部の実施形態において、ウルトラキャパシタは２対以上の電極３（ａ）及び３（ｂ）を備える。しかしながら、議論の目的のために、ただ一対の電極３（ａ）及び３（ｂ）を示す。本明細書では慣行として、エネルギー貯蔵を行うために、電極３の少なくとも一方が、炭素に基づくエネルギー貯蔵媒体（本明細書においてさらに議論されている）を使用する。しかしながら、本明細書における議論のため、概して、各電極は炭素に基づくエネルギー貯蔵媒体１を含むことを想定する。
【０２４７】
１．集電体
【０２４８】
各電極３は各集電体２（「current collector」又は「charge collector」）を含む。いくつかの実施形態において、炭素に基づくエネルギー貯蔵媒体１は、一方もしくは両方の電極３に含まれなくてもよい。換言すれば、いくつかの実施形態において、各電極３は、集電体２のみからなっていてもよい。集電体２を提供するために使用される材料は、その表面領域を増加させるために、粗面化、陽極酸化等の処理が行われてもよい。これらの実施形態において、集電体２のみが電極３として機能してもよい。しかしながら、これを考慮に入れ、本明細書において使用されているように、用語「電極３」は、概して、エネルギー貯蔵媒体と集電体２との組み合わせを意味する（しかしながら、少なくとも前述の理由により、これに限定しない）。集電体は、アルミニウム、銅、又は他の導体金属及び合金のような、当該技術において既知の任意の導体材料も含んでもよい。
【０２４９】
２．エネルギー貯蔵媒体
【０２５０】
例示的なウルトラキャパシタ１０において、エネルギー貯蔵媒体１は、カーボンナノチューブから構成される。エネルギー貯蔵媒体１は、例えば、活性炭、カーボンファイバー、レーヨン、グラフェン、エアロゲル、カーボンクロス、及び複数の形態のカーボンナノチューブを含む、他の炭素材料を含んでいてもよい。活性炭電極は、例えば、炭素化合物の炭化により得られる炭素材料に対して第１の活性化処理を行うことによって炭素に基づく材料を生成すること、炭素に基づく材料にバインダーを加えることにより成形体を製造すること、成形体を炭化すること、および最後に、炭化された成形体に第２の活性化処理を行うことにより活性炭電極を生成することによって製造され得る。カーボンファイバー電極は、例えば、大きな表面積を有するカーボンファイバーを含有するペーパーもしくはクロースプレフォームにより製造されてもよい。
【０２５１】
カーボンナノチューブを製造するための例示的な方法において、整列されたカーボンナノチューブ凝集体を生成するための装置は、その表面に触媒を有するベース材料上に、整列されたカーボンナノチューブ凝集体を合成させる装置を含む。当該装置は、触媒を取り囲む環境を還元ガスの環境として、少なくとも触媒及び還元ガスのいずれかを加熱する形成ステップを行う形成ユニットと、触媒を取り囲む環境を未処理の材料ガスの環境として、少なくとも触媒及び未処理の材料ガスのいずれかを加熱することにより、整列されたカーボンナノチューブ凝集体を合成する成長ステップを行う成長ユニットと、少なくとも形成ユニットから成長ユニットまでベース材料を搬送する搬送ユニットとを含む。整列されたカーボンナノチューブ凝集体を提供するため、他の様々な方法及び装置を採用してもよい。
【０２５２】
いくつかの実施形態において、エネルギー貯蔵媒体１を形成するために使用される材料には、純粋な炭素（現在存在しているか、もしくは後で開発される様々な形態の炭素）以外の材料が含まれていてもよい。換言すれば、他の材料の様々な形成物がエネルギー貯蔵媒体１内に含まれていてもよい。より具体的には、非限定的な例として、少なくとも１つのバインダー材料をエネルギー貯蔵媒体１において使用してもよい。しかしながら、これは、他の材料（バインダー材料等）を加えることを提案もしくは要求するものではない。しかしながら、概して、エネルギー貯蔵媒体１は実質的に炭素から形成され、それゆえ、本明細書においては、「炭素材料」、「炭素層」、及び他の同様の用語で呼ぶことがある。端的に言えば、大部分が炭素で形成されているけれども、エネルギー貯蔵媒体１は、エネルギー貯蔵媒体１として所望の機能を提供するため、任意の形態の炭素（適切もしくは許容可能とみなされる任意の添加物もしくは不純物）を含んでいてもよい。
【０２５３】
一組の実施形態において、炭素材料には、少なくとも約６０質量％の炭素原子を含む。他の実施形態において、少なくとも約７５％、８５％、９０％、９５％、もしくは９８％の炭素原子を含む。
【０２５４】
炭素材料は、カーボンブラック、グラファイト、及びその他を含む、様々な形態の炭素を含みうる。炭素材料は、ナノチューブ、ナノロッド、グラフェンシートなどを含む炭素粒子を含んでいてもよい。グラフェンシートは、シート状、及び／又は円錐状、ロッド状、球状（バッキーボール）等に形成される。
【０２５５】
エネルギー貯蔵媒体１における使用に適した様々な形態の炭素材料のいくつかの実施形態が、本明細書において例として提供されている。これらの実施形態は、頑健なエネルギー貯蔵装置を提供し、電極３における使用に適している。これらの例は例示であり、エネルギー貯蔵媒体１における使用に適した炭素材料の実施形態を限定するものではないことに留意すべきである。
【０２５６】
ある態様では、各電極のエネルギー貯蔵媒体１の多孔率は、キャパシタの性能を改善するため、それぞれの電解質のサイズに依存して選択されてもよい。
【０２５７】
ここで、電極３を提供するためエネルギー貯蔵媒体１に集電体２を付加する例示的なプロセスを提示する。ここで図２を参照すると、カーボンナノチューブ凝集体（ＣＮＴ）の形態の炭素材料のホストとなる基板１４が示されている。示された実施形態において、基板１４には、その上に配置された触媒１８の薄い層を有するベース材料１７が含まれる。
【０２５８】
概して、基板１４は、少なくともいくから可撓性を有し（すなわち、基板１４は脆弱ではない）、エネルギー蓄積媒体１（例えばＣＮＴ）の析出のため環境に耐えうる成分から構成される。例えば、基板１４は、摂氏約４００度から摂氏約１１００度の高温環境に耐えることができる。様々な材料が、適切であると決定されて基板１４のために使用可能である。
【０２５９】
エネルギー貯蔵媒体１（例えばＣＮＴ）を基板１４上に形成した後、その上に集電体２を配置してもよい。いくつかの実施形態において、集電体２は、約０．５マイクロメートル（μｍ）〜約２５マイクロメートル（μｍ）の厚さを有する。いくつかの実施形態において、集電体２は、約２０マイクロメートル（μｍ）〜約４０マイクロメートル（μｍ）の厚さを有する。集電体２は、化学気相成長法（chemical vapor deposition：ＣＶＤ）、スパッタリング、電子ビーム、熱蒸着、もしくは他の適切な技術により塗布される層等の薄層として現れてもよい。概して、集電体２は、導電性、電気化学的に不活性であること、及びエネルギー貯蔵媒体１（例えばＣＮＴ）と化学反応を起こさないこと、などのその特性のために選択される。いくつかの例示的な材料には、アルミニウム、プラチナ、金、タンタル、チタンが含まれ、他の材料並びに様々な合金が含まれていてもよい。
【０２６０】
集電体２がエネルギー蓄積媒体１（例えばＣＮＴ）の上に配置されると、電極素子１５が実現される。各電極素子１５をそれぞれ電極３として使用してもよく、又は、少なくとももう１つの電極素子と接続して電極３をとしてもよい。
【０２６１】
いったん集電体２が所望の基準にしたがって製造されると、製造後処理を行ってもよい。例示的な後処理には、わずかな酸化環境においてエネルギー貯蔵媒体１（例えばＣＮＴ）を加熱及び冷却することが含まれる。製造（及びオプションの後処理）の後、移送ツールを集電体２に適用してもよい。
【０２６２】
集電体２へ移送ツール１３を適用する一実施形態において、移送ツール１３は、「ドライ」な移送方法において使用される熱解放テープである。典型的な熱解放テープは、米国カリフォルニア州フリーモント及び日本国大阪の日東電工により製造されている。１つ適切な転送テープはＲＥＶＡＬＰＨＡとして販売されている。この解放テープは、室温でしっかりと接着し、加熱により剥離されうる接着テープとして特徴づけられうる。このテープ、及び他の適切な実施形態の熱解放テープは、予め決められた温度において解放される。好ましくは、解放テープは、電極素子１５上に化学的に活性な残留物を残さない。
【０２６３】
「ウェット」な移送方法と称される他のプロセスでは、化学的に解放されるように設計されたテープを使用してもよい。いったん貼り付けられると、テープは、その後、溶媒中に浸漬することにより除去される。当該溶媒は、接着剤を溶解するように設計されている。
【０２６４】
他の実施形態では、移送ツール１３は、例えば集電体２に吸気力を適用すること等、「空気式」の方法を用いる。吸気力は、例えば、吸引力を分配するための複数の孔を有する、わずかに大きなサイズを有するパドルを介して適用される。もう１つの例において、吸引力は、吸引を分配するための複数の孔を有するローラーによって適用される。吸引力駆動の実施形態は、電気的に制御され、移送プロセスの一部として消費材料が使用されないので経済的であるという利点を提供する。移送ツール１３の他の実施形態を使用してもよい。
【０２６５】
いったん移送ツール１３が集電体２に一時的に接続されると、電極素子１５は、基板１４から徐々に除去される。当該除去は、概して、エネルギー貯蔵媒体１（例えばＣＮＴ）を基板１４から剥離すること、基板１４及びエネルギー貯蔵媒体１（例えばＣＮＴ）の一の端部において開始することを含む。
【０２６６】
続いて、移送ツール１３は電極素子１５から分離されてもよい。いくつかの実施形態において、電極素子１５を設置するために移送ツール１３が使用される。例えば、移送ツール１３は、電極素子１５をセパレータ５上に配置するために使用してもよい。概して、いったん基板１４から除去されると、電極素子１５は使用可能になる。
【０２６７】
大きな電極３が望まれる場合には、複数の電極素子１５が一体化されてもよい。複数の素子１５は、例えば、複数の電極素子１５のうちの各電極素子１５に接続部５２を接続することにより一体化されてもよい。一体化された電極素子１５は、電極３の一実施形態となる。
【０２６８】
いくつかの実施形態において、接続部２２は、各電極素子１５と溶接部２１で接続されている。各溶接部２１は、超音波溶接部２１として提供されてもよい。超音波溶接技術は、各溶接部２１を提供することに特に適していることが分かってきた。すなわち、概して、エネルギー貯蔵媒体１（例えばＣＮＴ）の凝集体は、溶接部と化学反応を起こさない。溶接部においては、本明細書において開示されたような名目上の集電体のみが用いられる。結果として、電極素子１５を接合するための多くの技術は破壊的であり、素子１５に損傷を与える。しかしながら、他の実施形態では他の形態の接続が使用され、接続部２２は溶接部２１でない。
【０２６９】
接続部２２は、薄膜、メッシュ、複数のワイヤ、もしくは他の形態であってもよい。概して、接続部２２は、導電性、及び電気化学的に不活性であること、などの特性から選択される。いつかの実施形態において、接続部２２は、集電体２に存在するものと同じ１つ又は複数の材料から製造される。
【０２７０】
いくつかの実施形態において、接続部２２は、その上の酸化物層を除去することにより調製される。酸化物は、例えば、溶接部２１を提供する前に、接続部２２をエッチングすることにより除去してもよい。エッチングは、例えば、水酸化カリウム（ＫＯＨ）により達成されてもよい。電極３は、ウルトラキャパシタ１０の様々な実施形態で使用されてもよい。例えば、電極３は巻回されて、「ゼリーロール」タイプのエネルギー貯蔵装置内に配置されてもよい。
【０２７１】
ｉｉｉ．セパレータ
【０２７２】
本明細書に開示されたウルトラキャパシタの所定の実施形態において、電極３（ａ）及び３（ｂ）はセパレータ５によって分離される。概して、セパレータ５は、正極３（ｂ）から負極３（ａ）を分離するために使用される薄型構造材料（通常はシート）である。セパレータ５はさらに、各ペアの電極３を他のペアの電極３から分離するように作用してもよい。セパレータ５は、様々な材料から製造されてもよい。いくつかの実施形態において、セパレータ５は不織布ガラスである。セパレータ５は、ガラスファイバー、セラミックス、及び、例えばドイツ国ウィルミントンのデュポンケミカルズ（DuPont Chemicals）によりテフロン（登録商標）として販売されているポリテトラフルオロエチレン（ＰＴＦＥ）等の、フッ素ポリマーから製造されていてもよい。例えば、不織布ガラスを用いて、セパレータ５は、主ファイバーとバインダーファイバーとを含んでいてもよい。ここで、バインダーファイバーは、各主ファイバーのものより小さなファイバー直径をそれぞれ有し、主ファイバーを一体に結合させる
【０２７３】
ウルトラキャパシタ１０の長寿命化のため、そして、高温において性能を確保するため、セパレータ５は、減少した量の不純物を有し、特に非常に限られた水分含有量を有するべきである。特に、化学反応を減少させ、ウルトラキャパシタ１０の寿命を改善し、高温の用途において良好な性能を提供するため、約２００ｐｐｍの水分の制約が望ましいことがわかっている。セパレータ５において使用される材料のいくつかの実施形態は、ポリアミド、ポリテトラフルオロエチレン（ＰＴＦＥ）、ポリエーテルエーテルケトン（ＰＥＥＫ）、酸化アルミニウム（Ａｌ２Ｏ３）、ガラスファイバー、及びガラス強化プラスティック（ＧＲＰ）、又はそれらの組み合わせを含む。
【０２７４】
概して、セパレータ５のために使用される材料は、水分含有量、多孔率、融点、不純物含有量、結果として得られる電気的性能、厚さ、コスト、入手可能性等に従って、選択される。いくつかの実施形態において、セパレータ５は、疎水性材料から形成される。
【０２７５】
したがって、各セパレータ５から過剰な水分を排除することを確実なものとするための手順を採用してもよい。他の技術の中で、真空乾燥手順を用いてもよい。表４に、セパレータ５において使用される材料の選択を示す。表５に、いくつかの関連する性能データがを示す。
【０２７６】
【表４】
2016521451.tif 000007
【０２７７】
【表５】
2016521451.tif 000008
【０２７８】
表４に示すデータを収集するために、炭素材料に基づく２つの電極３（ａ）及び３（ｂ）が設けられた。電極３（ａ）及び３（ｂ）は対向して、互いに向かい合って配置された。各セパレータ５は、短絡を防ぐために電極３の間に配置された。次いで、３つの構成要素は電解質６で浸漬され、互いに圧縮された。２つのアルミニウムバーとＰＴＦＥ材料とを外部構造として使用し、結果として得られたウルトラキャパシタ１０を囲んだ。
【０２７９】
表５に示されるデータを収集するために、ＥＳＲ第１テストおよびＥＳＲ第２テストを同じ構成で順々に行った。第２テストは、電解質６を構成要素にさらに浸透させる時間のために、第１テストの５分後に行った。
【０２８０】
ある実施形態において、ウルトラキャパシタ１０はセパレータ５を含まない。例えば、構造の幾何学的形状により電極３の物理的分離が保証される特定の実施形態では、電極３間に電解質６のみを有するだけで十分である。さらに具体的に、また物理的分離の例として、ある一つのウルトラキャパシタ１０は、分離が連続的に保証されるようにハウジング内に配置されている電極３を含んでいてもよい。ベンチ上の例は、ビーカー内に与えられたウルトラキャパシタ１０を含む。
【０２８１】
ｉｖ．貯蔵セル
【０２８２】
いったん組み立てられると、電極３及びセパレータ５は、貯蔵セル１２を提供する。概して、貯蔵セル１２は、巻かれた形態もしくは角柱の形態のいずれかで形成され、その後、円柱状もしくは角柱状のハウジング７にパッケージ化される。いったん電解質６が注入さると、ハウジング７は密封して封止すされてもよい。様々な例において、パッケージは、レーザ、超音波、及び／又は溶接技術を利用する技術により、密閉して封止される。貯蔵セル１２の頑健な物理的保護を与えることに加えて、ハウジング７は、ハウジング７内の各端子８との電気的な連絡を提供するための外部接点を有して構成されている。そして、各端子８は、概して、エネルギー貯蔵媒体１に接続されている電気的リード線を介して、エネルギー貯蔵媒体１に貯蔵されているエネルギーへの電気的アクセスを提供する。
【０２８３】
概して、本明細書に開示されたウルトラキャパシタ１０は、約５．０×１０−６  ａｔｍ−ｃｃ／秒以下の漏れレートを有し、約５．０×１０−１０  ａｔｍ−ｃｃ／秒以下の漏れレートを示してもよい密閉シールを提供することができる。良好な密閉シールの性能は、ユーザ、設計者、もしくは製造者により適切と判断され、「密閉」は、最終的には、ユーザ、設計者、製造者、もしくは他の当事者により定義される標準を意味すると考えられる。
【０２８４】
漏れ検出は、例えば、トレーサーガスを使用することにより行ってもよい。漏れテストのため、ヘリウム等のトレーサーガスを使用することは、乾燥し、速く、正確で、かつ非破壊的な方法であるので有利である。この技術の一例において、ウルトラキャパシタ１０はヘリウム環境に置かれる。ウルトラキャパシタ１０は、圧力が加えられたヘリウムに供される。その後、ウルトラキャパシタ１０は、ヘリウムの存在をモニタリングできる検出器（例えば原子吸光装置など）に接続される真空チャンバー内に配置される。加圧時間、圧力、及び内部体積についての知識により、ウルトラキャパシタ１０の漏れレートを決定してもよい。
【０２８５】
いくつかの実施形態において、集電体２の各１つに、少なくとも１つのリード線（本明細書において「タブ」とも称される）が電気的に接続される。複数のリード線（したがってウルトラキャパシタ１０の極性に従う）は、ともにグループ化されて各端子８に接続されていてもよい。また、端子８は、「接点」と称される電気的アクセス（例えば、ハウジング７及び外部電極（本明細書において慣行として「フィードスルー」もしくは「ピン」とも称される）のいずれか一方）に接続されていてもよい。
【０２８６】
ｖ．ウルトラキャパシタハウジング
【０２８７】
図５は、例示的なハウジング７の態様を示している。ハウジング７は、とりわけ、ウルトラキャパシタ１０のための構造及び物理的保護を与える。この例において、ハウジング７は、環状かつ円柱状に形成された本体１０及び相補的なキャップ２４を含む。この例において、キャップ２４は、その中央部において除去されて電気的絶縁体２６で充填されている。キャップのフィードスルー１９は、電気的絶縁体２６を貫通して、ユーザに、貯蔵されたエネルギーへのアクセスを提供する。さらに、ハウジングは、内部バリアー３０を有していてもよい。
【０２８８】
この例は、キャップ２４上に１つのフィードスルー１９のみを示しているけれども、ハウジング７の構造は、本明細書に開示された実施形態に限定されないことを認識すべきである。例えば、キャップ２４は、複数のフィードスルー１９を含んでいてもよい。いくつかの実施形態において、本体１０は、環状の円柱の反対側の端部において、第２の同様のキャップ２４を含む。さらに、ハウジング７は、環状かつ円柱形状の本体１０を有する実施形態に限定されないことを認識すべきである。例えば、ハウジング７は、クラムシェルデザイン、角柱デザイン、ポーチ、又は、設計者、製造者、もしくはユーザのニーズに適した他の任意のデザインであってもよい。
【０２８９】
ここで図６を参照すると、例示的なエネルギー貯蔵装置セル１２が示されている。この例において、エネルギー貯蔵セル１２は、「ゼリーロール」タイプのエネルギー貯蔵装置である。これらの実施形態において、エネルギー貯蔵材料は巻回されタイトなパッケージに入れられている。複数のリード線は、概して、各端子８を形成し、エネルギー貯蔵セル１２の適切な層への電気的なアクセスを提供する。概して、組み立てられたとき、各端子８は、ハウジング７に（例えば、各フィードスルー１９に、及び／又は、直接にハウジング７に）電気的に接続される。エネルギー貯蔵セル１２は、様々な形態を取ってもよい。概して、各集電体２について１つの、少なくとも２つの複数のリード線（例えば端子８）が存在する。
【０２９０】
非常に効率的に封止するハウジング７が望ましい。すなわち、外部環境（例えば、空気、湿気等）の侵入を防ぐことは、エネルギー貯蔵セル１２の構成要素の清浄度を維持する助けとなる。さらに、これは、エネルギー貯蔵セル１２から電解質６が漏れるのを防ぐ。
【０２９１】
この例において、本体１０の内部直径とぴったりフィットするように設計されている外部直径を有するキャップ２４が製造される。組み立て時、キャップ２４は、本体１０に溶接されてもよく、これにより、ユーザに密閉シールを提供する。例示的な溶接技術には、レーザ溶接及びＴＩＧ溶接が含まれ、適切と認められる他の形態の溶接が含まれていてもよい。
【０２９２】
ハウジング７のための一般的な材料には、ステンレススチール、アルミニウム、タンタル、チタン、ニッケル、銅、錫、様々な合金、積層体等が含まれる。何らかのポリマーに基づく材料等の構造材料を（概して、少なくとも何らかの金属成分と組み合わせて）ハウジング７に使用してもよい。
【０２９３】
いくつかの実施形態において、本体１０を作製するために使用される材料には、アルミニウムが含まれる。このアルミニウムは、設計者もしくは製造者により適切であると認められた任意のタイプのアルミニウムもしくはアルミニウム合金を含みうる（本明細書では、これらの全てが広く単に「アルミニウム」と称される）。様々な合金、積層体等が、アルミニウム（当該アルミニウムは本体１０の内部に露出されている）上に（例えばこれをクラッドで覆うように）配置されていてもよい。本体及び／又はハウジング７を補うように、追加の材料（例えば、何らかのポリマーに基づく材料等の構造材料もしくは電気的絶縁材料等）を使用してもよい。同様に、アルミニウム上に配置される材料は、設計者もしくは製造者により適切であると認められたものにより選択されてもよい。
【０２９４】
いくつかの実施形態において、内部構成要素のために多層材料が使用される。例えば、端子８のうちの少なくとも１つにおいて多層材料を提供するため、アルミニウムはステンレススチールのクラッドで覆われていてもよい。これらの実施形態のうちいくつかにおいて、アルミニウムの一部は、ステンレススチールを露出させるために除去されてもよい。次いで、露出されたステンレススチールは、単純な溶接法を用いることにより端子８をフィードスルー１９に取り付けるために使用されてもよい。
【０２９５】
内部構成要素のためクラッド材料を使用することは、クラッド材料の特定の実施形態を要求してもよい。例えば、アルミニウム（下層）、ステンレススチール及び／又はタンタル（中間層）、及びアルミニウム（上層）を含むクラッド材料を使用し、ウルトラキャパシタ１０の内部環境にステンレススチールをさらすことを制限することは有益であろう。これらの実施形態は、例えば、ＰＥＦＥ等のポリマー材料で追加的に被覆することにより拡張されてもよい。
【０２９６】
したがって、多層材料を利用するハウジング７を提供することは、従来技術に対して、比較的低い初期値と、所定時間にわたる実質的にゆっくりとして漏れ電流の増加とを有する漏れ電流を示すエネルギー貯蔵装置を提供する。重要なことであるが、エネルギー貯蔵装置の漏れ電流は、従来のキャパシタであれば非常に大きな初期値の漏れ電流及び／又は所定時間にわたる非常に急速な漏れ電流の増大を示すような周囲の温度にウルトラキャパシタ１０がさらされるとき、実用的な（すなわち、望ましくは低い）レベルに維持される。
【０２９７】
さらに、ウルトラキャパシタ１０は、ハウジング７とエネルギー貯蔵セル１２との間の反応が減少する結果としての、他の利点を示す可能性がある。例えば、エネルギー貯蔵の実効直列抵抗（effective series resistance：ＥＳＲ）は、所定時間にわたって比較的低い値を示しうる。さらに、従来技術のキャパシタにおいて起こりうる望ましくない化学反応は、しばしば、ガス放出、もしくは密閉して封止されたハウジングの場合にはハウジング７の膨張、などの望ましくない影響をもたらす。両方の場合において、これは、ハウジング７の構造的完全性及び／又はエネルギー貯蔵装置の密閉シールを損なうことになる。最終的には、これは、従来技術のキャパシタのリークもしくは破滅的故障をもたらしうる。これらの影響は、開示されたバリアーを適用することにより、実質的に減少もしくは除去されるであろう。
【０２９８】
多層材料（クラッド材料）を使用することにより、ステンレススチールをハウジング７に組み込んでもよく、したがって、ガラス−金属シールを有する構成要素を使用してもよい。当該構成要素は、レーザーもしくは抵抗溶接等の技術を用いることによりクラッド材料のステンレススチールの側に溶接してもよい。一方、クラッド材料のアルミニウムの側を他のアルミニウム部品（例えば本体１０）と溶接してもよい。
【０２９９】
いくつかの実施形態において、絶縁ポリマーを使用して、ハウジング７の部分をコーティングしてもよい。このようにして、エネルギー貯蔵装置の構成要素が許容可能なタイプの金属（例えばアルミニウム）のみにさらされることを保証することが可能である。例示的な絶縁ポリマーには、ＰＦＡ、ＦＥＰ、ＴＦＥ、及びＰＴＦＥが含まれる。適切なポリマー（もしくは他の材料）は、システムの設計者もしくは製造者のニーズ及び各材料の特性のみにより制限される。図１７を参照する。図１７においては、少量の絶縁材料３９がスリーブ５１のステンレススチール及びフィードスルー１９に対して電解質６をさらすことを制限するために含まれている。この例では、端子８は、例えば溶接等によりフィードスルー１９に接続され、次いで、絶縁材料３９でコーティングされる。
【０３００】
１．ハウジングキャップ
【０３０１】
この例は、キャップ２４上において１つのフィードスルー１９のみを示しているけれども、ハウジング７の構造は、本明細書に開示された実施形態に限定されないことを認識すべきである。例えば、キャップ２４は、複数のフィードスルー１９を含んでいてもよい。いくつかの実施形態において、本体１０は、環状の円柱の反対側の端部において、第２の同様のキャップ２４を含む。さらに、ハウジング７は、環状かつ円柱形状の本体１０を有する実施形態に限定されないことを認識すべきである。例えば、ハウジング７は、クラムシェルデザイン、角柱デザイン、ポーチ、又は、設計者、製造者、もしくはユーザのニーズに適した他の任意のデザインであってもよい。
【０３０２】
ここで図１２を参照する。キャップ２４のためのブランク３４の実施形態の態様が示されている。図１２Ａにおいて、ブランク３４は多層材料を含む。第１の材料４１の層は、アルミニウムであってもよい。第２の材料４２は、ステンレススチールであってもよい。図１２の実施形態において、ステンレススチールは、アルミニウムを覆うクラッドとして設けられる。それにより、金属特性の所望の組み合わせを示す材料が提供される。すなわち、本明細書で提示する実施形態において、アルミニウムは、エネルギー貯蔵セルの内部（すなわち、ハウジング）にさらされ、一方、ステンレススチールは外部にさらされる。この方法では、製造のためにステンレススチールの構造特性及び金属特性（例えば溶接可能性）を当てにしつつ、アルミニウムの有利な電気的特性を享受する。多層材料は、適切と認められる追加の層を含んでいてもよい。
【０３０３】
上述したように、第１の材料４１の層は、第２の層４２の層を覆うクラッドとして設けられる（もしくは、第２の層４２のクラッドで覆われている）。更に図１２Ａを参照すると、一実施形態において、（図示されるように）平坦なストックのシートが、平坦なキャップ２４を作製するためのブランク３４を提供するのに用いられる。キャップ２４を本体１０に取り付けることを容易にするため、第２の材料４２の層の一部を（例えば、キャップ２４の外周の周りにおいて）除去してもよい。図１２Ｂにおいて、ブランク３４の他の実施形態が示されている。この例において、ブランク３４は、クラッド材料のシートとして与えられ、これは、凹状構成に形成されている。図１２Ｃにおいて、ブランク３４は、クラッド材料のシートとして与えられ、これは、凸状構成に形成されている。様々な実施形態のブランク３４（図１２に示されたもの等）から製造されているキャップ２４は、ハウジング７の本体１０に対する溶接をサポートするように構成されている。より具体的には、図１２Ｂの実施形態は、本体１０の内径内にフィットするように適合され、一方、図１２Ｃの実施形態は、本体１０の外径のまわりにフィットするように適合されている。様々な代替の実施形態において、シート内のクラッド材料の複数の層を反転させてもよい。
【０３０４】
ここで図１３を参照し、電極アセンブリ５０の実施形態を示す。電極アセンブリ５０は、ブランク３４に設置されるように、かつ、エネルギー貯蔵媒体からユーザへの導通を提供するように設計されている。概して、電極アセンブリ５０は、スリーブ５１を含む。スリーブ５１は絶縁体２６を囲み、次いで、絶縁体２６はフィードスルー１９を囲む。この例において、スリーブ５１は、フランジが付された上部を有する環状の円柱である。
【０３０５】
キャップ２４を組み立てるため、ブランク３４に孔（図示せず）が形成されている。孔は、電極アセンブリ５０に合うサイズを有する幾何学的形状を有する。したがって、電極アセンブリ５０は、ブランク３４の孔に挿入される。いったん電極アセンブリ５０が挿入されると、電極アセンブリ５０は、溶接等の技術によりフランク３４に固定されてもよい。溶接は、スリーブ５１のフランジの外周の周りにおいて溶接するレーザー溶接であってもよい。図１４を参照すると、溶接が行われる点６１が示されている。この実施形態において、点６１は、ステンレススチールをステンレススチールに溶接するための適切な位置、比較的簡単な溶接法を提供する。したがって、本明細書における教示により、ブランク３４上の場所に電極アセンブリ５０をしっかりと溶接することができる。
【０３０６】
スリーブ５１を構成するための材料には、様々なタイプの金属もしくは金属合金を含んでいてもよい。概して、スリーブ５１のための材料は、例えば、構造的完全性及び（ブランク３４に対する）接合可能性（bondability）にしたがって選択される。スリーブ５１のための例示的な材料には、３０４ステンレススチールもしくは３１６ステンレススチールが含まれる。フィードスルー１９を構成するための材料には、様々なタイプの金属もしくは金属合金が含まれていてもよい。概して、フィードスルー１９のための材料は、例えば、構造的完全性及び電気伝導度にしたがって選択される。電極のための例示的な材料には、４４６ステンレススチールもしくは５２合金が含まれる。
【０３０７】
概して、絶縁体２６は、既知の技術（すなわち、ガラス−金属接合）によってスリーブ５１及びフィードスルー１９と接合される。絶縁体２６を構成するための材料には、以下に制限される訳ではないが、様々なタイプのガラスが含まれていてもよい。これには、高温ガラス、セラミックガラス、もしくはセラミック材料が含まれる。概して、絶縁体のための材料は、例えば、構造的完全性及び電気抵抗（すなわち、電気的絶縁特性）にしたがって選択される。
【０３０８】
ガラス−金属接合に依存する構成要素（例えば、電極アセンブリ５の前述の実施形態等）を使用すること、並びに、様々な溶接技術を使用することは、エネルギー貯蔵装置の密閉シールを提供する。同様に密閉シールを提供するために、他の構成要素を使用してもよい。本明細書において使用されているように、用語「密閉シール」は、概して、本明細書において定義されているもの以下の漏れレートを示すシールを意味する。しかしながら、実際のシールの有効性は、この標準よりも良好に機能してもよいと考えられる。
【０３０９】
電極アセンブリ５０をブランク３４に接続するための追加のもしくは他の技術には、そのような技術が適切であると考えられるときは、スリーブ５１のフランジの下において（フランジと第２の材料４２の層との間において）接着剤を使用することが含まれる。
【０３１０】
ここで図１５を参照すると、エネルギー貯蔵セル１２は本体１０内に配置される。少なくとも１つの端子８は、（例えば、フィードスルー１９に対して）適切に接続されている。そして、キャップ２４は本体１０と合わされて、ウルトラキャパシタ１０を提供する。
【０３１１】
いったん組み立てられると、キャップ２４及び本体１０は封止されてもよい。図２２は、組み立てられたエネルギー貯蔵装置の様々な実施形態（この場合、ウルトラキャパシタ１０）を示している。図１６Ａにおいて、平坦なキャップ２４を作製するために、平坦なブランク３４（図１２Ａを参照）が使用される。いったんキャップ２４が本体１０上に設置されると、キャップ２４及び本体１０は溶接されて、シール６２が作製される。この場合、本体１０は環状の円柱であるので、溶接は、本体１０及びキャップ２４の外周のまわりに進行して、シール６２を提供する。第２の実施形態において、図１６Ｂに示すように、凹状のキャップ２４を作製するために、凹状のブランク３４（図１２Ｂを参照）が使用される。いったんキャップ２４が本体１０上に設置されると、キャップ２４及び本体１０は溶接されて、シール６２が作製される。第３の実施形態においては、図１６Ｃに示すように、凸状のキャップ２４を作製するため、凸状のブランク３４（図１２Ｃを参照）が使用される。いったんキャップ２４が本体１０上に設置されると、シール６２を作製するため、キャップ２４と本体１０とは溶接されてもよい。
【０３１２】
必要に応じて、多層材料における他の金属を露出するため、（例えば、機械加工もしくはエッチング等の技術により）クラッド材料を除去してもよい。したがって、いくつかの実施形態において、シール６２には、アルミニウム−アルミニウム溶接が含まれていてもよい。アルミニウム−アルミニウム溶接は、必要に応じて、他の固定具により補完されてもよい。
【０３１３】
他の技術を使用してハウジング７を封止してもよい。例えば、レーザー溶接、ＴＩＧ溶接、抵抗溶接、超音波溶接、及び他の形態の機械的シールを使用してもよい。しかしながら、概して、ウルトラキャパシタ１０において提供される頑健な密閉シールを提供するためには、伝統的な形態の機械的シールだけでは十分ではないことに留意すべきである。
【０３１４】
ここで図１２を参照する。このアセンブリの態様では、キャップ２４の他の実施形態が示されている。図１２Ａは、キャップ２４の本体を提供するために使用されるテンプレート（すなわち、ブランク３４）を示す。概して、テンプレートは、適切なタイプのエネルギー貯蔵セル（例えば、ウルトラキャパシタ１０等）のハウジング７に合うサイズで形成されている。キャップ２４は、最初、テンプレートを形成するテンプレートを提供し、当該テンプレート（図１２Ｂに図示）内にドーム３７を含め、その後、ドーム３７に孔を開けてスルーウェイ３２（図１２Ｃに図示）を提供することにより形成してもよい。勿論、ブランク３４（例えばストックの円状片）は押圧してもよく、さもなければ、上述の複数の特徴が同時に提供されるように製造されてもよい。
【０３１５】
概して、及び、これらの実施形態に関して、キャップは、アルミニウム、もしくはその合金から形成されていてもよい。しかしながら、キャップは、製造者、ユーザ、設計者等により適切であると認められる任意の材料により形成されていてもよい。例えば、キャップ２４は、スチールから製造され、不動態化されてもよく（すなわち、不活性のコーティングで覆われ）、さもなければ、ハウジング７において使用するために調製されてもよい。
【０３１６】
ここで図１９を参照すると、電極アセンブリ５０の他の実施形態が示されている。これらの実施形態において、電極アセンブリ５０は、フィードスルー１９と、フィードスルー１９の周りに配置された半球形状の材料とを含む。この半球形状の材料は、絶縁体２６として機能し、概して、ドーム３７に合うように形成されている。半球状の絶縁体２６は、電解質６の化学的な影響に耐えつつ、密閉シールを提供するための適切な材料から製造されていてもよい。例示的な材料には、ＰＦＡ（パーフルオロアルコキシポリマー）、ＦＥＰ（フッ素化チレンプロピレン）、ＰＶＦ（ポリビニルフルオライド）、ＴＦＥ（テトラフルオロエチレン）、ＣＴＦＥ（クロロトリフルオロエチレン）、ＰＣＴＦＥ（ポリクロロトリフルオロエチレン）、ＥＴＦＥ（ポリエチレンテトラフルオロエチレン）、ＥＣＴＦＥ（ポリエチレンクロロトリフルオロエチレン）、ＰＴＦＥ（ポリテトラフルオロエチレン）、他のフルオロポリマーに基づく材料、（様々な程度で）同様の特性を示し、十分な性能（例えば、とりわけ、高温で溶媒、酸、及び塩基に対する高い耐性を示すこと、低いコスト、など）を提供しうる任意の他の材料を含む。
【０３１７】
フィードスルー１９は、アルミニウム、もしくはその合金により形成されてもよい。しかしながら、フィードスルー１９は、製造者、ユーザ、設計者等により適切であると認められる任意の材料から形成されてもよい。例えば、フィードスルー１９は、スチールから製造され、不動態化され（すなわち、シリコン等の不活性コーティングにより覆われ）、さもなければ、電極アセンブリ５０において使用するために調製されてもよい。不動態化のための例示的な技術は、基板の表面上に水素化されたアモルファスシリコンのコーティングを堆積し、有効な時間長にわたって圧力及び上昇させた温度の下で少なくとも１つの不飽和炭酸水素基を有する結合剤に基板を露出することによりコーティングされた基板を官能基化することを含む。水素化されたアモルファスシリコンコーティングは、有効な時間長にわたって圧力及び上昇させた温度の下で、水素化ケイ素ガスに対して基板を露出することにより堆積される。
【０３１８】
半球状の絶縁体２６は、キャップ２４に組み立てられたときぴったりフィットさせること（すなわち、密閉シール）が達成されるように、ドーム３７に対するサイズを有していてもよい。半球状の絶縁体２６は、完全に対称でなくても、典型的な半球のプロポーションを有していなくてもよい。すなわち、半球状の絶縁体２６は、実質的に半球状であり、例えば、プロポーションのわずかな調整、適切なフランジ（例えば、基部におけるもの）、及び適切と認められる他の特徴を含む。半球状の絶縁体２６は、概して、同質の材料から形成されるが、しかしながら、これは必須ではない。例えば、半球状の絶縁体２６は、所望の膨張性もしくは圧縮性を提供するため、空気もしくはガスにより充填されたトーラス（図示せず）が内部に含まれていてもよい。
【０３１９】
図２０に示されているように、電極アセンブリ５０は、半球状の密閉シールを含むキャップ２４の実施形態を提供するため、テンプレート（すなわち、形成されたブランク３４）内に挿入されてもよい。
【０３２０】
図２１に示すように、様々な実施形態において、リテイナー４３は、キャップ２４の下部（すなわち、ハウジング７の内部と対向し、エネルギー貯蔵セル１２と対向するキャップ２４の一部）に接合されてもよく、さもなければ 、これに合わされてもよい。リテイナー４３は、アルミニウム溶接（例えば、レーザー、超音波等）などの様々な技術によってキャップ２４に接合されていてもよい。例えば、スタンピング（すなわち、機械的接合）及びろう付け等を含む他の技術をボンディングのために使用してもよい。例えば、リテイナー４３の周に沿って接合してもよい。概して、ボンディングは、所望のシール７１を作製するため、少なくとも１つの接合点に提供される。リテイナー４３内において絶縁体２６を封止するために、複数のリベット等少なくとも１つの固定具を使用してもよい。
【０３２１】
図２１の例において、キャップ２４は、凹状デザインのものである（図１２Ｂ参照）。しかしながら、他のデザインを使用してもよい。例えば、凸状キャップ２４を提供してもよく（図１２Ｃ）、オーバー−キャップ２４を使用してもよい（図１２Ｃの実施形態の変形例であり、これは、図１６Ｃに示すように載置されるように構成される）。
【０３２２】
キャップ及びフィードスルー１９のために使用される材料は、半球状の絶縁体２６の熱膨張の観点から選択されてもよい。さらに、熱膨張に対処するように製造技術を改良してもよい。例えば、キャップ２４を組み立てるとき、製造者は、半球状の絶縁体２６に圧力を加え、それにより、半球状の絶縁体２６を少なくともいくぶん圧縮してもよい。このようにして、密閉シールの有効性を損なうことなく、キャップ２４をすくなくともいくぶん熱膨張させる。
【０３２３】
組み立てられたウルトラキャパシタをさらに明らかにするため、図２２を参照する。ここでは、ウルトラキャパシタ１０の切り取り図が示されている。この例においては、貯蔵セル１２が本体１０に挿入され、本体１０内に包含されている。複数のリード線のそれぞれは、一体に結束され、端子８の一方としてハウジング７に接続されている。いくつかの実施形態において、複数のリード線が本体１０の下部に（内部で）接続され、それにより、本体１０を負の接点５５とする。同様に、他方の複数のリード線を結束してフィードスルー１９に接続し、正の接点５６を提供する。負の接点５５及び正の接点５６の電気的絶縁は、電気的絶縁体２６により維持される。概して、リード線を接続することは、レーザー溶接及び超音波溶接の少なくとも一方などの溶接により達成される。適切であると考えられる他の技術が使用されてもよい。
【０３２４】
図３１に、本明細書に開示したウルトラキャパシタの所定の追加の実施形態を示す。図３１Ａ及び３１Ｂは、ウルトラキャパシタハウジングの２つの代替の設計を示す。ここで、ハウジングの上カバー３１１は、内部又は外部空間の制約と所望の端子設計とに依存して、金属容器３１２に関して異なる向きを有する。図３１Ａは所定の実施形態による例示的なハウジング設計を示す。ここで、ガラス−金属シール３１０の大部分は、ゼリーロール２３と同様であるウルトラキャパシタのゼリーロール３１３を含んでいるハウジングの外側の外部空間に面するような向きを有する。所定の他の実施形態において、ガラス−金属シール３１０の大部分は、ゼリーロール２３と同様であるウルトラキャパシタのゼリーロール３１３を含んでいるハウジングの内部空間に面するような向きを有する。
【０３２５】
２．内部バリアー
【０３２６】
ここで図７を参照すると、ハウジング７は、内部バリアー３０を含んでいてもよい。いくつかの実施形態において、バリアー３０はコーティングである。この例において、バリアー３０は、ポリテトラフルオロエチレン（ＰＴＦＥ）から形成される。ポリテトラフルオロエチレン（ＰＴＦＥ）は、この組成をバリアー３０に適したものにする様々な特性を示す。ＰＴＦＥは、摂氏約３２７度の融点を有し、優れた誘電特性を有し、既知のすべての固体材料のうちで３番目に最低である約０．０５〜０．１０の摩擦係数を有し、高い耐食性、及び他の有益な特性を有する。概して、キャップ２４の内部は、その上に配置されたバリアー３０を含んでいてもよい。
【０３２７】
バリアー３０には他の材料を使用してもよい。これらのうちで、他の材料は、セラミックの形態（適切に適用され、性能基準を満たしうる任意のタイプのセラミック）、他のポリマー（好ましくは高温ポリマー）等である。例示的な他のポリマーには、パーフルオロアルコキシ（ＰＦＡ）及びフッ素化エチレンプロピレン（ＦＥＰ）並びにエチレンテトラフルオロエチレン（ＥＴＦＥ）が含まれる。
【０３２８】
バリアー３０は、エネルギー貯蔵セル１２と、ハウジング７もしくはその構成要素との間の電気化学反応もしくは他のタイプの反応を減少させる任意の材料もしくは材料の組み合わせを含んでもよい。いくつかの実施形態において、この組み合わせは、単一の層内における異なる材料の均質分散として明示される。他の実施形態において、この組み合わせは、複数の層内における異なる材料として明示される。他の組み合わせを用いてよい。端的に言えば、バリアー３０は、少なくとも１つの電気的絶縁体であり、化学的に不活性（すなわち、低い反応性を示す）であり、それゆえ、貯蔵セル１２とハウジング７との間の電気的及び化学的な相互作用の少なくとも一方に対して実質的に耐性を有するか妨げるものとみなされてもよい。いくつかの実施形態において、用語「低い反応性」及び「低い化学反応性」は、概して、当事者にとって懸念のレベル未満の化学的相互作用のレートを意味する。
【０３２９】
概して、ハウジング７の内部は、バリアー３０のホストとなり、ハウジング７の内部にさらされる表面全体が覆われてもよい。少なくとも１つの未処理領域３１が、本体１０内に含まれていてもよいし、キャップ２４の外面３６の上に含まれていてもよい（図８Ａを参照）。いくつかの実施形態において、アセンブリ要求を満たすため、未処理領域３１（図８Ｂを参照）、例えば、（溶接などにより）シールされもしくは接続された領域等が含まれていてもよい。
【０３３０】
バリアー３０は、従来技術を用いて内部部分に適用されてもよい。例えば、ＰＴＦＥの場合、バリアー３０は、バリアー３０を内部表面上にコーティングとしてペイントもしくはスプレーすることにより適用してもよい。未処理領域３１が所望の完全性を保持することを確実なものとするためのプロセスの一部として、マスクを使用してもよい。端的に言えば、様々な技術を用いてバリアー３０を提供してもよい。
【０３３１】
例示的な実施形態において、バリアー３０は、約３ミリ〜約５ミリの厚さを有する。一方、バリアー３０のために使用される材料はＰＦＡに基づく材料である。この例において、バリアー３０を構成する材料を受けるための表面は、酸化アルミニウム等によるグリットブラスティング（grit blasting）で調製される。いったん表面が洗浄されると、材料が、最初は液体として塗布され、その後は粉末として塗布される。当該材料は、熱処理プロセスにより硬化される。いくつかの実施形態において、加熱サイクルは、摂氏約３７０度の温度において、約１０分〜約１５分の継続時間を有する。これにより、ピンホールサイズの欠陥もしくはそれより小さい欠陥が実質的に存在しないバリアー３０の連続的な仕上げを行うことができる。図９は、本明細書における教示に係るある実施形態のウルトラキャパシタ１０のアセンブリを示している。この実施形態において、ウルトラキャパシタ１０は、そこに配置されたバリアー３０と、そこに配置されたバリアー３０を有するキャップ２４と、エネルギー貯蔵セル１２とを備える本体１０を含む。組み立ての間、キャップ２４は、本体１０の上に設置される。端子８のうちの第１のものは、キャップのフィードスルー１９に電気的に接続され、一方、端子８のうちの第２のものは、典型的には、下部、側部、もしくはキャップ２４において、ハウジング７と電気的に接続されている。いくつかの実施形態において、端子８のうちの第２のものは、（例えば、反対側のキャップ２４等の）他のフィードスルー１９に接続されている。
【０３３２】
ハウジング７の１つ又は複数の内面に配置されたバリアー３０により、ハウジング７と電解質との間の電気化学的及び他の反応が大きく減少し、もしくは実質的に除去される。これは、化学的及び他の反応のレートが概して増大する、より高温の場合において特に重要である。
【０３３３】
特に、バリアー付きのウルトラキャパシタ１０の漏れ電流は、比較的低い初期値を示し、所定時間にわたって実質的に増加しない。一方、バリアーなしのウルトラキャパシタ１０の漏れ電流は、比較的高い初期値を示し、所定時間にわたって実質的に増加する。
【０３３４】
概して、バリアー３０は、エネルギー貯蔵セル１２とハウジング７との間の適切な材料の適切な厚さを与える。バリアー３０は、均一の混合物、不均一の混合物、及び／又は少なくとも１つの層の材料を含んでいてもよい。バリアー３０は、完全なカバー（すなわち、電極接点を除く、ハウジングの内部表面領域のカバーを提供する）を提供してもよく、もしくは部分的なカバーを提供してもよい。いくつかの実施形態において、バリアー３０は、複数の構成要素から構成されてもよい。
【０３３５】
図１１を参照すると、追加の実施形態の態様が示されている。いくつかの実施形態において、エネルギー貯蔵セル１２は、エンベロープ７３内に堆積されている。すなわち、エネルギー貯蔵セル１２は、その上に配置されたバリアー３０を有し、その上を覆うようにラッピングされ、さもなければ、いったん組み立てられるとハウジング７からエネルギー貯蔵セル１２を分離するように適用される。エンベロープ７３は、エネルギー貯蔵セル１２をハウジング７内にパッケージ化するよりもずっと前に適用されてもよい。それゆえ、エンベロープ７３の使用は、例えば製造者等にある利点をもたらす可能性がある。（説明のため、エネルギー貯蔵セル１２上に緩く配置されているエンベロープ７３が示されていることに留意すべきである）。
【０３３６】
いくつかの実施形態において、エンベロープ７３は、コーティングとともに使用される。コーティングは、内面の少なくとも一部の上に配置される。例えば、ある実施形態では、コーティングは、エンベロープ７３が少なくとも部分的に損なわれうる領域（例えば、突出する端子８）のみにおいて、ハウジング７の内部に配置されている。エンベロープ７３及びコーティングは、一緒に、効果的なバリアー３０を形成する。
【０３３７】
したがって、バリアー３０を組み込むことにより、従来技術に比して、漏れ電流が比較的低い初期値を有し、所定時間にわたって漏れ電流が実質的によりゆっくりと増大するウルトラキャパシタを提供しうる。重要なことであるが、ウルトラキャパシタの漏れ電流は、従来技術のキャパシタであれば非常に大きな漏れ電流の初期値を示し、及び／又は所定時間にわたって非常に急速な漏れ電流の増大を示すであろう周囲温度にウルトラキャパシタがさらされるとき、実用的な（すなわち、望ましくは低い）レベルに維持される。
【０３３８】
このようにバリアー３０の実施形態及びその様々な態様を開示したとき、ハウジング７とエネルギー貯蔵媒体１との間の反応が減少した結果、ウルトラキャパシタ１０は他の利点を示しうると認識されるべきである。例えば、ウルトラキャパシタ１０の実効直列抵抗（ＥＳＲ）は、所定時間にわたって比較的低い値を示しうる。さらに、従来技術のキャパシタにおいて起こりうる望ましくない化学反応は、しばしば、ガス放出、もしくは密閉して封止されたハウジングの場合にはハウジングの膨張、などの望ましくない影響をもたらす。両方のケースにおいて、これは、ハウジングの構造的完全性及び／又はキャパシタの密閉シールを損なうことになる。最終的には、これは、従来技術のキャパシタのリークもしくは破滅的故障をもたらしうる。いくつかの実施形態において、これらの効果は、開示されたバリアー３０を適用することにより、実質的に減少もしくは排除されうる。
【０３３９】
用語「バリアー」及び「コーティング」は、本明細書における教示の限定と認識すべきではない。すなわち、適切な材料をハウジング７、本体１０、及び／又はキャップ２４の内部に適用するための任意の技術を使用してもよい。例えば、他の実施形態において、バリアー３０は、ハウジング本体１０を構成する材料内にもしくはその上に実際に組み込まれる。その後、当該材料は、適切に加工もしくは形成され、ハウジング７の様々な構成要素が形成される。バリアー３０を適用するための多くの可能な技術のいくつかを検討する際、ロールオンすること、スパッタリングすること、焼成すること、積層すること、印刷すること、さもなければ、１つ又は複数の材料を塗布することは同様に適切でありうる。端的には、バリアー３０は、製造者、設計者、及び／又はユーザにより適切と認められる任意の技術を用いて適用してもよい。
【０３４０】
バリアー３０において使用される材料は、反応度、誘電値、融点、ハウジング７の材料への接着性、摩擦係数、コスト、他のそのようなファクター等の特性にしたがって、選択することができる。
所望の特性を提供するために、材料の組み合わせ（例えば、多層化された、混合された、さもなければ組み合わせ）を使用してもよい。
【０３４１】
バリアー３０を備えるハウジング７等の改良されたハウジング７を用いることにより、いくつかの実施形態において、ＡＥＳの劣化が制限されうる。バリアー３０は、改良されたハウジング７を提供するための１つの技術を示しているけれども、他の技術を用いてもよい。例えば、アルミニウムから作製されたハウジング７を使用することは、電解質６の存在下におけるアルミニウムの電気化学的特性のため、好適であろう。しかしながら、アルミニウムの製造上の困難を前提として、アルミニウムを利用するハウジング７の実施形態を構成することは（現在まで）可能ではなかった。
【０３４２】
ハウジング７の追加の実施形態には、内部表面全体にアルミニウムを提供するものが含まれる。ハウジングを溶接する能力及び密閉して封止する能力をユーザに提供しつつ、内部表面は電解質にさらされてもよい。ウルトラキャパシタ１０の改善された性能は、内部腐食の低減、伝導性媒体における異種金属を使用することに関連する問題の除去、及び他の理由により達成してもよい。好適には、ハウジング７は、ガラス−金属シールを含み（ステンレススチール、タンタル、もしくは他の有利な材料及び成分から製造されたものを含みうる）、それゆえ経済的に製造できるような利用可能な電極挿入物などの、既存の技術を用いる。
【０３４３】
本明細書では、ウルトラキャパシタ１０に適したハウジング７の実施形態として開示しているが、これらの実施形態は、（バリアー３０の場合と同様に）適切であると認められる任意のタイプのエネルギー貯蔵装置とともに使用してもよく、実用できる任意のタイプの技術を含んでもよい。例えば、電気化学的バッテリー、特に、リチウムに基づくバッテリーを含む他の形態のエネルギー貯蔵装置を使用してもよい。
【０３４４】
３．ウルトラキャパシタハウジングの他の構成要素
【０３４５】
ある実施形態のウルトラキャパシタにおいて、ハウジングは、その内部表面の実質的に一部を覆うように配置されたバリアーを含む。特定の実施形態においては、当該バリアーは、ポリテトラフルオロエチレン（ＰＴＦＥ）、パーフルオロアルコキシ（ＰＦＡ）、フッ素化エチレンプロピレン（ＦＥＰ）、エチレンテトラフルオロエチレン（ＥＴＦＥ）の少なくとも１つを含む。特定の実施形態において、バリアーはセラミック材料を含む。当該バリアーは、また、耐食性、所望の誘電特性、及び低い電気化学反応性を示す材料を含んでいてもよい。バリアーの特定の実施形態において、バリアーは多層材料を含む。
【０３４６】
ある実施形態のウルトラキャパシタにおいて、当該ハウジングは、複数層の材料を含む。例えば、当該複数層の材料には、第２の材料上を覆うクラッドとして設けられた第１の材料が含まれる。特定の実施形態において、当該複数層の材料は、スチール、タンタル、及びアルミニウムの少なくとも１種を含む。
【０３４７】
ある実施形態のウルトラキャパシタにおいて、当該ハウジングは少なくとも１つの密閉シールを含む。
【０３４８】
ある実施形態のウルトラキャパシタにおいて、当該ハウジングは、少なくとも１つのガラス−金属シールを含む。例えば、当該ガラス−金属シールのピンは接点のうちの１つを提供する。ある特定の実施形態において、当該ガラス−金属シールは、鉄−ニッケル−コバルト合金、ニッケル鉄合金、タンタル、モリブデン、ニオブ、タングステン、ならびに、ステンレス及びチタンの形態からなるグループから選択された材料で構成されるフィードスルーを備える。他の特定の実施形態において、当該ガラス−金属シールは、ニッケル、モリブデン、クロム、コバルト、鉄、銅、マグネシウム、チタン、ジルコニウム、アルミニウム、炭素、及びタングステン、並びにそれらの合金からなるグループから選択された少なくとも一種の材料から構成される本体を備える。
【０３４９】
ある実施形態のウルトラキャパシタにおいて、密閉シールは、約５．０×１０−６  ａｔｍ−ｃｃ／秒以下、例えば約５．０×１０−７  ａｔｍ−ｃｃ／秒以下、例えば約５．０×１０−８  ａｔｍ−ｃｃ／秒以下、例えば約５．０×１０−９  ａｔｍ−ｃｃ／秒以下、例えば約５．０×１０−１０  ａｔｍ−ｃｃ／秒以下の漏れレートを示す。
【０３５０】
ある実施形態のウルトラキャパシタにおいて、少なくとも１つの接点が、他のウルトラキャパシタの他の接点と合わされるように構成されている。
【０３５１】
ある態様のウルトラキャパシタにおいて、当該貯蔵セルは、その外部を覆うように配置されたラッパーを含む。例えば、当該ラッパーは、ＰＴＦＥ及びポリイミドの一方を含む。
【０３５２】
概して、ハウジング７の内部にさらされる１つ又は複数の材料は、電解液６、例えばＡＥＳにさらされるとき、十分に低い反応性を示す。これは、実施形態のいくつかを単に例示したものであり、本明細書の教示を制限するものではない。
【０３５３】
ｖｉ．ウルトラキャパシタ用の製造技術
【０３５４】
本明細書では、不純物を低減させるか、開示したＨＴＲＥＳを製造する方法を含む、本明細書に開示された装置、システム、及び方法で利用されてもよいウルトラキャパシタを生成するための所定の方法が提供される。本明細書に開示された精製方法は、例えば電解質（例えばＡＥＳ）、電極、又はセパレータなどの、本明細書に開示したＨＴＲＥＳの任意の構成要素に適用可能であってもよい。
【０３５５】
本明細書に開示されたウルトラキャパシタの構成で考慮される重要な態様は、良好な化学的衛生状態を維持することである。構成要素の清浄度を確保するため、さまざまな実施形態では、エネルギー貯蔵媒体１の２つの電極３を構成する活性炭素、カーボンファイバー、レーヨン、カーボンクロス、及び／又はナノチューブが、真空環境下、高温で乾燥させる。セパレータ５はまた、真空環境下で、高温で乾燥される。電極３及びセパレータ５が真空下で乾燥されると、それらは、５０ｐｐｍ未満の水を含む雰囲気において、最終的なシールもしくはキャップなしに、ハウジング７内にパッケージ化される。キャップされていないウルトラキャパシタ１０は、例えば、摂氏約１００度から摂氏約３００度の温度範囲にわたって、真空下において、乾燥されてもよい。いったん最終乾燥が完了すると、電解質６が加えられてもよく、ハウジング７は、比較的乾燥した雰囲気（約５０ｐｐｍ未満の水分を含む雰囲気等）において封止される。勿論、他の組み立て方法を用いてもよく、前述の事項は、単にウルトラキャパシタ１０のアセンブリの例示的な態様を提供するだけである。
【０３５６】
さらに、本明細書に開示されたウルトラキャパシタの高効率のエネルギー貯蔵装置を提供するために、所定の頑健な組み立て技術が要求されうることを認識すべきである。
したがって、組み立て技術のいくつかを以下に議論する。
【０３５７】
いったんウルトラキャパシタ１０が製造されると、それは、漏れ電流をほとんど発生させないかもしくはまったく発生させることなく、また、抵抗をほとんど増大させることなく、高温用途で使用されてもよい。本明細書において記載されているウルトラキャパシタ１０は、摂氏約−４０度から摂氏２１０度までの温度において、効率的に動作しうる。当該装置の体積で正規化された漏れ電流は、全動作電圧範囲及び全動作温度範囲にわたって、当該装置の体積について１リットルあたり１０ミリアンペア（Ａ／Ｌ）未満であった。ある実施形態では、キャパシタは、摂氏−４０度から摂氏２１０度の温度にわたって動作可能である。
【０３５８】
概略すると、円柱状に形成されたウルトラキャパシタ１０の組み立て方法が提供されている。電極３から始めて、いったんエネルギー貯蔵媒体１が集電体と接続されると、各電極３が製造される。その後、複数のリード線が適切な位置において各電極３と接続される。その後、複数の電極３は、所定方向に向きづけられて、適切な個数のセパレータ５とともに組み立てられてそれらの間に配置され、貯蔵セル１２が形成される。貯蔵セル１２は、その後、円柱状に巻回されてもよく、ラッパーで固定されてもよい。概して、正及び負の各リード線は、その後、束ねられて各端子８を形成する。
【０３５９】
電解液６、すなわち、上述のＡＥＳをウルトラキャパシタ１０に注入する前（例えば、貯蔵セル１２の組み立ての前もしくはその後）、ウルトラキャパシタ１０の各構成要素は、水分を除去するように乾燥されてもよい。これは、組み立てられていない構成要素（即ち、空のハウジング７ならびに各電極３および各セパレータ５）で行ってよく、後に組み立てられた構成要素（貯蔵セル１２等）で行ってよい。
【０３６０】
乾燥は、例えば、真空環境下、高温で実行してもよい。いったん乾燥させると、貯蔵セル１２は、その後、最終的なシールもしくはキャップを有しないハウジング７内にパッケージ化されてもよい。いくつかの実施形態において、パッケージ化は、５０ｐｐｍ未満の水を含む雰囲気において実行される。キャップなしのウルトラキャパシタ１０は、その後、再度乾燥させてもよい。例えば、ウルトラキャパシタ１０は、摂氏約１００度から摂氏約３００度までの温度範囲にわたって真空下で乾燥されてもよい。いったん最終乾燥が完了すると、その後、ハウジング７は、例えば、５０ｐｐｍ未満の水分を含む雰囲気において封止されてもよい。
【０３６１】
いくつかの実施形態において、乾燥プロセス（「焼成」プロセスとも称される）が完了すると、当該構成要素を取り囲む環境は、不活性ガスにより充填されてもよい。例示的なガスには、アルゴン、窒素、ヘリウム、及び同様の特性を示す他のガス（並びにこれらの組み合わせ）が含まれる。
【０３６２】
概して、注入口（ハウジング７の表面の孔）はハウジング７に含まれる。もしくは、注入口は後で追加されてもよい。ウルトラキャパシタ１０が電解質６、例えばＡＥＳで満たされると、注入口を閉じてよい。注入口の閉止は、例えば、注入口の中または上に材料（例えば、ハウジング７と化学反応を起こさない金属）を溶接することにより達成してよい。いくつかの実施形態において、ウルトラキャパシタ１０を他の環境に移して、その後で再び開き、充填し、閉じるために、充填の前に注入口を一時的に閉じてもよい。しかしながら、本明細書において議論しているように、ウルトラキャパシタ１０は、同じ環境において、乾燥及び充填されると考えられる。
【０３６３】
所望の量のＡＥＳでハウジング７を満たすために多数の方法を用いてよい。概して、充填プロセスを制御することは、とりわけ、容量の増大と、等価直列抵抗（equivalent-series-resistance：ＥＳＲ）の減少と、電解質のむだの制限とを提供しうる。真空充填方法は、ハウジング７を充填し、電解質８で貯蔵セル１２を湿潤させる技術の非限定的な例として与えられる。
【０３６４】
しかしながら、まず、ウルトラキャパシタ１０の構成要素を汚染する可能性を有する任意の材料が清浄であり、化学反応を起こさず、乾燥していることを確実なものとするように対処されてもよいことに留意すべきである。慣行として、「良好な衛生状態処理」が、アセンブリプロセス及び構成要素が汚染物質をウルトラキャパシタ１０にもちこまないことを確実なものとするため実行されると考えられてもよい。
【０３６５】
「真空法」では、コンテナが、ハウジング７の上であって注入口の周りに配置される。その後、電解液６、例えば本明細書に開示されたＡＥＳが、実質的に酸素及び水（すなわち水分）が存在しない環境で、コンテナ内に配置される。その後、この環境において真空が生成され、ハウジングからすべての空気が引き抜かれ、それにより、同時に、電解質系６がハウジング７内に引き込まれる。その後、必要であれば、周りの環境は、不活性ガス（アルゴンガス、窒素等、もしくは不活性ガスの何らかの組み合わせ）により再充填されてもよい。ウルトラキャパシタ１０は、所望の量の電解質６が引き込まれたか否かをみるために確認されてもよい。当該プロセスは、必要であれば、所望の量の電解質６がウルトラキャパシタ１０内に入るまで繰り返されてもよい。
【０３６６】
所定の実施形態では、電解液６、例えばＡＥＳにより充填した後、ウルトラキャパシタ１０を封止するために注入口に材料を充填してもよい。当該材料には、例えば、ハウジング７及び電解質６と化学反応を起こさない金属であってもよい。ある例において、材料は注入口に対して力をかけてはめこまれ、本質的に、注入口に対してプラグの「冷間圧接」を実行する。特定の実施形態において、力をかけてはめこむことは、本明細書においてさらに議論されている他の溶接技術により補われてもよい。
【０３６７】
概して、ハウジングの組み立てはしばしば、貯蔵セル１２を本体１０内に設置すること、および本体１０をＡＥＳで充填することを伴う。他の乾燥プロセスを実行してもよい。例示的な乾燥は、しばしば減圧（例えば真空）下で、貯蔵セル１２およびＡＥＳを中に備える本体１０を加熱することを含む。いったん十分な（オプションの）乾燥ステップを実行した後に、最終の組み立てステップを実行してもよい。最終ステップにおいて、内部電気接続を行い、キャップ２４を組み込み、例えばキャップ２４を本体１０に溶接することにより、本体１０にキャップ２４を密閉して封止する。
【０３６８】
いくつかの実施形態において、ハウジング７とキャップ２４の少なくとも一方を、複数の層が含まれる材料を含むように製造する。例えば、第１の材料層はアルミニウムを含有してもよく、第２の材料層はステンレススチールであってもよい。この例において、ステンレススチールは、アルミニウムを覆うクラッドとして設けられ、それにより、金属特性の所望の組み合わせを示す材料を提供する。すなわち、本明細書において与えられる実施形態において、アルミニウムは、エネルギー貯蔵セルの内部（すなわち、ハウジング）にさらされ、一方、ステンレススチールは外部にさらされる。この方法では、製造のためにステンレススチールの構造特性及び金属特性、すなわち溶接可能性をあてにしながら、アルミニウムの有利な電気特性が享受される。多層材料は、適切と認められる追加の層を含んでいてもよい。好適には、これは、ステンレススチールとステンレススチールとの溶接、比較的簡単な溶接法を提供する。
【０３６９】
本体１０の製造のために使用される材料にはアルミニウムが含まれるが、設計者もしくは製造者により適切と認められる任意のタイプのアルミニウムもしくはアルミニウム合金を含み得る（それらの全てが本明細書においては広く「アルミニウム」と称される）。種々の合金、積層体等がアルミニウムの上に配置されてよい（例えば、アルミニウムを覆うクラッドとして設けられてよい）（アルミニウムはボディ１０の内部に曝される）。本体及び／又はハウジング７を補うため、追加の材料（例えば、何らかのポリマーに基づく材料等の構造材料もしくは電気的絶縁材料等）を使用してもよい。同様に、アルミニウム上に配置される材料は、設計者もしくは製造者により適切であると認められたものにより選択されてもよい。
【０３７０】
アルミニウムの使用は、必要であるわけではなく、また、要求されるわけではない。端的に言えば、材料選択は、設計者、製造者、もしくはユーザ等により適切であると認められる任意の材料の使用をもたらしてもよい。様々なファクター、例えば、電解質６との電気化学的相互作用の減少、構造特性、コスト等を考慮してもよい。
【０３７１】
比較的小さい体積を示すウルトラキャパシタ１０の実施形態は、角柱のフォームファクタで製造してもよい。これにより、ウルトラキャパシタ１０の電極３が互いに対向し、少なくとも一方の電極３は、ガラス−金属シールに対する内部接点を有し、他方は、ハウジングもしくはガラス−金属シールに対する内部接点を有する。
【０３７２】
特定のウルトラキャパシタ１０の体積は、１つのハウジング内においていくつかの貯蔵セルを接続すること（例えばいくつかのゼリーロールを一体に溶接すること）により拡張されてもよい。このとき、貯蔵セルは、並列又は直列に電気的に接続される。
【０３７３】
様々な実施形態において、複数のウルトラキャパシタ１０を一緒に使用して電源を提供することは有用である。信頼性のある動作を提供するため、それぞれのウルトラキャパシタ１０は使用前に試験されてもよい。様々なタイプの試験を実行するため、ウルトラキャパシタ１０のそれぞれを、複数のウルトラキャパシタ１０が直列もしくは並列に取り付けられた単一のセルとして試験してもよい。様々な技術により（例えば、溶接等により）接続された異なる金属を使用することは、接続のＥＳＲを減少させるとともに、接続の強度を増大させることができる。ウルトラキャパシタ１０間の接続のいくつかの態様を、以下、説明する。
【０３７４】
いくつかの実施形態において、ウルトラキャパシタ１０は、２つの接点を含む。この２つの接点は、ガラス−金属シールピン（すなわち、フィードスルー１９）及びハウジング７の残りの全部である。複数のウルトラキャパシタ１０を直列に接続した場合、（円柱形態のハウジング７の場合）内部リード線への距離が最小化されてそれにより抵抗が最小となるように、ハウジング７の下部の間を相互接続部を接続することがしばしば望まれる。これらの実施形態において、相互接続部の反対の端部は、通常、ガラス−金属シールのピンに接続される。
【０３７５】
相互接続に関して、共通の溶接タイプには、並列チップ電極抵抗溶接機の使用が含まれる。ピンの上において相互接続部の端部を整列させ、当該ピンに直接に相互接続部を溶接することにより、溶接を行ってもよい。数多くの溶接を用いることは、相互接続部とピンとの間の強度及び接続を増大させるであろう。概して、ピンに溶接する際、ピンとよく合うように相互接続部の端部を形成することは、短絡を引き起こすであろうピンに重なる過剰な材料が実質的に存在しないことを確実なものとするように作用する。
【０３７６】
相互接続部をピンに溶接するため、対向チップ（opposed tip）の電気抵抗溶接機を使用してもよい。一方、相互接続部をハウジング７の下部に溶接するために超音波溶接機を使用してもよい。含まれる金属が化学反応を起こさない場合は、はんだ技術を使用してもよい。
【０３７７】
相互接続部において使用される材料に関して、相互接続部に使用される一般的タイプの材料は、ニッケルである。ニッケルは、ステンレススチールと良好に溶接されて強固な界面を有するので、使用可能である。例えば、相互接続部の抵抗を減少させるため、ニッケルに代えて、他の金属及び合金を使用してもよい。
【０３７８】
概して、相互接続部のために選択される材料は、ピンの材料並びにハウジング７の材料と化学反応を起こさないことにより選択される。例示的な材料には、銅、ニッケル、タンタル、アルミニウム、ニッケル銅クラッドが含まれる。使用されうる別の金属には、銀、金、真鍮、プラチナ、及び錫が含まれていてもよい。
【０３７９】
ピン（すなわち、フィードスルー１９）がタンタルから形成されている場合等いくつかの実施形態において、相互接続部には、短いブリッジ接続を用いること等によって、中間金属を使用してもよい。例示的なブリッジ接続には、タンタルのストリップが含まれる。これは、アルミニウム／銅／ニッケルのストリップをブリッジに溶接するため、対向チップの電気抵抗溶接機を使用することにより改良されてきた。その後、タンタルストリップをタンタルピンに溶接するために並列電気抵抗溶接機を使用する。
【０３８０】
ブリッジは、また、ハウジング７である接点上において使用してもよい。例えば、ニッケル片は、ハウジング７の下部に電気抵抗溶接されてもよい。その後、同ストリップがニッケルブリッジに超音波溶接されてもよい。この技術は、セルの相互接続部の抵抗を減少させる助けとなる。各接続部に異なる金属を使用することで、セル間の直列に接続された相互接続部のＥＳＲを減少させることができる。
【０３８１】
このように、高温環境（すなわち、最大で摂氏約２１０度まで）で有用である頑健なウルトラキャパシタ１０の態様を説明したとき、いくつかの追加の態様を以下に提供及び／又は定義する。
【０３８２】
様々な材料を、ウルトラキャパシタ１０の構成において使用してもよい。酸素及び水分が排除されるべきであり、かつ、電解質６の漏れが防止されるべき場合には、ウルトラキャパシタ１０の完全性は必須である。これを達成するため、シーム溶接及び他の任意の封止点は、動作の意図された温度範囲にわたって密閉標準を満たすべきである。また、選択された材料は、イオン液体、およびＡＥＳの形成において用いられてよい溶媒等のような、他の材料とは、化学反応を起こさないものであるべきである。
【０３８３】
いくつかの実施形態において、フィードスルー１９は、例えば、ＫＯＶＡＲ（商標）（ペンシルバニア州リーディングのカーペンターテクノロジーコーポレイション（Carpenter Technology Corporation）の商標であり、ＫＯＶＡＲは、真空溶解された鉄−ニッケル−コバルト低膨張合金であり、その化学組成は、正確で均一な熱膨張特性を保証するように、狭い範囲で制御される）、Ａｌｌｏｙ５２（金属に対するガラス及びセラミックシールに適しているニッケル鉄合金）、タンタル、モリブデン、ニオブ、タングステン、ステンレススチール４４６（高温腐食及び酸化性に対する良好な耐性を提供する非加熱処理可能なフェライトステンレススチール）、及びチタンの少なくとも一種のような金属から形成される。
【０３８４】
上述の事項を利用するガラス−金属シールの本体は、３００シリーズのステンレススチール、例えば、３０４、３０４Ｌ、３１６、及び３１６Ｌ合金から製造されてもよい。この本体は、インコネル（Inconel）（圧力及び熱に供される極端な環境における使用に適した耐酸化性及び耐食性材料であるオーステナイトニッケル−クロム系超合金のファミリー）、及びハステロイ（Hastelloy）（ニッケル及び様々な割合のモリブデン、クロム、コバルト、鉄、銅、マンガン、チタン、ジルコニウム、アルミニウム、炭素、及びタングステンを含む高い耐食性を有する金属合金）等の様々なニッケル合金のうちの少なくとも１つ等の金属から構成されていてもよい。
【０３８５】
ガラス−金属シールにおけるフィードスルー１９と周りの本体との間の絶縁材料は、典型的にはガラスである。その組成は、シールの各製造者のプロプライエタリな資産であり、シールが圧縮下にあるか、それとも適合した状態にあるかに依存する。ガラス−金属シールにおいて他の絶縁材料を使用してもよい。例えば、シールにおいて様々なポリマーを使用してもよい。したがって、用語「ガラス−金属」シールは、単にシールの種類を示すものであり、当該シールがガラスを含まなければならないことが意味されているわけではない。
【０３８６】
ウルトラキャパシタ１０のためのハウジング７は、例えば、タイプ３０４、３０４Ｌ、３１６、及び３１６Ｌステンレススチールから構成されていてもよい。それらは、１１００、３００３、５０５２、４０４３、及び６０６１等のアルミニウム合金のうちの一部から構成されていてもよいが、これらに限定されない。様々な多層材料を使用してもよいし、例えば、ステンレススチールに対するアルミニウムクラッド等を含んでいてもよい。使用されうる化学反応を起こさない他の非限定的な金属には、プラチナ、金、ロジウム、ルテニウム、及び銀が含まれる。
【０３８７】
ウルトラキャパシタ１０において用いられるガラス−金属シールの特定の例には、２つの異なるタイプのガラス−金属シールが含まれる。最初のものは、ニューヨーク州エルムスフォールドに米国支部を有するショット（SCHOTT）から得られるものである。この実施形態は、ステンレススチールピン、ガラス絶縁体、及びステンレススチール本体を使用する。第２のものは、オハイオ州シンシナティーのハーマティックシールテクノロジー（HERMETIC SEAL TECHNOLOGY）から得られるものである。この第２の例は、タンタルピン、ガラス絶縁体、及びステンレススチール本体を使用する。様々なサイズの様々な実施形態を提供してもよい。
【０３８８】
ガラス−金属シールの追加の例は、アルミニウムシール及びアルミニウム本体を使用する実施形態を含む。ガラス−金属シールのさらに別の例には、エポキシ、しくは他の絶縁材料（例えば、セラミックスもしくはシリコン等）を使用するアルミニウムシールが含まれる。
【０３８９】
所望により、多数くのガラス−金属シールの態様が構成されていてもよい。例えば、ハウジング及びピンの寸法と、ピン及びハウジングの材料とは、適切に変更してもよい。ピンは、また、中空又は中実のピンであってもよく、一のカバーにおいて複数のピンを有していてもよい。ピンに使用される最も一般的なタイプの材料はステンレススチール合金、銅コアのステンレススチール、モリブデン、プラチナ−イリジウム、様々なニッケル−鉄合金、タンタル、及び他の金属であるが、何らかの非伝統的な材料を使用してもよい（例えば、アルミニウム）。ハウジングは、通常、ステンレススチール、チタン、及び／又は様々な他の材料から形成されていてもよい。
【０３９０】
ウルトラキャパシタ１０の組み立てにおいて、様々な固定技術を使用してもよい。例えば、溶接に関して、様々な溶接技術を使用してもよい。以下は、それぞれのタイプの溶接を使用する溶接のタイプ及び様々な目的を例示的に列挙するものである。
【０３９１】
超音波溶接が使用されてもよく、とりわけ、集電体にアルミニウムタブを溶接すること、下部クラッドカバーにタブを溶接すること、ガラス−金属シールピンに接続されたクラッドブリッジにジャンパタブを溶接すること、及び複数のゼリーロールタブを互いに溶接することを含む。パルス又は抵抗溶接が使用されてもよく、とりわけ、金属容器の下部又はピンにリード線を溶接すること、集電体にリード線を溶接すること、クラッドブリッジにジャンパを溶接すること、端子８へクラッドブリッジを溶接すること、下部カバーにリード線を溶接することを含む。レーザー溶接が使用されてもよく、とりわけ、ステンレススチール金属容器にステンレススチールカバーを溶接すること、ステンレススチールガラス−金属シールピンへのステンレススチールブリッジを溶接すること、及び注入口にプラグを溶接することを含む。ＴＩＧ溶接が使用されてもよく、とりわけ、アルミニウム金属容器にアルミニウムカバーを封止すること、及びアルミニウム封止を所定の場所に溶接することを含む。冷間圧接（複数の金属を強い力で互いに圧迫すること）が使用されてもよく、とりわけ、アルミニウムボール／鋲を注入口に力をかけてはめこむことにより注入口を封止することを含む。
【０３９２】
ある特定の実施形態において、図２３を参照すると、例示的な電極３の構成要素が示されている。この例では、電極３は負極３（ａ）として使用されるが、しかしながら、この表示は任意であり、単に参照のためのものである。
【０３９３】
図面から分かるように、少なくともこの実施形態においては、セパレータ５は、概して、エネルギー貯蔵媒体１（及び集電体２）より長い長さ及びより広い幅を有する。より大きなセパレータ５を使用することにより、正極３（ｂ）と負極３（ａ）との短絡に対して保護を与える。また、セパレータ５において追加の材料を使用することは、リード線及び端子８の良好な電気的保護を提供する。
【０３９４】
貯蔵セル１２の実施形態の側面図を提供する、図２４に示すもう１つの実施形態では、エネルギー貯蔵媒体１のレイヤースタックには、第１のセパレータ５及び第２のセパレータ５が含まれ、これにより、貯蔵セル１２が巻回された貯蔵セル２３に組み立てられるとき、電極３は電気的に分離される。電極３及びウルトラキャパシタ１０の組み立てに関し、用語「正」及び「負」は、単に任意であり、ウルトラキャパシタ１０内において構成され、電荷がその中に保存されるときのの機能を示していることに留意すべきである。当該技術分野において一般的に採用されるこの慣例は、組み立ての前に電荷が保存されることを適用すること、もしくは、異なる電極の物理的同定のために提供されるもの以外の他の任意の態様を暗示することを意味するものではない。
【０３９５】
貯蔵セル１２を巻回する前に、負極３（ａ）及び正極３（ｂ）を互いに整列させる。電極３（ａ）及び（ｂ）を整列させることにより、最良の整列が存在するとき、イオン移動のための経路長は一般に最小化されるので、ウルトラキャパシタ１０の性能はより良好となる。さらに、高い整列度を与えることにより、過剰のセパレータ５が含まれず、結果として、ウルトラキャパシタ１０の効率は損なわれない。
【０３９６】
ここで図２５を参照すると、貯蔵セル１２の実施形態が示されている。ここでは、電極３は巻回され、巻回された貯蔵セル２３となっている。セパレータ５の１つは、貯蔵セル１２の最も外側の層として存在し、エネルギー貯蔵媒体１をハウジング７の内部から分離する。
【０３９７】
巻回された貯蔵セル２３内の複数の最も外側の電極を本体１０の極性と一致させるため、「極性マッチング」を採用してもよい。例えば、いくつかの実施形態において、負極３（ａ）は、巻回された貯蔵セル２３を提供するタイトにパックされたパッケージの最も外側に存在する。これらの実施形態において、短絡に対するさらなる確実度が提供される。換言すれば、負極３（ａ）が本体１０と接続される箇所において、負極３（ａ）は、巻回された貯蔵セル２３における最も外側の電極として配置されている。したがって、例えば、使用中におけるウルトラキャパシタ１０の振動により誘発される機械的摩耗等によりセパレータ５が劣化する場合、ウルトラキャパシタ１０は、巻回された貯蔵セル２３における最も外側の電極と本体１０との間の短絡の結果として故障することはないであろう。
【０３９８】
巻回された貯蔵セル２３の各実施形態について、（例えば図２５を参照）少なくともセパレータ５内に基準マーク７２が存在してもよい。この基準マーク７２は、各電極３にリード線の位置決めを行うために使用される。いくつかの実施形態において、リード線の位置決めは計算により行われる。例えば、組み合わされたセパレータ５及び電極３についてゼリーロールの内径及び全厚さを考慮することにより、各リード線の設置のための位置を推定してもよい。しかしながら、基準マーク７２を使用することがより効率的かつ効果的であることが実施によりわかった。基準マーク７２には、例えば、１つ又は複数のセパレータ５のエッジにおけるスリットが含まれていてもよい。
【０３９９】
概して、基準マーク７２は、貯蔵セル１２の各新たな仕様ごとに採用される。換言すれば、貯蔵セル１２の新たな仕様は、そこに存する少なくとも１つの層の異なる厚さ（前の実施形態を超える）を要求しうるので、以前の基準マークを使用することは少なくとも幾分不正確となりうる。
【０４００】
概して、基準マーク７２は、ロールを、その中心からその外周まで横断する単一の放射状のラインとして明示されている。したがって、リード線が基準マーク７２に沿って設置される際、各リード線は、残りのリード線と整列している。しかしながら、（貯蔵セル１２がロールであるか、ロール１２になる実施形態について）貯蔵セル１２が巻回されていないとき、基準マーク７２は、複数のマーキング（図２６に示されている）であると考えられうる。慣行として、貯蔵セル１２をマーキングすることの実施形態もしくは外観に拘わらず、リード線の組み込みのための位置を識別することは、「基準マーク７２」もしくは「一組の基準マーク７２」を決定することが含まれると考えられる。
【０４０１】
ここで図２６を参照すると、いったん基準マーク７２が（例えば、巻回された貯蔵セル１２にマーキングすることにより）確立されると、各リード線を設置するための設置場所が提供される（すなわち、基準マーク７２により記載される）。いったん各設置場所が識別されると、任意の与えられた貯蔵セル１２のビルド仕様に関して、各設置場所の相対位置が、貯蔵セル１２の特定のビルドの追加の例について繰り返しされてもよい。
【０４０２】
概して、各リード線は、貯蔵セル１２内のそれぞれの集電体２に接続される。いくつかの実施形態において、集電体２とリード線の両方が、アルミニウムにより製造される。概して、リード線は、幅Ｗにわたって集電体２に接続されるが、しかしながら、リード線は、幅Ｗの一部のみで接続されてもよい。当該接続は、例えば、リード線を集電体２に超音波溶接することにより達成してもよい。接続を達成するため、エネルギー貯蔵媒体１の少なくとも一部を（適切に）除去し、これにより、各リード線を適切に集電体２と接続してもよい。接続を提供するため、適切と認められる他の作製及び調整を行ってもよい。
【０４０３】
ある実施形態では、反対側の基準マーク７３が含まれていてもよい。換言すれば、基準マーク７２が与えられているのと同様な方法で、一組の反対側の基準マーク７３が作製され、逆極性のリード線が設置される。すなわち、例えば負極３（ａ）等の第１の電極３にリード線を設置するために基準マーク７２を使用してもよく、一方、正極３（ｂ）にリード線を設置するために、反対側の基準マーク７３を使用してもよい。巻回された貯蔵セル２３が円柱状である実施形態において、反対側の基準マーク７３は、エネルギー貯蔵媒体１の反対側に配置され、（図示のように）長さに関して基準マーク７２からずれている。
【０４０４】
図２６において、基準マーク７２及び反対側の基準マーク７３は、両方とも、単一の電極３の上に配置されるように示されていることに留意する。すなわち、図２３は、基準マーク７２及び反対側の基準マーク７３の空間的（すなわち、直線的）関係を単に例示するための実施形態を示していることに留意すべきである。これは、正極３（ｂ）及び負極３（ａ）が、エネルギー貯蔵媒体１を共有することを含意するわけではない。しかしながら、貯蔵セル１２を巻回しその後セパレータ５をマークすることにより基準マーク７２及び反対側の基準マーク７３が配置される例において、基準マーク７２及び反対側の基準マーク７３が実際に単一のセパレータ５の上に提供されてもよいことに留意すべきである。しかしながら、実際は、１組の基準マーク７２及び反対側の基準マーク７３が任意の所定の電極３にリード線を設置するために使用されるであろう。すなわち、図２６の実施形態は、逆極性を有するであろう他の電極３のためのエネルギー貯蔵媒体１の他の層によって補われることを認識すべきである。
【０４０５】
図２７に示すように、前述の組み立て技術により、少なくとも一組の整列されたリード線を含む貯蔵セル１２となる。第１の組の整列されたリード線９１は、巻回された貯蔵セル２３を負の接点５５及び正の接点５６の一方に接続する際、特に有用である。一方、一組の反対側の整列されたリード線９２は、エネルギー貯蔵媒体１を逆の接点（５５、５６）に接続する。
【０４０６】
巻回された貯蔵セル２３は、ラッパー９３により包囲されていてもよい。ラッパー９３は、様々な実施形態で実現されてもよい。例えば、ラッパー９３は、ＫＡＰＴＯＮ（登録商標）テープ（これは、ドイツ国ウィルミングトンのデュポン（DuPont）により開発されたポリイミドフィルムである）もしくはＰＴＦＥテープとして与えてもよい。この例において、ＫＡＰＴＯＮ（登録商標）テープは、巻回された貯蔵セル２３を包囲し、それに付着される。巻回された貯蔵セル２３にスライド挿入されているタイトにフィッティングしているもののようなラッパー９３は、接着剤を用いることなく、提供されてもよい。ラッパー９３は、巻回された貯蔵セル２３を全体的に巻き込むもの（例えば、前で議論した図１１のエンベロープ７３等）のようなバッグとして、さらに明示されてもよい。これらの実施形態のいくつかにおいて、ラッパー９３は、シュリンクラップとして機能する材料を含んでいてもよく、それゆえ、巻回された貯蔵セル２３の効果的な物理的（そして、一部の実施形態では化学的）包囲物を提供してもよい。概して、ラッパー９３が、ウルトラキャパシタ１０の電気化学的機能と相互作用しない材料から形成される。例えば、巻回された貯蔵セル２３の挿入を支援するため、ラッパー９３は、また、必要に応じて、部分的カバーを提供してもよい。
【０４０７】
いくつかの実施形態において、負のリード線及び正のリード線は、巻回された貯蔵セル２３の反対側に配置されている（ゼリーロールタイプの巻回された貯蔵セル２３の場合において、負の極性のためのリード線及び正の極性のためのリード線が直径方向について反対側にある）。概して、負の極性のリード線及び正の極性のリード線を巻回された貯蔵セル２３の反対側に配置することは、巻回された貯蔵セル２３の製造を容易にするため、且つ、改良された電気的分離を提供するため実行される。
【０４０８】
いくつかの実施形態において、整列されたリード線９１、９２がいったん組み立てられると、複数の整列されたリード線９１、９２の周りにシュリンクラップ（図示せず）が配置されるように、複数の整列されたリード線９１、９２のそれぞれは、その場所で）一体に束ねられる。概して、シュリンクラップはＰＴＦＥにより形成されるが、しかしながら、互換性を有する任意の材料を使用してもよい。
【０４０９】
いくつかの実施形態において、いったんシュリンクラップ材料が整列されたリード線９１の周りに配置されると、整列されたリード線９１は、ウルトラキャパシタ１０が組み立てられる際に呈する所定形状に折り曲げられる。すなわち、図２８に関し、整列されたリード線は「Ｚ」形状を呈すると理解されうる。「Ｚ−折り曲げ部」を整列されたリード線９１、９２に与え、シュリンクラップを適用した後、整列されたリード線９１、９２の周りの場所でシュリンクラップが収縮するように、シュリンクラップを加熱し、さもなければ活性化してもよい。したがって、いくつかの実施形態において、整列されたリード線９１、９２は、ラッパーにより真っ直ぐにされ、そして保護されてもよい。Ｚ状折り曲げの使用は、エネルギー貯蔵媒体１をキャップ２４内に配置されたフィードスルー１９に接続する際、特に有用である。
【０４１０】
さらに、各組の整列されたリード線９１、９２（すなわち、各端子８）を各接点５５、５６に接続する他の実施形態が実施されてもよい。例えば、ある実施形態では、各組の整列されたリード線９１、９２との接続が容易となるように、フィードスルー１９及びハウジング７の一方に中間リード線が接続される。
【０４１１】
さらに、使用される材料は、反応性、誘電値、融点、他の材料への付着性、溶接可能性、摩擦係数、コスト、及び他のそのようなファクター等の特性にしたがって選択されてもよい。所望の特性を提供するために、複数の材料の組み合わせ（例えば、多層化された、混合された、さもなければ組み合わせ）を使用してもよい。
【０４１２】
本明細書に開示されたウルトラキャパシタにおける、水、金属、及び有機不純物を含む不純物のレベルは、所望の性能を達成するために重要である可能性がある。所定の実施形態において、封止されたウルトラキャパシタ１０のハウジング７が開かれてもよく、貯蔵セル１２は不純物についてサンプリングされる。水分含有量は、セル４２からの電極、セパレータ、及び電解質についてカールフィッシャー法を用いて測定してもよい。３つの測定を行い、平均を取ってもよい。
【０４１３】
概して、ウルトラキャパシタ内の混入物質を特徴づけるための方法には、その含有量にアクセルするためハウジング７を破壊すること、その内容物をサンプリングすること、及びサンプルを分析することが含まれる。本明細書の他の箇所において開示された技術を、上記特徴づけをサポートして使用してもよい。
【０４１４】
ウルトラキャパシタと、電極、電解質、及びセパレータを含むその構成要素内における不純物の正確な測定を確実なものとするため、組み立て及び分解を適切な環境、例えば、グローブボックス内の不活性な環境において実行してもよいことに留意すべきである。
【０４１５】
ウルトラキャパシタ１０内の水分含有量を（電解液の質量及び体積について５００ｐｐｍ未満まで、また、不純物を１，０００ｐｐｍまで）減少させることにより、ウルトラキャパシタ１０は、広い温度範囲にわたって、その温度範囲及び電圧範囲内では１０アンペア／リットル未満の漏れ電流（Ｉ／Ｌ）で、より効率的に動作しうる。
【０４１６】
ある実施形態において、特定の温度における漏れ電流（Ｉ／Ｌ）は、７２時間にわたって、定格電圧（すなわち、最大定格動作電圧）においてウルトラキャパシタ１０の電圧を一定に維持することにより測定される。この期間内において、温度は、特定の温度において、比較的一定に維持される。測定期間の最後に、ウルトラキャパシタ１０の漏れ電流を測定する。
【０４１７】
いくつかの実施形態において、ウルトラキャパシタ１０の最大電圧定格は、室温において約４Ｖである。高温（例えば、摂氏２１０度を超える）においてウルトラキャパシタ１０の性能を確保するためのアプローチは、ウルトラキャパシタ１０の電圧定格を低下（すなわち、減少）させることである。例えば、より高い温度における長い動作期間を達成できるように、電圧定格は、約０．５Ｖを下回るように調整されてもよい。
【０４１８】
例示的なウルトラキャパシタ１０の物理的態様は次の表６〜表９に示される。以下の表において、用語「タブ」は、概して、前に議論された「リード線」を示し、用語「ブリッジ」及び「ジャンパ」もまた、ある態様のリード線を示す（例えば、ブリッジは、フィードスルーもしくは「ピン」に接続される一方、ジャンパは、ブリッジをタブもしくはリード線に接続するのに有用である）。様々な接続を使用することにより、組み立てプロセスを容易にし、ある組み立て技術を利用する。例えば、ブリッジは、ピンに対してレーザ溶接もしくは電気抵抗溶接され、ジャンパに対して超音波溶接で接続される。
【０４１９】
【表６】
2016521451.tif 000009
【０４２０】
【表７】
2016521451.tif 000010
【０４２１】
【表８】
2016521451.tif 000011
【０４２２】
【表９】
2016521451.tif 000012
【０４２３】
概して、ウルトラキャパシタ１０は、様々な環境条件及び要求の下で使用してもよい。例えば、端子電圧は約１００ｍＶから１０Ｖまでの範囲であってもよい。周囲の温度は、摂氏約−４０度から摂氏＋２１０度までの範囲かであってもよい。典型的な高温の周囲温度は、摂氏約＋６０度から摂氏＋２１０度までの範囲にわたる。
【０４２４】
表１０及び表１１は、ウルトラキャパシタ１０のこれらの実施形態について比較性能データを提供する。性能データを、図示された様々な動作条件について収集した。
【０４２５】
【表１０】
2016521451.tif 000013
【０４２６】
【表１１】
2016521451.tif 000014
【０４２７】
このように、表１０及び表１１に与えられたデータは、本明細書における教示が、極限条件下でウルトラキャパシタの性能を可能とすることを実証している。これにしたがって製造されたウルトラキャパシタは、例えば、（約２Ｖ未満の電圧かつ摂氏約１５０度未満の温度で保持されつつ）１ミリリットルのセル体積当たり約１ｍＡ未満の漏れ電流を示し、５００時間内において約１００パーセント未満のＥＳＲ増加を示す。ウルトラキャパシタの様々な要求（例えば、電圧及び温度）の中でトレードオフがなされるので、ウルトラキャパシタのための性能定格（例えば、ＥＳＲ、容量等の増大のレート）を管理してもよいし、特定のニーズに合わせて調整してもよい。前述の事項に関連して、「性能レーティング」には、概して、動作条件を説明するパラメータの値に関連する従来の定義が与えられることに留意すべきである。
【０４２８】
試験された例示的な他のウルトラキャパシタには、１−ブチル−３−メチルイミダゾリウムビス（トリフルオロメチルスルフォニル）イミドを含むＡＥＳを具有していた。
【０４２９】
試験された例示的な他のウルトラキャパシタには、１−ブチル−３−メチルイミダゾリウムテトラフルオロホウ酸塩を含むＡＥＳを具有していた。
【０４３０】
試験された例示的な他のウルトラキャパシタには、１−エチル−３−メチルイミダゾリウムテトラシアノホウ酸塩を含むＡＥＳを具有していた。
【０４３１】
試験された例示的な他のウルトラキャパシタには、１−ヘキシル３−メチルイミダゾリウムテトラシアノホウ酸塩を含むＡＥＳを具有していた。
【０４３２】
試験された例示的な他のウルトラキャパシタには、１−ブチル−１−メチルピロリジニウムビス（トリフルオロメチルスルフォニル）イミドを含むＡＥＳを具有していた。
【０４３３】
試験された例示的な他のウルトラキャパシタには、１−ブチル−１−メチルピロリジニウムトリス（ペンタフルオロエチル）トリフルオロリン酸塩を含むＡＥＳを具有していた。
【０４３４】
試験された例示的な他のウルトラキャパシタには、１−ブチル−１−メチルピロリジニウムテトラシアノホウ酸塩を含むＡＥＳを具有していた。
【０４３５】
試験された例示的な他のウルトラキャパシタには、１−ブチル−３−メチルイミダゾリウムトリフルオロメタンスルホン酸潮を含むＡＥＳを具有していた。
【０４３６】
試験された例示的な他のウルトラキャパシタには、１−エチル−３−メチルイミダゾリウムテトラシアノホウ酸塩を含むＡＥＳを具有していた。
【０４３７】
試験された例示的な他のウルトラキャパシタには、１−エチル−３−メチルイミダゾリウム及び１−ブチル−１−メチルピロリジニウム及びテトラシアノホウ酸塩を含むＡＥＳを具有していた。
【０４３８】
試験された例示的な他のウルトラキャパシタには、１−ブチル−１−メチルピロリジニウム及びテトラシアノホウ酸塩及びエチルイソプロピルスルホンを含むＡＥＳを具有していた。
【０４３９】
表１０において示され、本明細書の他の箇所において示された容量及びＥＳＲの測定は、一般に既知の方法に従って行ったことに留意すべきである。まず、容量を測定するための技術について検討する。
【０４４０】
容量は、数多くの方法により測定することができる。一の方法は、既知の電流が（「放電」中に）ウルトラキャパシタから引き出され、もしくは（「充電」中に）ウルトラキャパシタへ供給されているとき、キャパシタ端子に現れる電圧をモニタリングすることを含む。より具体的には、我々は、理想的キャパシタは次式に従うという事実を利用してもよい。
【０４４１】
Ｉ＝Ｃ×ｄＶ／ｄｔ
【０４４２】
ここで、Ｉは充電電流を示し、Ｃは容量を示し、ｄＶ／ｄｔは理想的ウルトラキャパシタの電圧Ｖの時間微分を示している。理想的キャパシタは、とりわけ、その内部抵抗が零であり、その容量が電圧依存性を有するものである。充電電圧Ｉが一定である場合、電圧Ｖは時間に関して線形である。そのため、ｄＶ／ｄｔはその直線の傾き、もしくはΔＶ／ΔＴとして計算することができる。しかしながら、この方法は概して近似であり、容量の計算もしくは測定において、キャパシタの実効直列抵抗により与えられる電圧差（ＥＳＲ降下）が考慮されるべきである。概して、実効直列抵抗（ＥＳＲ）は、キャパシタ内の散逸効果もしくは他の効果の集中定数近似である。キャパシタの挙動は、しばしば、ＥＳＲに等しい抵抗値を有する抵抗と直列に接続された理想的キャパシタを含む回路モデルから導出される。概して、これは、正確なキャパシタ挙動に対して良好な近似を提供する。
【０４４３】
容量を測定する１つの方法において、内部抵抗が実質的に電圧から独立であり、充電電流もしくは放電電流が実質的に固定されている場合、ＥＳＲ降下の影響を殆ど無視することができる。その場合、ＥＳＲ降下は、定数として近似することができ、上記一定電流の充電もしくは放電の間、電圧の変化の計算値から差し引かれる。その際、電圧の変化は、実質的に、キャパシタ上の貯蔵された電荷の変化を反映している。したがって、電圧の変化は、計算により、容量のインジケータと解釈されうる。
【０４４４】
例えば、一定電流の放電中において、一定電流Ｉは既知である。測定時間区間ΔＴにおいて放電中の電圧変化ΔＶを測定し、比ΔＶ／ΔＴにより電流値Ｉを除算することにより、容量の近似値を得る。Ｉがアンペアで測定され、ΔＶがボルトで測定され、ΔＴが秒で測定されるとき、容量の結果はファラッドの単位となる。
【０４４５】
ＥＳＲの推定に移ると、ウルトラキャパシタの実効直列抵抗（ＥＳＲ）は、多数の方法により測定してもよい。一の方法は、既知の電流が（「放電」中に）ウルトラキャパシタから引き出され、もしくは（「充電」中に）ウルトラキャパシタへ供給されているとき、キャパシタ端子に現れる電圧をモニタリングすることを含む。より具体的には、ＥＳＲは次式に従うという事実を用いてもよい。
【０４４６】
Ｖ＝Ｉ×Ｒ
【０４４７】
ここで、Ｉは、ＥＳＲを有効に通過する電流を示し、ＲはＥＳＲの抵抗値を示し、Ｖは、ＥＳＲにより与えられる電圧差（ＥＳＲ降下）を示す。ＥＳＲは、概して、ウルトラキャパシタ内の散逸特性もしくは他の特性の集中定数近似である。ウルトラキャパシタの挙動は、しばしば、ＥＳＲに等しい抵抗値を有する抵抗と直列に接続された理想的キャパシタを含む回路モデルから導出される。概して、これは、正確なキャパシタ挙動に対して良好な近似を提供する。
【０４４８】
ＥＳＲを測定するある方法において、停止状態にあったキャパシタ（実質的な電流で充電もしくは放電されていないもの）からの放電電流を引き込むことを開始してもよい。キャパシタ上の貯蔵された電荷の変化に起因するキャパシタにより表される電圧変化が時間区間の間、が、測定された電圧変化に比較して小さい間、その測定された電圧変化は、実質的に、キャパシタのＥＳＲを反映したものである。これらの条件下、キャパシタにより表された直前の電圧変化は、計算により、ＥＳＲのインジケータと解釈されうる。
【０４４９】
例えば、キャパシタから放電電流の引き出すことを開始する際、測定区間ΔＴにわたって、直前の電圧変化ΔＶにより表すことができる。測定区間間隔ΔＴの間、既知の電流Ｉにより放電されたキャパシタの容量Ｃは、測定された電圧変化ΔＶと比較して小さい電圧変化を発生させる限り、時間区間ΔＴの間のΔＶを放電電流Ｉで除算してＥＳＲの近似値を得てもよい。Ｉがアンペアで測定され、ΔＶがボルトで測定される場合、ＥＳＲの結果はΩの単位を有する。
【０４５０】
ＥＳＲ及び容量の両方が周囲の温度に依存する。それゆえ、関連する測定は、測定の間、目的の特定の周囲の温度にウルトラキャパシタ１０を供することをユーザに要求する。
【０４５１】
漏れ電流の性能要件は、概して、特定の用途において広く行き渡っている環境条件により定義される。例えば、２０ccの体積を有するキャパシタに関し、漏れ電流の実用的な限界値は、１００ｍＡ未満に降下しうる。
【０４５２】
正規化されたパラメータの公称値は、正規化されたパラメータ（例えば体積漏れ電流）に正規化指数（例えば体積）を乗算すること、又は、正規化されたパラメータを正規化指数で除算することにより得られうる。例えば、１０ｍＡ／ｃｃの体積当たりの漏れ電流、及び５０ｃｃの体積を有するウルトラキャパシタの名目漏れ電流は、体積当たりの漏れ電流と体積との積、すなわち５００ｍＡである。一方、２０ミリオーム・ｃｃの体積当たりのＥＳＲ及び５０ｃｃの体積を有するウルトラキャパシタの名目ＥＳＲは、体積当たりのＥＳＲと体積との商、すなわち０．４ミリオームである。
【０４５３】
５．モジュール式信号インターフェース装置（ＭＳＩＤ）
【０４５４】
本明細書に開示された装置、システム、及び方法は、モジュール式信号のインターフェース装置（modular signal interface device：「ＭＳＩＤ」）を含む。ＭＳＩＤは、本明細書に開示された装置、システム、及び方法の様々な有利な態様を可能にする多数の機能を実行するように動作し、それらの機能は、（１）高温電力システム、例えば坑井内電源システムのエネルギー貯蔵構成要素を制御することを含み、他の利点の中でもとりわけ、向上したバッテリー消費効率、より高い電力能力、電力バッファリングのような利点を提供することで、電圧安定性により信頼性を向上させ、（２）高温環境中のデータを記録する手段、例えば坑井内データ記録システムを提供すること、又は（３）として（１）及び（２）の両方を含む。ＭＳＩＤはモジュール式装置である。すなわち、それは、あらかじめ組み立てられた構成要素であって、モジュール式に取り付けられてもよく、所望の機能を提供するために様々な組み合わせから選択されてもよい構成要素から製造されてもよい。さらに、任意のエネルギー貯蔵装置構成要素は、少なくとも本明細書で説明したＨＴＲＥＳを含んでもよい。任意のＨＴＲＥＳは、本明細書で説明した少なくとも１つの高温ウルトラキャパシタを備えてもよい。
【０４５５】
ＭＳＩＤのモジュール式アーキテクチャは、製造容易性を向上させ、同様に、本明細書に開示された装置及びシステムの製造の速さを加速する。従って、本明細書に開示されたＭＳＩＤのもう１つの利点は、製造コストの低減である。さらに、ＭＳＩＤのモジュール式アーキテクチャは、機能並びに便利さを追加することの容易さを向上させ、これは、機能の維持又はアップグレードのコストを低減することに役立つ。モジュール式構成は、さらに、回路を分析のために素早く接続及び切断することができるので、設計及びデバッグサイクルを縮小することに役立つ。本明細書で説明したモジュール式システムのフレームワーク内では、新規な設計及び機能は、配線、寸法、又は回路基板レイアウトに実質的変化を生じる必要なく、迅速に追加可能である。
【０４５６】
モジュール式設計は、いくつかの態様のモジュール性を備える。ＭＳＩＤを備える装置又はシステムは、所定の機能を行うか又は所定の態様を提供するようにそれぞれ設計された少なくとも１つのモジュール、例えば、２つのモジュールを備えてもよく、モジュールは別個のハウジングを備えてもよく、また、それらはコネクタインタフェースで互いにインターフェースを有してもよい。いくつかの実施形態において、上記コネクタインタフェースは、ピン又はレセプタクルのうちの１つを備えるコネクタハウジング及びコネクタを備える。いくつかの実施形態において、嵌合するコネクタによって互いに接続するように、様々なモジュールが構成される。いくつかの実施形態において、１つのモジュールはＭＳＩＤを備え、ＭＳＩＤは、電力システム構成要素及び／又はデータシステム構成要素、例えば、ハウジング及びＨＴＲＥＳを備える回路及び他のモジュールを備え、それは、少なくとも１つのウルトラキャパシタ、例えば１〜１００個のウルトラキャパシタセルを備えるウルトラキャパシタストリング）を備えてもよい。
【０４５７】
ＭＳＩＤのモジュール式設計は、そのコアにおいて特定の回路基板アーキテクチャの使用を導出する。これは、均一性及びモジュール性を提供するスタッカによって電気的に接続される、縮小サイズの複数の円形回路基板から開始して、電気的通信はモジュール式バスを介して接続され、これは、所定の実施形態では、外部装置にＭＳＩＤを関連づけることを支援しうる接続回路基板に接続され、各回路の機能は監視装置によってローカルに制御されてもよく、これは、モジュール式バスとインターフェースをとる回路間のインターフェースを簡単化し、回路基板の組み合わせ全体は、ＭＳＩＤ、又は電力システムのＭＳＩＤ及び任意のＨＴＲＥＳを組み込むように設計されたツールストリングの空間効率的なハウジングに含まれていてもよい。
【０４５８】
回路基板は、モジュール式バスを簡単化するか、さもなければ支援するためのディジタル監視装置を備えてもよい。例えば、所定の機能のために設計された回路が、モジュール式バスのピンにおける信号の標準的な割り当てに容易に適応可能でない構成要素を備えてもよく、又は、複数の異なる回路が、共用されるモジュール式バス上で互いに容易に適応可能でない構成要素を備えてもよい。モジュール式バスとインターフェースをとる回路基板上に配置されたディジタル監視装置は、共用されるモジュール式バスに上記構成要素を適応させるように動作してもよい。具体的には、例示によって、ディジタル監視装置は、ディジタル識別情報の割り当てを受けて、モジュール式バス上で共用される通信を確立してもよい。ディジタル監視装置は、他の監視装置又は他のコントローラから命令を受信し、それに応じて、それらの各回路の機能を制御してもよい。もう１つの例示として、ディジタル監視装置は、それらの各回路の態様を問い合わせるか測定し、その情報をディジタル信号として共用されるモジュール式バスへ報告してもよい。ディジタル監視装置の例は、マイクロコントローラ、例えば、米国アリゾナ州チャンドラーのマイクロチップテクノロジーインコーポレイテッド（Microchip Technology, Inc.）から入手可能な１６Ｆシリーズを含む。
【０４５９】
ａ．全体ＭＳＩＤ構成要素
【０４６０】
データ記録及び／又は報告のための電力システム及び／又はデータインタフェースにおいて有用である、本明細書に開示したＭＳＩＤは、
次の構成要素で構成されてもよい。
【０４６１】
ｉ．回路基板
【０４６２】
ＭＳＩＤのモジュール式設計は、概して、円形形状の回路基板を組み込み、これは、円柱体積、すなわち円柱状ハウジングの場合に一般的な長方形デザインのものが提供するであろうものに比較して、回路／電力及び信号密度を増大させる（又は最大化する）ことを可能にする。これらの回路基板は、動作温度（例えば、摂氏１２５度〜摂氏１５０度）において構造的完全性を保証するために、概して、高いガラス転移温度（例えばＴｇ  ＝摂氏２６０度）を有する高温ラミネート（例えばｐ９５／ｐ９６ポリイミド）からなる。さらに、基板は、熱性能を改善するために、（４以上の）複数の銅の層を含んでいてもよい。
【０４６３】
円形回路基板は、特に坑井内用途で、従来の長方形の回路基板に対する多数の利点を可能にする。図３９に示すように、ＭＳＩＤ３９０は複数の円形回路基板６２を備える。図３２を参照して以下に述べるように、バスコネクタ３２０であってもよいスタッカ３９４を用いて、複数の円形回路基板は、接続されてもよい。したがって、複数の円形回路基板３２３のスタック３９１が本明細書に開示され、個々の回路基板３２３は、回路基板のスタック３９１における他の任意の回路基板３２３に電力を伝送及び／又は転送してもよい。図３９に示すように、円形回路基板のスタック３９１を備えるＭＳＩＤは、１つ又は複数のマルチピン外部コネクタ３９２及び３９３と嵌合されてもよく、それは、回路基板のスタック３９１に接続されてもよく、及び／又は、オプションで各円形回路基板３２３に個々に接続されてもよい。このように、ＭＳＩＤは、他の装置、例えばＨＴＲＥＳ、又はツールストリングを備える坑井内ツールへの、及びそのような装置からの通信及び電力伝送を可能にする。各マルチピン外部コネクタ３９２又は３９３は、特定用途の要件、例えば、必要とされる電力伝送接続、必要とされるデータ接続、冗長性、及び頑健さに基づいて、ＭＤＭタイプコネクタ（例えばマイクロＤ）のような様々な利用可能なコネクタから選ばれてもよい。［００４６５］円形回路基板は、坑井内環境において特に有利である。ここでは、典型的な坑井内ツールストリングのフォームファクタは円柱状ＭＳＩＤ構成要素を必要とし、空間的制約が大きくなる。円形回路基板、例えば本明細書に開示されるようなスタック可能な円形回路基板は、坑井内空間及びＭＳＩＤ内の接続性、例えばデータ及び電力伝送の利用に関して、より高い効率を可能にすることができる。
【０４６４】
ｉｉ．スタッカ
【０４６５】
所定の実施形態において、モジュール式アーキテクチャは、図３２に示すように、ヘッダ及びレセプタクルを備えるバスコネクタとして基板スタッカを利用する。これは、回路基板の電気的な接続及び切断を容易かつ便利に行う方法を提供する。スタッカは、モジュール式アーキテクチャによって永続するすべての回路が機械的に互換性を有し、互いに合うように、上部及び下部スタッカの整列及び反復可能な位置決めを行うために、回路アーキテクチャにおいてトポロジー的に位置決めされる。図３２に示すように、上述した円形回路基板と同様に、円形回路基板３２３としてここで示した回路基板は、スタッカを使用して、スタックされた構成で取り付けられてもよい。図３２に示すように、回路基板３２３間の電気的な接続を提供するために、スタッカは、さらにバスコネクタ３２０として動作してもよい。所定の実施形態では、図３２に示すように、バスコネクタ３２０はメス構成要素３２１及びオス構成要素３２２を備え、それらはを相互接続することで、回路基板３２３をスタックされた形式で接続することと、回路基板３２３を切断してそれらを分解することとが容易化される。本明細書に開示されたＭＳＩＤの所定の実施形態のこの特徴は、装置及びシステムのモジュール性をさらに向上する。
【０４６６】
さらに、スタッカは、摂氏７５度より高い温度、例えば摂氏１２５度より高い温度、例えば摂氏１５０度より高い温度におけるそれらの有用性と、例えば嵌合レセプタクルへのバネクリップ又はツイストピンなどの係合による、構造上の強度を失うことなくヘッダの嵌合ピンとの接触を確立するそれらの能力とに基づいて選択される。特定の実施形態において、スタッカは、金属であり、坑井内掘削の場合のように、熱に加えて機械的振動及び衝撃にさらされたときに構造上の強度を提供するように構成される。特定の実施形態において、スタッカ接続装置は、比較的より小さなサイズを有する回路基板を合うように小型である。
【０４６７】
さらに、所定の実施形態において、切断が生じたとき、切断の影響を緩和するために、電気的な冗長性が使用される。特定の実施形態において、電力線はスタッカにおける複数の冗長なラインを有する。例えば、電子回路へのキャパシタストリング接続は、増大した信頼性のために２本のピン上で行われてもよく、減少したライン抵抗は、より少ないエネルギー損及びより大きなピーク電力をもたらす。
【０４６８】
ファームウェアに関して、通信はスタッカハードウェアによっても可能になる。限られた量の空間のために、通信する多数のラインの要件に起因して、アーキテクチャに適さない多数の通信プロトコルがある。所定の実施形態において、ＭＳＩＤに組み込まれる通信プロトコルは、無制限の個数の周辺装置に対処することができる４つのライン、すなわち、（１）データ：バイナリ信号；（２）クロック：データライン上のデータキャプチャのトリガとして使用される；（３）ポーリング：データ方向を制御し、かつハードウェアを簡単化する追加の信号；及び、（４）接地：すべての回路に共通のシステム全体にわたるノードを利用する、同期通信プロトコルを備える。
【０４６９】
さらに、所定の実施形態において、ＭＳＩＤは、増大した構造的完全性のために回路基板間に配置されたスタンドオフを有して構成される。概して、スタンドオフのサポートは各回路間の間隔を維持する剛性のサポートを提供する。スタンドオフのサポートのそれぞれは、適切であれば、金属材料及び／又はポリマーの形式のような絶縁材料のような材料から製造されてもよい。
【０４７０】
いくつかの実施形態において、本発明の回路は円形であってもよい。いくつかの実施形態において、本発明の回路はスタック可能であってもよい。いくつかの実施形態において、本発明の回路は、図３９に示すように、回路基板のスタック３９１を形成するようにスタックされてもよい。いくつかの実施形態において、本発明の回路は円形かつスタック可能であってもよく、及び／又は、スタックされていてもよい。
【０４７１】
ｉｉｉ．接続回路基板
【０４７２】
さらに、所定の実施形態において、ＭＳＩＤは接続回路基板を備える。接続回路基板は、製造容易性及び便利さを緩和し、電気的保護を提供してもよい。接続回路基板は、電力システム又はデータ記録及び／又は報告システムの終端コネクタに接続回路基板を電気的に接続することができる。接続回路基板は、さらに、終端コネクタワイヤ又は他のワイヤをスタッカに接続してもよく、スタッカにより、これらの信号がモジュール式回路基板によってアクセスされることを可能にする。接続回路基板と、スタック可能な回路のモジュール式アーキテクチャとを使用することにより、回路は、必要であれば、速くシステムから迅速に取り外され、置き換えることができる。
【０４７３】
接続回路基板は、そのような電気的接続において以前は必要であった、扱いにくいバットジョイント（butt joint）の量を削減する。この点で、接続回路基板及びモジュール式アーキテクチャの以前では、すべての配線はすべての回路基板を通過すること、非常に微妙でありかつ退屈な処理を必要とし、この結果、使用可能な表面積は少なくなり、生産量及び品質は低下し、信頼性は低下し、製造時間は長くなった。
【０４７４】
所定の実施形態において、接続回路基板は、さらに、電子回路の敏感なノードを保護するために、ＥＳＤ保護（ＴＶＳダイオード及びＲＣスナバ）を含む。接続回路基板は、プログラミングラインを多重化し、高電圧プログラミングラインを別個のままにしておくことにより、バス上に取り付けられた任意の個別回路のプログラミングを容易にするために使用されてもよい。
【０４７５】
監視装置構成要素は、接続回路基板に接続された追加の回路基板へのプロトコルコマンド及びその回路基板からのプロトコルコマンドを関連づけることができる。
【０４７６】
ｉｖ．システムハウジング
【０４７７】
坑井内電子回路とともに使用するためのＭＳＩＤを含んでいるハウジングは、ツールストリングの内部で配置されてもよい。ハウジングは本発明のシステムの配置に適した任意の形状であってもよいが、所定の実施形態において、ハウジングは円形であり、本明細書で説明した円形回路基板の直径に適合する。優位点として、本発明の本システム、例えば電力システム又はデータ記録及び／又は報告システムはハウジング内に配置され、同じ目的で使用される既存システムと比較して、ツールストリングにおける貴重な空間のより少量を使用する。そのような追加の空間効率は、ＭＳＩＤを備える回路及びアーキテクチャで達成される、より高い電力及び／又は信号密度から導出される。ハウジングの減少した内径は、ハウジング材料の十分な厚さを保持ながら、ハウジングの外径を低減させる能力を提供する。動作可能な回路のそのようなサイズ削減は、大きな進歩性を有する回路設計を伴うものであった。しかしながら、本明細書では以下に、便利さ及び製造の容易さのためのハウジングのモジュール式の態様を増大させる、ハウジングの改良に係る追加の実施形態を示す。
【０４７８】
図１０及び図３９に示すように、本明細書に開示されたハウジングは、坑井内環境で使用される、頑健なモジュール式の装置及びシステムを提供する。図１０Ａ及び１０Ｂは、本明細書に開示した所定の実施形態による例示的な装置を示し、ここでは、ＨＴＲＥＳモジュール４０１は、図３９に示すＭＳＩＤ３９０と同様のＭＳＩＤ４０２へＭＤＭ（例えばマイクロＤ）コネクタを介して接続されている。図１０Ａは、ＭＳＩＤモジュール４０２及びＨＴＲＥＳモジュール４０１を備える、本明細書に開示される完全に組み立てられたモジュール式電力システム４００を示す。図１０Ｂは、別個のＨＴＲＥＳモジュール４０１を示し、これは、ウルトラキャパシタストリング（例えば、最大で１００個までのウルトラキャパシタセルを備える）と、マルチピンコネクタ４０３を介して相互接続するＭＳＩＤモジュール４０２とを示し、マルチピンコネクタ４０３はＭＤＭスタイルのコネクタ（例えばマイクロＤ）であってもよい。このように、様々なシステム回路を備えるＭＳＩＤモジュール４０２は、ＨＴＲＥＳモジュール４０１と通信し、制御し、モニタリングし、またＨＴＲＥＳモジュール４０１から電力を転送することができる。
【０４７９】
ｂ．ＭＳＩＤシステム回路
【０４８０】
所定の実施形態において、本明細書に開示された装置及びシステムは、電力システムの構成要素として構成されたＭＳＩＤを備える。一例において、ＭＳＩＤは様々な回路を備えてもよい。非限定的な例示は、接続回路、少なくとも１つのセンサ回路、ウルトラキャパシタ充電器回路、ウルトラキャパシタ管理システム回路、切り換え回路、充電状態回路、及び電子管理システム回路を含む。
【０４８１】
１つの実施形態において、ＭＳＩＤは、接続回路、ウルトラキャパシタ充電器回路、ウルトラキャパシタ管理システム回路、切り換え回路、充電状態回路、及び電子管理システム回路を備える。
【０４８２】
１つの実施形態において、ＭＳＩＤはモジュール式回路基板をさらに備える。別の実施形態において、モジュール式回路基板は円形である。別の実施形態において、モジュール式回路基板はスタックされている。別の実施形態において、モジュール式回路基板は円形であり、かつスタックされている。
【０４８３】
所定の実施形態において、電源は、ワイヤーライン電源、バッテリー、又は発電機の少なくとも１つを備える。
【０４８４】
所定の実施形態において、電源は少なくとも１つのバッテリーを備える。この実施形態において、ＭＳＩＤは、特に電源がバッテリー以上のものを備える場合、クロスオーバー回路をさらに備えてもよい。特定の実施形態では、ＭＳＩＤは充電状態回路基板をさらに備える。
【０４８５】
所定の実施形態において、電源はワイヤーラインと、少なくとも１つのバッテリー、例えばバックアップバッテリーとを備える。この実施形態において、ＭＳＩＤは、クロスオーバー回路をさらに備えてもよい。特定の実施形態では、ＭＳＩＤは充電状態回路をさらに備える。
【０４８６】
所定の実施形態において、電源は発電機を備える。
【０４８７】
所定の実施形態において、電源は、発電機と、少なくとも１つのバッテリー、例えばバックアップバッテリーとを備える。この実施形態において、ＭＳＩＤは、クロスオーバー回路をさらに備えてもよい。特定の実施形態では、ＭＳＩＤは、充電状態回路をさらに備える。
【０４８８】
所定の実施形態において、多機能の回路基板を提供するために、複数の回路基板が組み合わせられてもよい。
【０４８９】
所定の実施形態において、ＭＳＩＤは電力変換器を備える。別の実施形態において、上記電力変換器はスイッチドモード電力変換器である。いくつかの実施形態において、上記電力変換器はフィードバック制御によって調整される。電力変換器の例は、インダクタに基づく変換器を含み、例えば、バック型、昇圧型、降昇圧型、ｃｕｋ型、フォワード型、フライバック型、又は変形物などを含むとともに、スイッチドキャパシタ型などのインダクタレス型変換器を含む。
【０４９０】
スイッチドモード電力変換の使用によって、本発明の電力システムは、概して、６０％を超える効率、例えば７０％を超え、例えば８０％を超え、例えば９０％を超え、例えば９５％を超える効率
を達成する。
【０４９１】
調整された電力変換器の使用によって、本発明の電力システムは、電圧、電流、及び／又は電力の調整された態様を行う。電力変換器の使用によって、本発明の電力システムは、電力、電圧、及び／又は電流の変換を行う。
【０４９２】
ｉ．ウルトラキャパシタ充電器回路（ＵＣＣ）
【０４９３】
所定の実施形態において、ＭＳＩＤは電力変換器を備える。別の実施形態において、電力変換器はウルトラキャパシタ充電器回路（ultracapacitor charger circuit：「ＵＣＣ」）である。ＵＣＣの機能は、ＨＴＲＥＳ、例えば１〜１００個のウルトラキャパシタセルを備えるウルトラキャパシタストリングの充電及び放電を制御することにある。ＵＣＣは、例えば摂氏７５度を超える高温動作、例えば摂氏１２５度を越え、例えば摂氏１５０度を越える高温動作と、調整可能な充電電流制御と、キャパシタバンクのための電圧保護の冗長性と、広い入力／出力電圧範囲とを特徴とする。所定の実施形態において、ＵＣＣは、当該技術分野で既知である、負荷遷移中の出力電圧において右半平面（ＲＨＰ）がゼロであることの影響を緩和するために、電流モード調整を用いる集積回路（「ＩＣ」）を有するコントローラを備える。この点で、ＵＣＣは最適範囲の動作を提供し、これにより、変換器は、校正されたデューティ比で充電して全体的な損失を最小化し、例えば、バス電圧は最適化されている。
【０４９４】
所定の実施形態において、ＵＣＣはスイッチモード電力変換を使用し、ここで、少ないウルトラキャパシタ充電のとき、ＩＣはより効率的な、すなわち損失が少ない電流モード制御を使用し、続いて、ウルトラキャパシタ電荷貯蔵がより大きなレベルになったとき電圧制御モードに切り換え、そのような切り換えにより、結果としてウルトラキャパシタのより効率的な充電をもたらす。
【０４９５】
所定の実施形態において、ＭＳＩＤは、例えば、エネルギー源から連続的かつ定常的な電流を引き出すことが望ましいか、又は特定のパルスプロファイルが最良である用途では、入力電流の波形整形を行う。特定の実施形態では、そのような電流の波形整形は、カソードのフリーズオーバー（freezeover）の影響又は不動態化の影響のような、バッテリー中の望ましくない電気化学的影響を防ぐ。
【０４９６】
所定の実施形態において、例えば、エネルギー源から連続的かつ定常的な電流が引き出されることが望ましい用途では、ＭＳＩＤは入力電流平滑化を行う。特定の実施形態では、そのような電流の平滑化は、直列抵抗において伝導損失を低減させる。
【０４９７】
ＵＣＣが定電圧モードで動作している所定の実施形態において、ＵＣＣは、キャパシタストリング切断の場合に定電圧を供給することができる。例えば、ＵＣＣは、より低いレベルで、負荷への電力源として動作し続けることができる。
【０４９８】
１つの実施形態において、ＵＣＣコントローラはディジタル的に実装される。そのようなシステムの利点は、構成要素の削減及びプログラム可能性を含む。所定の実施形態において、スイッチネットワークの制御は、マイクロコントローラ／マイクロプロセッサによって行われる。
【０４９９】
１つの実施形態において、調整可能な電流は、コントローラＩＣがディジタル的に通信しないとき、コントローラＩＣが解釈するアナログ電圧を生成する監視装置及び低域通過フィルタによって生成されたパルス幅変調（ＰＷＭ）制御信号により、ディジタル的に確立されてもよい。コントローラＩＣは、出力電流、例えばウルトラキャパシタ充電電流を調整するように構成される。充電電流の制御を通じて、ＵＣＣは、例えば、ＩＣのオンオフ制御によって電圧が電圧バンド内に維持されるヒステリシス制御によって、ウルトラキャパシタにおける電圧を調整することができる。
【０５００】
ＵＣＣは所定の実施形態において、ディジタル制御されてもよい。別の実施形態において、ＵＣＣは電子回路管理システム（ＥＭＳ）によってディジタル制御されている。別の実施形態において、ＵＣＣは、エネルギーを節約するためにスリープモードに入ることができ、この態様はディジタル制御によって提供されてもよい。
【０５０１】
ＵＣＣコントローラはアナログ方式で実装されてもよい。そのような構成において、フィードバック制御は、概して、演算増幅器、抵抗器、及びキャパシタのような構成要素を用いて実行されるだろう。有効であるものの、この構成の小さな欠点は、充電電流及び出力電圧を制御する柔軟性を本質的に欠いていることにある。
【０５０２】
所定の実施形態において、ＵＣＣは、本明細書に開示されたシステム回路のうちの任意のもののような、接続回路、ＥＭＳ回路、クロスオーバー回路、及び／又は１つ又は複数のエネルギー源（バッテリー、発電機、又はワイヤーラインなど）に対してモジュール式バススタッカによって電気的に接続され、さらに、それらと通信するようにプログラミングされたコントローラＩＣを備える。ＵＣＣは、さらに、電圧サンプリングのための抵抗ネットワーク、ステップダウン電力セクション（例えばバック変換器）、ステップアップ電力セクション（例えば昇圧コンバータ）電流モード制御に必要なインダクタ電流検出抵抗、及び／又は充電電流を調整するために必要な充電電流検出抵抗
を備えてもよい。
【０５０３】
所定の実施形態において、ウルトラキャパシタを充電するための電力変換器はヒステリシス制御される。例えば、充電電流は変換器及びフィードバック制御回路によって調整される。ウルトラキャパシタの電圧は、電力変換器又は監視装置などによって測定される。例えば、ウルトラキャパシタにおける電圧が所定のしきい値に達したとき、電力変換器はディセーブルされてもよい。代替として、電圧が所定のしきい値に達したとき、充電電流は低減されてもよい。このように、様々な利点が実現されてもよい。まず、電圧設定点及びヒステリシスバンドは、フィードバック制御回路の再設計、例えば安定性及び動力学に関してはさもないと必要になる可能性がある再設計なしで、ファームウェア又はソフトウェアにおいて、すなわちディジタル的に設定されてもよい。したがって、出力電圧は、ユーザ又はコントローラによって、例えば動作時に、容易に調節される。第２に、ウルトラキャパシタの充電効率の改善は、概して、充電電流を制限又は調整することによって行われ、また、多くの負荷が、適切に動作する範囲内に電圧があると期待するのに対して、充電電流を調整するためのフィードバック制御を有するコントローラは、負荷を適切に動作させる範囲内にあるように選択された電圧を生じさせるように使用されてもよい。
【０５０４】
ｉｉ．クロスオーバー（ＸＯ）回路
【０５０５】
所定の実施形態において、クロスオーバー回路は、複数の電源の使用を可能にするために、接続回路基板によって電気的に接続されて制御されるスタッカを介してモジュール式アーキテクチャへシームレスに追加することができる周辺回路基板である。ＵＣＣに加えて、クロスオーバー（cross over：「ＸＯ」）回路は自律的能力を所有する。
【０５０６】
１つの実施形態において、クロスオーバー回路は、１つの電源からもう１つの電源に初期電源が消耗された後で切り換えるように、あらかじめプログラミングされていることが可能である。
【０５０７】
もう１つの実施形態において、クロスオーバー回路は、２つの電源をともに並列化し、負荷に配送することができる電力を増大するか、又は、個々の、ほとんど消耗された電源がそれだけでは負荷を駆動するのに充分な電力を配送できない場合には、個々の電源のまさに最後の残るエネルギーを抽出する能力を有する。
【０５０８】
クロスオーバー回路は、所定の実施形態において、電子回路管理システム（ＥＭＳ）によってディジタル制御されてもよく、エネルギーを節約するためにスリープモードに入ることができる。
【０５０９】
クロスオーバー回路は監視装置を備えてもよく、所定の実施形態では、モジュール式バススタッカによって、回路の監視装置を介して、接続回路、ＥＭＳ回路、充電状態回路、及び／又は１つ又は複数エネルギー源（バッテリー、発電機、又はウルトラキャパシタストリングなど）に電気的に接続され、また、これらの回路と通信するようにプログラミングされる。クロスオーバー回路はさらに、電流検出抵抗；電圧サンプリングのための抵抗ネットワーク；充電状態測定のための電流検出抵抗；バス電圧が一次電源にブートストラップされることを可能にする一方向性の一次切断であって、ブートストラップ動作中の消散を低減するためのｐ−チャネルＭＯＳＦＥＴと並列な低順方向電圧のダイオードを介して最初に電力は処理され、いったん電圧がバスで確立されると、抵抗−ダイオードネットワーク及びｎ−チャネルＭＯＳＦＥＴによってオンされてもよくなる（ｐ−チャネルＭＯＳＦＥＴがエンハンスされる）一次切断；二次電源からバスへの電力を処理する双方向性の二次切断であって、一次切断とは異なり、二次電源をバスから完全に切断することができる二次切断；ｐ−チャネルＭＯＳＦＥＴのゲートにバイアスをかけるための抵抗−ダイオードネットワークであって、低電圧切断動作（分圧抵抗）と、高電圧切断動作（ゲート電圧を安全な動作電圧へクランプするダイオード）とを可能にするようなサイズを有するネットワーク；及び／又は、制御信号が存在しないときにｎ−チャネルＭＯＳＦＥＴがオフされることを保証する出血抵抗を備えてもよい。
【０５１０】
ｉｉｉ．充電状態（ＳｏＣ）回路
【０５１１】
所定の実施形態において、ＳｏＣ回路は、与えられたエネルギー源の残り及び／又は使用済の容量の推定値を供給するように動作する。この回路は測定された電流、温度、電流プロファイルの時間領域の形状を組み合わせることができ、また、与えられたエネルギー源の残りランタイムを決定するためのモデルを生成することができる。
【０５１２】
電流の測定は、エネルギー源、特にバッテリーのサービス時間の決定において重要なファクターである。そのため、所定の実施形態において、電流はトランスコンダクタンス増幅器として動作する既製のＩＣを用いて測定されてもよい。所定の実施形態において、電流はホール効果センサ／磁力計、誘導のセンサ、磁気センサ、又はハイサイドもしくはローサイドの電流検出抵抗を用いて測定されてもよい。
【０５１３】
温度は測温抵抗体（ＲＴＤ）、大きな温度係数を有する抵抗、温度依存の抵抗を用いて測定されてもよい。抵抗は、マイクロコントローラの出力ピンに接続された分圧抵抗を用いることで読み取られる。測定が行われるとき、分圧抵抗は５Ｖまで引き上げられる。分圧抵抗をオン及びオフすることは、電力を節約し、抵抗における自己発熱を低減させる。温度を測定する他の方法は、バイメタル接合（すなわち熱電対）、又は既知の温度係数トランジスタに基づく回路を有する他の装置、又は赤外線検出装置を使用することを含む。
【０５１４】
これらの測定値は、与えられたエネルギー源の所定時間にわたる挙動について記述する与えられたモデルへの入力として使用することができる。例えば、バッテリー電流における大きな変動は、リチウム塩化チオニルバッテリーの定格容量を低減することが示された。このバッテリー化学について、電流プロファイルについての知識は、バッテリーの残り容量を決定する際に有用だろう。
【０５１５】
充電状態回路は監視装置を備えてもよく、所定の実施形態では、モジュール式バススタッカによって、回路の監視装置を介して、接続回路、ＥＭＳ回路、クロスオーバー回路、及び／又は１つ又は複数エネルギー源（バッテリー又はウルトラキャパシタストリングなど）に電気的に接続され、また、これらの回路と通信するようにプログラミングされる。充電状態回路は、さらに、プルアップ抵抗；監視装置及び他のディジタル電子回路のための適切な電圧を確立するために使用される電圧レギュレータ；電流検出回路；一方向性負荷切断であって、ｐ−チャネルＭＯＳＦＥＴはプルダウンｎ−チャネルＭＯＳＦＥＴへの制御信号を介してエンハンスされ、分圧抵抗比は低い電圧レベルでｐ−チャネルＭＯＳＦＥＴに適切なバイアスをかけさせるように選択され、一方、ツェナーダイオードはＭＯＳＦＥＴにわたる最大ソース−ゲート電圧をクランプするように動作するもの；及び／又は、及び／又は、アナログ電圧を読み取りのために必要な分圧抵抗ネットワーク及びＡＤＣバッファキャップで実装された外部通信バスを備えてもよい。
【０５１６】
ｉｖ．ウルトラキャパシタ管理システム（ＵＭＳ）回路
【０５１７】
所定の実施形態において、ＭＳＩＤはウルトラキャパシタ管理システム（ultracapacitor management system：ＵＭＳ）回路を備える。ウルトラキャパシタ管理システム回路は、動作の全体にわたって個々のセル健全性を保持する主目的を有する。ＵＭＳ回路は、個々のセル電圧を測定してもよく、又は、ストリング及びそれらの充電／放電レート内のセルの部分集合の電圧を測定してもよい。ＵＭＳ回路監視装置は、最適化アルゴリズム及びデータログに含められる、電子回路管理システム（ＥＭＳ）回路に伝達されてもよいセル健全性を決定するために、
これらのパラメータを使用する。
【０５１８】
さらに、所定の実施形態において、ＵＭＳ回路はセルのバランス処理及びバイパス処理を担当する。セルのバランス処理は、ウルトラキャパシタが動作中に過充電されたり損傷を受けたりすることを防ぐ。セルのバイパス処理は、個々のセルのまわりで充電及び放電電流を迂回させる。従って、セルのバイパス処理は、セルが激しい損傷を受けたり、又は異常に高い等価直列抵抗（ＥＳＲ）を示している場合に、効率的な動作を保つために使用される。
【０５１９】
ＵＭＳ回路は、頻繁なセル電圧測定と、充電電流についてＥＭＳと通信することとにより、個々のセル健全性を決定できる。セル健全性情報は、モジュール式通信バス上で、例えばモジュール式バススタッカを介して、ＥＭＳ回路に中継されてもよい。その後、セル健全性情報は、システムの挙動を変更するために、ＥＭＳ回路によって使用することができる。例えば、ＥＭＳ回路が、高い出力キャパシタ電圧に調整することにより、負荷への大きな出力電力をサポートしている場合を考える。しかしながら、１つ又は複数のウルトラキャパシタが損傷を受けたことをＵＭＳ回路が報告した場合、ＥＭＳは、それらのウルトラキャパシタをより低い出力電圧へ調整することを選択することができる。より低い出力電圧は出力電力能力を低下させるが、ウルトラキャパシタの健全性を保つことを支援する。
【０５２０】
そのため、１つの実施形態において、ＵＭＳ回路は、それぞれの、及びウルトラキャパシタストリングセルの健全性をモニタリングしながら、セル電圧レベルを独立に制御するための便利な方法を提供する。
【０５２１】
所定の実施形態において、図３３に示すように、ＵＭＳ回路の監視装置は、内部回路通信バスを介してＵＭＳコアに通信してもよい。この例において、データ及びコマンド信号は、ＵＭＳコア及び監視装置の間で内部通信バスを介して転送される。監視装置は、各ウルトラキャパシタセルの電圧を測定するようにＵＭＳコアを制御する。各ウルトラキャパシタセルは、複数のウルトラキャパシタセルのバンクであってもよい。充電状態に依存して、監視装置は、各セルのバランスを保つコマンドをＵＭＳコアに送る。特定の実施形態では、セル健全性を最適化し、かつ、バランス処理の間に発生してもよい熱上昇を最小化するように、バランス時間及び周波数が監視装置を介して制御される。セル健全性は、監視装置によってモニタリングされ、監視装置によってモジュール式バスを介してＥＭＳ回路に伝達されてもよい。さらに、所定の実施形態において、外部装置、例えばＭＯＳＦＥＴを使用することにより、監視装置は、与えられたセルをバイパスすると決定することができる。
【０５２２】
ＵＭＳコアは、個々のセルの電圧の測定を可能にする回路を有する。さらに、ＵＭＳコアは、セル電圧を低減するために、個々のセルから電荷を除去することができる。１つの実施形態において、ＵＭＳコアは、抵抗のような受動素子を介して過剰なエネルギーを消散させることで、個々のセルのバランスを保つ。もう１つの実施形態において、電荷を、高電圧を有する１つのセルから除去し、低電圧を有する他のセルへ転送することができる。充電の転送は、過剰な電荷を貯蔵してリリースするための外部のキャパシタ又はインダクタの使用を通じて達成することができる。
【０５２３】
所定の実施形態において、セルのバランス処理及びモニタリングが連続的に、すなわち常に行われる必要はないので、ＵＭＳ回路は小電力のスリープ状態に入ってもよい。例えば、ＥＭＳ回路は、モジュール式通信バスを介してＵＭＳ回路を以下のように制御してもよい。（１）使用中でないとき、ＵＭＳ回路が動作の小電力消費モードに進むことができ、（２）呼び出されたとき、ＥＭＳ回路はＵＭＳ監視装置を介してセルモニタリング及びバランス処理を開始することができる。
【０５２４】
所定の実施形態において、モジュール式バスは、通信バス上における、ＵＭＳ回路監視装置、ＥＭＳ回路、及び他の監視装置ノードの間の双方向通信を可能にする。図３３に示すように、ＵＭＳ回路監視装置への電力は、モジュール式バスを介して供給されてもよい。
【０５２５】
所定の用途において、回路のバランスを保つことは、セル電圧が設定電圧を超過するとき、自動的にセルのバランスを保ってもよい。この挙動は、ウルトラキャパシタストリング電圧へのリアルタイム調整を行う能力を提供する。ＵＭＳ回路は、モジュール式バス上で通信し、これにより、セルバランス動作をリアルタイムで更新することを可能にするように構成されてもよい。さらに、モジュール式バス上の通信は、ＵＭＳ回路の外部にデータを格納することを可能にする。このモジュール性により、ＵＭＳ回路は広範囲の用途を有することが可能になる。
【０５２６】
所定の実施形態において、監視装置及びモジュール式バスは、ＵＭＳ回路への大規模な修正を必要とせずに、記録分解能及び寿命のような、ウルトラキャパシタ及びシステムの要件を変化させることを可能にする。
【０５２７】
所定の実施形態において、セル健全性情報は、ＵＭＳ回路上にローカルに格納するか、又は、モジュール式バスを介して送信した後でＥＭＳによって格納することができる。セル情報は、ウルトラキャパシタのバンクが使用後に交代される必要があるか否か、又は、サービスが個々のセルにサービスが必要であるか否かを決定する際に有用になりうる。
【０５２８】
所定の実施形態において、セルが高電圧を経験するとき、ＵＭＳ回路は、そのセルをより低い電圧に放電することができる。セルをより低い電圧へ放電することによって、セルの寿命は改善される。ストリング全体にわたってバランスのとれたセル電圧を保つことにより、キャパシタストリングの寿命を改善して最適化する。
【０５２９】
ある場合には、セルを放電することは、周囲の電子回路を破損する可能性がある過剰な熱を生成する。さらに、多くの場合、セルの損傷又は過剰な熱損失を防ぐために、セルからの放電電流を制御することが有利である。そのため、所定の実施形態において、ＵＭＳ回路は、広く分離された回路面積にわたって放電電流を分配することにより、放電電流プロファイルを制御することができ、これにより、改善された熱管理及びセル健全性を可能にする。例えば、放電イベントによって生じた熱は、多くの場合、ＵＭＳ回路の１つのセクションに局所化される。複数セルのバランスを保つ必要がある場合、温度上昇を低減するために、ＵＭＳ回路における隣接した場所において温度上昇を引き起こすセルのバランスを保たないことが有利である。従って、ＵＭＳ回路は、ＵＭＳ回路におけるそれらの空間的場所に基づいて、どのセルのバランスを保つかを選択することで、温度上昇を管理する。これらの機能は監視装置によって管理されてもよく、さらに、ＥＭＳ及び／又は上述のものの組み合わせによって管理されてもよい。
【０５３０】
所定の実施形態において、ＵＭＳ回路は、放電時間を制御することで、バランスを保っているときの温度上昇を管理する。例えば、所望のセル電圧に達するまでウルトラキャパシタを常に放電することに代わって、監視装置は、周期的に充電を開始及び停止することを選択する。放電イベント間のデューティサイクルを増大することによって、セル放電電流によって引き起こされた温度上昇を緩和することができる。
【０５３１】
所定の実施形態において、損傷を受けたセルは周囲のセルに比較して、減少した容量を示す可能性がある。この場合、セルはより高い充電及び放電レートを示すだろう。正常なバランス動作は、この場合にセルへのいかなる損傷も緩和するだろう。同様に、所定の実施形態において、セルは増大した漏れ電流を示す可能性があり、これにより、セル電圧は常に低下し続ける。あるセルにおける減少した電圧は、他のセルがより高い平均電圧を保持することを必要とするだろう。再び、正常なバランス動作は、この場合にセルへの損傷を緩和するだろう。
【０５３２】
所定の実施形態において、セルは、それが非常に高いＥＳＲを示し、キャパシタストリング全体の電力取り扱いを劣化させるという点で、損傷を受ける可能性がある。これらの場合において、典型的なバランス動作は課題を解決しないだろう。この重大時には、ＵＭＳ回路は、与えられた任意のセルをバイパスすることを選択できる。セルをバイパスすることは、充電及び放電電流をバイパスする外部ダイオードのような非線形デバイスを介して達成されてもよく、これにより、他のすべてのセルは、より高い平均電圧を貯蔵しなければならなくなる。しかしながら、ストリングの電力取り扱い能力が保持される。
【０５３３】
直列又は並列直列で接続された複数のバッテリー及び／又はウルトラキャパシタが存在する所定の実施形態において、個々のセルの充電状態をモニタリングし、バランスを保つことの両方が重要である。ＵＭＳ回路は、効率、システム健全性、及び熱管理を改善するための追加の機能を含む一方、ウルトラキャパシタのストリングをモニタリングしてバランスを保つために必要な回路を備える。
【０５３４】
所定の実施形態におけるＵＭＳ回路は監視装置を備え、モジュール式バススタッカによって、接続回路、ＥＭＳ回路、充電状態回路、クロスオーバー回路、又はＭＳＩＤにおける他の回路、及び／又は１つ又は複数のエネルギー源（バッテリー、ワイヤーライン又は発電機など）と電気的に接続され、また、これらと通信するようにプログラミングされている。ＵＭＳ回路は、ＵＭＳの機能を行うための集積回路（「ＩＣ」）又はコントローラと、トランジスタ又はダイオードのようなスイッチ装置と、及び様々な付属構成要素とを備えてもよい。ＩＣは既製のモノリシック制御ＩＣから選択されてもよい。
【０５３５】
ｖ．電子回路管理システム（ＥＭＳ）回路
【０５３６】
所定の実施形態において、ＭＳＩＤは電子回路管理システム（Electronics Management System：「ＥＭＳ」）回路を備える。ＥＭＳ回路は、以下のものの１つ又は複数が可能である多機能装置である：システム性能及び環境条件のデータを収集して記録すること；他の回路を管理すること；及び、プログラミング及びデータ伝送のために外部システムに通信すること。
【０５３７】
所定の実施形態において、ＥＭＳ回路ハードウェアは周囲のハードウェアにタイトに統合され、これにより、システム全体の挙動の制御及びモニタリングを可能にする。ハードウェアは、インテリジェントにシステム性能を最適化するために、外界センサを用いて、また、マイクロプロセッサ間の通信を用いて、他の複数のマイクロコントローラの動作を管理するインテリジェントなファームウェアによって補われてもよい。その効果は、極めて用途が広く有能なシステムであって、環境及び要件における変化にリアルタイムで適合することができるものである。
【０５３８】
所定の実施形態において、ＥＭＳ回路は、システム性能及び環境条件のデータを収集して記録する。ＥＭＳ回路は、例えばＥＭＳ回路監視装置を介して、外界センサから直接に、及び他の回路からモジュール式バス上の通信を通じて、センサデータを記録することを担当する。このデータは、システム性能を最適化のために評価することに使用されてもよい。概して、著しいイベントは後の評価のために記録されてもよい。
【０５３９】
所定の実施形態において、ＥＭＳ回路は、最適なシステム性能のために周囲の回路を管理する。例えば、ＥＭＳ回路はＵＣＣ充電電流を制御してもよい。充電電流は、センサによって、及び回路との通信によって、システム全体にわたって集められたデータに基づいて選択されてもよい。ＥＭＳ回路は、可能な場合に電力を節約するために、様々な回路部品を小電力のスリープ状態に入れることができる。
【０５４０】
所定の実施形態において、ＥＭＳ回路は、プログラミング及び／又はデータ伝送のために外部システムに通信する。ＥＭＳ回路における外部通信バスは、外部のハードウェア及びソフトウェアへの通信を可能にする。この接続は、システムに配置されている間にＥＭＳ回路を再プログラミングすることを可能にする。その後、ＥＭＳは他の監視装置を再プログラミングするか、又は、他の監視装置をそれらの動作について指示し、これにより、システム全体を有効に再プログラミングすることができる。内部メモリから外部ソフトウェアにデータログを送信するために、外部通信バスが使用される。このように、データは、動作中に収集され、動作後に外部機器、例えば外部ＰＣにより分析されることが可能である。
【０５４１】
１つの実施形態において、電子回路管理システム（ＥＭＳ）回路は、利用可能な監視装置及びセンサから情報を収集し、それに依存してシステム挙動を制御するように動作する。ＥＭＳは、ＰＣソフトウェア又はファームウェアプログラマのような、外部電子回路へのインターフェースを提供する。外部通信バスを介して、ＥＭＳ回路コア、例えばＥＭＳ回路監視装置をプログラミングし、従って、ＥＭＳ回路に接続された他のすべての監視装置をプログラミングすることが可能である。
【０５４２】
図３４に示すＥＭＳ回路コアは、１つ又は複数のディジタル回路、例えば、マイクロコントローラ、マイクロプロセッサ、又はフィールドプログラマブルゲートアレイ（ＦＰＧＡ）装置）から構成されてもよい。所定の実施形態において、ＥＭＳ回路コアは、図３４に示すように、ウルトラキャパシタストリングを外部負荷に接続又は切断させる負荷接続／切断回路に接続されている。所定の実施形態において、図３４に示すように、ＥＭＳ回路コアは、様々なセンサアレイに接続されていてもよい。例えば、キャパシタストリング電圧が特定の負荷にとって低すぎるか高すぎる場合、キャパシタストリングは負荷から切断されてもよい。正常なランタイム動作中に、負荷は、負荷ドライバ回路を介してウルトラキャパシタに接続されている。
【０５４３】
所定の実施形態において、ＥＭＳ回路は、他の監視装置とのインターフェースをもたない追加のセンサに接続されている。これらのセンサは、温度センサ、負荷電流センサ、入力バッテリー電流センサ、入力電圧センサ、及びキャパシタストリング電圧センサから成るグループの１つ又は複数を含んでもよい。
【０５４４】
モジュール式バスを介して、ＥＭＳ回路は、例えば図３４に示すようにモジュール式バスを介して、他の回路に接続されてもよい。通信バスは、データ線、クロック線、及びイネーブル線を備えてもよい。いくつかの実施形態において、図３４に示すように、監視装置は、データ線、クロック線、及びイネーブル線へのインターフェースを有する。さらに、各監視装置は識別アドレスで規定されることが可能である。
【０５４５】
１つの実施形態において、図３４に示す内部通信バス上で通信するために、ＥＭＳ回路は、図３５に示すアルゴリズムを実行する。図３５に示すように、ＥＭＳ回路は、イネーブルラインを起動し、ターゲットの監視装置の識別アドレスをデータ及びクロックライン上で送信し、その後で、所望のデータコマンド命令を送信する。イネーブルラインが起動されたのを監視装置が検出したとき、各監視装置はその規定された識別アドレスをリッスンする。監視装置は、その識別アドレスを読み取ったとき、ＥＭＳ回路メッセージをリッスンし続け、それに従って応答する。このように、通信は、ＥＭＳ回路監視装置及びすべての他の監視装置との間で達成される。
【０５４６】
所定の実施形態において、ＥＭＳ回路は、ＵＣＣ充電電流を制御するために、ＵＣＣとのインターフェースをとる。充電電流は、出力ウルトラキャパシタ電圧を調整するように制御される。電子回路、ウルトラキャパシタ、及び入力バッテリースタックの安全かつ効率的な動作を保証するために、フィードバック制御及び／又はヒューリスティックな技術が
使用される。
【０５４７】
所定の実施形態において、ＥＭＳ回路は、バッテリー接続状態を記録し、かつ潜在的に制御するために、クロスオーバー回路とインターフェースをとる。クロスオーバー回路及びクロスオーバーイベントの状態は、ＥＭＳ及び内部／外部メモリを介して記録されてもよい。
【０５４８】
所定の実施形態において、ＥＭＳ回路は、セル健全性及び／又は放電イベントをモニタリングして記録するために、ＵＭＳ回路とのインターフェースをとる。
【０５４９】
所定の実施形態において、ＥＭＳ回路は、電力消費量を減少させてランタイム挙動を最適化するために、監視装置を小電力状態にすることができる。
【０５５０】
本明細書で説明するように、ＥＭＳ回路は、種々様々のセンサへのとの間の通信を可能にする固有のハードウェア構造を有し、これにより、概して、１つ又は複数の性能パラメータ、例えば、効率、電力出力、バッテリー寿命、又はキャパシタ寿命を最適化するように作用するさまざまな利点をもたらす。
【０５５１】
所定の実施形態におけるＥＭＳ回路は監視装置を備え、モジュール式バススタッカによって、回路の監視装置を介して、接続回路、ＵＭＳ回路、充電状態回路、クロスオーバー回路、及び／又は１つ又は複数エネルギー源（バッテリー又はウルトラキャパシタストリングなど）と電気的に接続され、また、これらと通信するようにプログラミングされる。ＥＭＳ回路は、少なくとも１つのディジタルコントローラ、例えば、マイクロコントローラ、マイクロプロセッサ、又はＦＰＧＡ、及び様々な付属の構成要素を備えてもよい。
【０５５２】
ｖｉ．負荷ドライバ回路
【０５５３】
所定の実施形態において、ＭＳＩＤは負荷ドライバ回路を備えてもよい。
【０５５４】
電力システムが比較的高いエネルギー用途（例えば、基づいたソレノイド又はモータベースの泥パルサーを駆動するか、ＥＭ送信機、又は長期間のモータドライブ）のための電力を設けてもよいことを特徴とする本発明の実施形態については、ＭＳＩＤは負荷ドライバ回路を備えてもよい。負荷ドライバ回路は、所定の実施形態中で、動作する規則の態様を設けてもよい電力変換器として例えば電力システムの出力の電圧制御もう一つの広く変動する電圧態様にもかかわらず。例えば、電源が断続的な場合、例えばそれは複数の分の間電力を提供し、次に、複数の分の間電力を提供するのを止める、電力システムは電源が電力を設けていない場合に、負荷への電力を提供するように要求されてもよい。この例示において、ＨＴＲＥＳは、電源が電力を設けていない期間に電力の供給のための蓄積エネルギーを設けてもよい。ＨＴＲＥＳがキャパシタ（例えばウルトラキャパシタ）である場合、上記ＨＴＲＥＳの限られたエネルギー容量は電力システムが負荷への設ける電力である期間に上記ＨＴＲＥＳの広く変動する電圧をもたらしてもよい。しかし、電源は電力を設けていない。負荷ドライバは、広く変動するＨＴＲＥＳ電圧にもかかわらず調整された負荷電圧のために提供するこの例示において使用されてもよい。負荷ドライバは機能してもよいとして電力変換器その結果それ処理上記ＨＴＲＥＳから取り出され、上記負荷に配送された電力それで、さらに、それはこの例示に、上記規則態様（すなわち調整された電力変換器）を組み込む、出力電圧は電力変換器を調整した。概して、規則態様は技術に既知のフィードバック調節技術によってイネーブルにされる。
【０５５５】
所定の実施形態において、負荷ドライバ回路の中心にあるコントローラ集積回路（ＩＣ）は、モジュール式のバススタッカによって電気的に接続されるにまたＭＳＩＤの残りと通信するためにプログラミングされた。例えば、ある実施形態では、ＭＳＩＤは、エネルギー貯蔵回路を制御してもよい。非限定的な例示は中継回線、少なくとも１つセンサ回線、ウルトラキャパシタ充電器回線、ウルトラキャパシタ管理システム回線、転換回線、充電回線の状態及び電子管理システム回線を含む。
【０５５６】
１つの実施形態において、ＭＳＩＤはモジュール式回路基板をさらに備える。別の実施形態において、モジュール式回路基板は円形である。別の実施形態において、モジュール式回路基板はスタックされている。別の実施形態において、モジュール式回路基板は円形であり、かつスタックされている。
【０５５７】
ある態様では、製造することには、ハウジングのためのキャップ及びバッテリーの少なくとも一方を製造することが動力源含まれる発電機である。
【０５５８】
所定の実施形態において、電源は２つの１バッテリーを備える。この実施形態中で、ＭＳＩＤだろう別特に電源がバッテリー以上に備える場合、クロスオーバー回路を備える。１つの実施形態において、ＭＳＩＤはモジュール式充電回路基板をさらに備える。
【０５５９】
所定の実施形態において、電源はワイヤーライン及び少なくとも１つのバッテリー（例えばバックアップバッテリー）を備える。つの実施形態において、ＭＳＩＤはモジュール式回路をさらに備える。所定の実施形態において、ＭＳＩＤは状態を備える充電回路である。
【０５６０】
所定の実施形態において、電源は発電機を備える。
【０５６１】
所定の実施形態において、電源は発電機及び少なくとも１つのバッテリー（例えばバックアップバッテリー）を備える。つの実施形態において、ＭＳＩＤはモジュール式回路をさらに備える。所定の実施形態において、ＭＳＩＤは状態を備える充電回路。
【０５６２】
所定の実施形態において、回路基板は多機能の回路基板を提供するために組み合わせられてもよい。
【０５６３】
摂氏１２５度（例えば）を超える摂氏７５度（例えば）を超える負荷ドライバ回路特徴高温動作、例えば摂氏１５０度、またキャパシタバンクのための電圧保護及び広い入力／出力電圧範囲に関して余分で、調整可能な充電の現在の制御のうちのどれもでも備えてもよい、また電圧モード規則である。
【０５６４】
所定の実施形態において、負荷ドライバはキャパシタ（例えばウルトラキャパシタ）を充電する。これらの実施形態において、調整可能な電流は、コントローラＩＣが、ＩＣがディジタル的に通信しないコントローラとして解釈するアナログ電圧を生成するために監視装置及び低域通過フィルタによって作成された、パルス幅に変調された（ＰＷＭ）制御信号にディジタル的に確立されてもよい。コントローラＩＣは出力電流（例えばウルトラキャパシタ充電電流）を調整するように構成される。充電電流の制御を通じて、ＵＣＣが、ウルトラキャパシタにおける電圧を調整することができる、例えば電圧がＩＣのオンオフの制御によって電圧バンド内に維持されることを特徴とするヒステリシスの制御による。
【０５６５】
負荷ドライバ回路は所定の実施形態中で、ディジタル制御されているかもしれない。別の実施形態において、負荷ドライバ回路は電子回路管理システム（ＥＭＳ）によってディジタル制御されている。別の実施形態において、負荷ドライバ回路は、エネルギーを蓄えるためにスリープモードを入力することができる。また、この態様はディジタル制御によって設けられてもよい。
【０５６６】
負荷ドライバコントローラもアナログ方法で実装することができる。そのような構成において、フィードバック制御は、演算増幅器、抵抗器及びキャパシタのような構成要素の使用に概して実行されるだろう。実効である間に、この構成の小さな損失は、柔軟性制御充電電流及び出力電圧の固有の不足である。
【０５６７】
所定の実施形態において、負荷ドライバ回線の中心にあるコントローラ集積回路（ＩＣ）は、モジュール式のバススタッカによって電気的に接続されるにまた中継回線、ＥＭＳ回線、クロスオーバー回線及び／又は１つ又は複数エネルギー源（バッテリー、発電機又はワイヤーラインのような）と通信するためにプログラミングされた。負荷ドライバ回路は、さらに電圧サンプリング（電力セクション（例えばバックの変換器）を下った１ステップ）用の抵抗器ネットワークを備えてもよい、電力セクション（例えば昇圧コンバータ）の上の１ステップ、インダクタ現在現在のモード制御に必要な抵抗器、及び／又は充電を検出する現在充電電流の調整に必要な抵抗器を検出する。
【０５６８】
１つの実施形態において、負荷ドライバ回路コントローラはディジタル的に実装される。そのようなシステムの利点は構成要素の低下及びプログラム可能性を含む。ある態様では、の工程には、実質的に不活性なにおいて実行される。
【０５６９】
ｖｉｉ．増幅器回路
【０５７０】
大電力レベルの処理は多くの場合非常に効率的なパワーエレクトロニクスを必要とする。パワーエレクトロニクスにおいて非能率は、電子回路及びウルトラキャパシタを破損する場合がある温度増加にもたらす。従って、ために処理の有意な電力、ハイレベル効率パワーエレクトロニクス多くの場合必要とされる。ハイレベル効率動作のために設計されるように、クラスＤトポロジーは技術認識される。ハイレベル効率は達成される走行どちらかで出力トランジスタ１つの完全に向上された又は状態から。完全に向上されたとき、ＭＯＳＦＥＴは内部抵抗がないことを有する短絡と理想的に考えられる場合がある。この状態で、電力損にもたらさない出力トランジスタ上に電流が高くある。しかし、電圧降下がある。ではそれらの状態から、ＭＯＳＦＥＴは、電力損にもたらさずに、高電圧において理想的にすべての電流を阻止する。現在の実施形態において、ＭＯＳＦＥＴは理想と考えられない切り換える、しかし、もっと正確に言えば、電力損は適切に選択された切り換える周波数及び低い損失構成要素を介して緩和される。上述のものは、技術に認識されたスイッチモード動作に関連付けられた基本概念について本質的に記述する。切り換えられたモードの動作が増幅器に印加される場合、それらの増幅器は多くの場合クラスＤ増幅器と名付けられる。
【０５７１】
所定の実施形態において、既存の解決方法に比較されたとき、クラスＤ増幅器は著しくより高い電力能力をイネーブルにする。
特定の実施形態において、増幅器は増幅器構成を切り換えるクラスＤフルブリッジにおいて接続された６つの主成分を備える、すなわち、さらに両方クラスＤ増幅器として参照された：
（１）  高電圧キャパシタレール；
（２）  変調器；
（３）  デバイスドライバ；
（４）  セクションを切り換えること；
（５）  信号の低域通過フィルタ；
及び、
（６）  インピーダンスを装填する。
【０５７２】
１．高電圧キャパシタレール
【０５７３】
高電圧キャパシタレールは出力トランジスタに正のレール電圧を供給する。荷物への有意な電力を配送するために、高電圧キャパシタレールが重い荷物の下の電力損を最小限にして、低いインピーダンスを保持することは重要である。
【０５７４】
２．変調器
【０５７５】
変調器は、負荷に提供された信号を変調する機能を有する。変調器は、多数の方法で可能である。変調器は、量（例えば電力、電圧、電流、周波数、位相）の個数を変調してもよい。
【０５７６】
電圧の調整する振幅のための例示開ループ方法負荷にもたらされた含んでいるパルス幅変調器回路への時間を変動する引用文献入力としての時間を変動するアナログ信号の提供、例えばコンパレータ２つの入力を有すること１つ前記引用文献である、他方三角形波信号である所望のの切り換える段階において振れること切り換える周波数、パルス幅変調器回路パルス幅の提供ゲートドライバ制御信号を変調した。時間をパルス幅変調器回路への基準電圧入力を変動することによって、ゲートドライバ制御信号のデューティレシオも変動される、上記制御信号の負荷サイクルは、負荷にもたらされた瞬間電圧を次いで制御してもよい。
【０５７７】
負荷にもたらされた電圧の振幅を変調する例示閉ループ方法は、フィードバック制御回路（技術において既知の様々な方法によって負荷にもたらされた電圧を調整するように構成されたフィードバック制御回路）への時間を変動する引用文献入力として時間を変動するアナログ信号を提供することを含む。概して、フィードバック回路は、フィードバック信号の測定値態様を備える、誤差増幅器（動的な補償器）、むだ時間回路を備えてもよいパルス幅変調器（ゲートドライバ）。動的な補償器は、閉ループ安定性及び閉ループ力学の組み合わせを達成するように概して設計されている。
【０５７８】
３．デバイスドライバ
【０５７９】
デバイスドライバは概して電流又は電圧増幅を提供する、電圧レベルシフト、装置保護及びいくつかの場合に適切にトランジスタ入力を駆動するためにむだ時間発電を示す。概して、デバイスドライバは低レベルの制御信号を装置を制御するのに適切な信号に変換する。例示装置はバイポーラの接合トランジスタ、ＭＯＳＦＥＴ、ＪＦＥＴ、最高の接合トランジスタ又は、ＭＯＳＦＥＴ、シリコン制御整流器、絶縁ゲートバイポーラートランジスターなどを含む。ゲートドライバは、離散実施例、又は既製又はモノリシック集積回路として設けられてもよい。
【０５８０】
４．スイッチングセクション
【０５８１】
概して備える、切り換えるセクションは出力トランジスタを備える処理を切り換える負荷への変換された電力を提供する電力を入力する。トランジスタの２つのものがそうであるように、例示の切り換えるセクションは、フルブリッジ構成中で構成されるにおける所定の時間に。１つの状態で、２つのトランジスタはそうであるにおける、１つの方向に負荷を介して現在のフローを提供すること他の状態で、他の２つのトランジスタはそうであるにおける、反対方向での負荷を介して現在のフローを提供する。
【０５８２】
５．フィルタリング
【０５８３】
トランジスタの各切り換えられる周波数引用文献信号の帯域幅上によく。正確に再作成するために１つの増幅されたバージョン管理する負荷上の引用文献信号の、低域通過フィルタは理想的に負荷を通して低周波引用文献信号のみを送信しておいて、信号を切り換える高周波をフィルタリングするために使用される。低域通過フィルタは損失を防ぐ反応性成分であるでしょう他のもの抵抗構成要素上に生じる。切り換えるセクション及び負荷の間にフィルタリングすることは、負荷への変調された信号中の周波数含有量所望のをわたすべきである。その間に、フィルタリングは、不要な周波数含有量を拒絶するために十分にバンド限定するべきである。
【０５８４】
６．負荷
【０５８５】
この発明において、負荷インピーダンスは、テレメトリ信号が送信されている媒体を表す。負荷インピーダンスは、信号が空間を通ってどのように伝搬するか決定するハイレベル順序ふるまいを一般に含んでいる。しかしながら、単純モデルは電力抵抗器によって表される。
【０５８６】
増幅器を切り換えている間所定の実施形態に、出力信号中の切り換える人工品を導入してもよい、これらの人工品は適切に選択された切り換える周波数の使用を通じて最小限にされ、及び／又はフィルタリングして良く設計されている。特定の実施形態において、出力フィルタは、引用文献信号に含まれていた情報の保存ながら切り換える人工品を厳しく減衰させることで、信号純度を保存する。出力フィルタは、さらに非常に低い抵抗構成要素を有することを介して最小の電力損を寄与してもよい。
【０５８７】
ｖｉｉｉ．センサレスモータ駆動回路
【０５８８】
過酷な環境用途において、ブラシレスのＤＣ（ＢＬＤＣ）のモータは例えば、掘削すること（ＭＷＤ）ながら坑井内測定値に使用された泥パルサーを動作させるためにさまざまな用途のために利用された、すなわち供給する泥パルステレメトリ。しかしながら、従来のＢＬＤＣモータは、回転子ポジションセンサーにおける多くの場合含んでいて依存する。回転子ポジションセンサーの一般的な例はホール効果センサである。厳しい状態の下で、すなわち高温、ハイレベル衝撃及びハイレベル振動、例えば、摂氏７０度を超える温度、２０Ｇを超える、２つのＧｒｍｓ（すなわちルート平均平方加速）及び衝撃以上の連続的な振動、回転子ポジションセンサー及び特に、センサ付きモータのホール効果センサは信頼性制限をもたらすまた多くの場合破損される又は失敗する。これらの問題を扱うために、本発明は、３つの位相ＢＬＤＣ（すなわち「ｗｙｅ」）モータの電子交換の使用で、センサレスブラシレスのＤＣ（ＢＬＤＣ）のモータ又は逆推進ロケットを付属品付きのセンサ付きＢＬＤＣ（例えば作業又は失敗したセンサのいずれかを有する一つ）のいずれかを動作させてもよいセンサレスＢＬＤＣモータドライブを提供する。そこにおいてはＢＬＤＣモータドライブは逐次的交換アルゴリズムによるＢＬＤＣモータを動作させるように構成される。
【０５８９】
さらに本明細書で説明した電力システムに本明細書に開示されたモータドライブの接続は、利点の個数をもたらすかもしれない。例えば、モータドライブに接続された大電力用途用の電力システムは泥パルサーをより激しく駆動するために使用されてもよい、それは電池寿命の保持ながら、及び信号の純度を損なうことなしで面への（例えばデータ転送速度の２倍まで）送信のためのより鋭い圧力パルス及び潜在的により高速なデータ転送速度に翻訳する、例えば、泥パルステレメトリの使用である。
【０５９０】
構成は、坑井内ブラシレスＤＣモータドライブ中のホール効果センサの使用又は必要を除去する；ここで本明細書で説明したＢＬＤＣモータドライブは、坑井内環境中の信頼できるブラシレスＤＣモータの使用をイネーブルにする。さらに、従来のセンサ付き  ＢＬＤＣモータにおける存在する少なくとも５本の必要なワイヤ（５Ｖ、ＧＮＤ、Ｈ１、Ｈ２、Ｈ３）は除去することができ、それによって、信頼性を増大し、複雑さを低減させる。
【０５９１】
本発明は、電源からへの電力をバッファリングすることに適合した電力システムを提供し、ＨＴＲＥＳ、例えば、空間で組織化されたウルトラキャパシタストリング効率的な向き本明細書で説明するように、オプションの負荷ドライバ回路、センサレスブラシレスＤＣモータ駆動回路、及び充電の少なくとも１つを制御し、エネルギー貯蔵装置を放電するためのコントローラ、システムはそこにおいてはの温度範囲中の動作に適合するか摂氏約２１０度に摂氏約７５度の間に；及び、本発明のコントローラの所定の実施形態では、そこにおいては、負荷はブラシレスＤＣモータ（例えばセンサレスＢＬＤＣモータ）を備える。
【０５９２】
従って、もう一つの実施形態中で、本発明はセンサレスブラシレスＤＣモータシステムに方向付けられる電源で構成されたＨＴＲＥＳ、例えば、ウルトラキャパシタストリング、１−１００個のウルトラキャパシタセルを備えてもよい、空間で組織化された効率的な向き本明細書で説明するように、オプションの負荷ドライバ回路、センサレスブラシレスＤＣモータ駆動回路、また充電の制御少なくとも１つのためのコントローラまたエネルギー貯蔵装置の放電すること、そこにおいてはシステムは温度範囲中の動作に適合する摂氏約７５度の間でに摂氏約２１０度；及び、本発明のコントローラの所定の実施形態では、上記負荷はブラシレスＤＣモータを備える、
【０５９３】
さらに、所定の実施形態において、センサレスブラシレスＤＣモータドライブは、フィルタリングされたモータ端子電圧を受信し、かつ、交換制御信号を発生するためにその出力が利用されるコンパレータを対で使用して、それらを比較するように構成される。例えば、コンパレータの正の入力が陰性入力未満の進む場合、コンパレータの出力は浸す入力が交換される場合、負の電源レール、及び正の電源レールに。回転子位置の状態は、コンパレータの出力の状態から決定することができる。
【０５９４】
回転子の位置に基づいて、その位相がエネルギーを与えられるように、センサレスブラシレスＤＣモータ（例えば３つの位相モータ）が駆動されてもよい。電流がステータコイルを通過するとき、磁極は右手の親指規則に記載の極性に作成される。２つの位相が同時にエネルギーを与えられるとき、図３６に示されるように、２つの位相中の現在に流れることは源に関して互いへの反対方向にある。ステータコイルによって形成された、エネルギーを与えられた柱は回転子柱を引きつける。また、回転子がそれらの柱に接近しているとき、対応するステータコイルの電源は切られてもよい。また、次のペアのコイルは回転子運動を作成するためにエネルギーを与えられる。コンパレータ出力は、不活性の位相の逆起電力によってルックアップテーブル中で現状を合い次に、次の状態に移るためにコントローラを引き起こす状態をやむを得ず（回転子が回転する場合、）変更する。
【０５９５】
所定の実施形態中で、モータドライブの電源が入れられる場合、図３７に示されるそのようなアルゴリズムはセンサレスＢＬＤＣモータドライブ中で既知の位置に回転することで回転子の状態を識別する。回転子が新規性を有する位置に近づくとき、コンパレータの出力が有効になるように、ステータ巻線に関する永久磁石の移動は、十分な逆起電力を発生する。有効なコンパレータ出力を有して、システムは有効な交換制御信号を有し、従って、交換タイミング及び次の活動するステップの両方を決定することができる。この時点から、センサレスＢＬＤＣは、表１２のような格納されたルックアップテーブルでは、センサレス動作（それによってコントローラは次の状態を調べることができる）を例えば以下で継続することができる。次の活動する状態が希望の回転方向（時計回りに又は反時計回りに）に依存することに注意してください。性能は、モータ駆動の電源が入れられた直後に、交換信号が利用可能になるという点でセンサ付き方法用のそれに匹敵する。これは、逆起電力を検出することができる場合に速度に達するために同時のモードにおけるモータを実行する、新進の手順の必要をなくす。
【０５９６】
【表１２】
2016521451.tif 000015
【０５９７】
従って、１つの実施形態において、本発明は、コンパレータにおいて制御信号を発生する、センサレスＢＬＤＣモータ駆動調整回路、回転子、ステータコイル、及び方法のステップは励磁の１組の既知の状態のうちの１つへの回転子を整列させるために回転子を回転させることを備えることを特徴とするステータコイルの３つのコンパレータ出力を備えるセンサレスブラシレスのＤＣ（ＢＬＤＣ）のモータ（例えば３つの位相ＢＬＤＣモータ）を動作させる方法を提供する出力する；２つのコンパレータ出力のみが同時にエネルギーを与えられるように、ステータコイルを介して反対方向で指図された２つの位相を作成して、電流を流すこと；交換タイミング、及び励磁の既知の状態に記載の次に活動するステップの両方を決定する有効な交換制御信号を発生することを十分な逆起電力を検出すること；また励磁の既知の状態による上記次の活動するステップを行うこと。それは回転子運動が一方向に生成されるほどのものである。
【０５９８】
所定の実施形態において、励磁の既知の状態は比較によって決定されるに１つの予め定義された標準的メモリに格納された、例えば、センサレスＢＬＤＣモータ駆動調整回路に接続されて、ローカルに又は遠隔に電気的に。所定の実施形態において、励磁の既知の状態は表１２に提供された通りである。
【０５９９】
所定の実施形態において、回転子は以下のものにエネルギーを与える方式を使用して、１つの方向に移動される：ステップ１：第１の出力コンパレータ（Ａ）は正にされる。第３の出力コンパレータ（Ｃ）は駆動された陰性である。また、第２の出力コンパレータ（Ｂ）は駆動されない；ステップ２：第１の出力コンパレータ（Ａ）は正にされる。第２の出力コンパレータ（Ｂ）は駆動された陰性である。また、第３の出力コンパレータ（Ｃ）は駆動されない；ステップ３：第３の出力コンパレータ（Ｃ）は正にされる。第２の出力コンパレータ（Ｂ）は駆動された陰性である。また、第１の出力コンパレータ（Ａ）は駆動されない；ステップ４：第３の出力コンパレータ（Ｃ）は正にされる。第１の出力コンパレータ（Ａ）は駆動された陰性である。また、第２の出力コンパレータ（Ｂ）は駆動されない；ステップ５：第２の出力コンパレータ（Ｂ）は正にされる。第１の出力コンパレータ（Ａ）は駆動された陰性である。また、第３の出力コンパレータ（Ｃ）は駆動されない；ステップ６：第２の出力コンパレータ（Ｂ）は正にされる。第３の出力コンパレータ（Ｃ）は駆動された陰性である。また、第１の出力コンパレータ（Ａ）は駆動されない。
【０６００】
もう一つの実施形態において、本発明は、センサレスＢＬＤＣモータ駆動調整回路、回転子、ステータコイル及びステータコイルの３つのコンパレータ出力を備えるセンサレスブラシレスのＤＣ（ＢＬＤＣ）のモータ（例えば３つの位相ＢＬＤＣモータ）を動作させることを備える方法を行うためにプロセッサによって実行のためにその上に格納された命令を有する機械可読媒体を備えるセンサレスブラシレスのＤＣ（ＢＬＤＣ）モータ駆動回路を提供する。そこにおいては方法のステップは、ａのうちの１つへの回転子を整列させるために回転子を回転させることを備える励磁（それはコンパレータ出力において制御信号を発生する）の既知の状態の集合；２つのコンパレータ出力のみが同時にエネルギーを与えられるように、ステータコイルを介して反対方向で指図された２つの位相を作成して、電流を流すこと；交換タイミング、及び励磁の既知の状態に記載の次に活動するステップの両方を決定する有効な交換制御信号を発生することを十分な逆起電力を検出すること；また励磁の既知の状態による上記次の活動するステップを行うこと。それは回転子運動が一方向に生成されるほどのものである。
【０６０１】
センサ付きＢＬＤＣとは対照的に自動車で行くまた他のセンサレス動作方法、低い速度及び操業開始において性能を損なった、センサレスＢＬＤＣモータ、として本発明のＢＬＤＣモータ駆動は始動した、同じトルクの余裕があるさえ操業開始及び回転子において速度を拾い上げるほとんど直ちにである。
【０６０２】
ＢＬＤＣが自動車で運ぶセンサ付き及び他のセンサレス動作方法とは対照的に、センサレスＢＬＤＣモータの双方向回転は、本発明のＢＬＤＣモータ駆動が始動したとき、即時である；どれがそれをＭＷＤツールのように適切にするか。そこでは、プレッシャーバルブの開閉は必要である。
【０６０３】
本発明、どれがのみ３つのコンパレータしか利用しないかは供給する実施例のより大きな容易さについては、製造、及び従来のセンサ付きモータに対する便利さは現在使用で駆動する。
【０６０４】
センサレスブラシレス・モータ駆動、また、関連付けられたモータは、自動推進で、自動化を含み、これらに限定されずに、ＢＬＤＣモータが使用されているすべての用途では使用されてもよい、器具、医学で、航空宇宙及び軍事の用途。
【０６０５】
６．装置及びシステムの製造
【０６０６】
ａ．ＨＴＲＥＳモジュール
【０６０７】
本明細書に開示された装置及びシステムの所定の実施形態はＨＴＲＥＳモジュール及びＭＳＩＤを備える。ＨＴＲＥＳモジュールは本明細書で説明したさまざまなＨＴＲＥＳで構成されてもよい、例えば、セクション４に上述である。上述したものとして、所定の実施形態において、ＨＴＲＥＳは少なくとも１つのウルトラキャパシタを備える。本明細書に開示されたシステム及び装置の例示的なＨＴＲＥＳモジュールにおいて、図２９に示されるように、２つ以上のウルトラキャパシタはウルトラキャパシタストリングでは構成される。図２９は、空間の効率的な向きでは組織化された２つ以上のウルトラキャパシタセルを備えて、本明細書に開示された所定の実施形態によるウルトラキャパシタストリングを描く。このＨＴＲＥＳモジュールは１−１００個のウルトラキャパシタセルを備えてもよい。本明細書に開示されたＨＴＲＥＳモジュールは、ウルトラキャパシタパック（例えば図３０に示される構成）では構成されて、本明細書に開示されたウルトラキャパシタを備えてもよい。そこにおいてはウルトラキャパシタアセンブリ（例えば図２９に示すとして１つ又は複数ウルトラキャパシタストリング）は、ハウジングのより小さな長さに使用されることをより多くのセルのために可能にする。さらに、それは、電線が適当な場所にそれらを固定することをポッティングすることの余地にパックの面に沿って安全に動作するべき余地を残す。
【０６０８】
図３０に例示された所定の実施形態において、本明細書に開示されたシステム及び装置は、ウルトラキャパシタの３つのストランドパックアセンブリを備える、例えば、それは１つを溶接するために次にセルのより小さなグループ中の両方セルを溶接するほうが簡単であるので、システムを組み立てることをより簡単にするセルの長いストランド。所定の実施形態において、本明細書で説明した絶縁体技術は、短絡失敗に対する防衛手段を提供し、システムをその構造物において剛体にしておく。特に実施形態、ポッティングは平衡を保ちシステムワイヤを適当な場所に固定し、不要な失敗から保護する、例えば、より多くのセルが同じサイズ内径ハウジングチューブ（例えば、Ｄサイズを有するフォームファクタからＡＡへ行って）、だが著しくより短いハウジングチューブにおいてここでは適当になりえるので、それは有益である。
【０６０９】
１つの実施形態において、本発明は、本発明のシステムでは使用される直列中のウルトラキャパシタの接続で準備されたウルトラキャパシタストリングを提供する。所定の実施形態において、セル（例えば１２以上）は、テープ、熱シュリンク、洗濯機、ポッティングする合成物及び／又はスペーサーに絶縁されてもよい。
【０６１０】
１つの実施形態において、セルフォームファクタは、３がセルの等しい個数の座礁させるＡＡ（〜０．５３”の直径で」）であるキャパシタセクションの長さを最小限にするために使用される。もう一つの実施形態において、Ｄセル（〜１．２５”の直径で」）は使用されるが、１つにおいて接続されている３つのより短いストランドの代わりに長いストランド。絶縁体及びアセンブリはわずかに異なるフォームファクタのために異なる。
【０６１１】
所定の実施形態において、ウルトラキャパシタアセンブリは、さらにワイヤ及びシステムワイヤの平衡を保つキャパシタを含んでもよい。ＡＡパックは、平衡を保つワイヤが各セルに安全に配線され、ポッティングすること及び熱シュリンクで保護されることを可能にする。所定の実施形態において、ワイヤの平衡を保って、各ストランドの近くで熱シュリンクは供給されているまた座礁させる、及び／又はセルの３つのストランドの全パック。所定の実施形態において、その後、ポッティングは、熱シュリンクの内部のセルの各パック、及びセル間で使用されてもよい。特に実施形態、平衡を保つワイヤは中間に位置してもよい空間は離れるＡＡの座礁させるまたポッティングではカプセル化される。特定の実施形態では、空間に沿って実行されたシステムワイヤキャパシタを間に離れる座礁させて、キャパシタパックの最も外側の直径を増大しない。
【０６１２】
所定の実施形態において、各セルは保護の異なる層に絶縁される。所定の実施形態において、Ｋａｐｔｏｎテープのような高温絶縁体テープの層は、ガラス−金属シールを有する各セルの上に配置されてもよい。したがって、ピンのみ（ポジティブターミナル）が感光する。所定の実施形態において、もう１個の高温絶縁体テープで金属容器の上部面エッジが包まれ、第１のテープを保持するために金属容器の上部顔の上に折り返されてもよい。特定の実施形態において、金属容器としての同じＯＤを有する高温スペーサーディスク（テフロンのような）は、ガラス−金属シールピンのまわりで位置してもよい。したがって、ピンのみが感光する。特定の実施形態では、彼直列において接続された場合、金属容器が強調されたときに金属を被せるべきガラス上にではなくスペーサーを下へ押すように、ディスクはピンの上部高さ以上着座する。
【０６１３】
所定の実施形態では、図２９に示されるように、ニッケル又は同様のタブ２０２を使用して、直列においてキャパシタは接続されているかもしれない。所定の実施形態において、タブは、各キャパシタのポジティブターミナル（通常ガラス−金属シールピン）に溶接されてもよい（抵抗又はレーザ）。いくつかの場合には実施形態、上記タブは上記スペーサーディスクの中心に。タブは、どこのポジティブターミナル及び負端子にそれが溶接されるかを除いて高温テープ又は高温熱シュリンクに絶縁されてもよいできる（次に）。タブはスペーサーディスク２０３にわたる実行された平面で、次に、底に溶接されるかもしれないできる（次に）（負端子）。所定の実施形態において、その後、ものができるように、タブは折り返されるスペーサーに着座している次また同じラインにある。Ｄサイズを有するセルについては、すべてであるまで、これは継続される１つにおいて両方に溶接されるストリング。ＡＡセルに向かって、図３０に示されるように、３あるセルの同じ個数に座礁させるでは各例えば、１２個のセルが１つのシステムに必要とされれば、４の３つのストランドが両方に溶接されるだろう。特定の実施形態において、各ストランドを両方に溶接した後に、それらは熱であるセルを安定させるために縮んだ及びセキュリティが確保された絶縁体及びタブである。
【０６１４】
所定の実施形態において、ワイヤの平衡を保つセルは、各セルにおける１個の熱シュリンクを除去し金属容器の面に平衡を保つワイヤを溶接することで取り付けられてもよい。所定の実施形態では、平衡を保つワイヤを溶接した後、セキュリティが確保されて、支援し、かつ金属容器へのワイヤを保護するために、細長い熱シュリンク管材料は接合点のまわりで置かれる。平衡を保つワイヤは、それぞれに取り付けられてもよいできるその結果金属容器の同じ面に沿ったそれらのすべての実行。特定の実施形態において、テープは適所にセルのストランドの同じ面におけるすべてのワイヤを維持するために溶接及び熱シュリンクの追加の層を使用したことができる後適所にワイヤを保持するために使用される。この実施形態において、付加利益は３つを置くことに起因する座礁させる平衡を保つワイヤが異なるストランドのセル間の余分な空間を中間に実行することができ、パック直径を増大しないという点で両方である。
【０６１５】
所定の実施形態において、セルの３つのストランドは直列にそれらをすべてに保存するために組み立てられる。例えば、１２個のＡＡセルを使用するとき、４個のセル各にの３つのストランドがあるだろう。１つのストランドは、電子装置に接続するポジティブターミナルを有するだろう。ストランド１の負のタブがストランドのポジティブターミナルに接続する最終２つ、すべてのセルが接続されたように、ストランド１つの反対方向で、及び同じにどれがだろうかは、ストランド３に出かけるだろう陰性に正。平衡を保つワイヤのすべてで、所定の実施形態ではそれらがすべてに同じに現われるように、接続されているアセンブリをより簡単にするキャパシタパックの端。溶接後両方すべての３は、熱シュリンクの最終層が慣れていてもよいセルの座礁させるすべてのセルを１つにおいて両方にしておく剛体。中間に各セルストランド、に加えてわずかにの上にパックの上部で、及び下部、ポッティングは別の保護に慣れていてもよいセルである。
【０６１６】
決勝戦シュリンクの外部におけるそこにシステムワイヤの個数である端から端へ実行されたそれ。ＡＡアセンブリ方法を使用する所定の実施形態において、ワイヤは、パックの直径を増大せずに、中間にキャパシタの空間を実行する多くの余地を有する。システムワイヤはポジティブターミナル又は負端子コネクタのどちらかから実行されてもよい。ワイヤ（システム及び釣り合いの両方）はセルパックの側の突き合わせ継ぎ手の使用で接続されてもよい。又は、すべてはウルトラキャパシタパックの近くで着座するもう一つの回路基板に実行することができる。
【０６１７】
所定の実施形態において、ウルトラキャパシタ中の超過空間を限定するために、ガラス−金属シールを、１８０度弾くことができる。したがって、ピンは内部の代わりに金属容器の外部である。ウルトラキャパシタにおいてこの超過空間の低下はキャパシタの内部で必要とされる電解質の量を限定するために動作する。図３１Ａ及び３１Ｂは示すどのように超過離れるより厚いハウジングを有する面が内部ではなくセルの外部における存在するように、ガラス−金属シールを弾くことで限定してもよい。そのような戦略は任意のサイズにおける使用されてもよいできる金属容器では使用されているカバーより厚い物体ハウジングを有する任意のガラス−金属シールである。
【０６１８】
ｂ．本発明のシステムのハウジング
【０６１９】
いったん、ＭＳＩＤを備える回路を含む様々なモジュール式の構成要素、及び任意のＨＴＲＥＳ（例えば本発明のウルトラキャパシタ）も組み立てられた（すなわち、相互接続された）、これらはハウジング内にインストールされてもよい／配置されてもよい。例えば、アセンブリは、図３９又は図１０に示されたことのようなハウジングに挿入されてもよい。いくつかの実施形態において、電気的干渉及びその他同種のものの予防に加えて本発明の機械的に頑健なシステムを保証するために、カプセルの材料はハウジングへつがれるかもしれない。概して、カプセルの材料は、ハウジング内のすべての空間を充填する。
【０６２０】
所定の実施形態において、ハウジングサイズはＭＳＩＤ（例えばＭＳＩＤの直径）をあてはめるために選択されている。そのため、外部の直径の次元はＭＳＩＤの回路基板直径によって影響を受けてもよい。
【０６２１】
ある実施形態では、この住宅供給は、例えば電子回路モジュールであってもよい。
【０６２２】
所定の実施形態において、ハウジングはＭＳＩＤ及びＨＴＲＥＳ（例えば本発明（例えば本発明のウルトラキャパシタストリング）のウルトラキャパシタ）を含んでいる。
【０６２３】
所定の実施形態において、住宅供給は１５ピンコネクタ封じ込めチャネルを備える。所定の実施形態において、１５本のピンコネクタ封じ込めチャネルは備える１つの「すべてのポケットを通って」、又は１つのミクロのＤのコネクタの退場において共同のワイヤの応力集中を低減させる、広い旋回半径を提供するためにハウジング設計のキャップアセンブリで切り取られた。このように、鋭いエッジ及び壁とのワイヤ接点は限定し、ワイヤ損傷のリスクを減らす。
【０６２４】
所定の実施形態において、ハウジングは、１５本のピンコネクタ封じ込めチャネルへのＭＳＩＤの同心で分離された装備の余裕がある。
【０６２５】
所定の実施形態において、ハウジングは、ＭＳＩＤ及びキャパシタがハウジングから独立して組み立てられることを可能にする開いたワイヤ封じ込めチャネルを備える。それは、著しくシステムのｍａｎｕｆａｃｔｕｒａｂｉｌｉｔｙを増大する。開いたワイヤ封じ込めチャネルは１５のピンミクロのＤコネクタを増大して、適所に低下に備える。特定の実施形態において、開いたワイヤ封じ込めチャネルの先細りの入口は、エッジ及びチャネル壁とワイヤとの接点を限定する。
【０６２６】
所定の実施形態において、住宅供給は電力変換器を備えるケーシングカバー。所定の実施形態において、着脱可能な薄い囲まれたハウジングシャーシはカバーする提供するワイヤがシャーシ内のＭＳＩＤ構造物の側にルーティングされるべき妨げられていない経路のために。特定の実施形態において、ハウジング挿入物の放射状の突出部は、着脱可能な薄い囲まれたカバーのための増大する顔を提供する。
【０６２７】
所定の実施形態、ＭＳＩＤのアセンブリ及び任意のＨＴＲＥＳではだろう別電子回路モジュール（例えばＭＳＩＤ）及びＨＴＲＥＳモジュール（例えばキャパシタモジュール）の間の着脱可能なインターフェースとして３７のピンコネクタを備える。この着脱可能なインターフェースは、システムの固有のモジュラリティーを作成する。
【０６２８】
所定の実施形態において、３７のピンコネクタは、ＭＳＩＤ及びＨＴＲＥＳ（例えば本明細書で説明したウルトラキャパシタストリング）を含んでいる別個のハウジング間の着脱可能なハウジングインタフェースで配置されてもよい。これは、電子回路モジュール及びキャパシタモジュールのシームレスで反復可能な接続分離に備える。所定の実施形態において、３７のピン接続（例えばミクロのＤ）は軸方向にマウントされ、適当な場所にコネクタを固定するのに必要な放射状のフットプリントを低減させる。所定の実施形態において、別個のハウジングインタフェースの２重の開いたワイヤチャネルは、３７のピンミクロのＤコネクタからワイヤの２つの集合のルーティングを収容する。１又はハウジングインタフェースの２つの面に「すべてのポケットを通って」提供する開いたチャネルの中へのコネクタからワイヤ用の広い旋回半径のためである。
【０６２９】
そのため、本発明の１つの実施形態において、ハウジングはモジュール式で、別々に（１）ＭＳＩＤを含むために３つの構成要素ハウジングシステムを備える、例えば、ＭＳＩＤハウジングでは、（２）ＨＴＲＥＳ、例えば、ウルトラキャパシタは本明細書で説明して、一続きになる、例えば、ＨＴＲＥＳハウジング及び（３）２つのものの間の（例えば配線インタフェースハウジングでは）接続配線では。所定の実施形態において、ハウジングシステムの各構成要素は、ＭＳＩＤ、ＨＴＲＥＳ又は配線を別々に含んでいるそれ自身のハウジングアセンブリへ分離されてもよい、例えば、それでは各ハウジング構成要素は、他のハウジングアセンブリと接続するように設計されている。所定の実施形態において、ＭＳＩＤ及び別のＨＴＲＥＳの間の接続配線はコネクタ（例えば３７のピンコネクタ）を備える。所定の実施形態において、別個の配線インターフェースはハウジングにモジュラリティーを与える。それは、便利さを増大し、製造の容易さを改善し、生産原価及び／又はメンテナンスを下げるために動作してもよい。所定の実施形態において、システムは電力システムである。所定の実施形態において、システムはデータシステムである。
【０６３０】
所定の実施形態では、高温化学的抵抗するＯリング、例えば、ヴァイトンＯリング、セキュリティが確保された装備及び湿ることを設けるシステムハウジングに樽に詰める圧力から振動の送信を低減させる。特定の実施形態において、Ｏリングは、１５及び３７のピンコネクタハウジングの基部に位置する、例えば、また供給する圧力樽の内のシステムハウジングの同心の装備のためである。
【０６３１】
ｉ．集電体
【０６３２】
所定の実施形態において、別のハウジング容器は、エネルギー貯蔵装置、及びコントローラ（「ポッティング」のようにさらに既知のそのような処理）をカプセル化するカプセルの材料を備える。特定の実施形態において、ＭＳＩＤ及び／又はＨＴＲＥＳは、高温環境中の振動及び衝撃からの保護用のカプセルの材料に浸されてもよい。
【０６３３】
従って、本明細書で説明した電力及びデータシステムは「鉢植えかもしれないし」、又はその後、カプセルの材料に充填されるハウジングに挿入されてもよい。とりわけ、カプセルの材料は、電気的及び環境上の妨害から保護に加えて機械的な衝撃の湿らすことに備える。１つの実施形態において、ハウジングは、カプセルの材料としてＳＹＬＧＡＲＤＲ  １７０シリコンエラストマー（ミッドランド、ミシガンのダウコーニングから利用可能）に充填される。
【０６３４】
カプセルの材料の実施形態は例えば、絶食療法シリコンエラストマー（例えばＳＹＬＧＡＲＤ  １７０）（ミッドランド・ミシガンのダウコーニングから利用可能）を含んでもよい。それは、摂氏約２００度に直り、１００ｋＨｚの２．９、ミルｖ／ミル当たり５３０ボルトの絶縁耐力及び１００Ｈｚの０．００５において消費要因において誘電率及び摂氏約マイナスの４５度の温度範囲前に低い粘度を公開する。他のカプセルの材料を用いてよい。カプセルの材料は、電気的な特性、温度範囲、粘度、困難などによれば、例えば選択されてもよい。
【０６３５】
ｉｉ．内部バリアー
【０６３６】
封止材料（例えばコントローラはハウジングにおいて鉢植えのシリコンエラストマーゲル）では、膨張ボイド（例えば少なくとも１つ膨張ボイド）の十分な個数を提供することで、所定の実施形態では、例えば、本明細書で説明した高度なポッティング方法を使用して、回路基板の変形は高温において低減させられる。
【０６３７】
所定の実施形態において、ポッティング方法を進めた本発明の（例えば製造処理で）システムを準備するために利用されてもよい。
【０６３８】
高度なポッティング方法は挿入される着脱可能な挿入物の使用を組み込むことを備える、例えばハウジングシャーシ壁においてスロットによる半径方向。挿入物はポッティング処理の間にハイレベルシリコンエラストマー体積領域（例えば、基板間で集中させられた）において配置される。いったん、シャーシ内のシリコーンは直った、挿入物は、挿入物に等しい体積の空気ボイドを残すスロットを通って抽出される。
【０６３９】
本明細書に提供された高度なポッティング方法は合成物をポッティングするシリコンエラストマーの熱膨張に起因して回路基板変形を低減させるか除去するために動作する。シリコンエラストマーは特に高い熱膨張率を有する。また、その結果、ハイレベル温度条件中に、高い応力集中は塑性変形を引き起こす回路基板における発展する。
【０６４０】
高度なポッティング処理は、コントローラ（例えばＭＳＩＤ構造物）に沿った様々なハイレベル体積領域において、空気ボイド（例えば少なくとも１つ空気ボイド）を作成する。ハイレベル温度条件中に、これらの空気ボイドは、拡大するシリコンエラストマー用の拡張経路を提供する。その結果、応力集中は、回路基板から遠ざけて引かれる。回路基板における応力集中において低下は、さらに表面のマウント構成要素のハンダ継ぎ目に対する応力を減らす。
【０６４１】
さらに、この処理は、坑井内状態で見つかったもののような坑井内高温にさらされた任意の鉢植えの回路に有用かもしれない、そこにおいてはポッティングする材料をカプセル化する高温である。
【０６４２】
ＭＳＩＤ−・ベースの坑井・装置および方法
【０６４３】
本発明は、ＭＳＩＤと、上記ＭＳＩＤを収容してツールストリングの中へ配置するように構成されたハウジング構造物とを実施形態をする。所定の実施形態において、本明細書に開示されるように、別の装置及びシステムはＨＴＲＥＳを備える、及びツールストリング（それは所定の実施形態中のＨＴＲＥＳモジュールかもしれない）の中への配置用のＨＴＲＥＳを収容するように構成されたハウジング構造物。
【０６４４】
システムは電力システムであることを特徴とするもう一つの実施形態において、システムは、本発明のＭＳＩＤを備える；ＨＴＲＥＳ（例えば本明細書で説明したウルトラキャパシタ）；またＭＳＩＤ及びＨＴＲＥＳが両方ともツールストリングの中への配置をしたい気持ちであるハウジング構造物である。
【０６４５】
概して、電力システムは、本明細書で説明するように、電源の電気的な態様の分離するの余裕がある電気的、例えば電圧、電流、負荷の電気的な態様から瞬間の電力である。
【０６４６】
本１は本発明、ＭＳＩＤと、上記ＭＳＩＤを収容してカラーの上又はカラーの中に装着するように構成されたハウジング構造物とを実施形態をする。
【０６４７】
ある実施形態において、モジュール式信号インターフェース装置は、の及び／又は報告を行うことができる。
【０６４８】
１つの実施形態において、本発明は、電源から電力を受信するのに適合し、データ伐採のために構成されたコントローラを備えるデータシステム（例えば、坑井内環境に適合した）、及び／又は報告を提供する；データを受信する（例えばさらに解釈する）ように構成された１つ又は複数のセンサ回路と上記システムは、摂氏約７５度から摂氏約２１０度までの間の温度範囲で動作するように適合される
【０６４９】
もう一つの実施形態において、本発明は、電源から電力を受信するのに適合し、最適化の掘削のために構成されたコントローラを備えるデータシステム（例えば、坑井内環境に適合した）を提供する；データを受信する（例えばさらに解釈する）ように構成された１つ又は複数のセンサ回路と上記システムは、摂氏約７５度から摂氏約２１０度までの間の温度範囲で動作するように適合される
【０６５０】
１つの実施形態において、本発明は、電源から電力を受信するのに適合し、ビット（ＴＯＢ）におけるトルクを決定するように構成されたコントローラを備えるデータシステム（例えば、坑井内環境に適合した）を提供する；データを受信する（例えばさらに解釈する）ように構成された１つ又は複数のセンサ回路と上記システムは、摂氏約７５度から摂氏約２１０度までの間の温度範囲で動作するように適合される
【０６５１】
１つの実施形態において、本発明は、電源から電力を受信するのに適合し、ビット（ＷＯＢ）における重量を決定するように構成されたコントローラを備えるデータシステム（例えば、坑井内環境に適合した）を提供する；データを受信する（例えばさらに解釈する）ように構成された１つ又は複数のセンサ回路と上記システムは、摂氏約７５度から摂氏約２１０度までの間の温度範囲で動作するように適合される。
【０６５２】
１つの実施形態において、本発明は、電源から電力を受信するのに適合し、温度センサ（例えば抵抗の変更によって温度を示す抵抗測温体（ＲＴＤ））によって温度を決定するように構成されたコントローラを備えるデータシステム（例えば、坑井内環境に適合した）を提供する；データを受信する（例えばさらに解釈する）ように構成された１つ又は複数のセンサ回路と上記システムは、摂氏約７５度から摂氏約２１０度までの間の温度範囲で動作するように適合される。
【０６５３】
所定の実施形態において、複数のデータシステムはそれらがドリルストリング又はツールストリングの長さに沿って変動するときに、坑井内状態（例えば振動、複数面積において衝撃）を分析するために使用されてもよい。特定の実施形態において、そのような空間の測定値は有用かもしれないのために、置き、センサによって任意の課題の源の区別を検出させて、とりわけ。特に実施形態、各で、本明細書で説明した上記に複数データシステムから受信されたデータを組織化するために識別を割り当てられてもよいか取り組んでもよいデータバスにおける、及び各に上記識別と協力するその情報を送信してもよいか取り組んでもよい及び／又は上記識別から、又は上記識別を有するＭＳＩＤに所定の時間又は周波数を割り当てるスケジュールに記載の資料依頼書に応じる。
【０６５４】
本発明１２０〜２３２のうちのいずれかに記載のデータシステムを使用することを含む、掘削動力学の効率を改善する方法。所定の実施形態において、方法は、ツールストリング及び／又はカラー中の異なる場所において配置されて、本明細書で説明した複数のデータシステムを使用することを備える。
【０６５５】
所定の実施形態において、データ伐採用のコントローラ及び／又は報告はデータ伐採のために構成されたＭＳＩＤ及び／又は報告である。
【０６５６】
データは、衝撃、振動、ビット上荷重（ｗｅｉｇｈｔ  ｏｎ  ｂｉｔ：ＷＯＢ）、ビット上トルク（ｔｏｒｑｕｅ  ｏｎ  ｂｉｔ：ＴＯＢ）、アニュラー圧力及び温度、及び／又は坑サイズから選択される。
【０６５７】
所定の実施形態において、データ伐採用のコントローラの構成及び／又は報告は、モニタリング、伐採及びシステム健全性の通信ができるためにコントローラを構成することを備える、例えば、リアルタイムで坑井内情報を通信すること、例えば供給するリアルタイムモニタリング、衝撃、振動、スティックスリップ及び温度の通信である。
【０６５８】
所定の実施形態では、温度範囲中の動作のための適応摂氏約２１０度に摂氏約７５度の間に高温（例えばシリコンエラストマーゲル）においてモジュール式の回路の変形を低減させる材料を有するコントローラをカプセル化することを備える。特定の実施形態において、システムは温度範囲中の動作に適合する膨張ボイドの供給する十分な個数による摂氏約７５度から摂氏約２１０度の間で、例えば、少なくとも１つ膨張ボイド、封止材料ではではコントローラは鉢植えであるハウジング、例えば、高度なポッティング方法の使用本明細書で説明した。
【０６５９】
所定の実施形態において、データ伐採及び／又は報告する別のシステムは電気的に接続されたデータ記憶を備える、例えば、ローカルに又は遠隔である。
【０６６０】
もう一つの実施形態において、本発明は、本発明の任意のデータシステムへの電源を電気的に接続することを備えるデータ伐採及び／又は報告（例えば坑井内環境では）方法を提供する。それはデータ伐採及び／又は報告がイネーブルにされるほどのものである。
【０６６１】
ウルトラキャパシタの製造方法であって、電源から電力を受けるように適合し、データ記録及び／又は報告を行うように構成されたコントローラと、データを受信する（例えばさらに解釈する）ように構成された１つ又は複数のセンサ回路と及び、上記システムは、摂氏約７５度から摂氏約２１０度までの間の温度範囲で動作するように適合される及び、本明細書で説明したデータシステムのように、上記コントローラ及びセンサ回路をハウジングに組み込むことである。
【０６６２】
所定の実施形態において、蓄え電源は２つのを。この実施形態では、データシステムはさらにＨＴＲＥＳを備えてもよい、例えば、少なくとも１つウルトラキャパシタ本明細書で説明したまた充電の制御少なくとも１つのための第２のコントローラまたエネルギー貯蔵装置の放電すること、第２のコントローラ備える少なくとも１つのモジュール式の回路断続的にデータコントローラ及びセンサ回路への電力を供給するように構成された電源から電力が検出されない場合；上記システムは、摂氏約７５度から摂氏約２１０度までの間の温度範囲で動作するように適合される。
【０６６３】
１つの実施形態において、データインタフェースシステムは表１５に以下で提供された性能特性の１つ又は複数を示すように構成される。明瞭さについては、平板状の列挙は単独で便宜向けである。また、各特性は本発明の別個の実施形態と考えられるに違いない。
【０６６４】
【表１５】
2016521451.tif 000016
【０６６５】
所定の実施形態において、ＭＳＩＤは電力システムとして構成されてもよい。
【０６６６】
所定の実施形態において、ＭＳＩＤは電力システムとして、及びデータ伐採のために構成され及び／又は報告しているかもしれない。
【０６６７】
ＭＳＩＤが電力システムとして構成されることを特徴とするＭＳＩＤの構成において、円形の回路基板で構成された追加のモジュール式の回路はシステムへの追加の機能を提供するために付け加えられてもよい。そのような追加の回路はモジュール式のバスを結合して、追加のスタッカを介して追加されてもよい。そこにおいてはハウジングはＭＳＩＤのサイズにおいて任意の増加も収容するように構成される。さらに、これらの追加の回路は、ＭＳＩＤのモジュール式の特性に起因して、追加の複雑を追加しないにスタックされた円形の回路基板の追加すること以外のＭＳＩＤの製造時、また容易に損傷なしに機能のサービス又は除去のためにＭＳＩＤの残りに移されてもよい。
【０６６８】
本明細書で説明した所定の実施形態において、本発明のシステムはＨＴＲＥＳを含んでもよい。エネルギー貯蔵装置は、坑井内条件で実用的である任意のタイプの技術を含んでもよい。ある実施形態において、ＨＴＲＥＳは、摂氏７５度を超える温度における動作のために構成され、例えば、摂氏約７５度から摂氏約２１０度までの温度範囲内にある温度、例えば、摂氏約８５度から摂氏約２１０度までの温度範囲内にある温度、例えば、摂氏約９５度から摂氏約１００度までの温度範囲内にある温度、例えば、摂氏約７５度から摂氏約２１０度までの温度範囲内にある温度、例えば、摂氏約１１０度から摂氏約２１０度までの温度範囲内にある温度、例えば、摂氏約１２０度から摂氏約２１０度までの温度範囲内にある温度、例えば、摂氏約１３０度から摂氏約２１０度までの温度範囲内にある温度、例えば、摂氏約１４０度から摂氏約２１０度までの温度範囲内にある温度、例えば、摂氏約１５０度から摂氏約２１０度までの温度範囲内にある温度、例えば、摂氏約１６０度から摂氏約２１０度までの温度範囲内にある温度、例えば、摂氏約１７０度から摂氏約２１０度までの温度範囲内にある温度、例えば、摂氏約１７５度から摂氏約２１０度までの温度範囲内にある温度における動作のために構成される。
【０６６９】
所定の実施形態において本発明、ＨＴＲＥＳは、図３〜図９及び図１１〜図２８を参照して下記に述べられる少なくとも１つのウルトラキャパシタを含む。
【０６７０】
ＨＴＲＥＳの追加の実施形態は、以下に限定するわけではないが、化学バッテリー、アルミニウム電解キャパシタ、タンタルキャパシタ、セラミック及び金属フィルムキャパシタ、ハイブリッドキャパシタ、磁気エネルギー貯蔵装置、例えば、空気コア又は高温コア材料のインダクタを含む。適切でありうる他のタイプのものは、例えば、フライホイール、バネシステム、バネ質量システム、質点システムなどの力学的エネルギー貯蔵装置、熱容量システム（例えば、高い熱容量の液体又は固体又は相変化材料に基づいくもの）、油圧又は空気圧システムを含む。一例は、米国ロードアイランド州プロビデンスのエヴァンスキャパシタカンパニー（Evans Capacitor Company）から入手可能な高温ハイブリッドキャパシタであり、例えば、最大で摂氏１２５度までの定格温度を有する部品番号ＨＣ２Ｄ０６０１２２  ＤＳＣＣ１０００４−１６である。もう一つの例は、米国ロードアイランド州プロビデンスのエヴァンスキャパシタカンパニーから入手可能である、例えば、最大で摂氏２００度までの定格温度を有する部品番号ＨＣ２Ｄ０５０１５２ＨＴの高温タンタルキャパシタである。さらにもう１つの例は、ドイツ国ミュンヘンＥＰＣＯＳ  ＡＧから入手可能である、例えば、最大で摂氏１５０度までの温度定格を有する部品番号Ｂ４１６９１Ａ８１０７Ｑのアルミニウム電解キャパシタである。さらにもう１つの例示は、日本国大阪府のパナソニック株式会社から入手可能である、例えば、最大で摂氏１５０度までの温度定格を有する部品番号ＥＴＱ−Ｐ５Ｍ４７０ＹＦＭ、又は、米国カリフォルニア州フラートンのＢＩテクノロジーズ（BI Technologies）から入手可能である、例えば、最大で摂氏１８５度までの温度定格を有する部品番号ＨＭ７０−６０２Ｒ０ＬＦの高温インダクタである。追加の実施形態は、フランス国バニョレのサフトＳ．Ａ．（Ｓａｆｔ  Ｓ．Ａ．）から入手可能である、例えば、３０回の充放電サイクルで最大で摂氏１２５度までの温度定格を有する部品番号Ｌｉ−ｉｏｎ  ＶＬ  ３２６００−１２５のバッテリーを含む。最大で摂氏約２５０度までの温度定格を有するもう一つの例示的なリチウムイオンバッテリは、米国マサチューセッツ州ウォルサムのソリッドエネルギーシステムズコーポレイション（SolidEnergy Systems Corp.）で実験フェーズにあり、特許文献１に記載され、これの全体は参照によって本明細書に組み込まれる。
【０６７１】
本発明の電力システム、それは備える１つの本明細書で説明したＭＳＩＤは、源によって負荷に供給された電力のためのバッファリングするとして動作するのに有用である。このバッファリングシステムは、典型的には負荷への電源の直接の接続を使用する既存のシステムに対する多数の利点を備える。そのような利点は、効率、パワー出力、バッテリー寿命又はＨＴＲＥＳ（例えばウルトラキャパシタ）寿命の１つ又は複数性能パラメータを最適化する能力を含む。
【０６７２】
本発明は、電源から負荷への電力をバッファリングすることに適合した電力システムを提供し、ＨＴＲＥＳ、例えば、少なくとも１つウルトラキャパシタ本明細書で説明したまた充電の制御少なくとも１つのためのコントローラまたエネルギー貯蔵装置の放電すること、コントローラ備える少なくとも１つのモジュール式の回路３０％を超えてによる縮小するバッテリー消費のために構成された、例えば、３５％を超えて、例えば、４０％を超えて、例えば、４５％を超えて、例えば、５０％を超えて（例えば電力システムを有するバッテリー消費に対する）；上記システムは、摂氏約７５度から摂氏約２１０度までの間の温度範囲で動作するように適合される。
【０６７３】
本発明は、電源から負荷への電力をバッファリングすることに適合した電力システムを提供し、ＨＴＲＥＳ（例えば本明細書で説明した少なくとも１つウルトラキャパシタ）、及び充電の少なくとも１つを制御し、エネルギー貯蔵装置を放電するためのコントローラ、少なくとも１つを備えるコントローラバッテリー動作時間（すなわち電池寿命、又は運用上の時間）を５０％を超えて（例えば６０％を超えて）増大するために（例えば８０％（例えば）を超える７０％を超えて）構成されたモジュール式の回路、例えば、１００％（例えば）（例えば電力システムを有するバッテリー消費に対する）を超える９０％を超えて；上記システムは、摂氏約７５度から摂氏約２１０度までの間の温度範囲で動作するように適合される。
【０６７４】
本発明は、電源から負荷への電力をバッファリングすることに適合した電力システムを提供し、ＨＴＲＥＳ（例えば本明細書で説明した少なくとも１つウルトラキャパシタ）、及び充電の少なくとも１つを制御し、エネルギー貯蔵装置（経営効率を９５％（例えば）を超える９０％を超えてに増大するために、モジュール式の回路が構成した少なくとも１つを備えるコントローラ）を放電するためのコントローラ；上記システムは、摂氏約７５度から摂氏約２１０度までの間の温度範囲で動作するように適合される。
【０６７５】
本発明は、電池動力源から負荷への電力をバッファリングすることに適合した電力システムを提供し、ウルトラキャパシタは、ＨＴＲＥＳ、例えば、少なくとも１つウルトラキャパシタ本明細書で説明したまた充電の制御少なくとも１つのためのコントローラまたエネルギー貯蔵装置の放電すること、コントローラ備える少なくとも１つのモジュール式の回路バッテリーを横切った、バッテリー及び一定の出力電圧から定電流を引くように構成された放電する；上記システムは、摂氏約７５度から摂氏約２１０度までの間の温度範囲で動作するように適合されるさらに、バッテリー放電を横切った一定の出力電圧を有するバッテリーから定電流引分けの管理は与えられたバッテリーの必要のために最適化することでバッテリー消費率を減少させるために動作する。
【０６７６】
本発明は、電源から負荷への電力をバッファリングすることに適合した電力システムを提供し、ウルトラキャパシタは、ＨＴＲＥＳ、例えば、少なくとも１つウルトラキャパシタ本明細書で説明したまた充電の制御少なくとも１つのためのコントローラまたエネルギー貯蔵装置の放電すること、コントローラ備える少なくとも１つのモジュール式の回路電源及び出力ＨＴＲＥＳ電圧から入力電流（例えば、範囲のことから２Ａ約に１０Ａ約）を制御するように構成された；上記システムは、摂氏約７５度から摂氏約２１０度までの間の温度範囲で動作するように適合されるある実施形態において、電圧は、トリヘキシルテトラデシルホスホニウムトリフルオロメチルスルフォニルである。特定の実施形態において、負荷は変動してもよい。また、必要な電圧はさらに従って変動するだろう。変化する電圧を含む所定の実施形態において、電力システムは採用するように構成される最適現在のものを低減させる安定した最も低い電圧電源（例えばバッテリー）に近づく、そこにおいては、電圧は、２Ｖプラスまたはマイナス内側は安定しているままである、例えば、の内にプラスまたはマイナス１Ｖ。重要なことには、電圧安定性が電池寿命に加えて負荷の長寿を増大することは公知である。上記安定最低電圧は約０Ｖから約１０Ｖまでの範囲を有する記載の電力システム。約２０Ｖに対して約１０Ｖから；約３０Ｖに対して約２０Ｖから；約４０Ｖに対して約３０Ｖから；約５０Ｖに対して約４０Ｖから；約６０Ｖに対して約５０Ｖから；又は約６０Ｖから約１００Ｖである。
【０６７７】
本発明は、電源から負荷への電力をバッファリングすることに適合した電力システムを提供し、ＨＴＲＥＳ、例えば、少なくとも１つウルトラキャパシタ本明細書で説明したまた充電の制御少なくとも１つのためのコントローラまたエネルギー貯蔵装置の放電すること、コントローラ備える少なくとも１つのモジュール式の回路電源及び出力ＨＴＲＥＳ電圧から入力電力（例えば、約０Ｗから約１００Ｗに範囲で）を制御するように構成された；上記システムは、摂氏約７５度から摂氏約２１０度までの間の温度範囲で動作するように適合される所定の実施形態において、電圧は負荷に基づいて選択される。特定の実施形態において、負荷は変動してもよい。また、必要な電圧はさらに従って変動するだろう。変化する電圧を含む所定の実施形態において、電力システムは採用するように構成される最適電力を低減させる安定した最も低い電圧電源（例えばバッテリー）に近づく、そこにおいては、電圧は、２Ｖプラスまたはマイナス内側は安定しているままである、例えば、の内にプラスまたはマイナス１Ｖ。重要なことには、電圧安定性が電池寿命に加えて負荷の長寿を増大することは公知である。上記安定最低電圧は約０Ｖから約１０Ｖまでの範囲を有する記載の電力システム。約２０Ｖに対して約１０Ｖから；約３０Ｖに対して約２０Ｖから；約４０Ｖに対して約３０Ｖから；約５０Ｖに対して約４０Ｖから；約６０Ｖに対して約５０Ｖから；又は約６０Ｖから約１００Ｖである。
【０６７８】
もう一つの実施形態中で、本発明は、バッファリングのための方法を提供する電源から負荷までの電力、例えば、坑井内環境中で、電気的に備えること本発明の任意の電力システムへの電源の接続、また負荷への電気的に接続する上記電力システム、そのようなもの電力は電源から負荷にバッファされる。
【０６７９】
ウルトラキャパシタの製造方法であって、ＨＴＲＥＳの選択、例えば、少なくとも１つウルトラキャパシタ本明細書で説明したまた充電の制御少なくとも１つのためのコントローラまたエネルギー貯蔵装置の放電すること、コントローラ備える少なくとも１つのモジュール式の回路電源から負荷までの電力のバッファリングを制御するように構成された；本明細書で説明した電力システムのように、上記ＨＴＲＥＳ及びコントローラをハウジングに組み込むことである。
【０６８０】
本発明の電力及び／又はデータシステムの所定の実施形態では、電力システムは、摂氏約７５度から摂氏約２１０度までの間で、例えば摂氏約８０度から摂氏約２１０度の間で、例えば摂氏約９０度から摂氏約２１０度の間で、例えば摂氏約１００度から摂氏約２１０度の間で、例えば摂氏約１１０度から摂氏約２１０度の間で、例えば摂氏約１２０度から摂氏約２１０度の間で、例えば摂氏約１２５度から摂氏約２１０度の間で、例えば摂氏約１３０度から摂氏約２１０度の間で、例えば摂氏約１４０度から摂氏約２１０度の間で、例えば摂氏約１５０度から摂氏２１０度の間で、例えば摂氏約１６０度から摂氏約２１０度の間で、例えば摂氏約１７５度から摂氏約２１０度の間での温度範囲で動作するように適合される。本発明の電力システムの所定の実施形態では、電力システムは、摂氏約７５度から摂氏約１５０度までの間で、例えば摂氏約１００度から摂氏約１５０度の間で、例えば摂氏約１２５度から摂氏約１５０度の間での温度範囲で動作するように適合される。
【０６８１】
電力の所定の実施形態及び／又は本発明のデータシステムにおいて、別の電力システムはハウジング（例えば本明細書で説明した高度なモジュール式のハウジング）を備える。それではコントローラ（例えば本発明のＭＳＩＤ）及び任意のＨＴＲＥＳ（例えば本発明のウルトラキャパシタストリング）も、例えば配置される。そこにおいてはハウジングはツールストリング中の配置に適している。
特に実施形態、コントローラは、高温（例えばシリコンエラストマーゲル）においてモジュール式の回路の変形を低減させる材料にカプセル化される。
特定の実施形態において、システムは温度範囲中の動作に適合する膨張ボイドの供給する十分な個数による摂氏約７５度から摂氏約２１０度の間で、例えば、少なくとも１つ膨張ボイド、封止材料中でではコントローラは鉢植えであるハウジング、例えば、高度なポッティング方法の使用本明細書で説明した
【０６８２】
本発明の電力システムの所定の実施形態では、
所定の実施形態において、ＭＳＩＤは接続回路基板を備える、例えば、そこにおいては上記接続回路基板は外部コンピュータ／ネットワークと通信するのに適合する。
所定の実施形態において、ＭＳＩＤはクロスオーバー回路基板を備える。
所定の実施形態において、ＭＳＩＤはウルトラキャパシタ充電器回路を備える。
所定の実施形態において、ＭＳＩＤはウルトラキャパシタ管理システム回路を備える。
所定の実施形態において、ＭＳＩＤは電力変換器を備える管理システム回路。
所定の実施形態において、ＭＳＩＤはウルトラキャパシタ充電器回路を備える。
上記ＭＳＩＤは、電源、ウルトラキャパシタ充電器回路、ウルトラキャパシタ管理システム回路、及び電子管理システム回路に電気的に接続された接続回路基板の任意の組み合わせを備える。
【０６８３】
電力の所定の実施形態及び／又は本発明のデータシステムにおいて、電源はワイヤーライン電源及び１つのバッテリー（例えばバックアップバッテリー）を備える。
【０６８４】
上記電力システムは、電子回路、変圧器、増幅器、サーボ、プロセッサ、データ保存、ポンプ、モータ、センサ、熱的に調整可能なセンサ、光学センサ、トランスデューサ、光ファイバー、光源、シンチレータ、パルサー、油圧アクチュエータ、アンテナ、単一チャネルアナライザ、マルチチャネルアナライザ、放射線検出器、加速度計、及び磁力計のうちの少なくとも１つを備える負荷に本発明をするようにれる。
【０６８５】
本発明の電力システムの所定の実施形態において、コントローラ回路も断続的な電力パルスを提供するように構成されてもよい、例えば、約５０Ｗ及び１００Ｗの間である。
【０６８６】
本発明の電力システムの追加の利点は各に高度に機能的システムであるリチウムなしで作られてもよい。
【０６８７】
本発明の電力システムの所定の実施形態において、
上記電力システムは、坑井内ツールストリング及び関連付けられた電子回路への電圧安定性をもたらす、
そのような電圧安定性は、それが寿命を改善する安定したミクロのグリッドを電圧に与える電圧変動に敏感な上記電子回路である。
【０６８８】
本発明の電力システムの所定の実施形態において、
電力システムはリアルタイムで坑井内情報を通信してもよい。
【０６８９】
本発明の電力システムの所定の実施形態において、
電力システムは、衝撃、振動、スティックスリップ及び温度のリアルタイムモニタリング及び通信を設けてもよい。
【０６９０】
本発明の電力システムの所定の実施形態において、
上記電力システムは、システム健全性のモニタリング、記録、及び通信を行う。
【０６９１】
本発明の電力システムの所定の実施形態において、
上記電力システムは、充電モニタリングのバッテリー状態のモニタリング及び通信をリアルタイム又はオフラインで行う。
【０６９２】
本発明の電力システムの所定の実施形態において、
上記電力システムは、表面デコードシステム（surface decoding system）をさらに備えてもよい。
【０６９３】
本発明の電力システムの所定の実施形態において、
上記電力システムは、モータパルサーを駆動する電力を提供する。
【０６９４】
本発明の電力システムの所定の実施形態において、
ハイレベルレートセルが必要だった場合には、格安料金セルが使用されることを可能にすることによる電力システム増加安全性である。
【０６９５】
本発明の電力システムの所定の実施形態において、
電力システムは、坑井内で使用される、より少ないリチウムを有する増大した信頼性を設けてもよい。
【０６９６】
基づいたソレノイド又はモータベースの泥パルサーはＭＷＤ及びＬＷＤのツールストリングでは使用されることを特徴とする所定の実施形態において、本発明の電力システムは、泥パルサーの信頼性を改善し、及び／又はパルスの信号純度を改善してもよい。
【０６９７】
もう一つの実施形態において、本発明は、本発明の任意の電力システムに電気的に接続された電源、及び坑井内環境中の動作に適合した負荷を提供する。
【０６９８】
ａ．高効率用途のためのシステム
【０６９９】
ｉ．効率最適化
【０７００】
所定の実施形態において、ＭＳＩＤは電力システムの効率最適化の余裕のあるように構成されてもよい。パワーエレクトロニクスの効率は、バッテリー、ワイヤーライン又は発電機のような電源によって配送されている負荷及び入力電力に配送された出力電力間の比として概して説明することができる。いくつかの実施形態において、ＥＭＳ回路が２つの測定値の製品として入力電力を計算して、入力電圧及び入力電流を直接的に測定することができる。同様に、ＥＭＳ回路は、２つの測定値の製品として出力電力を計算する出力電圧及び電流を測定することができる。
【０７０１】
他の回路（例えばＵＣＣ）へのその通信を通じて、ＥＭＳ回路が、充電電流及び充電時間のようなパラメータを命じることができる。これは、入力電流及び出力電圧の両方の制御をイネーブルにすることができる。充電電流の変動によってまた出力電圧を調整した、ＥＭＳ回路は、充電電流及びキャパシタ電圧の全動作範囲にわたる電子回路電力効率を定量化することができる。
【０７０２】
１つの実施形態において、ＭＳＩＤはパワーエレクトロニクス効率を最適化する、例えば、ＥＭＳの使用、及びそれによって選択されたハイレベルの現在のレベル及びゼロの現在のレベルの間で充電電流が切り換えられるヒステリシスの電圧制御の使用を通じて。この理由は、多くの場合、パワーエレクトロニクスがそれらの電力能力範囲の上部の範囲に中央のものにおいて大部分の効率を動作させるということである。さらに、いつパワーエレクトロニクス充電電流を処理していない、それらは小電力引き状態に入れることができる。小電力状態は、各回路の静止した電力のみを引く。従ってＥＭＳ回路を介して電力システムを構成することで、のために断続的に、長い小電力が後続する短期間の高い現在のレベルにおいて充電ウルトラキャパシタは、状態「から」引く、非常に高い電子効率は達成することができる。
【０７０３】
１つの実施形態において、充電電流の連続的な測定及び制御を介して、ＥＭＳ回路が、パワーエレクトロニクスのふるまいを変化させることができるに、所定の実施形態中で、最高効率を達成する。このリアルタイム調整能力は温度、出力負荷、キャパシタ効率及びバッテリー効率において変化に調節するために重要である。
【０７０４】
全体的な電子効率温度及び入力電圧のような変数に変動する多くの異なる要因における従属である。ＥＭＳ回路は、電力を入力する出力電力の比の計算で効率を正確に測定することができる。しかしながら、どの動作基点が所定の環境で最も効率的なものか予測するのは難しい。従って、ＥＭＳ回路は「丘登山」として既知の技術を使用する。丘に登る方法はシステムふるまいの充電電流及び観察への頻繁な動揺を作成することを含んでいる。各動揺、又は充電電流の変化の後、合計効率は計算される。充電電流において変化がより高い効率にもたらした場合、充電電流は同じ方向にさらに変更される。充電電流において変化がより少ない効率にもたらした場合、充電電流は反対方向で変更される。この方法で、丘に登る方法ターゲット動作基点どれにおいてパワーエレクトロニクス最大効率において、又はその効率の近くで動作する。
【０７０５】
所定の実施形態において、ＭＳＩＤは、さらに小電力動作モードをＵＣＣに向けることで、効率のために最適化する。例えばいくつかの実施形態、雄としてのＵＣＣ機能及び両方押し上げ電力変換器中で。動作の雄押し上げモードにおいて、４つのトランジスタが充電電流を調整するために切り換えられている。一方、一方の雄又は押し上げ動作モードにおいて、２つのトランジスタのみが充電電流を調整するために切り換えられている。従って、雄押し上げモードは、概して一方の雄よりより劣った効率に動作する又はモードを押し上げる。雄（雄押し上げ）の間に遷移する、またモードを押し上げる充電電流及びキャパシタ電圧によって管理される。充電電流及びウルトラキャパシタ電圧の両方が他の回路（例えばＥＭＳ回路）によって測定されてもよいので、ＭＳＩＤは、ＵＣＣが雄では動作することを保証し、かつ最も良好な効率にとって可能な間モードを押し上げるようにＵＣＣ充電電流及びウルトラキャパシタ電圧を制御することができる。
【０７０６】
所定の実施形態において、様々な回路又は潜水艦回路は、電力を節約するために小電力スリープ状態を入力してもよい。いくつかの実施形態において、上記スリープ状態は、回路、又は回路のディジタル監視装置によってローカルに起動される。いくつかの実施形態において、上記スリープ状態は中心に起動される、例えば、ＥＭＳ回路（それはモジュール式のバス上に通信し、ディジタル監視装置に、及びその監視装置からデータを送り、受信してもよい）によって。例えば、ＵＭＳ回路は、連続的にしかしのみ断続的に動作させる必要がなくてもよい及び、キャパシタを平衡を保つ場合だけ、いくつかの実施形態中で必要である。ＵＭＳ回路は、キャパシタストリングの実質的にバランスのとれた状態を測定するか報告し、次に、上述したものとして方法にスリープ状態を入力してもよい。同様の方式は、他の回路に概して同様に印加されてもよい。例えば、キャパシタストリングを充電する必要がない場合、ウルトラキャパシタ充電器はスリープ状態を入力してもよい。
【０７０７】
ｉｉ．電力最適化
【０７０８】
所定の実施形態において、ＭＳＩＤは電力システムの電力最適化の余裕のあるように構成されてもよい。例えば、いくつかの実施形態において、ＥＭＳ回路が、負荷要件の変更のために提供するためにリアルタイムで出力電力能力を調節することができる。ウルトラキャパシタは一範囲の電圧レベルを安全に格納することができる、例えば、別個数における従属またサイズを有するウルトラキャパシタの。高電圧レベルにおいて、ウルトラキャパシタの出力電力能力は増大される。すなわち、ウルトラキャパシタは、充電される前に長い期間の大電力出力レベルを保持することができる。より低い電圧レベルにおいて、ウルトラキャパシタは保持することができないパワーレベルのハイレベルだが全体的効率が延在するために増大されてもよいときバッテリー寿命。
【０７０９】
ｉｉｉ．電圧最適化
【０７１０】
所定の実施形態において、ＭＳＩＤは負荷にもたらされた電圧を最適化するように構成されてもよい。例えばＭＳＩＤ、ユーザ、より低い電力を測定してもよい所定の範囲内の電圧において引き、延在することを上記範囲中で例えば動作することに決めるバッテリー寿命。例えば、ＭＳＩＤは、５０から１００Ｖ、４０〜５０Ｖ、３０〜４０Ｖ、２５〜３０Ｖ、２０〜２５Ｖ、１５〜２０Ｖ、１０〜１５Ｖ、０〜１０Ｖまでの範囲中の負荷電圧に動作させるべき電力システムを制御してもよい。
【０７１１】
ｉｖ．バッテリー寿命最適化
【０７１２】
所定の実施形態において、ＭＳＩＤはバッテリー寿命最適化の余裕のあるように構成されてもよい。例えば、所定の状態の下では、バッテリーはより長い寿命を提供する与えられた１つの安定した現在断続的なハイレベルの現在の引きとは対照的に引く。他の状態の下では、バッテリーはより長い寿命を提供する与えられた１つの現在で、パルス化された引く、１つの現在引く高周波含有量（温和に変化する現在の引き）を有すること、上記などの組み合わせ。所定の実施形態中で、そういうものとして、これらヒューリスティックスはバッテリーを整形するために利用することができる現在バッテリー寿命のために最適化するために引く。別、これらヒューリスティックスは検出されたパラメータに基づいた動作時間において供給されているかもしれない、すなわち最適のバッテリーを決定する状態の決定を有すること現在引く。一例において、リチウム塩化チオニルバッテリー中で陰極を凍結上方へ減少させるために、バッテリー電流は高温において平滑化されるが、同じセルのｄｅ−不動態化を促進するために低温においてパルスを含む。特定の実施形態において、ヒステリシスの制御計画は０でない低いヒステリシスレベルに利用することができる。２つの０でない現状間の充電電流の変動によって、キャパシタ電圧制御は、バッテリー中の大きく高速なずれの悪影響を低減させることながら達成されてもよい現在バッテリー（例えばリチウム塩化チオニルバッテリー）の健全性に近づく。概して、１つのより滑らかな直接利回り現在と及び伝導損失間の２乗された関係に起因して直列抵抗態様を有する源からエネルギーのより効率的な抽出である。
【０７１３】
例示として、リチウム塩化チオニルバッテリーパックは、本明細書に開示されるような電力システムを使用して、オン−オフの現在の方式に最初に引かれた。上記第１のテストでの上記バッテリーパックは、約２５６時間の寿命を達成した。直ちにテスト、等価物バッテリーパックは本明細書に開示されるような電力システムを使用して、平滑化された現在の方式に引かれた。上記第２のテストでの上記バッテリーパックは、約３６５時間の寿命を達成した。
【０７１４】
所定の実施形態中で、バッテリー電流の態様の制御によるＭＳＩＤ、バッテリー寿命はそうかもしれない延在する。所定の実施形態において、電力システムは上記ＭＳＩＤ及びＨＴＲＥＳを備える。
【０７１５】
所定の実施形態において、バッテリー電流は一範囲の＋／未満以内にあるように制御される−平均（例えば５０％（例えば４０％（例えば３０％（例えば２０％（例えば２０％（例えば１０％未満）未満）未満）未満）未満）未満）の５１％。
【０７１６】
所定の実施形態において、バッテリー電流は約１，０００ミリセカンド未満（ミリ秒又はミリセカンド）及び約５つまでのＡピークのパルスを含むように制御される、例えば約５００ミリ秒未満及びまで２Ａピーク（例えば約１００ミリ秒未満、約１つまでのＡピーク）約。所定の実施形態において、バッテリー電流は変化するように制御される１と比べ少しも高速でない／ｓｅｃ、例えば０．５Ａ／秒と比べ少しも高速でない、例えば０．２５と比べ少しも高速でない／ｓｅｃ、例えば０．１Ａ／秒と比べ少しも高速でない、例えば０．０１Ａ／秒と比べ少しも高速でない
【０７１７】
所定の実施形態において、バッテリー電流は滑らかになること、パルシング、又は整形のうちの１つを達成するように制御される。別の実施形態において、上記バッテリー電流は測定された周囲条件による制御される。
【０７１８】
所定の実施形態中で、充電電流のヒステリシス範囲を狭くすることでＥＭＳ回路を介して電力システムを構成することによるＭＳＩＤ、バッテリー電流はスムーザー（延在するバッテリー寿命）になってもよい。概して、１つのより滑らかな直接利回り数学上源からエネルギーのより効率的な抽出、現在と及び伝導損失の２乗された関係に起因して。
【０７１９】
もう一つの実施形態において、電力システムは、ＥＭＳ回路を介して、線形フィードバック制御方式を使用して動作するように構成される。
【０７２０】
ヒステリシス及びリニア制御実施形態において、バッテリー化学、キャパシタ化学及びパワーエレクトロニクスふるまいに関するヒューリスティックスは、さらにシステム性能を改善するために実装することができる。
【０７２１】
所定の実施形態において、被害を受けたバッテリーは、その電力能力を低下させる高い実効直列抵抗（ＥＳＲ）を示すだろう。そのため、クロスオーバー回路と通信することによって、充電回路情報のバッテリー状態は記録することができる。さらに、入力バッテリー電流及び入力蓄電池電圧の測定によって、バッテリーＥＳＲはＥＭＳ回路によって測定することができる。過度のＥＳＲを与えられて、ＥＭＳ回路は、電力取り扱い能力を改善するためにバッテリーを切り換えるクロスオーバー回路が供給するように命じることができる。
【０７２２】
本明細書に開示されたＭＳＩＤベースの装置、システム及び方法の所定の実施形態の一例は、有利な電力最適化及び効率特性を有することが図４０に引用文献によって示されると開示した。図４０Ａは、本明細書に開示されたＭＳＩＤベースの装置、システム及び方法を組み込まない典型的な坑井内ツールの電圧及び電流（すなわち電力）ふるまいを描く図表である。図４０Ａでは描かれたシステムは、上に議論されたバッテリーのようなリチウム塩化チオニルバッテリーのバンクから成って、バッテリーパックに接続されて、上に議論されたツールのような例示的な坑井内ツールを含む。電圧４０１のショーを追跡するバッテリーパック（坑井内ツールがパルス中の電流を引く場合、それは約３４Ｖの薬浴のベースラインから約２６−２８Ｖに変動する）の出力電圧。現在の跡４０２ショー坑井内ツール（それは約５０ｍＡのベースラインから約２．３Ａのピーク電流パルスに変動する）によってバッテリーから取り出された電流。図４０Ａ（それはより短いバッテリー寿命にもたらして、多数の例示的な坑井内ツール、破損リチウム塩化チオニルバッテリーの典型的である）では示されるパルス電力ふるまいである。
【０７２３】
対照的に、図４０Ｂは、ＨＴＲＥＳを含めて、本明細書に開示されるようなＭＳＩＤベースの電力システムを組み込む同様のシステムの電圧及び電流（すなわち電力）ふるまいを描く２つの図表（具体的には本明細書に開示された高温ウルトラキャパシタのバンク）をもたらす。図４０Ｂでは描かれたシステムは、高温ウルトラキャパシタのバンクを含むＭＳＩＤベースの電力システムに接続されて、上に議論されたツールのような例示的な坑井内ツールを含む。本明細書に議論されたバッテリーのようなリチウム塩化チオニルバッテリーのバンクから成って、バッテリーパックにそれは接続されている。電圧４０３のショーを追跡するバッテリーパックの出力電圧、それは一貫して約２８Ｖで、電圧を欠く浸る坑井内ツールによって引かれた電流に対応する同様に、現在の跡４０４は、バッテリーパックから取り出された一貫した出力電流を描く。それは約２００ｍＡ．である。現在の跡４０６ショー坑井内ツール（それは約５０ｍＡのベースラインから約２．３Ａのピーク電流パルスに変動する）によってＭＳＩＤベースの電力システムから取り出された電流。図４０Ａでは表されたバッテリーパックの出力電圧と異なり、電圧跡４０５として示されたＭＳＩＤベースの電力システムから出力電圧は、一貫して約２６Ｖである。この例示は、本明細書に議論されるように、利用可能な坑井内バッテリー、発電機及び他の電源を利用する既存の坑井内電力システムの上に、多数の最適化及び効率利点を提供して、本明細書に開示されたＭＳＩＤベースの電力装置、システム及び方法の多数の実施形態の代表である。
【０７２４】
ｖ．ＨＴＲＥＳ寿命最適化
【０７２５】
所定の実施形態において、ＭＳＩＤはＨＴＲＥＳ（例えばウルトラキャパシタ（電力システムへの寿命最適化））の余裕のあるように構成されてもよい。例えば、ＥＭＳ回路はＵＭＳ回路にデータ及びコマンドを伝えることができてもよい。これは、最適化中に調整された出力電圧変化としてさえ所望の電圧レベルへの各セルを調整することには有益である。さらにモジュール式のバスを介してＥＭＳ回路へのＵＭＳ回路レポートセル健全性。もの又は多数のキャパシタが破損されるとＵＭＳ回路が報告する場合、ＥＭＳ回路は別の損傷を緩和し、かつシステム健全性を延長する、制御計画を変更することができる。被害を受けたセルは減少した容量（セルが周囲のセルより速く充電し放電するようなもの）を示してもよい。被害を受けたセルはさらにハイレベル漏出電流を示してもよい。それは、セル意志が絶えず放電しており、より高い電圧を取得することを他のセルに強いているほどのものである。両方の場合において、より低い電圧にキャパシタストリングを充電することは有益である。そのため、電力システムの構成によって（例えばＵＭＳ回路と通信するためにＥＭＳ回路を構成することによって）、細胞傷害を絶縁し、より低いキャパシタ電圧にキャパシタ健全性を保存するを規制することは可能である。
【０７２６】
ウルトラキャパシタの頻繁な釣り合いがシステム効率を低減させることはさらに注意されるべきである。セルの受動の釣り合いは抵抗素子を介して超過料金をわたすことで槽電圧を低減させる。さらに、アクティブ及び受動の釣り合いは、追加の電力を消費して、ＭＯＳＦＥＴＳの頻繁なスイッチングを必要とする。従って、ＥＭＳの平衡を保つセルの必要を低減させることによって、回路は、電力消費量を削減し、かつシステム効率を改善するのを支援することができる。
【０７２７】
１つの実施形態において、電力システムは表１３に以下で提供された性能特性の１つ又は複数を示すように構成される。明瞭さについては、平板状の列挙は単独で便宜向けである。また、各特性は本発明の別個の実施形態と考えられるに違いない。
【０７２８】
【表１３】
2016521451.tif 000017
【０７２９】
ｂ．大電力用途のための装置及びシステム
【０７３０】
上述した電力システム、利点が特徴だった上述した、供給するように構成されてもよい比較的大電力（例えば以前に利用可能な電力システムを使用して、実際に利用可能な坑井だったより多くの電力）のために。概して、源及び負荷の間で電力バランスを保持しなければならず、源が概して有能ではないかもしれないので、大電力はパルスか断続的な方法で設けられてもよい供給する比較的上記大電力。より具体的には例示によって、本発明の電力システムは時間の第１の長さの間ＨＴＲＥＳに代金を請求し、時間の第２の長さの上記ＨＴＲＥＳから負荷にエネルギーを方向付けることで、大電力を提供してもよい。比較的大電力のために本発明の電力システムを具体的には特徴づける態様は、高電圧及び低い抵抗を含む。概して、大電力がエネルギー伝達の高いレートに翻訳するので、本発明の電力システムはさらに比較的高いエネルギー容量ＨＴＲＥＳから利益を得てもよい。例えば一次電池（例えばリチウム塩化チオニルバッテリー）、８を備える坑井内用途については、ＤＤは、格安料金構成のセルをサイズを有する設けてもよい最高約１０−５０Ｗの電力のために。それに比べて、本明細書に開示されるようなＨＴＲＥＳを備える電力システムは設けてもよい約５，０００Ｗ以内の電力のためである。
【０７３１】
大電力のために供給することによって、本発明の電力システムは、等しくより大きなシステムでの共用される電圧の電圧安定化効果に備える。具体的には、大電力能力は低い抵抗出力及び低い抵抗によってイネーブルにされるイネーブルを出力する比較的大電力出力する比較的低い結果として生じる電圧降下に。例えば、本発明のＨＴＲＥＳは約２８Ｖのストリングの電圧及び約１００  ｍＯｈｍｓの抵抗に本明細書に開示されるような高温ウルトラキャパシタを備えてもよい。上記例示的な電力システムは、約２０のためにわずかに２Ｖの電圧偏差を有する出力電流のＡを設けてもよい。結果として生じる電力は、この例示においておよそ５２０Ｗである。上記電圧安定化効果は、さらに調整された電力変換器（例えば本明細書に開示されるような例示的な負荷変換器）の使用から利益を得てもよい。所定の実施形態において、ＨＴＲＥＳは本明細書で説明した１つ又は複数ウルトラキャパシタを備える、例えばウルトラキャパシタストリング。そのようなウルトラキャパシタストリングは、所定の実施形態中で、円形の回路基板の外部の直径によって指示される内径に組み立てられたハウジング内にあてはめるように設計されている、及び、そこにおいては、ハウジングの外部の直径は、ツールストリングによって収容されるように設計されている。ＨＴＲＥＳが本発明のウルトラキャパシタで構成されることを特徴とする実施形態中で、従って、また空間で組織化される効率的なウルトラキャパシタストリング向き、本明細書で説明するように、より大きな容量はより長いウルトラキャパシタストリングによって生成される。所定の実施形態において、ウルトラキャパシタストリングは１２のキャパシタで構成される。
【０７３２】
所定の実施形態において、本発明の電力システムは設けてもよい約５，０００Ｗ以内の電力のために（例えば約１，０００  ５，０００＊  Ｗの電力のために）、例えば、約５００  １，０００＊  Ｗの電力のために（例えば約２５０  ５００＊  Ｗの電力のために）、例えば、約１００  ２５０＊  Ｗの電力のために（例えば約５１〜１００Ｗの電力のために）。
【０７３３】
従って、本発明のもう一つの電力システム実施形態は、坑井内に環境を備えることで約９９Ｗに約１Ｗを供給する電源から電力のバッファに適合した電力システムを提供する：ＨＴＲＥＳ、例えば、空間で組織化されたウルトラキャパシタストリング効率的な向き本明細書で説明するように、また充電の制御少なくとも１つのためのコントローラまたエネルギー貯蔵装置の放電すること、コントローラ備える少なくとも１つのモジュール式の回路供給する断続的な高出力パルスのために構成された、例えば、約１００Ｗ及び５００Ｗの間で；上記システムは、摂氏約７５度から摂氏約２１０度までの間の温度範囲で動作するように適合される所定の実施形態において、ＨＴＲＥＳは、約１−１０，０００Ｆの容量が特徴である。所定の実施形態において、コントローラは入力電圧より大きな電圧において出力を駆動するように構成される。高出力パルスによって供給された追加電力に、電池寿命の保持ながら負荷をより激しく駆動することは可能である。例えば、この構成は泥パルサーを駆動するために使用されてもよいより困難（例えば基づいたソレノイド又はモータベースの泥パルサー）電池寿命の保持ながら、及び信号の純度を損なうことなしで面への（例えばデータ転送速度の２倍まで）送信のためのより鋭い圧力パルス及び潜在的により高速なデータ転送速度に翻訳する例えば、泥パルステレメトリの使用。もう一つの実施形態において、この電力システムにおける負荷はＥＭ送信機かもしれない。もう一つの実施形態において、この電力システムにおける負荷はモータドライブ（例えばセンサレスブラシレスＤＣモータドライブ）かもしれない。
【０７３４】
所定の実施形態において、電源はバッテリーをＬＷＤツールストリング。
【０７３５】
所定の実施形態において、入力電力は約１Ｗから約２０Ｗである。また、出力は、１００Ｗ（約１００Ｗ（例えば）から約５００Ｗ）を超えてである。
【０７３６】
所定の実施形態において、入力電力は約２０Ｗから約５０Ｗである。また、出力は、１００Ｗ（約１００Ｗ（例えば）から約５００Ｗ）を超えてである。
【０７３７】
所定の実施形態において、入力電力は約５０Ｗから約９９Ｗである。また、出力は、１００Ｗ（約１００Ｗ（例えば）から約５００Ｗ）を超えてである。
【０７３８】
所定の実施形態において、本発明の電力システムは供給する約５００Ｗ以内で供給することによるより大きなシステムでの共用される電圧の電圧安定化効果のために、例えば約２５０Ｗ（例えば約１００Ｗ以内）以内、約５０％（例えば約４０％未満）未満の共用される電圧の電圧偏差を保持している間、例えば約３０％（例えば約２０％未満）未満、例えば約１０％未満である。
【０７３９】
所定の実施形態において、本発明のシステムは、約４０，０００フィート（例えば約３０，０００フィート（例えば約２０，０００フィート（例えば約１０，０００フィート以内）以内）以内）以内の深さにおいてＥＭのために井戸中のテレメトリを提供する。
【０７４０】
所定の実施形態において、本発明のシステムは、約１００Ｈｚ（例えば約７５Ｈｚ（例えば約５０Ｈｚ（例えば約２５Ｈｚ（例えば約１５Ｈｚ以内）以内）以内）以内）以内の送信周波数においてＥＭのために井戸中のテレメトリを提供する。
【０７４１】
所定の実施形態において、本発明のシステムは、約４０，０００フィート（例えば約３０，０００フィート（例えば約２０，０００フィート（例えば約１０，０００フィート以内）以内）以内）以内の深さにおいて井戸中の泥パルステレメトリに備える。
【０７４２】
所定の実施形態において、本発明のシステムは、約４０Ｈｚ（例えば約３０Ｈｚ（例えば約２０Ｈｚ（例えば約１５Ｈｚ（例えば約１０Ｈｚ以内）以内）以内）以内）以内の送信周波数において井戸中の泥パルステレメトリに備える。
【０７４３】
１つの実施形態において、電力システムは表１４に以下で提供された性能特性の１つ又は複数を示すように構成される。
明瞭さについては、平板状の列挙は単独で便宜向けである。また、各特性は本発明の別個の実施形態と考えられるに違いない。
【０７４４】
【表１４】
2016521451.tif 000018
【０７４５】
１つの実施形態において、電力システムは上述の表１４に提供された性能特性の１つ又は複数を示すように構成される。明瞭さについては、平板状の列挙は単独で便宜向けである。また、各特性は本発明の別個の実施形態と考えられるに違いない。
【０７４６】
ｃ．断続的な電源用途のための装置及びシステム
【０７４７】
動作のための電力を必要とする坑井内環境中の用途において、そのような電力が断続的に中断される（例えば、そこにおいては、電力はタービンによって供給されるタービンを通って泥のフローに由来した電力を発生するＭＷＤ／ＬＷＤツールストリング及びそのような泥流に電力を供給したツールストリングへの調整を行うために止められる）場合、負荷に電力を供給するように構成された本発明の電力システムは負荷へのＨＴＲＥＳに格納されたエネルギーを方向付けることで、断続的な電源バッファリングするとして動作するように構成されてもよい。概して、電力（例えば５〜１０分）なしに比較的長い期間がエネルギーバッファリングするの高い累積的なエネルギー必要量に翻訳するので、本発明の電力システムは、比較的高いエネルギーＨＴＲＥＳ（例えばエネルギー貯蔵装置の約１〜５つのＷｈを有する１つ）によって支援されてもよい。そのようなシステムは負荷ドライバ回路の使用に支援されてもよい。
【０７４８】
そのため、本発明のもう一つの電力システム実施形態は、バッファリングに適合した電力システムを提供する断続的な電源（例えば負荷を備えることにＨＴＲＥＳに格納されたエネルギーを方向付けることで、しばらくの期間の間電力を提供するのを止める電源）から電力：ＨＴＲＥＳ、例えば、空間で組織化されたウルトラキャパシタストリング効率的な向き本明細書で説明するように、オプションの負荷ドライバ回路、及び充電の少なくとも１つを制御し、エネルギー貯蔵装置を放電するためのコントローラ、システムはそこにおいてはの温度範囲中の動作に適合するか摂氏約２１０度に摂氏約７５度の間に。
【０７４９】
１つの実施形態において、本明細書に開示された装置及びシステムは、電力システムの構成要素として構成されたＭＳＩＤを備える。１つの例示において、ＭＳＩＤはモジュール式をさらに。非限定的な例示は中継回線、少なくとも１つセンサ回線、ウルトラキャパシタ充電器回線、ウルトラキャパシタ管理システム回線、転換回線、充電回線の状態及び電子管理システム回線を含む。
【０７５０】
上記ＭＳＩＤは、ウルトラキャパシタ充電器回路、ウルトラキャパシタ管理システム回路、及び電子管理システム回路にされた接続回路のを備える、
【０７５１】
いくつかの実施形態において、ＭＳＩＤはモジュール式回路基板を備える。別の実施形態において、モジュール式の回路基板は円形である。別の実施形態において、モジュール式の回路基板はスタックされている。別の実施形態において、モジュール式の回路基板は円形であり、かつスタックされている。
【０７５２】
ある態様では、製造することには、ハウジングのためのキャップ及びバッテリーの少なくとも一方を製造することが動力源含まれる発電機である。
【０７５３】
所定の実施形態において、電源は２つの１バッテリーを備える。この実施形態中で、ＭＳＩＤだろう別特に電源がバッテリー以上に備える場合、クロスオーバー回路を備える。１つの実施形態において、ＭＳＩＤはモジュール式充電回路基板をさらに備える。
【０７５４】
所定の実施形態において、電源はワイヤーライン及び少なくとも１つのバッテリー（例えばバックアップバッテリー）を備える。つの実施形態において、ＭＳＩＤはモジュール式回路をさらに備える。所定の実施形態において、ＭＳＩＤは状態を備える充電回路である。
【０７５５】
所定の実施形態において、電源は発電機を備える。
【０７５６】
所定の実施形態において、電源は発電機及び少なくとも１つのバッテリー（例えばバックアップバッテリー）を備える。つの実施形態において、ＭＳＩＤはモジュール式回路をさらに備える。所定の実施形態において、ＭＳＩＤは状態を備える充電回路。
【０７５７】
所定の実施形態において、回路基板は多機能の回路基板を提供するために組み合わせられてもよい。
【０７５８】
従って、もう一つの実施形態では、本発明は断続的な電源バッファリングするに方向付けられる電源で構成された供給する約１Ｗ〜約５００Ｗ、例えば、坑井内タービン、ＨＴＲＥＳ、例えば、ウルトラキャパシタストリング、１−１００個のウルトラキャパシタセルを備えてもよい、空間で組織化された効率的な向き本明細書で説明するように、オプションの負荷ドライバ回路、また充電の制御少なくとも１つのためのコントローラまたエネルギー貯蔵装置の放電すること、コントローラ備える少なくとも１つのモジュール式の回路供給する電力のために構成された；上記システムは、摂氏約７５度から摂氏約２１０度までの間の温度範囲で動作するように適合される所定の実施形態において、この電力システムは負荷に印加されてもよい電気的な出力を発生したと考えられてもよい。
【０７５９】
所定の実施形態において、電力は、５００時間（約５００時間（例えば）から約１０００時間（約１０００時間（例えば）から（例えば負荷の生活のために）約１５００時間））を超える時間に断続的に供給されてもよい。
【０７６０】
所定の実施形態において、断続的な電源バッファリングするは一範囲の電圧出力を設けてもよい、例えば、負荷の要件に基づいて選択された。
【０７６１】
ｄ．ＥＭ遠隔測定用システム
【０７６２】
騒々しいか、非常に損失のある構成を通して送信する場合、テレメトリの主要な挑戦はハイレベル信号対雑音比を保持している。減少した信号振幅及び従ってより小さな信号対雑音比にもたらして、それが伝搬するとき、高度に抵抗性構成のような損失のある構成は信号を減衰させる。超過外部ノイズは、受信された信号中のノイズを増大するテレメトリ信号に合計される。受信機において減少した信号対雑音比を補償するために、より遅いデータビット速さは、時々追加のパリティ又は冗長ビットに、多くの場合使用される。受信機は全体的なノイズ含有量（データ転送速度によるバンド限界のある下限）を低減させるためにバンド限定してもよい。したがって、より低いデータ転送速度は受信機の態様においてより低い全体的なノイズ含有量を可能にする。受信機において減少した信号対雑音比を補償する他の方法は、送信された信号の態様の大きさを増大することを含む。
【０７６３】
大電力を供給するように構成された電力システムと協力する出力テレメトリ増幅器は、多くの異なるシナリオ中の多目的増幅器として利用されてもよい。１つの特定の実施形態において、この構成は抵抗性負荷上の送信側テレメトリ信号に使用されてもよい。もう一つの用途において、モータ又はリニアアクチュエータのような誘導負荷のために同じパワーアンプ構成を利用することができるかもしれない。
【０７６４】
そのため、本発明のもう一つの電力システム実施形態は、負荷を備えることにＨＴＲＥＳに格納されたエネルギーを方向付けることで、大電力又は高電圧テレメトリのために供給することに適合した電力システムを提供する：ＨＴＲＥＳ、例えば、ウルトラキャパシタストリング、１−１００個のウルトラキャパシタセルを備えてもよい、空間で組織化された効率的な向き本明細書で説明するように、オプションの負荷ドライバ回路、増幅器回路、また充電の制御少なくとも１つのためのコントローラまたエネルギー貯蔵装置の放電すること、そこにおいてはシステムは温度範囲中の動作に適合する摂氏約７５度から摂氏約２１０度の間で。いくつかの実施形態において、増幅器回路は技術において既知のＤクラス回路である。
【０７６５】
従って、もう一つの実施形態では、本発明はテレメトリ装置に方向付けられる電源で構成された、ＨＴＲＥＳ、例えば、ウルトラキャパシタストリング、１−１００個のウルトラキャパシタセルを備えてもよい、空間で組織化された効率的な向き本明細書で説明するように、オプションの負荷ドライバ回路、増幅器回路、また充電の制御少なくとも１つのためのコントローラまたエネルギー貯蔵装置の放電すること上記システムは、摂氏約７５度から摂氏約２１０度までの間の温度範囲で動作するように適合される本発明のコントローラの所定の実施形態では、所定の実施形態において、増幅器はＤクラス増幅器である。
【０７６６】
所定の実施形態において、Ｄクラス増幅器は、無線で面に情報を送信するように構成されたダイポールアンテナ又は少なくとも１つの電極に接続される。特に実施形態、ＥＭテレメトリ信号、例えば、１２Ｈｚにおいて、信号と比較して、より大きな電力、電圧及び／又は電流が特徴かもしれない現在この目的のために使用される既知の線形増幅器に生成した。
【０７６７】
所定の実施形態において、増幅器を備える電力システムは、アンテナ及び従来のＥＭモジュールの間のツールストリングに物理的に配置される。
【０７６８】
所定の実施形態において、電力システムはテレメトリ信号を備える。
いくつかの例示で、コントローラ、及び別の例示において具体的には、ＥＭＳ回路は上記受信されたテレメトリ信号を解釈するように構成される。
【０７６９】
所定の実施形態において、全体的なツールストリング構成は、アンテナ、及びツールストリング（例えば従来のＥＭ変調器、ＭＷＤ又はＬＷＤのツールストリング内の他のモジュール）の従来の態様の間の中断された接続によって簡単化されてもよい。中断された接続は、増幅器を備える電力システムを備えてもよい。例えば、この構成において、増幅器を備える電力システム及び電力システムへの入力信号が設けてもよいとき、従来のＥＭモジュールによってもたらされた信号は動作してもよいのために１つの増幅されたバージョン管理する負荷（例えばアンテナ）への上記入力信号の。さらに、電力システムがアンテナによって、遠隔地（例えば面）から信号を受信するように構成される場合、電力システムはこの構成中のアンテナから信号を直接的に受信してもよい。遠隔地から受信された信号が制御指令として意図される場合、別増幅器を備える電力システムの態様、電力システムは、方法において誘導の上記制御にツールストリングの他の態様が影響されないそのように応答することができる。
【０７７０】
所定の実施形態において、増幅器回路は１つの組み合わせ回路の余裕のあるために電力を変換する負荷ドライバ回路と組み合わせてもよい。
【０７７１】
テレメトリ信号（例えば電力、電圧、電流）の態様の増幅によって、利点の個数は実現されてもよい。例えば、さもないと固定する状態については、テレメトリ信号の増幅された態様は、受信された信号のより高い信号対雑音比をもたらしてもよい。より高いとすれば信号対雑音比、信号が最小検知できる信号に落ちるまで、トレードオフが作られてもよい。さらに、テレメトリ信号の減衰は、構成中の、周波数、及び構成に依存する他の複雑なパラメータを有する範囲又は深さにつれて増大してもよい。例えば、システムはより長い範囲送信をイネーブルにしてもよい、例えばより深い井戸からより頑健な送信、例えば、問題の構成を介して必要なとして、及び／又は、より高速な伝送レート、例えば、送信周波数の増大によって。より高いデータ転送レートは、掘削する最適化の余裕のあるために力学を掘削する、より高速な通信を含めて、より高速でより安全な掘削のための手段を結局提供する。
【０７７２】
所定の実施形態において、大電力は、主として低いインピーダンス高電圧ＨＴＲＥＳの使用及びパワーエレクトロニクスの効率的な動作を通じて達成される。
【０７７３】
所定の実施形態において、増幅器を備える電力システムは、２つの根本的要因（１）によって高機能を達成してもよい比較的電源の大電力バッファリングのために供給する、大電力（低い抵抗）ＨＴＲＥＳの包含、（２）線形増幅器の切り換えられたモードの増幅器への置換、約２０％及び４０％の全体的効率間に典型的には示す前者、典型的には約８０％の間に示す後者、及び９８％の全体的効率。
【０７７４】
高度に抵抗性構成を考慮して、大電力送信を達成する１つ方法は大きな電圧振幅を有する信号を有する構成の駆動による。低い抵抗構成を考慮して、大電力送信は大きな電流の配送で達成されてもよい。したがって、所定の実施形態において、増幅器の出力は高電圧及び低いインピーダンスの両方である。所定の実施形態において、増幅器は調整可能な態様で動作する。例示的な態様は、電圧、電流、電力、周波数、位相などを。増幅器が調整可能な態様に備える所定の実施形態において、電力システムによって状態（例えば受信機において信号の純度）又は電力消費量を最適化するために、上記態様は、動作時間において調節されてもよい。所定の実施形態において、本発明のシステムは、約４０，０００フィート（例えば約３０，０００フィート（例えば約２０，０００フィート（例えば約１０，０００フィート以内）以内）以内）以内の深さにおいてＥＭのために井戸中のテレメトリを提供する。
【０７７５】
所定の実施形態において、本発明のシステムは、約１００Ｈｚ（例えば約７５Ｈｚ（例えば約５０Ｈｚ（例えば約２５Ｈｚ（例えば約１５Ｈｚ以内）以内）以内）以内）以内の送信周波数においてＥＭのために井戸中のテレメトリを提供する。
【０７７６】
ｅ．データ記録及び報告
【０７７７】
１つの実施形態において、本明細書に開示されたＭＳＩＤは、データシステムの構成要素のように有用かもしれない、例えば、データロギング及び／又は報告のために（例えばＭＷＤ又はＬＷＤ、又は他の用途では）構成された。この実施形態において、データシステムは、１つ又は複数センサ回路基板、接続回路基板、ＥＭＳ回路、少なくとも１つメモリ又はメモリ回路から選ばれたモジュール式の回路基板を備えてもよいＭＳＩＤ及びその任意の組み合わせも例えば備えてもよい。そこにおいては上記接続回路基板は外部コンピュータ／ネットワークと通信するのに適合してもよい。所定の実施形態中で、データシステムだろう別受信電力にウルトラキャパシタ充電器、ＨＴＲＥＳ及び電力インターフェースから選択された回路を備える。
【０７７８】
ＭＳＩＤモニタ坑井内状態またメモリにログインする及び／又はリアルタイムで通信するように構成することができるデータ（例えば警戒基準、坑井内衝撃、振動、スティックスリップ、温度又は他のそのような測定値のレベル）及びパラメータ。所定の利点は含む、しかし限定しないに、ツールストリング損傷及び失敗坑井のリスクを防ぐか緩和する能力、責任能力目的のためのログデータへの能力、修理及びメンテナンスのためのログデータへの能力又はサービス目的、掘削する力学に影響する能力、例えば、リアルタイムで、そのような掘削高めた効率に行われてもよい、低減させられた衝撃、浸透（ＲＯＰ）の増大したレート、増大したビットの業績、非生産時間（ＮＰＴ）コストの低下；流体苦情及び破砕の低下。例えば、ドリル用ビットが突き刺され、ビットが掘削し続け、回転し続ける場合、結果は例えば増大した衝撃かもしれないし、損傷に起因してビットの業績を低減させて、電子ツールストリング全体への潜在的な損傷と同様にＮＰＴコストを増大した。
【０７７９】
従って、ＭＳＩＤは１つ又は複数をモニタリングしてもよい衝撃（振動）のような条件付ける、重みづけるビット（ＷＯＢ）における、ビット（ＴＯＢ）におけるトルク、圧力及び温度、また穴サイズ、例えば、バランスがとれていない掘削又はエアドリリングの影響に関連づけられたということかもしれない。ある場合には、所定の状態が増幅される平衡を保たれなかった又はエアドリリング、例えば衝撃及び振動は概してよりないそれらの場合に湿った。所定の実施形態中で、そのような坑井状態をモニタリングすること、ドリルがパラメータを掘削する有効性を増大し、かつ例えばツールストリング疲労、失敗のための時期尚早の旅行、つまったパイプ、苦情、坑井内バッテリー放出、失われた循環などのリスクを減らすことを可能にする。所定の実施形態中で、ＭＳＩＤ、例えば、本明細書で説明したハウジングの内部で配置された、ツールストリング又はビットのカラーに位置する。所定の実施形態において、データロギングのために構成されたＭＳＩＤ及び／又は報告は、以下のものの１つ又は複数を設けてもよい：坑井内ツール、改善された方向のあるサービス及び／又は改善された置換経済学用ツールにおける着用の改善されたトラッキングの増大した信頼性である。
【０７８０】
所定の実施形態において、ＭＳＩＤは利用可能な６つの自由度（それらは３つの側面の自由度、×、ｙ及びｚからなる）及び回転をまわりに作るセンサ回路基板の一意的な構成の使用に基づいた測定値を提供するように構成される各これら軸、ｘｒ、ｙｒ及びｚｒ。
【０７８１】
所定の実施形態において、ＭＳＩＤはＲＰＭの測定値（例えばツールストリング又はビットの回転速度）がビット測定値における重みづける坑井及びビット測定値におけるトルクを提供するように構成される。
【０７８２】
所定の実施形態において、ＭＳＩＤは坑井内ＲＰＭの測定値（例えばツールストリング又はビットの回転速度）を提供するように構成される。
【０７８３】
所定の実施形態において、ＭＳＩＤはビット測定値における重量及びビット測定値におけるトルクを提供するように構成される。
【０７８４】
所定の実施形態において、ＭＳＩＤはビット測定値におけるトルクを提供するように構成される。
【０７８５】
所定の実施形態において、電源はバッテリーを備える動力源である。
【０７８６】
所定の実施形態において、電源は発電機を備える。
【０７８７】
所定の実施形態において、電源はバッテリーを備える。
【０７８８】
所定の実施形態において、電源は２つのバッテリーを備える。つの実施形態において、ＭＳＩＤはモジュール式回路基板をさらに備える。１つの実施形態において、ＭＳＩＤはモジュール式充電回路基板をさらに備える。
【０７８９】
所定の実施形態において、電源はワイヤーライン電源及び少なくとも１つバッテリー（例えばバックアップバッテリー）を備える。つの実施形態において、ＭＳＩＤはモジュール式回路基板をさらに備える。特に実施形態、別のＭＳＩＤは、接続回路基板に電気的に接続された充電回路基板の状態を備える。
【０７９０】
所定の実施形態において、データロギングのために構成されたＭＳＩＤ及び／又は報告は、ハウジングに単独で配置される、ｉ．ｅ、ＨＴＲＥＳなし本発明のコントローラの所定の実施形態である。
【０７９１】
所定の実施形態において、データロギングのために構成されたＭＳＩＤ及び／又は報告は、ＨＴＲＥＳ（例えば本明細書で説明した１つ又は複数ウルトラキャパシタ）とともにハウジングに配置される。例えば、ＭＳＩＤは、予備電力源としてウルトラキャパシタストリング（それは本明細書で説明するように、１−１００個のウルトラキャパシタセルを備えてもよい）とともに（例えば使用のために）ハウジングに配置されてもよい。
【０７９２】
所定の実施形態において、ＭＳＩＤは、モジュール式の接続（例えば普遍的なコネクタピン構成）による外部部品に接続されている。
【０７９３】
ＭＳＩＤの一般的な合成には上述したものとして、ＭＳＩＤは使用して、構成されてもよい、スタックされた回路基板（例えばスタックされた円形の回路基板）及びモジュール式のバス。ある実施形態では、このＭＳＩＤは、例えばポッティング技術であってもよい。
【０７９４】
所定の実施形態において、モジュール式の基板は円形である、例えば、１．５インチ（例えば１．４９インチ（例えば１．４８インチ（例えば１．４７５インチ（例えば１．４インチ（例えば１．３７５インチ（例えば１．３インチ（例えば１．２７５インチ（例えば１．２５１インチ未満）未満）未満）未満）未満）未満）未満）未満）未満の直径である。
【０７９５】
所定の実施形態において、既知の標準に比較して、ＭＳＩＤ（例えば、ハウジングに配置された）は比較的小さいかもしれない、例えば、長さ１２インチ未満例えば、長さ１１インチ未満例えば、長さ１０インチ未満例えば、長さ９インチ未満例えば、長さ８インチ未満例えば、長さ７インチ未満例えば、長さ６インチ未満例えば、長さ５インチ未満例えば、長さ４インチ未満その後、上記ＭＳＩＤは、ドリルストリング又はツールのストリングに沿って様々な場所において容易に配置されてもよい。このように、複数のＭＳＩＤはそれらがドリルストリング又はツールストリングの長さに沿って変動するときに、例えば、坑井状態を示すために使用されてもよい。そのような空間の測定値は有用かもしれないのために、他のものの中に、置くこと、また面倒な励磁の源の作る区別、例えば、かどうかそれはドリルストリング又はツールの態様であるそれ自体を糸に通す又は構成又は他のものの態様よく構成要素、又は上記態様間の相互作用の態様、様々な励磁へのツールストリングの空間の応答を特徴づけること、スティックスリップのような別の識別する潜在的に危険な坑井内影響又は回転する、又はシステムの識別する弱い態様。各で、上記に複数ＭＳＩＤから受信されたデータを組織化するために識別を割り当てられてもよいか取り組んでもよいデータバスにおける、及び各に上記識別と協力するその情報を送信してもよいか取り組んでもよい及び／又は上記識別又はアドレスに、又は上記識別又はアドレスを有するＭＳＩＤに所定の時間又は周波数を割り当てるスケジュールによる関する資料依頼書に応じる。
【０７９６】
ある実施形態において、ＭＳＩＤは、及び／又は無線の通信規格を備えてもよい。概して記録することは、メモリ中のデータ又は情報の格納を要する。特に実施形態、ＭＳＩＤはそれをメモリと供給するように構成されてもよい後で例えばいったん質問されてもよいＭＳＩＤは面におけるある。代替として、報告は、面に坑井内環境から遠隔地へ例えば送信側データを要してもよい。上記報告は、リアルタイムの近くに、又は遅延に有効に中へ達成されてもよい。特徴の報告は記録する特徴をさらに有するシステムに存在してもよい。特徴の報告は記録する特徴を賞賛してもよい、例えば、システムが以前は記録された情報を報告するのになお坑井内である間、報告はローカルメモリを質問してもよい。
【０７９７】
所定の実施形態において、データロギングのために構成されたＭＳＩＤ及び／又は報告は、ツールストリングデータバスに接続されてもよい。このように、ＭＳＩＤは設けてもよい情報は、ツールストリングに既に又はさもないと組み込まれたテレメトリシステムによって起こる送信を使用して、面に例えば送信されるために例えば、ツールストリング超小型演算装置（ＭＰＵ）モジュールは、ＭＳＩＤから始まるデータバス信号を解釈してもよく、泥パルステレメトリシステムへそれらを入力した。その後、泥パルステレメトリシステム及び特に泥パルサーは、産業において既知の泥パルステレメトリによって表面のシステムにデータを送信してもよい。代替の実施形態において、ＭＳＩＤから情報は電磁気の（ＥＭ）テレメトリ（さらに産業において既知）を利用してもよい。
【０７９８】
所定の実施形態において、ＭＳＩＤはツールストリングの任意の部分において（例えばリアルタイムにおいて）欠陥を検出するのに有用な回路を備えてもよい。特定の実施形態において、欠陥のこの検出の余裕のあるために、データロギングのために構成されたＭＳＩＤ及び／又は報告は、ツールストリングデータバスに接続されてもよい。
【０７９９】
所定の実施形態において、ＭＳＩＤは、「割り込みスタイル」のために面へのテレメトリ方式を設けてもよい。これらの例示において、情報は、ツールストリングテレメトリにてこ入れする方法によって面に例えば送信されてもよい、例えば、技術において、又は本明細書で説明するように、公知。割り込みスタイル通信方式は、面（例えば動作を掘削し続けるために必要とされるデータ伝送）への通常のデータ伝送を無視してもよい。この方法で、坑井内状態の警告それは取り組まれるべきである（危険な状態）、例えば止まる掘削する作業によって、掘削する作業を止めることをオペレータに強いてもよい、例えば、飢えていることによってそれら必要とされる情報又は電力の。オペレータへの訓練は、危険な状態をもたらす状況を改善し、次に、掘削し続けてもよい。このように、坑井内システムの全体的な信頼性は改善されてもよい。さらに、所定の実施形態において、推奨案からずれのレコードは記録されてもよい。
【０８００】
割り込みスタイル通信を有する所定の実施形態において、面に送信されたデータは警告情報、又は所定の状態、又は方法でさもないとパラメータ化されたか構成されたデータが設計者又はユーザによって有用であると考えたことをそれが示す生データを備えてもよい。例えば、連続的な振動のレベルは警戒基準にマッピングされるか、又は厳しさを１レベル示す信号を警告しているかもしれない。同様に、ビット（ＴＯＢ）におけるトルク中の衝撃、温度又は異常のレベル又は重みづける危険かもしれないビット（ＷＯＢ）又は他の坑井影響における警戒基準にマッピングされてもよいか、信号を警告しているかもしれない。危険かもしれない坑井内影響の例はスティックスリップを含む、回転する、又はドリルパイプを曲げること、あるいは他の技術に認識された坑井影響である。
【０８０１】
さらに、割り込みスタイルテレメトリを有する所定の実施形態において、坑井内状態の組み合わせは増大した警戒基準（例えば比較的摂氏１５０度（例えば）を超える高温及び比較的高いレートの組み合わせ、衝撃（例えば次の（ｃｐｓ）５０Ｇを超えて当たり１００の計算）の大きさ）に集団的に寄与してもよい、一方の測定値より厳しい警戒基準を単独で示してもよい。上記測定値の時間統合はさらに増大する警戒基準を例えば示してもよい、合計１００時間の連続的な振動の２０のＧｒｍｓが例えばより厳しい警戒基準を示してもよい合計１０時間の連続的な振動の２０のＧｒｍｓそのため、上記警戒基準は時間にわたって拡大してもよい。１つの例示的な警告計画において、掘削する作業を停止させることのような推奨される行為を示すために厳しさの、又はより明示的にレベルを示すために、整数は、１及び４の間で、例えば送信されてもよい。警戒基準は、「赤い」、示すべき表面のシステムによって、直観的な目的のために例えば解釈されるか、又は「黄色かもしれないか」、「緑かもしれない」例えば「掘削を停止させる」ことが対応する警戒基準、「注意して進む。」又は、「通常進む」それぞれである。
【０８０２】
データロギングでの使用及び／又はＭＷＤ又はＬＷＤのために報告するために本明細書に例示されたが、データロギングのために構成されたＭＳＩＤ及び／又は報告は、重い製造時の機器、平面のエンジンコンパートメント、自動車、列車又はエネルギー生産工場／タービン中で任意の過酷な環境（例えば坑井内環境）では例えば使用されてもよい。ここで振動及び衝撃を測定する能力は有益である。
【０８０３】
さらに、円形のハウジング実施形態を使用して本明細書で説明した間に、データロギングのために構成されたＭＳＩＤ及び／又は報告も、ツールストリング又はドリルストリングのカラーで使用するに十分な他の整形されたハウジングでは使用されてもよい。例えば、リングに整形された回路基板は、カラーをマウントされたツール中の環状キャビティに配置されてもよい、１つの従来整形された、例えば長方形、回路基板は、いくつかの例に、上記キャビティに軸方向に配置されてもよい。上記回路基板は、いくつかの例では、モジュール式のバス又はその構成要素を備えてもよい。上記回路基板は例えばスタックされているかもしれないリングに整形された回路基板は、環状キャビティにおいてスタックされているかもしれない。カラーに配置されたＭＳＩＤは、少なくともカラーの一部における歪みゲージにおける配置することで、決定ＴＯＢ及びＷＯＢには有用な測定値にアクセスするのに特に、例えば有用かもしれない測定値目的のために上記ＭＳＩＤへのハウジング及び接続する上記少なくとも１つの歪みゲージをマウントした。
【０８０４】
ｉ．データ記録及び報告のためのセンサ回路基板
【０８０５】
本発明のＭＳＩＤは坑井内ツールの坑井状態又は向きの測定のために１つ又は複数センサ回路基板を備える。回路基板は、以下構成要素のもののうちの１つ以上を備えてもよい：加速度計の少なくとも１つ、磁力計、ジャイロスコープ、温度センサ、圧力センサ、歪みゲージ、坑井内ツール（例えばツールストリング、ドリル用ビット）の坑井内状態又は向きを測定するのに有用である。
【０８０６】
所定の実施形態において、ＭＳＩＤは、軸に関するツールストリングの回転レートを決定することができる。
【０８０７】
所定の実施形態において、ＭＳＩＤは、いくつかの実施形態中の重力の影響を説明することができる。
【０８０８】
所定の実施形態において、ＭＳＩＤは、いくつかの実施形態中で、「回転」（それは側面の坑井内振動として技術認められる）の影響を説明することができる。
【０８０９】
概して、ＲＰＭで測定されたねじれの加速及びドリルストリング回転レートの時間領域測定値の両方は、スティックスリップのような潜在的に危険な坑井内影響を示し回転してもよい。スティックスリップは、通常ドリルストリングの態様の回転レートの変化を示すパラメータであるツールストリング。スティックスリップはツールに破損してい、さらに非能率的な掘削を示してもよい。したがって、報告又は記録及び／又はスティックスリップの報告によって、ＭＳＩＤは、ドリルを、掘削機器を保護し、掘削する効能を改善するとイネーブルにしてもよい。
【０８１０】
例えば、スティックスリップ（すなわち、強化への反応ドリルストリングの長さに沿ったねじれのエネルギー）は、ツールストリング又はドリルストリングに接する構成要素を有する少なくとも１つの測定値軸を有する半径方向オフセット加速度計によって時間を変動し、多少周期的なねじれの加速によって測定されてもよい。代替として、スティックスリップは周期的に変化する回転レート中でＲＰＭで例えば測定されて、時間変化する回転レートによって測定されてもよい。回転レートは、ツールストリング又はドリルストリングへの構成要素の半径方向を有する少なくとも１つの測定値軸を有する半径方向オフセット加速度計によって求心加速度を測定するように構成された加速度計で測定されてもよい。回転レートもねじれの加速の統合によって決定されてもよい。いくつかの例示において、穏やかなスティックスリップは、平均の回転レート約未満の回転レート中の変動によって示され、いくつかの例で適度なに明白なねじれの振動と名付けられてもよい。上記例示で、よりスティックスリップを切断する平均の回転レート約よりも大きな回転レート中の変動によって示され、いくつかの例で厳しいスティックスリップにとって重要な意義を持つように名付けられてもよい。いくつかの例示において、スティックスリップ及び他の影響の重要度レベルは、ねじれの加速の１レベルによって単に示されてもよい。所定の実施形態において、本明細書に、ねじれの加速は、接線加速度測定値及び／又は求心加速度測定値（ねじれの加速を決定することを時間デリバティブの影響に必要とする後者）によって決定されてもよい。
【０８１１】
本発明の１つの実施形態において、ＭＳＩＤは加速度計ベースの振動検出及び／又は衝撃検出を測定するのに十分なセンサ回路基板を含む。所定の実施形態において、ＭＳＩＤセンサ回路基板は６つの自由度中に加速（例えば衝撃、振動）の検出のために構成される。所定の実施形態において、ＭＳＩＤセンサ回路基板は、衝撃の（例えば約１，０００Ｇ未満で約検知できる衝撃の範囲に）検出のために構成される。
【０８１２】
ある実施形態において、アクセス管理は１加速度計を含んでもよい。所定の実施形態において、センサ回路基板は複数加速度計を備えてもよい。
【０８１３】
所定の実施形態において、ＭＳＩＤは、２つのセンサ回路基板の組み合わせを備える。そこにおいては１つのセンサ回路基板は１つの加速度計を備える。また、第２のセンサ回路基板は２つの加速度計を備える。特定の実施形態において、３つの加速度計が図３８Ｂによれば構成されてもよい。センサ回路基板のこの構成は利用可能な６つの自由度（６−ＤＯＦ）（それらは３つの翻訳の（軸か側面の）自由度（×、ｙ及びｚ）からなる）及び３つの回転自由度（回転のまわりで各これら軸、ｘｒ、ｙｒ及びｚｒ）を作る。翻訳の加速は単一３つの軸加速度計で測定することができる。３度の回転加速を測定するために、加速の２つの並列軸の間の差は得られてもよい。図３８Ｂは、６−ＤＯＦの測定に適したサンプル向きを示す。
【０８１４】
従って、所定の実施形態において、本発明のシステムは、６つの自由度加速測定値のために供給するセンサの構成を備える。
【０８１５】
所定の実施形態において、ＭＳＩＤは、回転を測定するように構成された少なくとも１つのセンサ回路基板を備える。ＦＩＧ  ３８Ｂはそれを描く回転ｘｒは、Ａ１及びＡ３のｙベクトルの差を介して見つかってもよい；回転ｙｒは、Ａ１及びＡ３の×ベクトルの差を介して見つかってもよい；また、回転ｚｒは、Ａ１及びＡ２の×加速度ベクトル間の差を介して見つかってもよい。さらに、中央のｚ軸のまわりのドリルストリングの回転速度は、直接的に求心加速度に関係がある。求心加速度は、構成要素に方向付けられた半径方向（例えば図３８ＢでＡ３）を有する少なくとも１つの測定値軸を有するセンサによって測定されてもよい。
【０８１６】
求心加速度によって決定回転速度に適したもう一つの例示構成は、図３８Ａでは示される。図３８Ａにおいて、放射状の加速測定値は、Ａ１の放射状の構成要素に加えてＡ１及びＡ２の放射状の構成要素及びＡ３の間の差として得られてもよい。より少ない測定値不確実性を提供する間の４つの加速構成要素からｚ軸のまわりの角速度の直交する配置及び余分の放射状の測定値イネーブル分離である。
【０８１７】
そういうものとして、１つの実施形態中で、本発明はＭＳＩＤを提供するデータロギングのために構成された及び／又は報告３つの軸向きで加速度計の構成を備えること、そこにおいてはこの３つの軸向きは、少なくとも第２のセンサ回路基板（例えば備える２つの加速度計）に電気的に接続された少なくとも１つの加速度計を有する第１のセンサ回路基板で構成される。そこにおいては第１のセンサ回路基板における加速度計と上記第２の基板における前記２つの加速度計のうちの１つは軸方向に整列する。
【０８１８】
異なる加速（例えば回転速度を測定するために使用されるもの、振動を測定するために使用されるもの、及び衝撃を測定するために使用されるもの）を測定するために異なる加速度計を使用することは概して有利かもしれない。これらの３つの例示は、概して加速（例えば回転速度が約０から約５Ｇに範囲かもしれないと決定するために使用されてもよいのと同じくらい求心加速度）のそれらの典型的なわたるで用途の掘削点で異なる、振動かどうかそれ翻訳か回転である約０から約５０Ｇ及び衝撃に範囲かもしれない、かどうかそれ翻訳か回転である約０から約１０００（複数の）Ｇに範囲かもしれない。概して、加速測定単位（例えば加速度計）は、例えば範囲及び分解能の間のトレードオフをもたらす一範囲の１，０００Ｇを有する加速度計は、約５Ｇの分解能を有してもよい。その一方で一範囲の５Ｇを有する加速度計は、約１００  ｍｉｌｌｉＧ（「ｍＧ」）の分解能を有していてもよい。典型的には、より高い範囲を必要とする測定値、さらに分解能における要件を緩和した。さらに、様々な加速度計は様々な周波数レスポンス態様（例えば帯域幅仕様書）が特徴である。例示、振動及び衝撃測定値が概して中から高い帯域幅を必要とするとき、及び中から高いｇ加速度計、及び特に測定値にショックを与える概して高帯域及びハイレベルのｇ加速度計を必要とする。一方、ＲＰＭの測定値は概して低いｇ加速度計を必要とし、高帯域を必要としない。低いｇ加速度計は放射状の加速の期待する範囲にわたるハイレベル分解能アナログディジタル変換を達成するために有用である。より大きな電力効率及び信号対雑音比は低い帯域幅加速度計に達成することができる。これらの測定値に有用な低いｇ、低い帯域幅及びハイレベル分解能加速度計は、ノーウッド（マサチューセッツ）、ＵＳＡ（例えば部品番号ＡＤ２２２９３Ｚ）のアナログ・デバイシーズから利用可能である。さらに、衝撃及び振動の両方のための範囲及び分解能の妥協をもたらす加速度計は、さらにアナログ・デバイシーズ（例えば部品番号ＡＤＸＬ３７７ＢＣＰＺ−ＲＬ７）から利用可能である。発明の概要において、様々な性能態様を有する様々な加速度計は本明細書で説明した様々な量又は影響を測定するために使用されてもよい。ある場合には、少なくとも１つ加速度計が「２重の使用される」、すなわち、１つ以上に測定するために量又は効果である。
【０８１９】
所定の実施形態において、ＭＳＩＤは、少なくとも１つのミクロの電気機械のシステム（ＭＥＭＳ）センサを備えるセンサ回路基板を備える。例示センサは回転レートセンサ又はジャイロスコープ又は、ジャイロスコープを含む。他の例示センサは加速度計、慣性計測装置、慣性のセンサ、トルクセンサ、マイクロホン及び温度センサを含む。本開示のために、項ＭＥＭＳ回転レートセンサ、回転レートセンサ、ＭＥＭＳジャイロスコープ、ジャイロスコープ、ＭＥＭＳジャイロスコープ及びジャイロスコープは交換可能である。それらは、回転レートを測定するように設計されたＭＥＭＳ装置を参照する。典型的な構成は、回転によって引き起こされた求心加速度効果を測定するような方法で配置され向けられた少なくとも１つＭＥＭＳ加速度計を有するものを含む。いくつかの構成において、複数のＭＥＭＳ加速度計は非回転加速測定値の拒絶、ノイズの拒絶及びオフセットの拒絶のような性能態様を改善するか又はドリフトするために使用される。
【０８２０】
いくつかの実施形態において、ＭＥＭＳジャイロスコープは坑井内ツール、ツールストリング、ドリルストリング、又は全ドリルストリングのセクションの回転レートを決定するために利用される。いくつかの実施形態において、ＭＥＭＳジャイロスコープは別個のＭＥＭＳ加速度計で作ることができる。いくつかの実施形態において、ＭＥＭＳジャイロスコープは獲得することができる単一のモノリシックな一部として既製。
【０８２１】
ＭＥＭＳジャイロスコープは、求心加速度の測定のために構成された少なくとも１つのＭＥＭＳ加速度計で作られてもよい。求心加速度は、回転軸から既知の放射状の移動を有する加速度計で半径方向に配置された加速測定値によって測定されてもよい。複数加速度計は非回転加速度効果を拒絶するために使用されてもよい。ＭＥＭＳジャイロスコープは、関連付けられた計装及び信号処理を有する単一のパッケージへ上記加速度計を組み合わせることで作られてもよい。
【０８２２】
ＭＥＭＳジャイロスコープは、多数の方法で決定可能である。
一例は、少なくとも１つにおけるその正常軸が、回転が検出される軸に並列円形の回路基板を依存する。円形の回路基板は、その検出する軸がＭＳＩＤ又は関連するセンサ回路基板の軸に実質的に集中させられるように、ジャイロスコープをマウントするために使用されてもよい。円形の回路基板も上記ジャイロスコープへの電気的な接続の提供のために意図されてもよい。いくつかの実施形態において、ジャイロスコープは表面のマウントパッケージを有し、その検出する軸が円形の回路基板の中心に実質的に接近しているように、回路基板における占められてもよい。いくつかの実施形態において、ジャイロスコープは直通穴パッケージを有し、その検出する軸が円形の回路基板の中心に実質的に接近しているように、回路基板における占められてもよい。直通穴パッケージの場合には、検出する軸が、円形の回路基板の平面に並列。したがって、パッケージが変化させられなければならない。例えば、ジャイロスコープが円形の回路基板における水平に置くように、直通穴パッケージのピンは９０度において曲がっているかもしれない。ピンを受理するためのｖｉａｓはジャイロスコープ物体が円形の回路基板の中心に降りかかることを可能にするために相殺されてもよい。
【０８２３】
石油及びガス掘削の用途については、高温と組み合わせた機械的な衝撃及び振動に対する耐性は典型的な要件である。従って、縄張り材料は、上記ジャイロスコープをサポートするか又は円形の回路基板に上記ジャイロスコープの物体を取り付けるために使用されてもよい。さらに、ポッティングする処理によって追加の封止は衝撃、振動及び温度の下の失敗への抵抗には有用である。さらに、封止は、非回転加速の拒絶を改善するためにジャイロスコープによって検出される直線加速度を低減させることにおいて有用である。他の実施形態において、ジャイロスコープは、軸方向に配置された回路基板（その平面がツールの軸に並列もの）に増大することで、ＭＳＩＤに配置される。この場合、ジャイロスコープはもし必要ならばツール軸に関するその向きを変更するために「ドーターボード」によってマウントされてもよい。いくつかの実施形態において、軸方向に配置された回路基板にマウントされたとき、ジャイロスコープはツール軸に並列検出する軸に既に構成されてもよい。例えば、その検出軸が、それがマウントされる回路基板の平面にある一部は、軸方向にマウントされた回路基板にマウントされたときにツール軸に関する回転を検出するために容易に使用されてもよい。回路基板にマウントされたとき、ジャイロスコープの物体がツールの軸に実質的に集中するように、ツールの軸から軸方向にマウントされた回路基板を相殺することは概して有用である。概して、ドーターボードは求められるようなセンサの向きを変更するために使用されてもよい。一部の検出する軸は、任意のタイプのパッケージ（表面穴を通って、又はさもないと増大する）のために任意に定義されてもよいが、基板に典型的に垂直か、基板に並列どれにおける一部意志マウントされた。
【０８２４】
所定の実施形態において、ＭＳＩＤは、備えているセンサ回路基板を備える石油及びガス掘削及び掘削する（地熱の）ことのような用途を掘削する坑井では遭遇した高温環境に耐えることができるセンサを含む。所定の実施形態において、ＭＳＩＤは、１つ又は複数を備えるセンサ回路基板を備える回転センサ（例えばＭＥＭＳジャイロスコープ）（それは広範囲の温度上の、及び特に約１５０以上°Ｃの（例えば約−４０  °Ｃから約２１０  °Ｃに）温度において作業ができる）。
【０８２５】
例示的な商業上のジャイロスコープ部分はアナログ装置インコーポレイテッド、１つの技術方法、ノーウッド、ＭＡ、０２０６２  ＵＳＡ、及びさらにアナログ装置インコーポレイテッドから利用可能なＡＤＸＲＳ６４５（穴を通って）から利用可能なＡＤＸＲＳ６４６（表面のマウント）を含む。
【０８２６】
ジャイロスコープによって提供された測定値の範囲及び分解能の間にトレードオフが概してある。石油及びガスの用途での回転レート検出用の典型的な有効範囲は、約２５０のＲＰＭへの約０のＲＰＭである。より高いわたるは、さらに１０００  ＲＰＭまで例えば有用かもしれない。その間に、これらの用途での回転レート検出に対する典型的な有用な分解能は、約１つのＲＰＭである。さらに、これらの用途において典型的かもしれないのと同じくらい広い温度差は誤った変動を引き起こすか、又はＲＰＭの測定値のドリフトしてもよい。さらに、任意のセンサでのように、これらのセンサは広帯域のノイズに基づいた最小検知できる信号を有してもよい。概して、分解能はより高い範囲には、及び逆により低い。いくつかの例示において、ハイレベル解像度及び高い範囲の組み合わせを得るために２つのセンサを組み合わせることは有用である。例えば、より低い範囲センサはより低い測定された回転レートにおいてハイレベル解像度に有用かもしれない。総生産高が少なくとも２つのセンサのどちらかから出力を表すように、２つのセンサの測定された出力は「網にかけられてもよい。」
【０８２７】
いくつかの実施形態において、絶縁性を使用して、フラグの回転を被覆してもよい。回転フラグは回転の検出がイベントを関連づけたという合図である。回転フラグは、回転がイベントを関連づけたとしても関連づけなかったとしても、坑井内ツールストリングのもう一つの態様に通信するのに有用かもしれない生じた、例えば、ドリルストリングは回転しているか。それとも、ドリルストリングは回転しているか予め決められた値より高速。回転フラグにもたらす回転に関連するイベントは、用途要件による変動する。所定の実施形態において、ＭＥＭＳジャイロスコープを有するＭＳＩＤ  ＤＭＳは、回転に関連する予め決められたイベントに基づいた回転フラグを提供する。
【０８２８】
いくつかの実施形態において、絶縁性を使用して、ダウンリンクの部分を被覆してもよい。回転ダウンリンクは面からツールに通信するために使用されてもよい。ツールに伝えられた情報は含んでもよい例えば、前のメッセージを繰り返す表示他のテレメトリシステムによって送られた、ツールストリングの態様用の電力設定内容、又は他のモード又は運用上のセッティング。簡単な回転ダウンリンクは、それに先行し追従する非回転のピリオドで自転周期を備えてもよい。情報は、単にドリルストリングが回転しているという事実によって、回転のレート、又は回転の期間によって伝えられてもよい。より精巧な回転ダウンリンクは、予め決められた継続時間の間回転することで例えば経時的な変化する回転を備えてもよい、ドリルは、ツールに、及び予め決められた継続時間の異なるレートにおいて回転しないし、回転しないことで論理回路「１」を伝えてもよい、ドリルはツールに論理回路「０」を伝えてもよい。この方法を拡張して、ディジタル通信チャネルは有されてもよい。
【０８２９】
様々なパラメータは、ＭＳＩＤによって導出され、報告され及び／又は記録されて検出されてもよい。高温メモリは、パラメータを記録するのに概して有用である。高温ＦＬＡＳＨメモリは、両方とも不揮発性（電力の喪失上のその含有量を保持する）及び高密度（比較的小さな封筒に比較的大量のメモリを含んでいる）である。例示的な高温メモリは、アナハイム（ＵＳＡ、カリフォルニア）においてオフィスを有するＴＴ半導体から利用可能なＴＴＺ２５０１部分である。坑井内構成では報告することは、さらにツールの他の態様、又は面へのリアルタイム状態を示すのに有用かもしれない。概して、データ転送速度が比較的低いように（約１〜５０ｂｐｓ）、テレメトリチャネルはｂａｎｄｌｉｍｉｔｅｄされる。従って、パラメータ化によって、例えば情報を圧縮することは重要である。例示として、ＤＭＳは、ツールストリングの他の態様、又はドリルへの振動レベルを示すために時間を横切った実際の加速値ではなく、予め決められた長さの時間ウィンドウに対応する振動の重要度レベルを報告してもよい。
【０８３０】
明瞭さについては、ねじれの振動及びスティックスリップは状態を参照するどれにＢＨＡのＲＰＭＲＰＭと異なるにおいて表面また周期的に間に変動する１つの最大値また最小値。いくつかの例示において、ねじれの振動及びスティックスリップ測定値がスティックスリップインデックス（ＳＳＩ）に基づいたことが報告されてもよい。それは等式に基づいて計算される：
【０８３１】
ＳＳＩ＝［（最大ＲＰＭ）×（最小ＲＰＭ）］／［２×（平均ＲＰＭ）］
【０８３２】
所定の実施形態において、センサは磁力計を。上記磁力計は有用かもしれないのために測定によって回転のレートを決定するためにとりわけ地球の磁界に関する、及び／又は方向の決定中の補佐への帯磁方向、例えば、有用かもしれない方向のある測定値の提供によってのために他の事態傾斜掘り動作中である。
【０８３３】
所定の実施形態において、ＭＳＩＤは方向のある測定値に使用されてもよい。
重力が存在する状態で加速の測定値を方向のある測定値に変換する方法は、産業において周知である。いくつかの例において、磁力計はそれらの測定値を支援する。例示方法は供給する座標系態様によって方向のある測定値のために時々ピッチを呼び、ピッチにおけるのみ依存すると選ばれた回転行列を介して評価を回転するまた回転する一方第３の自由度、時々揺首を呼んだ、地球の磁界を検出するように構成された磁力計によって決定されるために残される。ピッチ、回転及び揺首は、特にアビオニクス、だがより最近娯楽及びその他同種のもののための加速度計を備える携帯型の装置のコンテキストの中に、産業において既知の項である。いくつかの例示において、磁力計はツールストリング又はドリルストリングにおいてどこか他のところに存在してもよい。また、上記磁力計へのアクセスは、ツールストリング又はドリルストリング信号によってＭＳＩＤ又はデータのバスで有されてもよい。それらの例示において、上記磁力計から読書はＭＳＩＤによって上述した目的に使用されてもよい。
【０８３４】
所定の実施形態において、メモリに記録するためにディジタル信号への坑井内状態又は向きを示すアナログ測定値を例えば変換することはもう一つのディジタルシステム（例えばディジタルバスによってツールストリングディジタルシステム）及び／又はディジタルテレメトリシステムに信号を伝えるために有用かもしれない。
【０８３５】
坑井内システムにおいて電力の不足に起因して、所定の実施形態において、電力消費量は最小限にされる。さまざまな技術は、この最小化を達成するために期待する信号についての知識に基づいて設計することを含み、これらに限定されずに利用されてもよい。例えば、いくつかの加速信号は典型的に広帯域で及び／又は連続的である、例えば「連続的な振動」、そこにおいては、加速の適切なサンプリングレートは信号を送る典型的に予期された最も高い周波数態様としてサンプリング周波数を二度以上あることで、情報の実質的量を例えばそこに取り込むために選択することができる。周波数を実質的により高く選択すること概して電力消費量を増大すると予想される、例えば実質的により有用な情報のために供給せずに、約１−５ｍＷを超えて。もう一つの例示は温度を含んでいてもよい。それがゆっくり変化すると予想される。他の例示は衝撃を含む。それらの加速信号は典型的には速く変化し、断続的かもしれない（連続的なことに反対だったとき）。概して、衝撃の大きさ及びレートは重要である。
さらに、それらは、比較的継続時間（例えば各継続時間において約５００ミリ秒未満）において短絡である。衝撃の重要な特徴の信頼できて正確な測定値は、衝撃（例えば１００のサンプル）について複数のサンプルをもたらす見本郵送料率を必要とする。衝撃測定値のための一つのチャネルの見本郵送料率は約５０又は１００  ｋｓｐｓと同じくらい高いかもしれない。しかしながら、ある衝撃の断続に起因して１つの連続的に、比較的高いレート（例えば１００  ｋｓｐｓ）においてサンプリングされたサンプル値信号が電力消費量を増大すると概して予想される、例えば平均についての実質的により有用な情報のために供給せずに、約１−５ｍＷを超えて。１つ選択肢解決方法は供給する予定であるアナログ検出器（それは比較的平均（例えば１００未満のマイクロワット）（”μＷ」）における小電力を引いてもよい）のために。そのような回路の一例は供給するように構成されたコンパレータである１つの信号遷移する又はそれが予め決められた衝撃しきい値を超えた加速を検出する場合のロジックレベル信号、例えば、ロジックレベル信号の２０−５０のＧ．上記信号遷移がデジタルコントローラにおける入力に接続され、割り込みとして上記信号を扱うように、デジタルコントローラが構成されてもよくて前記かもしれない。このように、フル解決方法の電力消費量がフルディジタル解決方法未満で実質的にあると概して予想される間に、衝撃が存在する場合に限り、関連する加速信号のハイレベル解像度又は高速サンプリングは始まってもよい。
【０８３６】
概して、ＭＳＩＤは、坑井内状態の正確な表現を報告するべきである。その間に、それらの坑井状態は、ＭＳＩＤ自体にＭＳＩＤが類似しているかもしれない＊を破損していてもよい坑井内システムでの他の構成要素への構築、ＭＳＩＤの情報が有用かもしれない同じ構成要素保護。従って、ＭＳＩＤをモニタリングされた状態の正確な表現を提供すると同時にイネーブルにしている間、坑井内状態からＭＳＩＤを保護することは所定の実施形態では、望ましい。例えば、坑井内衝撃及び振動はＭＳＩＤを含むシステムに破損していてもよい。ＭＳＩＤは、保護特徴（例えば比較的敏感な電子部品及びハウジングの間の湿った機械的なカップリング）の身体を使用してもよい。湿ることは、上記電子部品を囲むか、電子回路システムの比較的硬い面及びハウジングなどの一部、又はそれらの組み合わせの間で配置されたパッド又は挿入物を湿らせる、ポッティングする合成物のようなカプセルの材料によって設けられてもよい。概して、保護特徴は湿ることを含んでもよい、力学的エネルギー消費又は柔軟な接続するメカニズム。保護を有するＭＳＩＤを与えられて、所定の実施形態では上に列挙されたもののような重要な役割を演じる、坑井内状態の正確な表現は周囲条件間の予め決められた「マップ」用に供給することで回復することができ、状態を測定した。上記マップは測定されてもよい、例えば、周波数領域において伝達関数の形式で、伝達関数周囲の励磁信号への保護特徴の利得及びことによると位相寄与についての記述としてＭＳＩＤによって測定された。上記マップは決定されてもよい（較正された）表面及び次に、メモリに格納された上記マップは、さまざまな温度又は圧力においてさまざまな異なる営業状況のために例えば定量化されるか、又はさまざまな流体タイプに浸されてもよい。上記マップは、ローカルに又は遠隔に（例えば表面のシステムにアクセス可能なメモリでは）（例えばＭＳＩＤにおけるメモリでは）格納されてもよい。後者の場合において、ＭＳＩＤは保護と無関係の十分に坑井内パラメータの送信には担当してもよい表面のシステムが坑井状態に測定された状態をマッピングしてもよいようなものを特色とする。
【０８３７】
記録して、さらに、及び報告して、ある場合には、ＭＳＩＤの（例えばセンサ回路基板における）回路のうちの１つでメモリを必要としてもよい。揮発性及び不揮発性メモリはこれらの目的のために使用されてもよい。揮発性メモリの場合には、設計者が、メモリ（より多くの情報が不揮発性メモリでは比較されて、比較可能な体積に格納されてもよい）のより高い密度を楽しむだろう。しかしながら、揮発性メモリはその格納されたデータを保持するために動力源に支持されなければならない。揮発性メモリ坑井を使用するための複数の解決方法は、バックアップ高温一次電池（例えばリチウム塩化チオニルセル）の利用を含み、これらに限定されずに可能である。そのようなバックアップセルは、システム（例えばコインセル）のハウジング内の明示的なセルかもしれない。又は、それはより大きなシステムで共用されてもよい。メモリをダウンロードすることができるまで、一次電池への接続が保持されてもよい限り、システムに利用可能な一次電池もこの目的のために使用されてもよい。いくつかの例において、上記一次電池は、バッテリー端子がシステムに利用可能な限り、電力坑井又は方向のあるシステムにさもないと使用された一次電池になりえる。いくつかの例において、バッテリー端子は、ドリル針又はツールによってシステムに利用可能であるストリングの電気的なバス。代替解決方法は、電源からシステムの分離の前に充電されるＨＴＲＥＳを使用する予定かもしれない。上記ＨＴＲＥＳは、坑井内電源（例えば一次電池、発電機、ワイヤーライン接続）によって充電されてもよい。上記ＨＴＲＥＳは、メモリをダウンロードすることができるまで揮発性メモリに電力を供給するのに十分な使用可能なエネルギーを設けることができた。例えばＴＴセミコンダクターから利用可能な高温１６メガビットのＳＲＡＭ部品番号ＴＴＳ１ＭＸ１６ＬＶｎ３、アナハイム（カリフォルニア）のインコーポレイテッド、ＵＳＡは、約２Ｖにおいて約６ｍＡのデータ保持電流又は１２ｍＷの電力を必要とする。従って、約４５人のジュールの蓄積エネルギーを有するＨＴＲＥＳは、１時間までのデータ保持用の上記揮発性メモリへの供給する電力ができるだろう。本明細書で説明したウルトラキャパシタを含むＨＴＲＥＳの例は、モジュラーシステムに関して下記に述べられる。しかしながら、上記ＨＴＲＥＳは、約１５−２０ｃｃの体積にＦａｓｔＣＡＰシステム（ボストン（ＵＳＡ、マサチューセッツ）のインコーポレイテッド）から利用可能な高温ウルトラキャパシタによって設けられてもよい。代替解決方法は、ＦａｓｔＣＡＰシステム、インコーポレイテッドから利用可能な人々のようなＨＴＲＥＳを備える電力システムを有するＭＳＩＤを組み合わせるだろう。上記ＨＴＲＥＳは坑井内電源によって充電され、メモリをダウンロードすることができるまでデータ保持電力のために坑井内電源用の次の分離を提供してもよい。
上述のＳＲＡＭは、約１インチのエッジ長さ、及び摂氏ＭＳＩＤのような坑井内ツールではそれを使用に適しているようにする２００度の温度定格を有する、５２のピンパッケージに入っている。概してより低い密度においてとはいえ、不揮発性メモリも使用されてもよい。例えば、ＴＴ半導体から利用可能な１Ｍｂｉｔ  ＥＥＰＲＯＭ部品番号ＴＴＥ２８ＨＴ０１０は使用されてもよい。上述のＥＥＰＲＯＭは、１インチ、及び摂氏ＭＳＩＤのような坑井内ツールではそれを使用に適しているようにする２００度の温度定格の２分の１に関するエッジ長さを有するＬＣＣパッケージに入っている。概して、失敗する前に、揮発性メモリは、さらに書き込みサイクル（人がメモリに書くことができる時の個数）の個数に対する制限を有してもよい。従って、設計者は、揮発性メモリでは例えばバッファメモリーへの方式を使用し、周期的に、不揮発性メモリにそのメモリを書き込んでもよい。
【０８３８】
所定の実施形態において、所定のモニタリングデータがローカルにかつまたは遠隔に（例えば表面のシステムにアクセス可能なメモリでは）（例えばＭＳＩＤにおけるメモリでは）あってもよい。
【０８３９】
ある実施形態では、この情報は、例えばＭＳＩＤアクセスレベルであってもよい。
効率的に坑井内メモリを利用する計画の任意の個数も使用されてもよい。所定の実施形態において、方式は、概して記録する代わりに、記録されるデータのパラメータ化を例えば使用する１つの分（１つの分ウィンドウ）の間隔において温度データのすべて温度データはハイレベル解像度中のその分間記録されてもよい、例えば毎秒（１ｓｐｓ）１つのサンプル一時的に、そしてその後平均及び標準偏差は計算した；その後、平均及び標準偏差は生の温度データの代わりに格納されてもよい。この例示において、及び定義のために、平均及び標準偏差は、データのパラメータを表すそれで、我々は上記をデータのパラメータ化の方法と考える。結果、この例示で、生の温度データ（６０個（例えば）のデータ）の全体用より大きな量のメモリとは対照的に、非常に少量のメモリに（例えば２バイト又は数片のデータとして）ほとんどの意味のある情報が格納されるということである。
【０８４０】
所定の実施形態において、集まり格納し、そして、データをパラメータ化する計画に、記録される信号に関する典型的なふるまいによって通知されてもよい。例えば、温度は、概して坑井内環境ではゆっくり変動し、ツールとして坑井を下って移動する。対照的に、振動は高周波含有量を有してもよい。しかしながら、周波数スペクトル中の平均電力は約１分の時間スケールより速く変動しなくてもよい。機械的な衝撃は、一方断続的な短期間である傾向があり、正確にその顕著な特徴を測定するために衝撃イベント中にハイレベル解像度を必要とする。衝撃及び振動伐採の例及び／又は報告する方式は、１  ｓｐｍにおいてパラメータ化された各軸、衝撃計算、ピーク衝撃大きさ及び平均衝撃大きさのために平均及び標準偏差によって毎分（すなわち分又は「ｓｐｍ」当たり１つのサンプル）いったんパラメータ化されて記録する振動を含む；温度は平均１０分（０．１  ｓｐｍ）、スティックスリップインデックス平均、標準偏差及びピークごとといったんなった、１  ｓｐｍにおいて平均した、回転レート（ＲＰＭで測定された）は１  ｓｐｍにおいて平均した。ユーザによってさえ測定された量の個数、及び設計者又はユーザ、所望のレコード長、及び利用可能なメモリ、伐採及び／又は方式が調節されてもよいと報告することの量へのそれらの相対的な重要性に例えば基づいた。様々な量の分解能は、より長いレコード長及び／又は他の量の測定値でのより多くの分解能のために貿易に離れて従ってもよい。
【０８４１】
所定の実施形態において、センサ回路基板は、ＭＳＩＤの外側の（例えば歪みゲージから）センサ、温度センサ又は環状圧力からデータを受信するように構成された回路基板を備えてもよい、例えば、ＭＳＩＤを含んでいるハウジングとともにマウントされた。
【０８４２】
従って、１つの実施形態において、センサ回路基板はツールストリングに接続された１つ又は複数歪みゲージから受信側のデータによってビット（ＴＯＢ）におけるトルクを決定するように構成される。１つのカラーマウントされたバージョン管理する所定の実施形態では、システムの、ドリルストリングへのカップリングを簡単化してもよい。所定の実施形態において、指標が示すことができるように、その長軸がドリルストリングハウジングの周囲と整列しないように、歪みゲージはマウントされてもよい１つのドリルストリングハウジングの（例えばその抵抗において変化によって）「ねじれる」ことである。
【０８４３】
もう一つの実施形態において、センサ回路基板はツールストリングに接続された１つ又は複数歪みゲージから受信側のデータによってビット（ＷＯＢ）における重量を決定するように構成される。所定の実施形態において、その長軸がドリルストリングの長軸と実質的に整列するように、歪みゲージはマウントされてもよい。それは、指標がその抵抗において変化によってドリルストリングハウジングの圧縮を示しうるほどのものである。
【０８４４】
もう一つの実施形態において、センサ回路基板は、温度センサによって温度を決定するように抵抗の変更によって温度を示す抵抗測温体（ＲＴＤ）から受信側のデータによって構成される。
【０８４５】
上述の（歪みゲージではのように、又はＲＴＤの場合にのように、）可変抵抗において上記変化は、方法の任意の個数で測られてもよい。しかし、一例は歪みゲージ又はＲＴＤに固定抵抗のために基準電圧及び理由に接続された組み合わせを設けることを含む。固定抵抗及び可変抵抗の間の接続においてノードは設けるだろう可変抵抗を示す電圧のために。例えば、歪みゲージ抵抗減少として、上記電圧は減少するだろう。いくつかの例示において、アナログディジタル変換によってデジタルコントローラへの上記電圧を読み出すことは次に有用である。
【０８４６】
本発明の設計
【０８４７】
審美的な外観に関して新規である任意の設計もまた、本発明の一部として含まれることが意図される。
【０８４８】
参照による援用
【０８４９】
本明細書において引用された全ての特許、公開された特許出願、及び他の文献の全内容は、本明細書において引用することにより全体として明示的に援用される。
【０８５０】
等価物
【０８５１】
当業者は、本明細書において開示された特定の手順に対する多数の等価物を認識し、又は、決まりきった実験にすぎないものを用いて確かめることができるであろう。そのような等価物は、本発明の範囲に含まれると考えられ、添付の特許請求の範囲によりカバーされる。さらに、本明細書において与えられた任意の数の範囲、もしくは、アルファベットの範囲は、これらの範囲の上限値及び下限値の両方を含むことが意図されている。さらに、任意の列挙したもの又はグループ化したものは、少なくとも１つの実施形態では、複数の独立した実施形態を列挙する簡略化した方法又便宜的な方法を表すことが意図され、リストの各要素は、それ自体では別個の実施形態と考えられるべきである。
【０８５２】
本明細書の開示内容のサポートとして、ディジタルシステム及び／又はアナログシステムを含む様々な分析構成要素が使用されてもよい。１つ又は複数のシステムは、当該技術において認識される複数の方法のうちの任意のもので、本明細書に開示された装置及び方法の動作及び分析を行うために、プロセッサ、記憶媒体、メモリ、入力、出力、通信リンク（有線、無線、泥水上のパルス、光学、又はその他）、ユーザインターフェース、ソフトウェア及びファームウェアプログラム、信号プロセッサ（ディジタル又はアナログ）、及び他のそのような構成要素（抵抗器、キャパシタ、インダクタ、及びその他など）などの構成要素を有してもよい。これらの開示内容は、メモリ（ＲＯＭ、ＲＡＭ）、光学的（ＣＤ−ＲＯＭ）、磁気（ディスク、ハードドライブ）、又は他のタイプを含むコンピュータ可読媒体上に格納された１組のコンピュータにより実行可能な命令であって、実行されたときに本発明の方法をコンピュータに実施させる命令とともに実装されてもよく、ただしそうでなくてもよいことが考慮される。これらの命令は、本開示で説明した機能に加えて、システムの設計者、所有者、ユーザ、又は他のそのような人員によって関連すると認められる機器の動作、制御、データ収集及び分析、及び他の機能を行ってもよい。
【０８５３】
本明細書の開示内容は、単に、例示するものであり、本発明を限定するものではないことを認識すべきである。さらに、当業者は、本発明の範囲内に残りつつ、付加的な構成要素、構成、配置等を実現してもよいことを認識するであろう。例えば、層、電極、リード線、端子、接点、フィードスルー、キャップ等の構成は、本明細書で開示した実施形態から変更してもよい。概して、電極を使用する１つ又は複数のウルトラキャパシタの構成要素の設計及び／又は用途は、システムの設計者、製造者、オペレータ、及び／又はユーザのニーズと、任意の特定の状況において表される要件とによってのみ限定される。
【０８５４】
さらに、様々な他の構成要素を、本明細書の開示内容の態様を提供するために含めてもよく、要求してもよい。例えば、本明細書で議論した様々な態様のサポートとして、又は本開示を越えた他の機能のサポートとして、追加の電源（例えば、発電機、ワイヤーライン、遠隔電源、及び化学バッテリーのうちの少なくとも１つ）、冷却構成要素、加熱構成要素、圧力保持構成要素、絶縁、アクチュエータ、センサ、電極、送信機、受信機、トランシーバ、アンテナ、コントローラ、電気装置、又は電気機械装置が含まれてもよい。
【０８５５】
本発明は、例示的な実施形態に関して記載されているが、本発明の範囲を逸脱することなく、様々な変更を行ってもよく、その構成要素を等価物で置き換えてもよいことは理解されよう。さらに、その本質的な範囲を逸脱することなく、本発明の開示内容に対して特定の装置、状況、もしくは材料を採用するための多数の修正が認められるであろう。
そのため、本発明は、本発明の実施のために考えられたベストモードとして開示した特定の実施形態に限定されるわけではなく、本明細書に添付された特許請求の範囲により解釈されることが意図される。
【図１】
2016521451.tif 000019
【図２】
2016521451.tif 000020
【図３】
2016521451.tif 000021
【図４】
2016521451.tif 000022
【図５】
2016521451.tif 000023
【図６】
2016521451.tif 000024
【図７】
2016521451.tif 000025
【図８Ａ】
2016521451.tif 000026
【図８Ｂ】
2016521451.tif 000027
【図９】
2016521451.tif 000028
【図１０Ａ】
2016521451.tif 000029
【図１０Ｂ】
2016521451.tif 000030
【図１１】
2016521451.tif 000031
【図１２Ａ】
2016521451.tif 000032
【図１２Ｂ】
2016521451.tif 000033
【図１２Ｃ】
2016521451.tif 000034
【図１３】
2016521451.tif 000035
【図１４】
2016521451.tif 000036
【図１５】
2016521451.tif 000037
【図１６Ａ】
2016521451.tif 000038
【図１６Ｂ】
2016521451.tif 000039
【図１６Ｃ】
2016521451.tif 000040
【図１７】
2016521451.tif 000041
【図１８Ａ】
2016521451.tif 000042
【図１８Ｂ】
2016521451.tif 000043
【図１８Ｃ】
2016521451.tif 000044
【図１９】
2016521451.tif 000045
【図２０】
2016521451.tif 000046
【図２１】
2016521451.tif 000047
【図２２】
2016521451.tif 000048
【図２３】
2016521451.tif 000049
【図２４】
2016521451.tif 000050
【図２５】
2016521451.tif 000051
【図２６】
2016521451.tif 000052
【図２７】
2016521451.tif 000053
【図２８】
2016521451.tif 000054
【図２９】
2016521451.tif 000055
【図３０】
2016521451.tif 000056
【図３１Ａ】
2016521451.tif 000057
【図３１Ｂ】
2016521451.tif 000058
【図３２】
2016521451.tif 000059
【図３３】
2016521451.tif 000060
【図３４】
2016521451.tif 000061
【図３５】
2016521451.tif 000062
【図３６】
2016521451.tif 000063
【図３７】
2016521451.tif 000064
【図３８Ａ】
2016521451.tif 000065
【図３８Ｂ】
2016521451.tif 000066
【図３９】
2016521451.tif 000067
【図４０Ａ】
2016521451.tif 000068
【図４０Ｂ】
2016521451.tif 000069
【国際調査報告】
2016521451.tif 000070
2016521451.tif 000071
2016521451.tif 000072